(57)【要約】本出願は、第１のパブリックランドモバイルネットワーク中のアクセスおよびモビリティ管理機能ネットワーク要素によって、端末デバイスから登録要求メッセージを受信するステップと、第１の条件が満たされると決定するとき、端末デバイスに第１のパブリックランドモバイルネットワークの構成されたネットワークスライス選択支援情報を送信するステップとを含む通信方法を提供する。第１の条件は、登録要求メッセージが最初の登録要求メッセージであること、または登録要求メッセージは、端末デバイスが第２のパブリックランドモバイルネットワークから第１のパブリックランドモバイルネットワークに移動した後に送信されることのいずれかを含む。本出願の解決策によれば、端末デバイスのユーザエクスペリエンスが改善されることができ、ネットワークリソースが節約されることができる。
2021519560.tif 000002
【特許請求の範囲】
【請求項１】
通信方法であって、前記方法は、
第１のパブリックランドモバイルネットワーク中のアクセスおよびモビリティ管理機能ネットワーク要素によって、端末デバイスから登録要求メッセージを受信するステップと、
第１の条件が満たされると決定するとき、前記アクセスおよびモビリティ管理機能ネットワーク要素によって、前記端末デバイスに前記第１のパブリックランドモバイルネットワークの構成されたネットワークスライス選択支援情報を送信するステップであって、前記第１の条件は、前記登録要求メッセージが最初の登録要求メッセージであること、または前記端末デバイスが第２のパブリックランドモバイルネットワークから前記第１のパブリックランドモバイルネットワークに移動した後に前記登録要求メッセージが送信されることのいずれかを備える、ステップと
を備える方法。
【請求項２】
前記第１の条件は、前記アクセスおよびモビリティ管理機能ネットワーク要素が統一データ管理ネットワーク要素から前記端末デバイスのサブスクリプション情報を取得することをさらに備える請求項１に記載の方法。
【請求項３】
通信方法であって、前記方法は、
第１のパブリックランドモバイルネットワーク中の第１のアクセスおよびモビリティ管理機能ネットワーク要素から統一データ管理ネットワーク要素によって、端末デバイスのサブスクリプション情報を取得する要求を受信するステップであって、前記第１のアクセスおよびモビリティ管理機能ネットワーク要素が、前記端末デバイスにサービスするアクセスおよびモビリティ管理機能ネットワーク要素である、ステップと、
前記統一データ管理ネットワーク要素によって、前記第１のアクセスおよびモビリティ管理機能ネットワーク要素に前記端末デバイスの前記サブスクリプション情報を送信するステップであって、前記端末デバイスの前記サブスクリプション情報が、前記端末デバイスの少なくともサブスクライブされたネットワークスライス選択支援情報を備える、ステップと、
前記統一データ管理ネットワーク要素によって、第１の構成されたネットワークスライス選択支援情報を更新するように前記第１のアクセスおよびモビリティ管理機能ネットワーク要素に命令するステップであって、前記第１の構成されたネットワークスライス選択支援情報は、前記端末デバイスが登録するように要求する前記第１のパブリックランドモバイルネットワークの構成されたネットワークスライス選択支援情報である、ステップと
を備える方法。
【請求項４】
前記統一データ管理ネットワーク要素によって、第１の構成されたネットワークスライス選択支援情報を更新するように前記第１のアクセスおよびモビリティ管理機能ネットワーク要素に命令する前記ステップは、
前記統一データ管理ネットワーク要素によって、前記第１のアクセスおよびモビリティ管理機能ネットワーク要素に第１のインジケーション情報を送信するステップであって、前記第１のインジケーション情報は、前記第１の構成されたネットワークスライス選択支援情報を更新するように前記第１のアクセスおよびモビリティ管理機能ネットワーク要素に命令するために使用される、ステップ
を備える請求項３に記載の方法。
【請求項５】
前記統一データ管理ネットワーク要素によって、第１の構成されたネットワークスライス選択支援情報を更新するように前記第１のアクセスおよびモビリティ管理機能ネットワーク要素に命令する前記ステップは、
前記統一データ管理ネットワーク要素によって、前記第１のアクセスおよびモビリティ管理機能ネットワーク要素に前記端末デバイスのサブスクリプション変更通知メッセージを送信するステップであって、前記端末デバイスの前記サブスクリプション変更通知メッセージが、前記端末デバイスの前記サブスクライブされたネットワークスライス選択支援情報を備える、ステップ
を備える請求項３に記載の方法。
【請求項６】
前記方法は、
前記統一データ管理ネットワーク要素によって、前記第１のアクセスおよびモビリティ管理機能ネットワーク要素にサブスクリプション要求を送信するステップであって、前記サブスクリプション要求は、前記第１の構成されたネットワークスライス選択支援情報の前記更新が完了した後に前記統一データ管理ネットワーク要素に通知メッセージを送信するように前記第１のアクセスおよびモビリティ管理機能ネットワーク要素に要求するために使用される、ステップと、
前記統一データ管理ネットワーク要素によって、前記第１のアクセスおよびモビリティ管理機能ネットワーク要素から前記通知メッセージを受信するステップと
をさらに備える請求項３乃至５のいずれか一項に記載の方法。
【請求項７】
前記方法は、
前記統一データ管理ネットワーク要素によって、第１の構成されたネットワークスライス選択支援情報を更新するように前記第１のアクセスおよびモビリティ管理機能ネットワーク要素に命令する前記ステップの後に、前記統一データ管理ネットワーク要素によって、前記第１の構成されたネットワークスライス選択支援情報の前記更新が開始される必要がないと決定するステップ
をさらに備える請求項３乃至６のいずれか一項に記載の方法。
【請求項８】
前記方法は、
前記統一データ管理ネットワーク要素が前記第１のアクセスおよびモビリティ管理機能ネットワーク要素から前記通知メッセージを受信した後、前記統一データ管理ネットワーク要素によって、前記第１の構成されたネットワークスライス選択支援情報の前記更新が開始される必要がないと決定するステップ
をさらに備える請求項６に記載の方法。
【請求項９】
前記統一データ管理ネットワーク要素によって、第１の構成されたネットワークスライス選択支援情報を更新するように前記第１のアクセスおよびモビリティ管理機能ネットワーク要素に命令する前記ステップの前に、前記方法は、
前記統一データ管理ネットワーク要素によって、前記端末デバイスの１つまたは複数のパブリックランドモバイルネットワークの構成されたネットワークスライス選択支援情報が更新される必要があると決定するステップであって、前記１つまたは複数のパブリックランドモバイルネットワークが、前記第１のパブリックランドモバイルネットワークを備える、ステップ
をさらに備える請求項３乃至８のいずれか一項に記載の方法。
【請求項１０】
前記統一データ管理ネットワーク要素によって、前記端末デバイスの１つまたは複数のパブリックランドモバイルネットワークの構成されたネットワークスライス選択支援情報が更新される必要があると決定する前記ステップは、
前記端末デバイスの前記サブスクリプション情報が変化すると決定するとき、前記統一データ管理ネットワーク要素によって、前記端末デバイスの前記１つまたは複数のパブリックランドモバイルネットワークの前記構成されたネットワークスライス選択支援情報が更新される必要があると決定するステップ
を備える請求項９に記載の方法。
【請求項１１】
通信方法であって、前記方法は、
統一データ管理ネットワーク要素に第１のパブリックランドモバイルネットワーク中で第１のアクセスおよびモビリティ管理機能ネットワーク要素によって、端末デバイスのサブスクリプション情報を取得する要求を送信するステップであって、前記第１のアクセスおよびモビリティ管理機能ネットワーク要素が、前記端末デバイスにサービスするアクセスおよびモビリティ管理機能ネットワーク要素である、ステップと、
前記第１のアクセスおよびモビリティ管理機能ネットワーク要素によって、前記統一データ管理ネットワーク要素から前記端末デバイスの前記サブスクリプション情報を受信するステップであって、前記端末デバイスの前記サブスクリプション情報が、前記端末デバイスの少なくともサブスクライブされたネットワークスライス選択支援情報を備える、ステップと、
前記第１のアクセスおよびモビリティ管理機能ネットワーク要素によって、前記統一データ管理ネットワーク要素のインジケーションに従って第１の構成されたネットワークスライス選択支援情報の更新を開始するステップであって、前記第１の構成されたネットワークスライス選択支援情報は、前記端末デバイスが登録するように要求するものの構成されたネットワークスライス選択支援情報である、ステップと
を備える方法。
【請求項１２】
前記第１のアクセスおよびモビリティ管理機能ネットワーク要素によって、前記統一データ管理ネットワーク要素のインジケーションに従って第１の構成されたネットワークスライス選択支援情報の更新を開始する前記ステップは、
前記統一データ管理ネットワーク要素から第１のインジケーション情報を受信すると、前記第１のアクセスおよびモビリティ管理機能ネットワーク要素によって、前記サブスクライブされたネットワークスライス選択支援情報に基づいて前記第１の構成されたネットワークスライス選択支援情報の前記更新を開始するステップ
を備える請求項１１に記載の方法。
【請求項１３】
前記第１のアクセスおよびモビリティ管理機能ネットワーク要素によって、前記統一データ管理ネットワーク要素のインジケーションに従って第１の構成されたネットワークスライス選択支援情報の更新を開始する前記ステップは、
前記統一データ管理ネットワーク要素から前記端末デバイスのサブスクリプション変更通知メッセージを受信すると、前記第１のアクセスおよびモビリティ管理機能ネットワーク要素によって、前記端末デバイスの前記サブスクリプション変更通知メッセージ中に備えられた前記端末デバイスの前記サブスクライブされたネットワークスライス選択支援情報に基づいて前記第１の構成されたネットワークスライス選択支援情報の前記更新を開始するステップ
を備える請求項１１に記載の方法。
【請求項１４】
前記方法は、
前記第１のアクセスおよびモビリティ管理機能ネットワーク要素によって、前記統一データ管理ネットワーク要素からサブスクリプション要求を受信するステップであって、前記サブスクリプション要求は、前記第１の構成されたネットワークスライス選択支援情報の前記更新が完了した後に前記統一データ管理ネットワーク要素に通知メッセージを送信するように前記第１のアクセスおよびモビリティ管理機能ネットワーク要素に要求するために使用される、ステップと、
前記端末デバイスから構成更新完了メッセージを受信した後に、前記第１のアクセスおよびモビリティ管理機能ネットワーク要素によって、前記統一データ管理ネットワーク要素に前記通知メッセージを送信するステップであって、前記構成更新完了メッセージは、前記端末デバイスが、前記第１の構成されたネットワークスライス選択支援情報の前記更新を完了したことを示すために使用される、ステップと
を備える請求項１１乃至１３のいずれか一項に記載の方法。
【請求項１５】
通信方法であって、前記方法は、
アクセスおよびモビリティ管理機能ネットワーク要素によって、端末デバイスのサブスクライブされたネットワークスライス選択支援情報を取得するステップと、
前記アクセスおよびモビリティ管理機能ネットワーク要素によって、前記端末デバイスの第１の構成されたネットワークスライス選択支援情報を取得するステップであって、前記第１の構成されたネットワークスライス選択支援情報は、前記端末デバイスが登録するように要求する第１のパブリックランドモバイルネットワークの構成されたネットワークスライス選択支援情報である、ステップと、
前記サブスクライブされたネットワークスライス選択支援情報に基づいて前記アクセスおよびモビリティ管理機能ネットワーク要素によって、前記第１の構成されたネットワークスライス選択支援情報が更新される必要があるかどうかを決定するステップと、
前記第１の構成されたネットワークスライス選択支援情報が更新される必要があると前記アクセスおよびモビリティ管理機能ネットワーク要素が決定する場合、前記サブスクライブされたネットワークスライス選択支援情報に基づいて第２の構成されたネットワークスライス選択支援情報を決定し、前記端末デバイスに前記第２の構成されたネットワークスライス選択支援情報を送信するステップと
を備える方法。
【請求項１６】
前記アクセスおよびモビリティ管理機能ネットワーク要素によって、前記端末デバイスの第１の構成されたネットワークスライス選択支援情報を取得する前記ステップは、
前記アクセスおよびモビリティ管理機能ネットワーク要素によって、前記端末デバイスから登録要求メッセージを受信するステップであって、前記登録要求メッセージは、前記第１の構成されたネットワークスライス選択支援情報を備える、ステップ
を備える請求項１５に記載の方法。
【請求項１７】
前記登録要求メッセージは最初の登録要求メッセージであるか、または前記登録要求メッセージは、前記端末デバイスが第２のパブリックランドモバイルネットワークから前記第１のパブリックランドモバイルネットワークに移動した後に送信される請求項１６に記載の方法。
【請求項１８】
前記アクセスおよびモビリティ管理機能ネットワーク要素によって、前記端末デバイスの第１の構成されたネットワークスライス選択支援情報を取得する前記ステップは、
前記アクセスおよびモビリティ管理機能ネットワーク要素によって、前記端末デバイスのコンテキストを取得するステップであって、前記端末デバイスの前記コンテキストは、前記第１の構成されたネットワークスライス選択支援情報を備える、ステップ
を備える請求項１５に記載の方法。
【請求項１９】
前記サブスクライブされたネットワークスライス選択支援情報に基づいて前記アクセスおよびモビリティ管理機能ネットワーク要素によって、前記第１の構成されたネットワークスライス選択支援情報が更新される必要があるかどうかを決定する前記ステップは、
前記アクセスおよびモビリティ管理機能ネットワーク要素によって、前記第１の構成されたネットワークスライス選択支援情報が前記サブスクライブされたネットワークスライス選択支援情報と同じであるかどうかを決定するステップと、前記第１の構成されたネットワークスライス選択支援情報が前記サブスクライブされたネットワークスライス選択支援情報とは異なる場合、前記第１の構成されたネットワークスライス選択支援情報が前記第２の構成されたネットワークスライス選択支援情報に更新される必要があると決定するステップであって、
前記第２の構成されたネットワークスライス選択支援情報中に備えられた単一のネットワークスライス選択支援情報は、前記サブスクライブされたネットワークスライス選択支援情報と同じである、ステップと
を備える請求項１５乃至１８のいずれか一項に記載の方法。
【請求項２０】
前記第１の構成されたネットワークスライス選択支援情報は、前記端末デバイスの訪問先パブリックランドネットワークの構成されたネットワークスライス選択支援情報であり、前記サブスクライブされたネットワークスライス選択支援情報に基づいて前記アクセスおよびモビリティ管理機能ネットワーク要素によって、前記第１の構成されたネットワークスライス選択支援情報が更新される必要があるかどうかを決定する前記ステップは、
前記第１の構成されたネットワークスライス選択支援情報、前記サブスクライブされたネットワークスライス選択支援情報、および前記第１の構成されたネットワークスライス選択支援情報と前記端末デバイスのホームパブリックランドネットワークの構成されたネットワークスライス選択支援情報との間のマッピング関係に基づいて前記アクセスおよびモビリティ管理機能ネットワーク要素によって、前記第１の構成されたネットワークスライス選択支援情報が更新される必要があるかどうかを決定するステップ
を備える請求項１５乃至１８のいずれか一項に記載の方法。
【請求項２１】
前記方法は、
前記アクセスおよびモビリティ管理機能ネットワーク要素によって、前記端末デバイスの前記コンテキスト中に前記第２の構成されたネットワークスライス選択支援情報を記憶するステップ
をさらに備える請求項１５乃至２０のいずれか一項に記載の方法。
【請求項２２】
通信方法であって、前記方法は、
端末デバイスによって、アクセスおよびモビリティ管理機能ネットワーク要素に登録要求メッセージを送信するステップであって、前記登録要求メッセージは、前記端末デバイスの第１の構成されたネットワークスライス選択支援情報を備え、前記第１の構成されたネットワークスライス選択支援情報は、前記端末デバイスが登録するように要求する第１のパブリックランドモバイルネットワークの構成されたネットワークスライス選択支援情報である、ステップと、
前記端末デバイスによって、前記第１のパブリックランドモバイルネットワークの第２の構成されたネットワークスライス選択支援情報を取得するステップと
を備える方法。
【請求項２３】
前記登録要求メッセージは最初の登録要求メッセージであるか、または前記登録要求メッセージは、前記端末デバイスが第２のパブリックランドモバイルネットワークから前記第１のパブリックランドモバイルネットワークに移動した後に送信される請求項２２に記載の方法。
【請求項２４】
通信装置であって、前記通信装置は、第１のパブリックランドモバイルネットワーク中に位置し、
端末デバイスから登録要求メッセージを受信するように構成された受信モジュールと、
第１の条件が満たされると決定するとき、送信モジュールを使用することによって前記端末デバイスに前記第１のパブリックランドモバイルネットワークの構成されたネットワークスライス選択支援情報を送信することであって、前記第１の条件は、前記登録要求メッセージが最初の登録要求メッセージであること、または前記端末デバイスが第２のパブリックランドモバイルネットワークから前記第１のパブリックランドモバイルネットワークに移動した後に前記登録要求メッセージが送信されることのいずれかを備える、ことを行うように構成された処理モジュールと
を備える通信装置。
【請求項２５】
前記第１の条件は、前記アクセスおよびモビリティ管理機能ネットワーク要素が統一データ管理ネットワーク要素から前記端末デバイスのサブスクリプション情報を取得することをさらに備える請求項２４に記載の通信装置。
【請求項２６】
通信装置であって、
第１のパブリックランドモバイルネットワーク中の第１のアクセスおよびモビリティ管理機能ネットワーク要素から、端末デバイスのサブスクリプション情報を取得する要求を受信することであって、前記第１のアクセスおよびモビリティ管理機能ネットワーク要素が、前記端末デバイスにサービスするアクセスおよびモビリティ管理機能ネットワーク要素である、ことを行うように構成された受信モジュールと、
前記第１のアクセスおよびモビリティ管理機能ネットワーク要素に前記端末デバイスの前記サブスクリプション情報を送信することであって、前記端末デバイスの前記サブスクリプション情報が、前記端末デバイスの少なくともサブスクライブされたネットワークスライス選択支援情報を備える、ことを行うように構成され、第１の構成されたネットワークスライス選択支援情報を更新するように前記第１のアクセスおよびモビリティ管理機能ネットワーク要素に命令することであって、前記第１の構成されたネットワークスライス選択支援情報は、前記端末デバイスが登録するように要求するものの構成されたネットワークスライス選択支援情報である、ことを行うようにさらに構成された送信モジュールと
を備える通信装置。
【請求項２７】
通信装置であって、前記通信装置は、第１のパブリックランドモバイルネットワーク中に位置し、
統一データ管理ネットワーク要素に、端末デバイスのサブスクリプション情報を取得する要求を送信することであって、前記通信装置が、前記端末デバイスにサービスするアクセスおよびモビリティ管理機能ネットワーク要素である、ことを行うように構成された送信モジュールと、
前記統一データ管理ネットワーク要素から前記端末デバイスの前記サブスクリプション情報を受信することであって、前記端末デバイスの前記サブスクリプション情報が、前記端末デバイスの少なくともサブスクライブされたネットワークスライス選択支援情報を備える、ことを行うように構成された受信モジュールと、
前記統一データ管理ネットワーク要素のインジケーションに従って第１の構成されたネットワークスライス選択支援情報を更新することであって、前記第１の構成されたネットワークスライス選択支援情報は、前記端末デバイスが登録するように要求するものの構成されたネットワークスライス選択支援情報である、ことを行うように構成された処理モジュールと
を備える通信装置。
【請求項２８】
通信装置であって、
端末デバイスのサブスクライブされたネットワークスライス選択支援情報を取得することと、前記端末デバイスの第１の構成されたネットワークスライス選択支援情報を取得することであって、前記第１の構成されたネットワークスライス選択支援情報は、前記端末デバイスが登録するように要求する第１のパブリックランドモバイルネットワークの構成されたネットワークスライス選択支援情報である、取得することとを行うように構成された取得モジュールと、
前記サブスクライブされたネットワークスライス選択支援情報に基づいて、前記第１の構成されたネットワークスライス選択支援情報が更新される必要があるかどうかを決定することと、前記第１の構成されたネットワークスライス選択支援情報が更新される必要がある場合、前記サブスクライブされたネットワークスライス選択支援情報に基づいて第２の構成されたネットワークスライス選択支援情報を決定し、送信モジュールを使用して前記端末デバイスに前記第２の構成されたネットワークスライス選択支援情報を送信することとを行うように構成された処理モジュールと
を備える通信装置。
【請求項２９】
通信装置であって、
アクセスおよびモビリティ管理機能ネットワーク要素に登録要求メッセージを送信することであって、前記登録要求メッセージは、前記端末デバイスの第１の構成されたネットワークスライス選択支援情報を備え、前記第１の構成されたネットワークスライス選択支援情報は、前記端末デバイスが登録するように要求する第１のパブリックランドモバイルネットワークの構成されたネットワークスライス選択支援情報である、ことを行うように構成された送信モジュールと、
前記第１のパブリックランドモバイルネットワークの第２の構成されたネットワークスライス選択支援情報を取得するように構成された受信モジュールと
を備える通信装置。
【請求項３０】
前記登録要求メッセージは最初の登録要求メッセージであるか、または前記登録要求メッセージは、前記端末デバイスが第２のパブリックランドモバイルネットワークから前記第１のパブリックランドモバイルネットワークに移動した後に送信される請求項２９に記載の通信装置。
【請求項３１】
通信方法であって、
第１のネットワーク中のアクセスおよびモビリティ管理機能ネットワーク要素によって、データ管理ネットワーク要素から端末デバイスの更新されたサブスクライブされたネットワークスライス選択支援情報を受信するステップと、
前記更新されたサブスクライブされたネットワークスライス選択支援情報に基づいて、前記端末デバイスの、前記第１のネットワークに関連する第１の構成されたネットワークスライス選択支援情報を取得するステップと、
前記アクセスおよびモビリティ管理機能ネットワーク要素によって、前記端末デバイスに前記第１の構成されたネットワークスライス選択支援情報とインジケーション情報とを送信するステップであって、前記インジケーション情報は、前記第１のネットワーク以外の他のネットワークに関連する第２の構成されたネットワークスライス選択支援情報を削除するように前記端末デバイスに命令するために使用される、ステップと
を備える方法。
【請求項３２】
前記更新されたサブスクライブされたネットワークスライス選択支援情報に基づいて、前記端末デバイスの、前記第１のネットワークに関連する第１の構成されたネットワークスライス選択支援情報を取得する前記ステップは、
前記アクセスおよびモビリティ管理機能ネットワーク要素によって、前記更新されたサブスクライブされたネットワークスライス選択支援情報に基づいて前記第１の構成されたネットワークスライス選択支援情報を決定するステップ、または
前記更新されたサブスクライブされたネットワークスライス選択支援情報を受信した後に、前記アクセスおよびモビリティ管理機能ネットワーク要素によって、ネットワークスライス選択機能ネットワーク要素から前記第１の構成されたネットワークスライス選択支援情報を取得するステップ
を備える請求項３１に記載の方法。
【請求項３３】
前記インジケーション情報は、前記他のネットワークに関連する許可されたネットワークスライス選択支援情報を削除するように前記端末デバイスに命令するためにさらに使用される請求項３１または３２に記載の方法。
【請求項３４】
前記アクセスおよびモビリティ管理機能ネットワーク要素によって、前記端末デバイスに前記インジケーション情報を送信する前記ステップは、
前記第１の構成されたネットワークスライス選択支援情報が前記更新されたサブスクライブされたネットワークスライス選択支援情報に基づいて取得されると前記アクセスおよびモビリティ管理機能ネットワーク要素が決定する場合、前記アクセスおよびモビリティ管理機能ネットワーク要素によって、前記端末デバイスに前記インジケーション情報を送信するステップ
を備える請求項３１乃至３３のいずれか一項に記載の方法。
【請求項３５】
前記アクセスおよびモビリティ管理機能ネットワーク要素によって、前記端末デバイスに前記第１の構成されたネットワークスライス選択支援情報とインジケーション情報とを送信する前記ステップは、
前記アクセスおよびモビリティ管理機能ネットワーク要素によって、前記端末デバイスにユーザ機器構成更新コマンドを送信するステップであって、前記ユーザ機器構成更新コマンドは、前記第１の構成されたネットワークスライス選択支援情報と前記インジケーション情報とを備える、ステップ
を備える請求項３１乃至３４のいずれか一項に記載の方法。
【請求項３６】
前記アクセスおよびモビリティ管理機能ネットワーク要素によって、前記端末デバイスに前記第１の構成されたネットワークスライス選択支援情報とインジケーション情報とを送信する前記ステップは、
前記アクセスおよびモビリティ管理機能ネットワーク要素によって、前記端末デバイスに登録受入れメッセージを送信するステップであって、前記登録受入れメッセージは、前記第１の構成されたネットワークスライス選択支援情報と前記インジケーション情報とを備える、ステップ
を備える請求項３１乃至３４のいずれか一項に記載の方法。
【請求項３７】
通信方法であって、
第１のネットワーク中のアクセスおよびモビリティ管理機能ネットワーク要素から端末デバイスによって、前記第１のネットワークの前記端末デバイスの第１の構成されたネットワークスライス選択支援情報を受信するステップと、
前記端末デバイスによって、前記第１のネットワーク以外の他のネットワークに関連する第２の構成されたネットワークスライス選択支援情報を削除するステップと、
前記端末デバイスによって、前記第１のネットワークに関連する記憶された第３の構成されたネットワークスライス選択支援情報を前記第１の構成されたネットワークスライス選択支援情報と置き換えるステップと
を備える方法。
【請求項３８】
前記端末デバイスによって、前記アクセスおよびモビリティ管理機能ネットワーク要素からインジケーション情報を受信するステップをさらに備え、
前記端末デバイスによって、前記第１のネットワーク以外の他のネットワークに関連する第２の構成されたネットワークスライス選択支援情報を削除する前記ステップは、
前記インジケーション情報に従って前記端末デバイスによって、前記第１のネットワーク以外の前記他のネットワークに関連する前記第２の構成されたネットワークスライス選択支援情報を削除するステップを備える、請求項３７に記載の方法。
【請求項３９】
前記インジケーション情報は、前記第２の構成されたネットワークスライス選択支援情報を削除するように前記端末デバイスに命令するために使用される請求項３８に記載の方法。
【請求項４０】
前記端末デバイスによって、前記他のネットワークに関連する許可されたネットワークスライス選択支援情報を削除するステップ
をさらに備える請求項３７乃至３９のいずれか一項に記載の方法。
【請求項４１】
前記端末デバイスによって、前記アクセスおよびモビリティ管理機能ネットワーク要素から前記インジケーション情報を受信するステップであって、前記インジケーション情報は、前記第２の構成されたネットワークスライス選択支援情報と前記許可されたネットワークスライス選択支援情報とを削除するように前記端末デバイスに命令するために使用される、ステップ
をさらに備える請求項４０に記載の方法。
【請求項４２】
請求項３１乃至３６のいずれか一項に記載の前記方法を実行するように構成された通信装置。
【請求項４３】
請求項３７乃至４１のいずれか一項に記載の前記方法を実行するように構成された通信装置。
【請求項４４】
通信装置であって、
データ管理ネットワーク要素から端末デバイスの更新されたサブスクライブされたネットワークスライス選択支援情報を受信することと、前記更新されたサブスクライブされたネットワークスライス選択支援情報に基づいて、前記端末デバイスの、第１のネットワークに関連する第１の構成されたネットワークスライス選択支援情報を取得することとを行うように構成された取得モジュールと、
前記端末デバイスに前記第１の構成されたネットワークスライス選択支援情報とインジケーション情報とを送信することであって、前記インジケーション情報は、前記第１のネットワーク以外の他のネットワークに関連する第２の構成されたネットワークスライス選択支援情報を削除するように前記端末デバイスに命令するために使用される、ことを行うように構成された送信モジュールと
を備える通信装置。
【請求項４５】
前記取得モジュールは、前記更新されたサブスクライブされたネットワークスライス選択支援情報に基づいて前記第１の構成されたネットワークスライス選択支援情報を決定するように構成され、または
前記取得モジュールは、前記更新されたサブスクライブされたネットワークスライス選択支援情報を受信した後に、ネットワークスライス選択機能ネットワーク要素から前記第１の構成されたネットワークスライス選択支援情報を取得するように構成された
請求項４４に記載の通信装置。
【請求項４６】
前記第１の構成されたネットワークスライス選択支援情報が前記更新されたサブスクライブされたネットワークスライス選択支援情報に基づいて取得されると前記通信装置が決定する場合、前記送信モジュールは、前記端末デバイスに前記インジケーション情報を送信する請求項４４または４５に記載の通信装置。
【請求項４７】
前記送信モジュールは、前記端末デバイスにユーザ機器構成更新コマンドを送信することであって、前記ユーザ機器構成更新コマンドは、前記第１の構成されたネットワークスライス選択支援情報と前記インジケーション情報とを備える、ことを行うように構成された請求項４４乃至４６のいずれか一項に記載の通信装置。
【請求項４８】
前記送信モジュールは、前記端末デバイスに登録受入れメッセージを送信することであって、前記登録受入れメッセージは、前記第１の構成されたネットワークスライス選択支援情報と前記インジケーション情報とを備える、ことを行うように構成された請求項４４乃至４６のいずれか一項に記載の通信装置。
【請求項４９】
前記通信装置は、前記第１のネットワーク中に位置するアクセスおよびモビリティ管理機能ネットワーク要素である請求項４４乃至４８のいずれか一項に記載の通信装置。
【請求項５０】
通信装置であって、
第１のネットワーク中のアクセスおよびモビリティ管理機能ネットワーク要素から、前記第１のネットワークの端末デバイスの第１の構成されたネットワークスライス選択支援情報を受信するように構成された受信モジュールと、
前記第１のネットワーク以外の他のネットワークに関連する第２の構成されたネットワークスライス選択支援情報を削除することと、前記第１のネットワークに関連する記憶された第３の構成されたネットワークスライス選択支援情報を前記第１の構成されたネットワークスライス選択支援情報と置き換えることとを行うように構成された処理モジュールと
を備える通信装置。
【請求項５１】
前記受信モジュールは、前記アクセスおよびモビリティ管理機能ネットワーク要素からインジケーション情報を受信するようにさらに構成され、
前記処理モジュールは、前記インジケーション情報に従って、前記第１のネットワーク以外の前記他のネットワークに関連する前記第２の構成されたネットワークスライス選択支援情報を削除するように構成された
請求項５０に記載の通信装置。
【請求項５２】
前記インジケーション情報は、前記第２の構成されたネットワークスライス選択支援情報を削除するように前記端末デバイスに命令するために使用される請求項５１に記載の通信装置。
【請求項５３】
前記通信装置は前記端末デバイスを備える請求項５０乃至５２のいずれか一項に記載の通信装置。
【請求項５４】
通信装置であって、
データ管理ネットワーク要素から端末デバイスの更新されたサブスクライブされたネットワークスライス選択支援情報を受信するように構成されたトランシーバと、
前記更新されたサブスクライブされたネットワークスライス選択支援情報に基づいて、前記端末デバイスの、第１のネットワークに関連する第１の構成されたネットワークスライス選択支援情報を取得するように構成されたプロセッサと
を備え、
前記トランシーバは、前記端末デバイスに前記第１の構成されたネットワークスライス選択支援情報とインジケーション情報とを送信するようにさらに構成され、前記インジケーション情報は、前記第１のネットワーク以外の他のネットワークに関連する第２の構成されたネットワークスライス選択支援情報を削除するように前記端末デバイスに命令するために使用される
通信装置。
【請求項５５】
前記プロセッサは、前記更新されたサブスクライブされたネットワークスライス選択支援情報に基づいて前記第１の構成されたネットワークスライス選択支援情報を決定するように構成され、または
前記プロセッサは、前記更新されたサブスクライブされたネットワークスライス選択支援情報を前記トランシーバが受信した後に、前記トランシーバを使用することによってネットワークスライス選択機能ネットワーク要素から前記第１の構成されたネットワークスライス選択支援情報を取得するように構成された
請求項５４に記載の通信装置。
【請求項５６】
前記プロセッサは、前記第１の構成されたネットワークスライス選択支援情報が前記更新されたサブスクライブされたネットワークスライス選択支援情報に基づいて取得される場合、前記端末デバイスに前記インジケーション情報を送信するように前記トランシーバを制御するように構成された請求項５４または５５に記載の通信装置。
【請求項５７】
前記トランシーバは、前記端末デバイスにユーザ機器構成更新コマンドを送信することであって、前記ユーザ機器構成更新コマンドは、前記第１の構成されたネットワークスライス選択支援情報と前記インジケーション情報とを備える、ことを行うように構成された請求項５４乃至５６のいずれか一項に記載の通信装置。
【請求項５８】
前記トランシーバは、前記端末デバイスに登録受入れメッセージを送信することであって、前記登録受入れメッセージは、前記第１の構成されたネットワークスライス選択支援情報と前記インジケーション情報とを備える、ことを行うように構成された請求項５４乃至５６のいずれか一項に記載の通信装置。
【請求項５９】
前記通信装置は、前記第１のネットワーク中に位置するアクセスおよびモビリティ管理機能ネットワーク要素である請求項５４乃至５８のいずれか一項に記載の通信装置。
【請求項６０】
通信装置であって、
第１のネットワーク中のアクセスおよびモビリティ管理機能ネットワーク要素から、前記第１のネットワークの端末デバイスの第１の構成されたネットワークスライス選択支援情報を受信するように構成された受信機と、
前記第１のネットワーク以外の他のネットワークに関連する第２の構成されたネットワークスライス選択支援情報を削除することと、前記第１のネットワークに関連する記憶された第３の構成されたネットワークスライス選択支援情報を前記第１の構成されたネットワークスライス選択支援情報と置き換えることとを行うように構成されたプロセッサと
を備える通信装置。
【請求項６１】
前記受信機は、前記アクセスおよびモビリティ管理機能ネットワーク要素からインジケーション情報を受信するようにさらに構成され、
前記プロセッサは、前記インジケーション情報に従って、前記第１のネットワーク以外の前記他のネットワークに関連する前記第２の構成されたネットワークスライス選択支援情報を削除するように構成された
請求項６０に記載の通信装置。
【請求項６２】
前記インジケーション情報は、前記第２の構成されたネットワークスライス選択支援情報を削除するように前記端末デバイスに命令するために使用される請求項６１に記載の通信装置。
【請求項６３】
前記通信装置は前記端末デバイスである請求項６０乃至６２のいずれか一項に記載の通信装置。
【請求項６４】
命令を備えるコンピュータ可読記憶媒体であって、前記命令がコンピュータ上で動作するとき、前記コンピュータは、請求項１乃至２３または請求項３１乃至４１のいずれか一項に記載の前記方法を実行することが可能にされる、コンピュータ可読記憶媒体。
【請求項６５】
通信システムであって、
端末デバイスの更新されたサブスクライブされたネットワークスライス選択支援情報を送信するように構成されたデータ管理ネットワーク要素と、
前記データ管理ネットワーク要素から前記更新されたサブスクライブされたネットワークスライス選択支援情報を受信することと、前記更新されたサブスクライブされたネットワークスライス選択支援情報に基づいて、前記端末デバイスの、第１のネットワークに関連する第１の構成されたネットワークスライス選択支援情報を取得することと、前記端末デバイスに前記第１の構成されたネットワークスライス選択支援情報とインジケーション情報とを送信することであって、前記インジケーション情報は、前記第１のネットワーク以外の他のネットワークに関連する第２の構成されたネットワークスライス選択支援情報を削除するように前記端末デバイスに命令するために使用される、こととを行うように構成された、前記第１のネットワーク中のアクセスおよびモビリティ管理機能ネットワーク要素と
を備える通信システム。
【発明の詳細な説明】
【技術分野】
【０００１】
本出願は、通信技術の分野に関し、より詳細には、通信方法、装置、およびシステムに関する。
【背景技術】
【０００２】
本出願は、それらの全体が参照により本明細書に組み込まれる、２０１８年４月９日に中国国家知識産権局に出願された「ＣＯＭＭＵＮＩＣＡＴＩＯＮ  ＭＥＴＨＯＤ，ＡＰＰＡＲＡＴＵＳ，ＡＮＤ  ＳＹＳＴＥＭ」と題する中国特許出願第ＣＮ  ２０１８１０３１３０５９．４号の優先権を主張する、２０１８年５月１８日に中国国家知識産権局に出願された「ＣＯＭＭＵＮＩＣＡＴＩＯＮ  ＭＥＴＨＯＤ，ＡＰＰＡＲＡＴＵＳ，ＡＮＤ  ＳＹＳＴＥＭ」と題する中国特許出願第ＣＮ  ２０１８１０４８３３８３．０号の優先権を主張する。
【０００３】
技術の開発とともに、増加しつつある量のデバイスがモバイルネットワークにアクセスする。異なるデバイスの応用シナリオは異なり得る。異なるタイプの応用シナリオは、ネットワーク機能およびネットワークパフォーマンスについて異なる要件を有する。人を中心とした従来の単一のネットワークの集中化、最適化は、要件をもはや満たすことができない。さらに、最適化および要件は、異なるシナリオのネットワークにおいて大幅に変化し得る。たとえば、いくつかのシナリオでは、超低レイテンシおよび高信頼性のサービスが提供される必要があり、いくつかの他のシナリオでは、大量の接続をもつが、比較的少量のデータをもつサービスが必要とされ、さらに他のシナリオでは、高帯域で大量のデータをもつサービスが必要とされる。専用ネットワークがシナリオごとに構築される場合、事業者のネットワーク構築コストおよび運用コストが増加し、リソースの浪費を生じる。したがって、ネットワークスライシングの概念が出現する。
【０００４】
ネットワークスライシングにより、事業者は、独立した仮想論理ネットワーク方式で同じネットワークインフラストラクチャ上で、相互に離間されたネットワーク環境をもつ異なるタイプの応用シナリオを提供することが可能になり得、したがって、ネットワーク機能および特徴は、それらのそれぞれの要件に応じて異なるタイプの応用シナリオでカスタマイズされ得、異なるサービスの要件は、効果的に保証されることができる。
【０００５】
ネットワークスライスがコアネットワーク上に展開されるとき、端末デバイスは、パブリックランドモバイルネットワーク（Ｐｕｂｌｉｃ  Ｌａｎｄ  Ｍｏｂｉｌｅ  Ｎｅｔｗｏｒｋ、ＰＬＭＮ）ごとに１つの構成されたネットワークスライス選択支援情報（Ｃｏｎｆｉｇｕｒｅｄ  Ｎｅｔｗｏｒｋ  Ｓｌｉｃｅ  Ｓｅｌｅｃｔｉｏｎ  Ａｓｓｉｓｔａｎｃｅ  Ｉｎｆｏｒｍａｔｉｏｎ、Ｃｏｎｆｉｇｕｒｅｄ  ＮＳＳＡＩ）を記憶する。端末デバイスがネットワークに登録するとき、ネットワークスライス選択プロセスがトリガされる。たとえば、端末デバイスは、端末デバイスが登録することを要求するまたは登録しているＰＬＭＮの構成されたネットワークスライス選択支援情報に基づいて要求されたネットワークスライス選択支援情報（Ｒｅｑｕｅｓｔｅｄ  ＮＳＳＡＩ）を生成し、ネットワークデバイスに要求されたネットワークスライス選択支援情報を送信する。ネットワークデバイスは、端末デバイスに許可されたネットワークスライス選択支援情報（Ａｌｌｏｗｅｄ  ＮＳＳＡＩ）をフィードバックする。端末デバイスによってアクセスされる無線アクセスネットワーク（Ｒａｄｉｏ  Ａｃｃｅｓｓ  Ｎｅｔｗｏｒｋ、ＲＡＮ）デバイスは、許可されたネットワークスライス選択支援情報を使用することによってネットワークスライスプロシージャを選択することを実行し得る。
【０００６】
ＰＬＭＮの構成されたネットワークスライス選択支援情報が更新され得るか、または端末デバイスによって記憶された構成されたネットワークスライス選択支援情報は、端末デバイスが位置するパブリックランドモバイルネットワークの構成されたネットワークスライス選択支援情報とは異なる。しかしながら、いくつかのシナリオでは、ネットワークデバイスは、端末デバイスに更新された構成されたネットワークスライス選択支援情報を送信できないことがある。この場合、端末デバイスによって決定される要求されたネットワークスライス選択支援情報に対応するネットワークスライスは、ネットワークデバイスによって提供されることができるネットワークスライスと矛盾し得る。結果として、端末デバイスは、最初に利用可能であるネットワークスライスを要求せず、ユーザエクスペリエンスを低減し得るか、または端末デバイスは、利用不可能なネットワークスライスを使用することを要求し、シグナリング対話を浪費し得る。したがって、ネットワークデバイスが端末デバイスに更新された構成されたネットワークスライス選択支援情報を送信することができることをどのように保証するのかは、緊急に解決されるべき問題である。
【発明の概要】
【０００７】
本出願は、通信方法、装置、およびシステムを提供する。
【０００８】
第１の態様によれば、本出願は、第１のパブリックランドモバイルネットワーク中のアクセスおよびモビリティ管理機能ネットワーク要素によって、端末デバイスから登録要求メッセージを受信するステップと、第１の条件が満たされると決定するとき、端末デバイスに第１のパブリックランドモバイルネットワークの構成されたネットワークスライス選択支援情報を送信するステップとを含む通信方法を提供する。第１の条件は、登録要求メッセージが最初の登録要求メッセージであること、または登録要求メッセージは、端末デバイスが第２のパブリックランドモバイルネットワークから第１のパブリックランドモバイルネットワークに移動した後に送信されることのいずれかを含む。
【０００９】
本方法によれば、端末デバイスが登録解除された状態（ＲＭ−ＤＥＲＥＧＩＳＴＥＲＥＤ）であるときに端末デバイスのサブスクライブされたＳ−ＮＳＳＡＩが変化するシナリオの場合、または端末デバイスが第２のＰＬＭＮから第１のＰＬＭＮに移動し、第２のＰＬＭＮにキャンプオンするときに端末デバイスのサブスクリプション情報中に含まれるサブスクライブされたＳ−ＮＳＳＡＩが変化するシナリオの場合、本方法は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【００１０】
可能な設計では、第１の条件は、アクセスおよびモビリティ管理機能ネットワーク要素が統一データ管理ネットワーク要素から端末デバイスのサブスクリプション情報を取得することをさらに含む。したがって、端末デバイスが短時間にＡＭＦに繰り返し登録するとき、ＡＭＦは、端末デバイスに第１のＰＬＭＮの構成されたネットワークスライス選択支援情報を繰り返し送信することを妨げられてよく、それによってさらに、ネットワークシグナリングの浪費を回避し、ネットワークリソースを節約する。
【００１１】
第２の態様によれば、本出願は、通信方法であって、第１のパブリックランドモバイルネットワーク中の第１のアクセスおよびモビリティ管理機能ネットワーク要素から統一データ管理ネットワーク要素によって、端末デバイスのサブスクリプション情報を取得する要求を受信するステップであって、第１のアクセスおよびモビリティ管理機能ネットワーク要素が、端末デバイスにサービスするアクセスおよびモビリティ管理機能ネットワーク要素である、ステップと、統一データ管理ネットワーク要素によって、第１のアクセスおよびモビリティ管理機能ネットワーク要素に端末デバイスのサブスクリプション情報を送信するステップであって、端末デバイスのサブスクリプション情報が、端末デバイスの少なくともサブスクライブされたネットワークスライス選択支援情報を含む、ステップと、統一データ管理ネットワーク要素によって、第１の構成されたネットワークスライス選択支援情報を更新するように第１のアクセスおよびモビリティ管理機能ネットワーク要素に命令するステップであって、第１の構成されたネットワークスライス選択支援情報は、端末デバイスが登録するように要求するものの構成されたネットワークスライス選択支援情報である、ステップとを含む方法を提供する。
【００１２】
本方法によれば、端末デバイスが登録解除された状態（ＲＭ−ＤＥＲＥＧＩＳＴＥＲＥＤ）であるときに端末デバイスのサブスクライブされたＳ−ＮＳＳＡＩが変化するシナリオの場合、または端末デバイスが第２のＰＬＭＮから第１のＰＬＭＮに移動し、第２のＰＬＭＮにキャンプオンするときに端末デバイスのサブスクリプション情報中に含まれるサブスクライブされたＳ−ＮＳＳＡＩが変化するシナリオの場合、本方法は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【００１３】
可能な設計では、統一データ管理ネットワーク要素によって、第１の構成されたネットワークスライス選択支援情報を更新するように第１のアクセスおよびモビリティ管理機能ネットワーク要素に命令するステップは、統一データ管理ネットワーク要素によって、第１のアクセスおよびモビリティ管理機能ネットワーク要素に第１のお情報を送信するステップであって、第１のインジケーション情報は、第１の構成されたネットワークスライス選択支援情報を更新するように第１のアクセスおよびモビリティ管理機能ネットワーク要素に命令するために使用される、ステップ、または統一データ管理ネットワーク要素によって、第１のアクセスおよびモビリティ管理機能ネットワーク要素に端末デバイスのサブスクリプション変更通知メッセージを送信するステップであって、端末デバイスのサブスクリプション変更通知メッセージが、端末デバイスのサブスクライブされたネットワークスライス選択支援情報を含む、ステップを含む。
【００１４】
可能な設計では、本方法は、統一データ管理ネットワーク要素によって、第１のアクセスおよびモビリティ管理機能ネットワーク要素にサブスクリプション要求を送信するステップであって、サブスクリプション要求は、第１の構成されたネットワークスライス選択支援情報の更新が完了した後に統一データ管理ネットワーク要素に通知メッセージを送信するように第１のアクセスおよびモビリティ管理機能ネットワーク要素に要求するために使用される、ステップと、統一データ管理ネットワーク要素によって、第１のアクセスおよびモビリティ管理機能ネットワーク要素から通知メッセージを受信するステップとをさらに含む。したがって、ＵＤＭによって保持されたＰＬＭＮの識別子が、端末デバイスのＰＬＭＮの構成されたネットワークスライス選択支援情報の実際の更新結果と同じであることが保証されることができる。
【００１５】
可能な設計では、統一データ管理ネットワーク要素が、第１の構成されたネットワークスライス選択支援情報を更新するように第１のアクセスおよびモビリティ管理機能ネットワーク要素に命令した後、統一データ管理ネットワーク要素は、第１の構成されたネットワークスライス選択支援情報の更新が開始される必要がないと決定するか、または統一データ管理ネットワーク要素が第１のアクセスおよびモビリティ管理機能ネットワーク要素から通知メッセージを受信した後、統一データ管理ネットワーク要素は、第１の構成されたネットワークスライス選択支援情報の更新が開始される必要がないと決定する。
【００１６】
可能な設計では、統一データ管理ネットワーク要素によって、第１の構成されたネットワークスライス選択支援情報を更新するように第１のアクセスおよびモビリティ管理機能ネットワーク要素に命令するステップの前に、本方法は、統一データ管理ネットワーク要素によって、端末の１つまたは複数のパブリックランドモバイルネットワークの構成されたネットワークスライス選択支援情報が更新される必要があると決定するステップであって、１つまたは複数のパブリックランドモバイルネットワークが、第１のパブリックランドモバイルネットワークを含む、ステップをさらに含む。たとえば、端末デバイスのサブスクリプション情報が変化すると決定するとき、統一データ管理ネットワーク要素は、端末の１つまたは複数のパブリックランドモバイルネットワークの構成されたネットワークスライス選択支援情報が更新される必要があると決定する。
【００１７】
第３の態様によれば、本出願は、通信方法であって、統一データ管理ネットワーク要素に第１のパブリックランドモバイルネットワーク中で第１のアクセスおよびモビリティ管理機能ネットワーク要素によって、端末デバイスのサブスクリプション情報を取得する要求を送信するステップであって、第１のアクセスおよびモビリティ管理機能ネットワーク要素が、端末デバイスにサービスするアクセスおよびモビリティ管理機能ネットワーク要素である、ステップと、第１のアクセスおよびモビリティ管理機能ネットワーク要素によって、統一データ管理ネットワーク要素から端末デバイスのサブスクリプション情報を受信するステップであって、端末デバイスのサブスクリプション情報が、端末デバイスの少なくともサブスクライブされたネットワークスライス選択支援情報を含む、ステップと、第１のアクセスおよびモビリティ管理機能ネットワーク要素によって、統一データ管理ネットワーク要素のインジケーションに従って第１の構成されたネットワークスライス選択支援情報の更新を開始するステップであって、第１の構成されたネットワークスライス選択支援情報は、端末デバイスが登録するように要求するものの構成されたネットワークスライス選択支援情報である、ステップとを含む方法を提供する。
【００１８】
本方法によれば、端末デバイスが登録解除された状態（ＲＭ−ＤＥＲＥＧＩＳＴＥＲＥＤ）であるときに端末デバイスのサブスクライブされたＳ−ＮＳＳＡＩが変化するシナリオの場合、または端末デバイスが第２のＰＬＭＮから第１のＰＬＭＮに移動し、第２のＰＬＭＮにキャンプオンするときに端末デバイスのサブスクリプション情報中に含まれるサブスクライブされたＳ−ＮＳＳＡＩが変化するシナリオの場合、本方法は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【００１９】
可能な設計では、第１のアクセスおよびモビリティ管理機能ネットワーク要素によって、統一データ管理ネットワーク要素のインジケーションに従って第１の構成されたネットワークスライス選択支援情報の更新を開始するステップは、統一データ管理ネットワーク要素から第１のインジケーション情報を受信すると、第１のアクセスおよびモビリティ管理機能ネットワーク要素によって、サブスクライブされたネットワークスライス選択支援情報に基づいて第１の構成されたネットワークスライス選択支援情報の更新を開始するステップ、または統一データ管理ネットワーク要素から端末デバイスのサブスクリプション変更通知メッセージを受信すると、第１のアクセスおよびモビリティ管理機能ネットワーク要素によって、端末デバイスのサブスクリプション変更通知メッセージ中に含まれた端末デバイスのサブスクライブされたネットワークスライス選択支援情報に基づいて第１の構成されたネットワークスライス選択支援情報の更新を開始するステップを含む。
【００２０】
可能な設計では、本方法は、第１のアクセスおよびモビリティ管理機能ネットワーク要素によって、統一データ管理ネットワーク要素からサブスクリプション要求を受信するステップであって、サブスクリプション要求は、第１の構成されたネットワークスライス選択支援情報の更新が完了した後に統一データ管理ネットワーク要素に通知メッセージを送信するように第１のアクセスおよびモビリティ管理機能ネットワーク要素に要求するために使用される、ステップと、端末デバイスから構成更新完了メッセージを受信した後に、第１のアクセスおよびモビリティ管理機能ネットワーク要素によって、統一データ管理ネットワーク要素に通知メッセージを送信するステップであって、構成更新完了メッセージは、端末デバイスが、第１の構成されたネットワークスライス選択支援情報の更新を完了したことを示すために使用される、ステップとを含む。したがって、ＵＤＭによって保持されたＰＬＭＮの識別子が、端末デバイスのＰＬＭＮの構成されたネットワークスライス選択支援情報の実際の更新結果と同じであることが保証されることができる。
【００２１】
第４の態様によれば、本出願は、通信方法であって、アクセスおよびモビリティ管理機能ネットワーク要素によって、端末デバイスのサブスクライブされたネットワークスライス選択支援情報を取得するステップと、端末デバイスの第１の構成されたネットワークスライス選択支援情報を取得するステップであって、第１の構成されたネットワークスライス選択支援情報は、端末デバイスが登録するように要求する第１のパブリックランドモバイルネットワークの構成されたネットワークスライス選択支援情報である、ステップと、サブスクライブされたネットワークスライス選択支援情報に基づいて、第１の構成されたネットワークスライス選択支援情報が更新される必要があるかどうかを決定するステップと、第１の構成されたネットワークスライス選択支援情報が更新される必要があるとアクセスおよびモビリティ管理機能ネットワーク要素が決定する場合、サブスクライブされたネットワークスライス選択支援情報に基づいて第２の構成されたネットワークスライス選択支援情報を決定し、端末デバイスに第２の構成されたネットワークスライス選択支援情報を送信するステップとを含む方法を提供する。
【００２２】
可能な設計では、アクセスおよびモビリティ管理機能ネットワーク要素によって、端末デバイスの第１の構成されたネットワークスライス選択支援情報を取得するステップは、アクセスおよびモビリティ管理機能ネットワーク要素によって、端末デバイスから登録要求メッセージを受信するステップであって、登録要求メッセージは、第１の構成されたネットワークスライス選択支援情報を含む、ステップを含む。たとえば、登録要求メッセージが最初の登録要求メッセージであるか、または登録要求メッセージは、端末デバイスが第２のパブリックランドモバイルネットワークから第１のパブリックランドモバイルネットワークに移動した後に送信される。代替として、アクセスおよびモビリティ管理機能ネットワーク要素は、端末デバイスのコンテキストを取得し、ここで端末デバイスのコンテキストは、第１の構成されたネットワークスライス選択支援情報を含む。
【００２３】
可能な設計では、サブスクライブされたネットワークスライス選択支援情報に基づいてアクセスおよびモビリティ管理機能ネットワーク要素によって、第１の構成されたネットワークスライス選択支援情報が更新される必要があるかどうかを決定するステップは、アクセスおよびモビリティ管理機能ネットワーク要素によって、第１の構成されたネットワークスライス選択支援情報がサブスクライブされたネットワークスライス選択支援情報と同じであるかどうかを決定するステップと、第１の構成されたネットワークスライス選択支援情報がサブスクライブされたネットワークスライス選択支援情報とは異なる場合、第１の構成されたネットワークスライス選択支援情報が第２の構成されたネットワークスライス選択支援情報に更新される必要があると決定するステップであって、第２の構成されたネットワークスライス選択支援情報中に含まれた単一のネットワークスライス選択支援情報は、サブスクライブされたネットワークスライス選択支援情報と同じである、ステップとを含む。
【００２４】
可能な設計では、第１の構成されたネットワークスライス選択支援情報は、端末デバイスの訪問先パブリックランドネットワークの構成されたネットワークスライス選択支援情報であり、サブスクライブされたネットワークスライス選択支援情報に基づいてアクセスおよびモビリティ管理機能ネットワーク要素によって、第１の構成されたネットワークスライス選択支援情報が更新される必要があるかどうかを決定するステップは、第１の構成されたネットワークスライス選択支援情報、サブスクライブされたネットワークスライス選択支援情報、および第１の構成されたネットワークスライス選択支援情報と端末デバイスのホームパブリックランドネットワークの構成されたネットワークスライス選択支援情報との間のマッピング関係に基づいてアクセスおよびモビリティ管理機能ネットワーク要素によって、第１の構成されたネットワークスライス選択支援情報が更新される必要があるかどうかを決定するステップを含む。
【００２５】
可能な設計では、本方法は、アクセスおよびモビリティ管理機能ネットワーク要素によって、端末デバイスのコンテキスト中に第２の構成されたネットワークスライス選択支援情報を記憶するステップをさらに含む。このようにして、端末デバイスが別のＡＭＦに登録するとき、別のＡＭＦは、端末デバイスのコンテキストから第２の構成されたネットワークスライス選択支援情報を直接取得し得る。
【００２６】
第５の態様によれば、本出願は、通信方法であって、端末デバイスによって、アクセスおよびモビリティ管理機能ネットワーク要素に登録要求メッセージを送信するステップであって、登録要求メッセージは、端末デバイスの第１の構成されたネットワークスライス選択支援情報を含み、第１の構成されたネットワークスライス選択支援情報は、端末デバイスが登録するように要求する第１のパブリックランドモバイルネットワークの構成されたネットワークスライス選択支援情報である、ステップと、第１のパブリックランドモバイルネットワークの第２の構成されたネットワークスライス選択支援情報を取得するステップとを含む方法を提供する。
【００２７】
本方法によれば、端末デバイスが登録解除された状態（ＲＭ−ＤＥＲＥＧＩＳＴＥＲＥＤ）であるときに端末デバイスのサブスクライブされたＳ−ＮＳＳＡＩが変化するシナリオの場合、または端末デバイスが第２のＰＬＭＮから第１のＰＬＭＮに移動し、第２のＰＬＭＮにキャンプオンするときに端末デバイスのサブスクリプション情報中に含まれるサブスクライブされたＳ−ＮＳＳＡＩが変化するシナリオの場合、本方法は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【００２８】
可能な設計では、登録要求メッセージが最初の登録要求メッセージであるか、または登録要求メッセージは、端末デバイスが第２のパブリックランドモバイルネットワークから第１のパブリックランドモバイルネットワークに移動した後に送信される。
【００２９】
第６の態様によれば、本出願は、通信方法であって、端末デバイスによって、更新されたユーザ機器ルート選択ポリシーを受信するステップと、アクセスおよびモビリティ管理機能ネットワーク要素への更新インジケーション情報の伝送が記録されていないと決定するステップと、アクセスおよびモビリティ管理機能ネットワーク要素に更新インジケーション情報を送信するステップであって、更新インジケーション情報は、端末デバイスに更新された構成されたネットワークスライス選択支援情報を送信するようにアクセスおよびモビリティ管理機能ネットワーク要素に命令するために使用され、アクセスおよびモビリティ管理機能ネットワーク要素は、訪問先パブリックランドモバイルネットワーク中に位置する、ステップと、更新インジケーション情報が訪問先ＰＬＭＮに送信されていることを記録するステップとを含む方法を提供する。
【００３０】
本方法によれば、端末デバイスが登録解除された状態（ＲＭ−ＤＥＲＥＧＩＳＴＥＲＥＤ）であるときに端末デバイスのサブスクライブされたＳ−ＮＳＳＡＩが変化するシナリオの場合、または端末デバイスが第２のＰＬＭＮから第１のＰＬＭＮに移動し、第２のＰＬＭＮにキャンプオンするときに端末デバイスのサブスクリプション情報中に含まれるサブスクライブされたＳ−ＮＳＳＡＩが変化するシナリオの場合、本方法は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【００３１】
第７の態様によれば、本出願の実施形態は、通信方法であって、第１のネットワーク中のアクセスおよびモビリティ管理機能ネットワーク要素によって、端末デバイスの、第１のネットワークに関連する第１の構成されたネットワークスライス選択支援情報を取得するステップと、端末デバイスに第１の構成されたネットワークスライス選択支援情報とインジケーション情報とを送信するステップであって、インジケーション情報は、第１のネットワーク以外の他のネットワークに関連する第２の構成されたネットワークスライス選択支援情報を削除するように端末デバイスに命令するために使用される、ステップとを含む方法をさらに提供する。
【００３２】
したがって、端末デバイスが他のネットワークに次回登録するとき、端末デバイスがネットワークに対応する構成されたネットワークスライス選択支援情報を記憶していないので、端末デバイスは、登録要求に要求されたネットワークスライス選択支援情報を追加しない。したがって、ネットワーク側は、端末デバイスの現在のサブスクリプション情報に基づいてネットワークの１つの構成されたネットワークスライス選択支援情報を端末デバイスに提供する。したがって、ネットワークの構成されたネットワークスライス選択支援情報は、適時に更新されることができ、それによって、端末デバイスのユーザエクスペリエンスを改善し、ネットワークリソースを節約する。
【００３３】
可能な設計では、インジケーション情報は、他のネットワークに関連する許可されたネットワークスライス選択支援情報を削除するように端末デバイスに命令するためにさらに使用される。したがって、端末デバイスが他のネットワークに次回登録するとき、端末デバイスは、いずれかのネットワークに対応する許可されたネットワークスライス選択支援情報を記憶しておらず、端末デバイスは、許可されたネットワークスライス選択支援情報に基づいて要求されたネットワークスライス選択支援情報を決定することができないので、端末デバイスは、登録要求に要求されたネットワークスライス選択支援情報を追加しない。したがって、ネットワーク側は、端末デバイスの現在のサブスクリプション情報に基づいてネットワークの１つの構成されたネットワークスライス選択支援情報を端末デバイスに提供する。したがって、ネットワークの構成されたネットワークスライス選択支援情報が適時に更新されることができることがさらに保証される。
【００３４】
可能な設計では、第１のネットワーク中のアクセスおよびモビリティ管理機能ネットワーク要素によって、端末デバイスの、第１のネットワークに関連する第１の構成されたネットワークスライス選択支援情報を取得するステップは、データ管理ネットワーク要素からアクセスおよびモビリティ管理機能ネットワーク要素によって、端末デバイスの、第１のネットワークに関連する更新されたサブスクライブされたネットワークスライス選択支援情報を受信するステップと、更新されたサブスクライブされたネットワークスライス選択支援情報に基づいて第１の構成されたネットワークスライス選択支援情報を取得するステップとを含む。第１の構成されたネットワークスライス選択支援情報が更新されたサブスクライブされたネットワークスライス選択支援情報に基づいて取得されるとアクセスおよびモビリティ管理機能ネットワーク要素が決定する場合、アクセスおよびモビリティ管理機能ネットワーク要素は、端末デバイスにインジケーション情報を送信する。言い換えれば、本方法は、端末デバイスのサブスクリプションデータ変更が現在のＰＬＭＮ中の端末デバイスの構成されたＮＳＳＡＩの変化を生じるシナリオに適用可能である。
【００３５】
可能な設計では、アクセスおよびモビリティ管理機能ネットワーク要素によって、端末デバイスに第１の構成されたネットワークスライス選択支援情報とインジケーション情報とを送信するステップは、アクセスおよびモビリティ管理機能ネットワーク要素によって、端末デバイスにユーザ機器構成更新コマンドを送信するステップであって、ユーザ機器構成更新コマンドは、第１の構成されたネットワークスライス選択支援情報とインジケーション情報とを含む、ステップ、またはアクセスおよびモビリティ管理機能ネットワーク要素によって、端末デバイスに登録受入れメッセージを送信するステップであって、登録受入れメッセージは、第１の構成されたネットワークスライス選択支援情報とインジケーション情報とを含む、ステップを含む。
【００３６】
第８の態様によれば、本出願の実施形態は、通信方法であって、第１のネットワーク中のアクセスおよびモビリティ管理機能ネットワーク要素から端末デバイスによって、端末デバイスの、第１のネットワークに対応する第１の構成されたネットワークスライス選択支援情報を受信するステップと、第１のネットワーク以外の他のネットワークに関連する第２の構成されたネットワークスライス選択支援情報を削除するステップと、第１のネットワークに関連する記憶された第３の構成されたネットワークスライス選択支援情報を第１の構成されたネットワークスライス選択支援情報と置き換えるステップとを含む方法をさらに提供する。
【００３７】
したがって、端末デバイスは、第１のネットワーク以外の他のネットワークに関連する第２の構成されたネットワークスライス選択支援情報を削除するので、端末デバイスが他のネットワークに次回登録するとき、端末デバイスがネットワークに対応する構成されたネットワークスライス選択支援情報を記憶していないので、端末デバイスは、登録要求に要求されたネットワークスライス選択支援情報を追加しない。したがって、ネットワーク側は、端末デバイスの現在のサブスクリプション情報に基づいてネットワークの１つの構成されたネットワークスライス選択支援情報を端末デバイスに提供する。したがって、ネットワークの構成されたネットワークスライス選択支援情報は、適時に更新されることができ、それによって、端末デバイスのユーザエクスペリエンスを改善し、ネットワークリソースを節約する。
【００３８】
可能な設計では、本方法は、端末デバイスによって、アクセスおよびモビリティ管理機能ネットワーク要素からインジケーション情報を受信するステップであって、インジケーション情報は、第２の構成されたネットワークスライス選択支援情報を削除するように端末デバイスに命令するために使用される、ステップをさらに含む。
【００３９】
可能な設計では、本方法は、端末デバイスによって、他のネットワークに関連する許可されたネットワークスライス選択支援情報を削除するステップをさらに含む。たとえば、端末デバイスは、アクセスおよびモビリティ管理機能ネットワーク要素からインジケーション情報を受信し、ここでインジケーション情報は、第２の構成されたネットワークスライス選択支援情報と許可されたネットワークスライス選択支援情報とを削除するように端末デバイスに命令するために使用される。したがって、端末デバイスが他のネットワークに次回登録するとき、端末デバイスは、いずれかのネットワークに対応する許可されたネットワークスライス選択支援情報を記憶しておらず、端末デバイスは、許可されたネットワークスライス選択支援情報に基づいて要求されたネットワークスライス選択支援情報を決定することができないので、端末デバイスは、登録要求に要求されたネットワークスライス選択支援情報を追加しない。したがって、ネットワーク側は、端末デバイスの現在のサブスクリプション情報に基づいてネットワークの１つの構成されたネットワークスライス選択支援情報を端末デバイスに提供する。したがって、ネットワークの構成されたネットワークスライス選択支援情報が適時に更新されることができることがさらに保証される。
【００４０】
第９の態様によれば、本出願の実施形態は、通信装置であって、通信装置は、第１の態様もしくは第１の態様の可能な実装のいずれか１つを実装するように構成されたユニットを含むか、または第２の態様もしくは第２の態様の可能な実装のいずれか１つを実装するように構成されたユニットを含むか、または第３の態様もしくは第３の態様の可能な実装のいずれか１つを実装するように構成されたユニットを含むか、または第４の態様もしくは第４の態様の可能な実装のいずれか１つを実装するように構成されたユニットを含むか、または第５の態様もしくは第５の態様の可能な実装のいずれか１つを実装するように構成されたユニットを含むか、または第６の態様もしくは第６の態様の可能な実装のいずれか１つを実装するように構成されたユニットを含むか、または第７の態様もしくは第７の態様の可能な実装のいずれか１つを実装するように構成されたユニットを含むか、または第８の態様もしくは第８の態様の可能な実装のいずれか１つを実装するように構成されたユニットを含む通信装置をさらに提供する。
【００４１】
第１０の態様によれば、本出願の実施形態は、通信装置であって、通信装置は、プログラムを記憶するように構成されたメモリとメモリに記憶されたプログラムを実行するように構成されたプロセッサとを含む、通信装置を提供する。プログラムが実行されるとき、プロセッサは、第１の態様もしくは第１の態様の可能な実装のいずれか１つに従って方法を実行するように構成されるか、または第２の態様もしくは第２の態様の可能な実装のいずれか１つに従って方法を実行するように構成されるか、または第３の態様もしくは第３の態様の可能な実装のいずれか１つに従って方法を実行するように構成されるか、または第４の態様もしくは第４の態様の可能な実装のいずれか１つに従って方法を実行するように構成されるか、または第５の態様もしくは第５の態様の可能な実装のいずれか１つに従って方法を実行するように構成されるか、または第６の態様もしくは第６の態様の可能な実装のいずれか１つに従って方法を実行するように構成されるか、または第７の態様もしくは第７の態様の可能な実装のいずれか１つに従って方法を実行するように構成されるか、または第８の態様もしくは第８の態様の可能な実装のいずれか１つに従って方法を実行するように構成される。任意選択で、通信装置は、チップまたは集積回路である。
【００４２】
第１１の態様によれば、本出願の実施形態はコンピュータ可読記憶媒体を提供する。コンピュータ可読記憶媒体は命令を記憶する。命令がコンピュータ上で動作するとき、コンピュータは、上記の態様による方法を実行することを可能にされる。
【００４３】
第１２の態様によれば、本出願の実施形態は、命令を含むコンピュータプログラム製品を提供する。コンピュータプログラム製品がコンピュータ上で動作するとき、コンピュータは、上記の態様による方法を実行することを可能にされる。
【図面の簡単な説明】
【００４４】
【図１】システムの構造ブロック図である。
【図２】本出願の実施形態による通信方法の概略フローチャートである。
【図３】本出願の実施形態による別の通信方法の概略フローチャートである。
【図４】本出願の実施形態による別の通信方法の概略フローチャートである。
【図５】本出願の実施形態による別の通信方法の概略フローチャートである。
【図６】本出願の実施形態による別の通信方法の概略フローチャートである。
【図７】本出願の実施形態による別の通信方法の概略フローチャートである。
【図８Ａ】本出願の実施形態による通信装置の概略構造図である。
【図８Ｂ】本出願の実施形態による通信装置の概略構造図である。
【図８Ｃ】本出願の実施形態による通信装置の概略構造図である。
【図８Ｄ】本出願の実施形態による通信装置の概略構造図である。
【図８Ｅ】本出願の実施形態による通信装置の概略構造図である。
【図８Ｆ】本出願の実施形態による通信装置の概略構造図である。
【図８Ｇ】本出願の実施形態による通信装置の概略構造図である。
【図８Ｈ】本出願の実施形態による通信装置の概略構造図である。
【図９】本出願の実施形態による通信装置の概略構造図である。
【図１０】本出願の実施形態によるさらに別の通信方法の概略フローチャートである。
【図１１】本出願の実施形態によるさらに別の通信方法の概略フローチャートである。
【図１２】本出願の実施形態によるさらに別の通信方法の概略フローチャートである。
【図１３】本出願の実施形態によるさらに別の通信方法の概略フローチャートである。
【発明を実施するための形態】
【００４５】
以下は、添付の図面を参照しながら本出願の技術的解決策について説明する。
【００４６】
本出願の実施形態の技術的解決策は、モバイル通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）システム、ユニバーサルモバイル通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、ワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、将来の第５世代（５ｔｈ  Ｇｅｎｅｒａｔｉｏｎ、５Ｇ）システム、または新無線（Ｎｅｗ  Ｒａｄｉｏ、ＮＲ）システムなどの様々な通信システムに適用され得る。
【００４７】
本出願の実施形態における端末デバイスは、ユーザ機器、アクセス端末、加入者ユニット、加入者局、移動局、リモート局、リモート端末、モバイルデバイス、ユーザ端末、端末、ワイヤレス通信デバイス、ユーザエージェント、ユーザ装置などと呼ばれることもある。端末デバイスは、代替として、セルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）局、携帯情報端末（Ｐｅｒｓｏｎａｌ  Ｄｉｇｉｔａｌ  Ａｓｓｉｓｔａｎｔ、ＰＤＡ）、ワイヤレス通信機能を有するハンドヘルドデバイス、コンピューティングデバイス、ワイヤレスモデムに接続された別の処理デバイス、車載デバイス、ウェアラブルデバイス、将来の５Ｇネットワーク中の端末デバイス、将来の発展型パブリックランドモバイルネットワーク（Ｐｕｂｌｉｃ  Ｌａｎｄ  Ｍｏｂｉｌｅ  Ｎｅｔｗｏｒｋ、ＰＬＭＮ）中の端末デバイスなどであり得る。これは、本出願の実施形態では限定されない。
【００４８】
ネットワークスライスがコアネットワーク上で展開されるとき、ユーザがネットワークに最初にアタッチする場合、ネットワークスライス選択プロセスがトリガされる。ネットワークスライス選択プロセスは、ユーザのサブスクリプションデータ、ローカル構成情報、ローミングプロトコル、オペレータポリシーなどに依存する。ネットワークスライス選択プロセスでは、最適なネットワークスライスタイプは、すべての上記のパラメータを考慮することのみによって端末デバイスのために選択されることができる。端末デバイスのための最適なネットワークスライスタイプを選択するために、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）は、いくつかの異なるタイプのネットワークスライス選択支援情報（Ｎｅｔｗｏｒｋ  Ｓｌｉｃｅ  Ｓｅｌｅｃｔｉｏｎ  Ａｓｓｉｓｔａｎｃｅ  ｉｎｆｏｒｍａｔｉｏｎ、ＮＳＳＡＩ）を定義している。
【００４９】
端末デバイスが特定のネットワークスライスにアクセスする必要があるとき、端末デバイスは、端末デバイスのためのネットワークスライスインスタンスを選択するためにコアネットワークによって使用される要求されたＮＳＳＡＩをコアネットワークに提供し得る。たとえば、端末デバイスは、端末デバイスのためのネットワークスライスインスタンスを選択するためにパラメータのセットを含むＮＳＳＡＩをネットワークに提供し得る。ＮＳＳＡＩは、規格化された値またはＰＬＭＮ中の特定の値であり得る。ＮＳＳＡＩは、単一のネットワークスライス選択支援情報（Ｓｉｎｇｌｅ  Ｎｅｔｗｏｒｋ  Ｓｌｉｃｅ  Ｓｅｌｅｃｔｉｏｎ  Ａｓｓｉｓｔａｎｃｅ  ｉｎｆｏｒｍａｔｉｏｎ、Ｓ−ＮＳＳＡＩ）のセットであり得、各１つのＳ−ＮＳＳＡＩは、ネットワークスライスタイプを識別するために使用される。端末デバイスは、各ＰＬＭＮのための構成されたＮＳＳＡＩおよび／または許可されたＮＳＳＡＩを記憶し得る。構成されたＮＳＳＡＩは、端末デバイスとＰＬＭＮとの間での対話の前に端末デバイス中で構成される。構成されたＮＳＳＡＩは、端末デバイスがＰＬＭＮに最初にアクセスするときに端末デバイスによって使用される必要がある要求されたＮＳＳＡＩを構築するために使用される。ネットワーク側は、要求されたＮＳＳＡＩに基づいて端末デバイスのための好適なネットワークスライスタイプと好適なサービングアクセスおよびモビリティ管理機能（Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）とを決定する。本出願の実施形態では、端末デバイスのサブスクライブされたネットワークスライス選択支援情報は、端末デバイスのサブスクライブされたＳ−ＮＳＳＡＩと呼ばれ、１つまたは複数の部分のサブスクライブされた単一のネットワークスライス選択支援情報（ｓｕｂｓｃｒｉｂｅｄ  Ｓ−ＮＳＳＡＩ）を含む。端末デバイスのサブスクライブされたＳ−ＮＳＳＡＩが変化するとき、端末デバイスの各ＰＬＭＮの構成されたＮＳＳＡＩの更新がトリガされ得る。
【００５０】
本出願の技術的解決策をより良く理解するために、本出願が適用されるシステムについて最初に説明する。
【００５１】
図１は、システムの構造ブロック図である。図１に示されたシステム１００は、端末デバイス１１０と、アクセスおよびモビリティ管理機能（Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）ネットワーク要素１２０と、統一データ管理（Ｕｎｉｆｉｅｄ  Ｄａｔａ  Ｍａｎａｇｅｍｅｎｔ、ＵＤＭ）ネットワーク要素１３０とを含む。
【００５２】
アクセスおよびモビリティ管理機能ネットワーク要素１２０は、端末デバイスのモビリティ管理を担当する。たとえば、モビリティ管理機能ネットワーク要素１２０は、ユーザの移動ステータスを管理し、一時ユーザ識別子を割り振り得る。さらに、モビリティ管理機能ネットワーク要素１２０は、ユーザを認証し、許可し得る。
【００５３】
統一データ管理ネットワーク要素１３０は、端末デバイスのサブスクリプションデータを管理することを担当する。サブスクリプションデータが変更されると、統一データ管理ネットワーク要素１３０は、対応するネットワーク要素に通知する責務を負う。
【００５４】
アクセスおよびモビリティ管理機能と統一データ管理とは、指定されたハードウェアによって実装され得るか、または指定されたハードウェア上のソフトウェアインスタンスによって実装され得るか、または好適なプラットフォーム上でインスタンス化される仮想機能を使用することによって実装され得る。これは、本出願では限定されない。
【００５５】
説明の便宜上、以下の実施形態では、ＡＭＦは、アクセスおよびモビリティ管理機能ネットワーク要素の略であり、ＵＤＭは、統一データ管理ネットワーク要素の略である。
【００５６】
図１に示されるシステムの構造ブロック図では、本出願の技術的解決策に関連するシステム中のネットワーク要素のみが示されている。当業者は、図１に示されたシステム１００が、ワイヤレス通信を実装するための他のネットワーク要素、たとえば、無線アクセスネットワーク（Ｒａｄｉｏ  Ａｃｃｅｓｓ  Ｎｅｔｗｏｒｋ、ＲＡＮ）デバイスおよびセッション管理機能（Ｓｅｓｓｉｏｎ  Ｍａｎａｇｅｍｅｎｔ  Ｆｕｎｃｔｉｏｎ、ＳＭＦ）ネットワーク要素をさらに含まなければならないことを理解し得る。
【００５７】
図２は、本出願の実施形態による通信方法の概略フローチャートである。
【００５８】
２０１．第１のパブリックランドモバイルネットワーク（Ｐｕｂｌｉｃ  Ｌａｎｄ  Ｍｏｂｉｌｅ  Ｎｅｔｗｏｒｋ、ＰＬＭＮ）中のＡＭＦは、端末デバイスから登録要求メッセージを受信する。
【００５９】
ＡＭＦは、端末デバイスのサービングＡＭＦである。たとえば、ＡＭＦは、ＲＡＮデバイスによって転送される端末デバイスの登録要求メッセージを受信する。
【００６０】
２０２．第１の条件が満たされると決定するとき、ＡＭＦは、端末デバイスに第１のＰＬＭＮの構成されたネットワークスライス選択支援情報（Ｃｏｎｆｉｇｕｒｅｄ  ＮＳＳＡＩ）を送信し、ここで第１の条件は、登録要求メッセージが最初の登録（Ｉｎｉｔｉａｌ  Ｒｅｇｉｓｔｒａｔｉｏｎ）要求メッセージであること、または端末デバイスが第２のＰＬＭＮから第１のＰＬＭＮに移動した後に登録要求メッセージが送信されることのいずれかを含む。
【００６１】
たとえば、端末デバイスは、電源投入されるかまたはネットワークから登録解除し、次いで、それに再登録するとき、端末デバイスは、ネットワークに登録することを要求するためにＡＭＦに最初の登録要求メッセージを送信する。たとえば、最初の登録要求メッセージは、登録タイプが最初の登録である登録要求メッセージであり得る。
【００６２】
ＡＭＦは、端末デバイスによって送信された登録要求メッセージ中で搬送される５Ｇグローバル一意一時識別子（５Ｇ  Ｇｌｏｂａｌｌｙ  Ｕｎｉｑｕｅ  Ｔｅｍｐｏｒａｒｙ  Ｉｄｅｎｔｉｆｉｅｒ、５Ｇ  ＧＵＴＩ）に基づいて、端末デバイスが第２のＰＬＭＮから第１のＰＬＭＮに移動すると決定し得る。具体的には、５Ｇ  ＧＵＴＩは、モバイル国コード（Ｍｏｂｉｌｅ  Ｃｏｕｎｔｒｙ  Ｃｏｄｅ、ＭＣＣ）とモバイルネットワークコード（Ｍｏｂｉｌｅ  Ｎｅｔｗｏｒｋ  Ｃｏｄｅ、ＭＮＣ）とを含む。ＭＣＣとＭＮＣとはＰＬＭＮ  ＩＤを形成する。ＡＭＦは、５Ｇ  ＧＵＴＩからＰＬＭＮ  ＩＤを取得し得る。ＰＬＭＮ  ＩＤは、端末デバイスにサービスする最後のＡＭＦが位置するＰＬＭＮのＰＬＭＮ  ＩＤである。さらに、端末デバイスが第２のＰＬＭＮから第１のＰＬＭＮに移動するとき、ＡＭＦに端末デバイスによって送信された登録要求メッセージ中で搬送される登録タイプはモビリティ登録更新（Ｍｏｂｉｌｉｔｙ  Ｒｅｇｉｓｔｒａｔｉｏｎ  Ｕｐｄａｔｅ）である。したがって、端末デバイスに第１のＰＬＭＮの構成されたネットワークスライス選択支援情報を送信するための条件はまた、次のように理解され得る。登録要求メッセージ中で搬送される登録タイプは、モビリティ登録更新である。
【００６３】
場合によっては、端末デバイスが登録解除された状態（ＲＭ−ＤＥＲＥＧＩＳＴＥＲＥＤ）にあるとき、端末デバイスのサブスクライブされたＳ−ＮＳＳＡＩは変化し得、端末デバイスのサブスクライブされたＳ−ＮＳＳＡＩの変化は、端末デバイスの各ＰＬＭＮの構成されたＮＳＳＡＩの変化を生じ得る。端末デバイスが登録解除された状態にあるので、５Ｇコアネットワークは、端末に各ＰＬＭＮの更新された構成されたＮＳＳＡＩを送信することができない。結果として、端末によって現在記憶されている各ＰＬＭＮの構成されたＮＳＳＡＩは適時に更新されることができない（以下では簡潔にシナリオ１と呼ばれる）。図２に示された方法が使用される場合、第１のＰＬＭＮ中のＡＭＦに端末デバイスによって送信された登録要求メッセージ中で搬送される登録タイプが最初の登録であるという条件で、第１のＰＬＭＮ中のＡＭＦは、端末デバイスに第１のＰＬＭＮの構成されたネットワークスライス選択支援情報を送信する。このようにして、シナリオ１が発生するとき、端末デバイスが第１のＰＬＭＮに登録した後、ＡＭＦが端末デバイスに第１のＰＬＭＮの構成されたＮＳＳＡＩを適時に送信し得ることが保証されることができる。したがって、端末デバイスは、第１のＰＬＭＮの更新された構成されたＮＳＳＡＩを適時に取得し得る。その後第１のＰＬＭＮにアクセスするとき、端末デバイスは、更新された構成されたＮＳＳＡＩに基づいて要求されたＮＳＳＡＩを決定し、ネットワークスライス選択のために要求されたＮＳＳＡＩをコアネットワークに提供し得る。
【００６４】
たとえば、最初の瞬間に、端末デバイスのサブスクライブされたＳ−ＮＳＳＡＩは、Ｓ−ＮＳＳＡＩ１と、Ｓ−ＮＳＳＡＩ２と、Ｓ−ＮＳＳＡＩ４とを含む。Ｓ−ＮＳＳＡＩ１、Ｓ−ＮＳＳＡＩ２、およびＳ−ＮＳＳＡＩ３に対応するネットワークスライスが第１のＰＬＭＮ上に展開されるので、第１のＰＬＭＮ中の端末デバイスの構成されたＮＳＳＡＩは、Ｓ−ＮＳＳＡＩ１とＳ−ＮＳＳＡＩ２とを含む。端末デバイスのサブスクライブされたＳ−ＮＳＳＡＩが変化するとき、たとえば、変化されたサブスクライブされたＳ−ＮＳＳＡＩがＳ−ＮＳＳＡＩ１とＳ−ＮＳＳＡＩ２とＳ−ＮＳＳＡＩ３とを含むとき、従来技術の解決策によれば、第１のＰＬＭＮ中の端末デバイスの構成されたＮＳＳＡＩは、適時に更新されることができない。したがって、Ｓ−ＮＳＳＡＩ３に対応するネットワークスライスが使用されることができない。しかしながら、本出願のこの実施形態の解決策によれば、端末デバイスによって使用される第１のＰＬＭＮの構成されたＮＳＳＡＩは適時に更新され得る。たとえば、第１のＰＬＭＮの更新された構成されたＮＳＳＡＩは、Ｓ−ＮＳＳＡＩ１とＳ−ＮＳＳＡＩ２とＳ−ＮＳＳＡＩ３とを含む。したがって、端末デバイスは、Ｓ−ＮＳＳＡＩ３に対応するネットワークスライスを使用し、それによって、ユーザエクスペリエンスを改善することができる。
【００６５】
別の例では、変化したサブスクライブされたＳ−ＮＳＳＡＩは、Ｓ−ＮＳＳＡＩ１とＳ−ＮＳＳＡＩ４とを含む。従来技術の解決策によれば、端末デバイスの構成されたＮＳＳＡＩは、適時に更新されることができない。したがって、端末デバイスは、第１のＰＬＭＮ中でＳ−ＮＳＳＡＩ２に対応するネットワークスライスを使用することを要求し得、これは、ネットワークシグナリングの浪費を生じる。しかしながら、本出願のこの実施形態の解決策によれば、端末デバイスによって使用される第１のＰＬＭＮの構成されたＮＳＳＡＩは適時に更新され得る。たとえば、第１のＰＬＭＮの更新された構成されたＮＳＳＡＩは、Ｓ−ＮＳＳＡＩ１を含む。したがって、端末デバイスは、Ｓ−ＮＳＳＡＩ２に対応するネットワークスライスを使用することを要求せず、それによって、ネットワークシグナリングの浪費を回避し、ネットワークリソースを節約する。場合によっては、端末デバイスは、第２のＰＬＭＮから第１のＰＬＭＮに移動する。端末デバイスが第２のＰＬＭＮにキャンプオンするときに端末デバイスのサブスクリプション情報中に含まれるサブスクライブされたＳ−ＮＳＳＡＩが変化する場合、端末デバイスのサブスクライブされたＳ−ＮＳＳＡＩの変化は、端末デバイスの各ＰＬＭＮの構成されたＮＳＳＡＩの変化を生じ得る。しかしながら、端末デバイスが第２のＰＬＭＮにキャンプオンするので、ＡＭＦは、端末デバイスに第２のＰＬＭＮの構成されたＮＳＳＡＩしか送信せず、端末デバイスの第１のＰＬＭＮの構成されたＮＳＳＡＩを送信しない（簡潔にシナリオ２と呼ばれる）。図２に示された方法が使用される場合、端末デバイスの登録タイプがモビリティ登録更新であり、端末デバイスが第２のＰＬＭＮから第１のＰＬＭＮに移動するという条件で、ＡＭＦは、端末デバイスに第１のＰＬＭＮの更新された構成されたＮＳＳＡＩを送信することができる。同様に、図２に示された方法は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【００６６】
任意選択で、いくつかの実施形態では、第１の条件は、ＡＭＦがＵＤＭから端末デバイスのサブスクリプション情報を取得することをさらに含む。ＵＤＭは、端末デバイスのホームＰＬＭＮ（Ｈｏｍｅ  ＰＬＭＮ、ＨＰＬＭＮ）中のＵＤＭであり得る。端末デバイスのサブスクリプション情報は、端末デバイスのサブスクライブされたＳ−ＮＳＳＡＩを含み得る。言い換えれば、上記の条件が満たされるとき、ＡＭＦは、ＡＭＦがＵＤＭから端末デバイスのサブスクリプション情報を取得した後にしか端末デバイスに第１のＰＬＭＮの構成されたＮＳＳＡＩを送信しない。上記の技術的解決策によれば、端末デバイスが短時間にＡＭＦに繰り返し登録するとき、ＡＭＦは、端末デバイスに第１のＰＬＭＮの構成されたネットワークスライス選択支援情報を繰り返し送信することを妨げられてよく、それによって、ネットワークシグナリングの浪費を回避し、ネットワークリソースを節約する。
【００６７】
ＡＭＦが端末デバイスに第１のＰＬＭＮの構成されたＮＳＳＡＩを送信すること、すなわち、ステップ２０２は、ＡＭＦによって、登録受入れメッセージに第１のＰＬＭＮの構成されたＮＳＳＡＩを追加し、端末デバイスに登録受入れメッセージを送信すること、またはＡＭＦによって、ユーザ機器（Ｕｓｅｒ  Ｅｑｕｉｐｍｅｎｔ、ＵＥ）構成更新コマンド（ＵＥ  Ｃｏｎｆｉｇｕｒａｔｉｏｎ  Ｕｐｄａｔｅ  Ｃｏｍｍａｎｄ）を使用することによって端末デバイスに構成されたＮＳＳＡＩを送信することを含み得る。
【００６８】
図３は、本出願の実施形態による別の通信方法の概略フローチャートである。
【００６９】
３０１．ＵＤＭは、第１のＰＬＭＮ中の第１のＡＭＦから、端末デバイスのサブスクリプション情報を取得することについての要求を受信し、ここで、第１のＡＭＦは、端末デバイスにサービスするＡＭＦである。
【００７０】
ＵＤＭは、端末デバイスのホームＰＬＭＮ中のＵＤＭである。
【００７１】
３０２．ＵＤＭは、第１のＡＭＦに端末デバイスのサブスクリプション情報を送信し、ここで、サブスクリプション情報は、端末デバイスの少なくともサブスクライブされたＳ−ＮＳＳＡＩを含む。
【００７２】
３０３．ＵＤＭは、第１の構成されたネットワークスライス選択支援情報を更新するように第１のＡＭＦに命令し、ここで、第１の構成されたネットワークスライス選択支援情報は、端末デバイスの第１のＰＬＭＮの構成されたネットワークスライス選択支援情報である。
【００７３】
３０４．第１のＡＭＦは、ＵＤＭのインジケーションに従って第１の構成されたネットワークスライス選択支援情報の更新を開始する。
【００７４】
図３に示された本方法によれば、端末デバイスにサービスするＡＭＦに端末デバイスのサブスクライブされたＳ−ＮＳＳＡＩを送信するとき、ＵＤＭは、第１の構成されたネットワークスライス選択支援情報を更新するようにＡＭＦに命令し得る。このようにして、ＡＭＦは、ＵＤＭのインジケーションに従って構成されたネットワークスライス選択支援情報を更新し得る。
【００７５】
任意選択で、いくつかの実施形態では、ＵＤＭが、第１の構成されたネットワークスライス選択支援情報を更新するように第１のＡＭＦに命令することは、ＵＤＭによって、第１のＡＭＦに第１のインジケーション情報を送信することを含み、ここで第１のインジケーション情報は、第１の構成されたネットワークスライス選択支援情報を更新するように第１のＡＭＦに命令するために使用される。この場合、ＵＤＭから第１のインジケーション情報を受信すると、第１のＡＭＦは、端末デバイスのサブスクリプション情報中に含まれる端末デバイスのサブスクライブされたＳ−ＮＳＳＡＩに基づいて第１の構成されたネットワークスライス選択支援情報の更新を開始する。上記の技術的解決策では、ＵＤＭは、第１の構成されたネットワークスライス選択支援情報を明示的なインジケーションの方式で更新するように第１のＡＭＦに命令する。これについて、図４を参照しながらさらに説明することにする。任意選択で、第１のインジケーション情報は、第１の構成されたネットワークスライス選択支援情報を暗黙的な方式で更新するように第１のＡＭＦに命令するために使用され得る。たとえば、第１のインジケーション情報は、端末デバイスのサブスクライブされたＳ−ＮＳＳＡＩが更新されることを示すために使用される。この場合、ＵＤＭから第１のインジケーション情報を受信すると、第１のＡＭＦは、端末デバイスのサブスクリプション情報中に含まれる端末デバイスのサブスクライブされたＳ−ＮＳＳＡＩに基づいて、第１の構成されたネットワークスライス選択支援情報を更新することを決定する。これについては、図１０を参照してさらに説明する。
【００７６】
任意選択で、いくつかの他の実施形態では、ＵＤＭが第１の構成されたネットワークスライス選択支援情報を更新するように第１のＡＭＦに命令することは、ＵＤＭによって、第１のＡＭＦに端末デバイスのサブスクリプション変更通知メッセージを送信することを含み、ここで端末デバイスのサブスクリプション変更通知メッセージは、端末デバイスのサブスクライブされたＳ−ＮＳＳＡＩを含む。この場合、ＵＤＭから端末デバイスのサブスクリプション変更通知メッセージを受信すると、第１のＡＭＦは、端末デバイスのサブスクリプション変更通知メッセージ中に含まれる端末デバイスのサブスクライブされたＳ−ＮＳＳＡＩに基づいて第１の構成されたネットワークスライス選択支援情報の更新を開始する。これについては、図５を参照してさらに説明する。
【００７７】
任意選択で、いくつかの実施形態では、ＵＤＭは、第１のＡＭＦにサブスクリプション要求をさらに送信し得、ここで、サブスクリプション要求は、第１の構成されたネットワークスライス選択支援情報の更新が完了した後にＵＤＭに通知メッセージを送信するように第１のＡＭＦに要求するために使用される。サブスクリプション要求を受信した後に、および端末デバイスから構成更新完了メッセージを受信した後に、第１のＡＭＦは、ＵＤＭに通知メッセージを送信し、ここで、構成更新完了メッセージは、端末デバイスが第１の構成されたネットワークスライス選択支援情報の更新を完了したことを示すために使用される。相応して、ＵＤＭは、第１のＡＭＦから通知メッセージを受信し得る。上記の技術的解決策によれば、ＵＤＭは、第１の構成されたネットワークスライス選択支援情報の更新が完了しているかどうかを決定し得る。
【００７８】
任意選択で、いくつかの実施形態では、ＵＤＭが第１の構成されたネットワークスライス選択支援情報を更新するように第１のＡＭＦに命令する前に、ＵＤＭは、端末デバイスの１つまたは複数のＰＬＭＮの構成されたネットワークスライス選択支援情報が更新される必要があるとさらに決定し得、ここで、１つまたは複数のＰＬＭＮは、第１のＰＬＭＮを含む。１つまたは複数のＰＬＭＮは、端末デバイスが登録することができるＰＬＭＮである。たとえば、端末デバイスのサブスクリプション情報が変化すると決定すると、ＵＤＭは、端末デバイスの１つまたは複数のＰＬＭＮの構成されたネットワークスライス選択支援情報が更新される必要があると決定し得る。
【００７９】
任意選択で、いくつかの実施形態では、１つまたは複数のＰＬＭＮは第２のＰＬＭＮを含む。この場合、ＵＤＭは、第１の構成されたネットワークスライス選択支援情報の更新が開始される必要があると記録し得る。ＵＤＭは、第２の構成されたネットワークスライス選択支援情報の更新が開始される必要があるとさらに記録し得、ここで、第２の構成されたネットワークスライス選択支援情報は、端末デバイスの第２のパブリックランドモバイルネットワークの構成されたネットワークスライス選択支援情報である。
【００８０】
任意選択で、いくつかの実施形態では、第１のＡＭＦから、第１の構成されたネットワークスライス選択支援情報の更新が完了していることを示すために使用される通知メッセージを受信した後に、ＵＤＭは、第１の構成されたネットワークスライス選択支援情報の更新が開始される必要がないと記録し得る。代替として、ＵＤＭが第１の構成されたネットワークスライス選択支援情報を更新するように第１のＡＭＦに命令した後、ＵＤＭは、第１の構成されたネットワークスライス選択支援情報の更新が開始される必要がないと記録し得る。したがって、各ＰＬＭＮの構成されたネットワークスライス選択支援情報の更新ステータスが正確に保持されることができ、ネットワーク管理が最適化されることができる。
【００８１】
ステップ３０４の後に、ＵＤＭは、第１のＡＭＦから、端末デバイスのサブスクリプション情報を取得することについての要求を再び受信し、端末デバイスの第１のＰＬＭＮの構成されたネットワークスライス選択支援情報が更新される必要がないとＵＤＭが決定する場合、ＵＤＭは、第１の構成されたネットワークスライス選択支援情報を更新すべきかどうかに関する記録を変化させない。この場合、ＵＤＭは、第１の構成されたネットワークスライス選択支援情報を更新しないように第１のＡＭＦに命令し得る。ＵＤＭは、第１の構成されたネットワークスライス選択支援情報を明示的なインジケーションの方式で更新しないように第１のＡＭＦに命令し得る。たとえば、ＵＤＭは、第１のＡＭＦに第２のインジケーション情報を送信し得、ここで、第２のインジケーション情報は、第１の構成されたネットワークスライス選択支援情報を更新しないように第１のＡＭＦに命令するために使用される。代替として、ＵＤＭは、第１の構成されたネットワークスライス選択支援情報を暗黙的なインジケーションの方式で更新しないように第１のＡＭＦに命令し得る。たとえば、ＵＤＭは、第１のＡＭＦに、第１の構成されたネットワークスライス選択支援情報を更新するように第１のＡＭＦに命令するために使用される情報（たとえば、端末デバイスの第１のインジケーション情報またはサブスクリプション変更通知メッセージ）を送信しない。
【００８２】
図４は、本出願の実施形態による別の通信方法の概略フローチャートである。
【００８３】
４０１．ＵＤＭは、端末デバイスの１つまたは複数のＰＬＭＮの構成されたネットワークスライス選択支援情報が更新される必要があると決定する。
【００８４】
１つまたは複数のＰＬＭＮは第１のＰＬＭＮを含む。ＵＤＭは、端末デバイスのホームＰＬＭＮ中のＵＤＭである。
【００８５】
任意選択で、ＵＤＭは、端末デバイスのサブスクライブされたＳ−ＮＳＳＡＩが変化すると決定し得、次いで、端末デバイスの１つまたは複数のＰＬＭＮの構成されたネットワークスライス選択支援情報が更新される必要があるとさらに決定する。
【００８６】
４０２．ＵＤＭは、１つまたは複数のＰＬＭＮの各々ごとに第１のタイプの識別子を生成する。
【００８７】
たとえば、第１のタイプの識別子は、１つまたは複数のＰＬＭＮの各々中のＡＭＦがＰＬＭＮの構成されたネットワークスライス選択支援情報を更新する必要があることを示すために使用される。説明の便宜上、各ＰＬＭＮの第１のタイプの識別子は、第１のインジケーション情報と呼ばれることがある。第１のインジケーション情報は、第１の構成されたネットワークスライス選択支援情報を更新するように第１のＰＬＭＮ中の第１のＡＭＦに命令するために使用される。第１の構成されたネットワークスライス選択支援情報は、端末デバイスの第１のＰＬＭＮの構成されたネットワークスライス選択支援情報である。言い換えれば、ステップ４０２は、以下の通りであり得る。ＵＤＭは、第１のインジケーション情報を生成し、ここで、第１のインジケーション情報は、第１の構成されたネットワークスライス選択支援情報を更新するように第１のＡＭＦに命令するために使用される。
【００８８】
１つまたは複数のＰＬＭＮは第２のＰＬＭＮをさらに含み、第２のＰＬＭＮ中のＡＭＦは、第２のＡＭＦであると仮定する。第２のＰＬＭＮの第１のタイプの識別子は、第３のインジケーション情報と呼ばれることがある。第３のインジケーション情報は、第２の構成されたネットワークスライス選択支援情報を更新するように第２のＡＭＦに命令するために使用される。第２の構成されたネットワークスライス選択支援情報は、端末デバイスの第２のＰＬＭＮの構成されたネットワークスライス選択支援情報である。本明細書における端末デバイスの第１のＰＬＭＮの構成されたネットワークスライス選択支援情報は、第１のＰＬＭＮの、端末デバイスによって記憶された構成されたネットワークスライス選択支援情報である。同様に、端末デバイスの第２のＰＬＭＮの構成されたネットワークスライス選択支援情報は、第２のＰＬＭＮの、端末デバイスによって記憶された構成されたネットワークスライス選択支援情報である。
【００８９】
４０３．ＵＤＭは、第１のタイプの識別子が１つまたは複数のＰＬＭＮに送信される必要があることを記録する。
【００９０】
ＵＤＭは、複数の方式で、第１のタイプの識別子が１つまたは複数のＰＬＭＮに送信される必要があるかどうかを記録し得る。
【００９１】
たとえば、いくつかの実施形態では、ＵＤＭは、第１のタイプの識別子と第２のタイプの識別子との２つのタイプの識別子を保持する。たとえば、ＵＤＭは、各ＰＬＭＮの識別子を直接記憶し得る。各ＰＬＭＮの識別子は、第１のタイプの識別子であるか、または第２のタイプの識別子である。ＰＬＭＮ識別子が第１のタイプの識別子である場合、第１のタイプの識別子が、ＰＬＭＮ中のＡＭＦに送信される必要がある。ＰＬＭＮ識別子が第２のタイプの識別子である場合、第２のタイプの識別子が、ＰＬＭＮ中のＡＭＦに送信される必要がある。第２のタイプの識別子は、ＰＬＭＮ中のＡＭＦがＰＬＭＮの構成されたネットワークスライス選択支援情報を更新する必要がないことを示すために使用される。たとえば、ＵＤＭは、第１のタイプの識別子と第２のタイプの識別子とのために異なる値または異なるフラグビットを設定し得る。
【００９２】
別の例では、いくつかの実施形態では、ＵＤＭは、識別子の１つのタイプである第１のタイプの識別子を保持し得る。たとえば、ＵＤＭは、各ＰＬＭＮの識別子を記憶し得、各ＰＬＭＮの識別子は、第１のタイプの識別子であるかまたは識別子を有しない。ＰＬＭＮ識別子が第１のタイプの識別子である場合、第１のタイプの識別子が、ＰＬＭＮ中のＡＭＦに送信される必要がある。ＰＬＭＮが識別子を有しない場合、識別子は、ＰＬＭＮ中のＡＭＦに送信される必要がないか、または第２のタイプの識別子が、ＰＬＭＮ中のＡＭＦに送信される必要がある。第２のタイプの識別子は、ＰＬＭＮ中のＡＭＦがＰＬＭＮの構成されたネットワークスライス選択支援情報を更新する必要がないことを示すために使用される。
【００９３】
別の例では、いくつかの実施形態では、ＵＤＭは、リスト１とリスト２との２つのリストを保持し得る。第１のタイプの識別子が１つまたは複数のＰＬＭＮに送信される必要があると決定すると、ＵＤＭは、リスト１中に１つまたは複数のＰＬＭＮの識別情報を記憶し得、ここで、識別情報がＰＬＭＮ  ＩＤであり得る。第１のタイプの識別子が特定のＰＬＭＮに送信される必要がないと決定すると、ＵＤＭは、リスト１からＰＬＭＮの識別情報を削除し、リスト２中にＰＬＭＮの識別情報を記憶し得る。
【００９４】
別の例では、いくつかの実施形態では、ＵＤＭは、１つのリストを保持し得る。第１のタイプの識別子が、１つまたは複数のＰＬＭＮに送信される必要があると決定すると、ＵＤＭは、リスト中に１つまたは複数のＰＬＭＮの識別情報を記憶し得るか、または第１のタイプの識別子が、特定のＰＬＭＮに送信される必要がないと決定すると、ＵＤＭは、リストからＰＬＭＮの識別情報を削除し得る。
【００９５】
第１のタイプの識別子が１つまたは複数のＰＬＭＮに送信される必要があるかどうかを記録する上記の方式に加えて、第１のタイプの識別子が１つまたは複数のＰＬＭＮに送信される必要があるかどうかは、別の方式で記録され得る。本出願のこの実施形態では、第１のタイプの識別子が１つまたは複数のＰＬＭＮに送信される必要があるかどうかを記録する特定の方式は限定されない。
【００９６】
４０４．端末デバイスは、構成されたネットワークスライス選択支援情報に基づいて要求されたネットワークスライス選択支援情報（Ｒｅｑｕｅｓｔｅｄ  ＮＳＳＡＩ）を生成し、特定のＰＬＭＮに登録するときに、要求されたネットワークスライス選択支援情報を搬送する登録要求メッセージを送信する。
【００９７】
たとえば、端末デバイスは、少なくとも１つのＰＬＭＮの構成されたネットワークスライス選択支援情報を記憶し得、要求されたネットワークスライス選択支援情報を生成するために使用される構成されたネットワークスライス選択支援情報は、端末デバイスが登録すべきＰＬＭＮの構成されたネットワークスライス選択支援情報である。
【００９８】
任意選択で、いくつかの実施形態では、要求されたネットワークスライス選択支援情報は、構成されたネットワークスライス選択支援情報のサブセットであり得る。いくつかの他の実施形態では、要求されたネットワークスライス選択支援情報は、構成されたネットワークスライス選択支援情報と同じであり得る。
【００９９】
たとえば、端末デバイスは、ＲＡＮデバイスに登録要求メッセージを送信し、ＲＡＮデバイスは、好適なＡＭＦを選択する。
【０１００】
４０５．第１のＡＭＦは、要求されたネットワークスライス選択支援情報を取得する。
【０１０１】
第１のＰＬＭＮは、端末デバイスが登録を求めるＰＬＭＮである。第１のＡＭＦは、端末デバイスのサービングＡＭＦである。たとえば、第１のＡＭＦは、ＲＡＮデバイスによって選択されるＡＭＦであり得るか、またはＲＡＮデバイスは、第２のＡＭＦを選択し、登録要求メッセージを受信した後に、第２のＡＭＦは、端末デバイスにサービスすることができる第１のＡＭＦに登録要求メッセージを転送する。
【０１０２】
４０６．第１のＡＭＦは、ＵＤＭに、端末デバイスのサブスクリプション情報を取得することについての要求を送信する。
【０１０３】
たとえば、第１のＡＭＦは、端末デバイスのサブスクリプション情報を取得するサービスを呼び出すためにＵＤＭに要求を送信し得る。
【０１０４】
４０７．ＵＤＭは、記録された情報に基づいて、第１のＡＭＦが第１の構成されたネットワークスライス選択支援情報を更新する必要があると決定する。
【０１０５】
たとえば、ステップ４０１からステップ４０３において、ＵＤＭは、端末デバイスの第１のＰＬＭＮの構成されたネットワークスライス選択支援情報が更新される必要があると決定する。この場合、ＵＤＭは、第１のタイプの識別子（すなわち、第１のインジケーション情報）が第１のＰＬＭＮに送信される必要があることを記録する。
【０１０６】
４０８．ＵＤＭは、第１のＡＭＦに第１のインジケーション情報と端末デバイスのサブスクリプション情報とを送信する。端末デバイスのサブスクリプション情報は、端末デバイスのサブスクライブされたＳ−ＮＳＳＡＩを含む。
【０１０７】
たとえば、端末デバイスのサブスクリプション情報を取得するサービスが呼び出された後、ＵＤＭは、第１のＡＭＦに端末デバイスのサブスクリプション情報を返信する。さらに、ＵＤＭは、第１のＡＭＦに第１のインジケーション情報を送信する。
【０１０８】
４０９．ＵＤＭは、第１のＰＬＭＮ中のＡＭＦが第１の構成されたネットワークスライス選択支援情報を更新する必要がないことを記録する。
【０１０９】
上記で説明されたように、いくつかの実施形態では、ＵＤＭは、第１のタイプの識別子と第２のタイプの識別子との２つのタイプの識別子を保持し得る。第１のＰＬＭＮ中のＡＭＦが第１の構成されたネットワークスライス選択支援情報を更新する必要がないと決定すると、ＵＤＭは第１のＰＬＭＮの識別子を第２のタイプの識別子に変更し得る。このようにして、ＵＤＭは、第１のＰＬＭＮ中のＡＭＦが第１の構成されたネットワークスライス選択支援情報を更新する必要がないことを記録する。
【０１１０】
別の例では、いくつかの実施形態では、ＵＤＭは、識別子の１つのタイプである第１のタイプの識別子を保持し得る。第１のＰＬＭＮ中のＡＭＦが第１の構成されたネットワークスライス選択支援情報を更新する必要がないと決定すると、ＵＤＭは第１のＰＬＭＮの識別子を消去し得る。このようにして、ＵＤＭは、第１のＰＬＭＮ中のＡＭＦが第１の構成されたネットワークスライス選択支援情報を更新する必要がないことを記録する。
【０１１１】
別の例では、いくつかの実施形態では、ＵＤＭは、リスト１とリスト２との２つのリストを保持し得る。第１のＰＬＭＮ中のＡＭＦが第１の構成されたネットワークスライス選択支援情報を更新する必要がないと決定すると、ＵＤＭは、リスト１から第１のＰＬＭＮの識別情報を削除し、リスト２中に第１のＰＬＭＮの識別情報を記憶し得る。このようにして、ＵＤＭは、第１のＰＬＭＮ中のＡＭＦが第１の構成されたネットワークスライス選択支援情報を更新する必要がないことを記録する。
【０１１２】
別の例では、いくつかの実施形態では、ＵＤＭは、１つのリストを保持し得る。第１のＰＬＭＮ中のＡＭＦが第１の構成されたネットワークスライス選択支援情報を更新する必要がないと決定すると、ＵＤＭは、リスト１から第１のＰＬＭＮの識別情報を削除し得る。このようにして、ＵＤＭは、第１のＰＬＭＮ中のＡＭＦが第１の構成されたネットワークスライス選択支援情報を更新する必要がないことを記録する。
【０１１３】
任意選択で、いくつかの実施形態では、ＵＤＭが第１のＡＭＦに第１のインジケーション情報と端末デバイスのサブスクリプション情報とを送信するという条件で、ＵＤＭは、第１のＰＬＭＮ中のＡＭＦが第１の構成されたネットワークスライス選択支援情報を更新する必要がないことを記録し得る。
【０１１４】
任意選択で、いくつかの実施形態では、ステップ４０９の前に、ＵＤＭは、さらに、第１のＡＭＦによって送信され、第１の構成されたネットワークスライス選択支援情報の更新が完了していることを示すために使用される通知メッセージを受信する必要がある。言い換えれば、ＵＤＭは、第１の構成されたネットワークスライス選択支援情報の更新が完了していると決定した後にのみ、第１のＰＬＭＮ中のＡＭＦが第１の構成されたネットワークスライス選択支援情報を更新する必要がないことを記録する。ＵＤＭが通知メッセージを受信していない場合、ステップ４０９は実行されない。このようにして、ＵＤＭによって保持されたＰＬＭＮの識別子が、端末デバイスのＰＬＭＮの構成されたネットワークスライス選択支援情報の実際の更新結果と同じであることが保証されることができる。
【０１１５】
さらに、任意選択で、いくつかの実施形態では、ＵＤＭは、第１のＡＭＦにサブスクリプション要求を送信し得、ここで、サブスクリプション要求は、第１の構成されたネットワークスライス選択支援情報の更新が完了した後にＵＤＭに通知メッセージを送信するように第１のＡＭＦに要求するために使用される。言い換えれば、ＵＤＭは、サブスクリプション要求を送信することによって、ＵＤＭに通知メッセージを送信するようにまたは送信しないように第１のＡＭＦに命令し得る。任意選択で、いくつかの他の実施形態では、第１のＡＭＦは、デフォルトで、第１の構成されたネットワークスライス選択支援情報の更新が完了した後にＵＤＭに通知メッセージを送信し得る。言い換えれば、第１のＡＭＦは、ＵＤＭからサブスクリプション要求を受信する必要なしにＵＤＭに、第１の構成されたネットワークスライス選択支援情報の更新が完了したことを示すために使用される通知メッセージを送信する。
【０１１６】
ステップ４０９の後に、端末デバイスは、電源切断された後に電源投入されるか、または端末デバイスは、移動し、次いで、第１のＰＬＭＮ中の別のＡＭＦに登録するか、または端末デバイスは、別のＰＬＭＮに移動し、次いで、第１のＰＬＭＮに移動して戻ると仮定する。上記の処理において、端末デバイスのサブスクライブされたＳ−ＮＳＳＡＩが更新されないと仮定する。言い換えれば、上記の処理において、第１のＰＬＭＮのためのＵＤＭによる記録は変化しない（すなわち、第１のＰＬＭＮ中のＡＭＦが第１の構成されたネットワークスライス選択支援情報を更新することは不要のままである）。この場合、サブスクリプション情報を取得するための、第１のＰＬＭＮ中の第１のＡＭＦまたは別のＡＭＦによって送信される要求を取得した後に、ＵＤＭは、第１のＰＬＭＮ中の第１のＡＭＦまたは別のＡＭＦが、第１の構成されたネットワークスライス選択支援情報を更新する必要がないと決定する。このようにして、ＵＤＭは、第１の構成されたネットワークスライス選択支援情報を更新しないように第１のＰＬＭＮ中の第１のＡＭＦまたは別のＡＭＦに命令し得るか、またはＵＤＭは、第１のＰＬＭＮ中の第１のＡＭＦまたは別のＡＭＦに、第１の構成されたネットワークスライス選択支援情報を更新するべきかどうかを示すために使用されるインジケーション情報を送信しない。
【０１１７】
ステップ４０９の後に、端末デバイスは、第１のＰＬＭＮから第２のＰＬＭＮに切り替えると仮定する。さらに、第２のＡＭＦは、端末デバイスにサービスするＡＭＦになると仮定する。上記の処理において、ＵＤＭによって保持された第２のＰＬＭＮの記録は変化しない（すなわち、第２の構成されたネットワークスライス選択支援情報を更新するために第２のＰＬＭＮのＡＭＦのために必要なままである）と仮定する。この場合、サブスクリプション情報を取得するための、第２のＡＭＦによって送信された要求を取得した後に、ＵＤＭは、第２のＡＭＦが第２の構成されたネットワークスライス選択支援情報を更新する必要があると決定する。このようにして、ＵＤＭは、第２の構成されたネットワークスライス選択支援情報を更新するように第２のＡＭＦに命令し得る。
【０１１８】
上記の技術的解決策によれば、ＵＤＭは、記録に基づいて、第１の構成されたネットワークスライス選択支援情報を更新するようにＰＬＭＮ中のＡＭＦに命令するために使用されるインジケーション情報がＡＭＦに送信される必要があるかどうかを決定し得る。
【０１１９】
図４に示される方法において、端末デバイスのＰＬＭＮの構成されたネットワークスライス選択支援情報が更新される必要があるとＵＤＭが決定するときにのみ、ステップ４０１からステップ４０３が実行され得ることが理解されることができる。
【０１２０】
第１のＡＭＦが第１の構成されたネットワークスライス選択支援情報の更新を開始することは、端末デバイスのサブスクライブされたＳ−ＮＳＳＡＩに基づいてＡＭＦによって、端末デバイスの第１のＰＬＭＮの構成されたネットワークスライス選択支援情報を更新することと、端末デバイスに第１のＰＬＭＮの更新された構成されたＮＳＳＡＩを送信することとのステップを含み得る。たとえば、第１のＡＭＦは、端末デバイスのサブスクライブされたＳ−ＮＳＳＡＩと第１のＰＬＭＮによってサポートされるネットワークスライスに対応するＳ−ＮＳＳＡＩとに基づいて端末デバイスの第１のＰＬＭＮの構成されたネットワークスライス選択支援情報を更新する。たとえば、第１のＡＭＦは、更新を実装するために端末デバイスの第１のＰＬＭＮの構成されたネットワークスライス選択支援情報としてサブスクライブされたＳ−ＮＳＳＡＩと第１のＰＬＭＮによってサポートされるネットワークスライスに対応するＳ−ＮＳＳＡＩとの交差セットまたは交差セットのサブセットを決定する。
【０１２１】
ＡＭＦは、登録受入れメッセージに第１のＰＬＭＮの更新された構成されたＮＳＳＡＩを追加し、端末デバイスに登録受入れメッセージを送信するか、またはＡＭＦは、ＵＥ構成更新コマンド（ＵＥ  Ｃｏｎｆｉｇｕｒａｔｉｏｎ  Ｕｐｄａｔｅ  Ｃｏｍｍａｎｄ）を使用することによって端末デバイスに第１のＰＬＭＮの更新された構成されたＮＳＳＡＩを送信する。
【０１２２】
さらに、ＡＭＦが、端末デバイスのサブスクライブされたＳ−ＮＳＳＡＩに基づいて端末デバイスの第１のＰＬＭＮの構成されたネットワークスライス選択支援情報を更新する前に、ＡＭＦは、更新が開始される必要があるかどうかを再び決定し得る。そのような方式については、図６に関する説明を参照されたい。詳細についてここで説明されない。本明細書における端末デバイスのサブスクライブされたＳ−ＮＳＳＡＩは、ステップ４０８における端末デバイスのサブスクリプション情報中に含まれる端末デバイスのサブスクライブされたＳ−ＮＳＳＡＩである。
【０１２３】
更新を完了した後に、端末デバイスは、第１のＡＭＦに通知メッセージを送信し得る。通知メッセージは、端末デバイスが第１の構成されたネットワークスライス選択支援情報の更新を完了したことを示すために使用される。
【０１２４】
任意選択で、いくつかの実施形態では、ＵＤＭに第１のＡＭＦによって送信され、第１の構成されたネットワークスライス選択支援情報の更新が完了していることを示すために使用される通知メッセージは、端末デバイスから第１のＡＭＦによって受信された通知メッセージと同じであり得る。言い換えれば、第１のＡＭＦは、ＵＤＭに通知メッセージを透過的に伝送し得る。
【０１２５】
任意選択で、いくつかの他の実施形態では、端末デバイスから通知メッセージを受信した後に、第１のＡＭＦは、第１の構成されたネットワークスライス選択支援情報の更新が完了していることを示すために使用される通知メッセージを決定し得る。第１のＡＭＦによって決定された通知メッセージによって示されたコンテンツは、第１のＡＭＦによって受信された通知メッセージによって示されたコンテンツと同じであり得るが、特定のメッセージ長または特定の形態が異なり得る。たとえば、第１のＡＭＦに端末デバイスによって送信された通知メッセージは、明示的な通知メッセージであり得、ＵＤＭに第１のＡＭＦによって送信された通知メッセージは、暗黙的な通知メッセージであり得る。
【０１２６】
図４に示された方法では、第１のＡＭＦから、端末デバイスのサブスクリプション情報を取得することについての要求を受信すると、ＵＤＭは、記憶された識別子に基づいて、第１のＡＭＦが第１の構成されたネットワークスライス選択支援情報を更新する必要があるかどうかを決定する。任意選択で、いくつかの他の実施形態では、ＡＭＦが端末デバイスにサービスするＡＭＦとして登録すると、ＵＤＭは、記録に基づいて、対応する構成されたネットワークスライス選択支援情報を更新するようにＡＭＦが命令される必要があるかどうかを決定し得る。たとえば、第１のＡＭＦは、端末デバイスにサービスするＡＭＦとしてＵＤＭに登録する。この場合、ＵＤＭは、記録に基づいて、第１の構成されたネットワークスライス選択支援情報を更新するように第１のＡＭＦが命令される必要があると決定し、後続のステップを実行する。
【０１２７】
図５は、本出願の実施形態による別の通信方法の概略フローチャートである。
【０１２８】
５０１．端末デバイスのサブスクライブされたＳ−ＮＳＳＡＩが変化すると決定すると、ＵＤＭは、端末デバイスのサブスクリプション変更通知メッセージが１つまたは複数のＰＬＭＮに送信される必要があると決定する。
【０１２９】
１つまたは複数のＰＬＭＮは第１のＰＬＭＮを含む。ＵＤＭは、端末デバイスのホームＰＬＭＮ中のＵＤＭである。
【０１３０】
５０２．ＵＤＭは、端末デバイスのサブスクリプション変更通知メッセージが１つまたは複数のＰＬＭＮに送信される必要があるということを記録する。端末デバイスのサブスクリプション変更通知メッセージは、端末デバイスのサブスクライブされたＳ−ＮＳＳＡＩを含む。
【０１３１】
ＵＤＭは、複数の方式で、端末デバイスのサブスクリプション変更通知メッセージが１つまたは複数のＰＬＭＮに送信される必要があるかどうかを記録し得る。
【０１３２】
たとえば、いくつかの実施形態では、ＵＤＭは、第１のタイプの識別子と第２のタイプの識別子との２つのタイプの識別子を保持し得る。各ＰＬＭＮの識別子は、第１のタイプの識別子であるか、または第２のタイプの識別子である。ＰＬＭＮ識別子が第１のタイプの識別子である場合、端末デバイスのサブスクリプション変更通知メッセージは、ＰＬＭＮ中のＡＭＦに送信される必要がある。ＰＬＭＮ識別子が第２のタイプの識別子である場合、端末デバイスのサブスクリプション変更通知メッセージは、ＰＬＭＮ中のＡＭＦに送信される必要がない。端末デバイスのサブスクリプション変更通知メッセージが１つまたは複数のＰＬＭＮに送信される必要があると決定すると、ＵＤＭは、１つまたは複数のＰＬＭＮの各々のための第１のタイプの識別子を生成し得る。説明の便宜上、第１のＰＬＭＮの第１のタイプの識別子は、第１のインジケーション情報と呼ばれることがある。１つまたは複数のＰＬＭＮが第２のＰＬＭＮをさらに含むと仮定する。ＵＤＭは、１つまたは複数のＰＬＭＮの各々の第１のタイプの識別子を記憶する。
【０１３３】
別の例では、いくつかの実施形態では、ＵＤＭは、識別子の１つのタイプである第１のタイプの識別子を保持し得る。各ＰＬＭＮの識別子は、第１のタイプの識別子である。ＰＬＭＮ識別子が第１のタイプの識別子である場合、端末デバイスのサブスクリプション変更通知メッセージは、ＰＬＭＮ中のＡＭＦに送信される必要がある。ＰＬＭＮが識別子を有しない場合、端末デバイスのサブスクリプション変更通知メッセージは、ＰＬＭＮ中のＡＭＦに送信される必要がない。端末デバイスのサブスクリプション変更通知メッセージが１つまたは複数のＰＬＭＮに送信される必要があると決定すると、ＵＤＭは、１つまたは複数のＰＬＭＮの各々のための第１のタイプの識別子を生成し得る。説明の便宜上、第１のＰＬＭＮの第１のタイプの識別子は、第１のインジケーション情報と呼ばれることがある。１つまたは複数のＰＬＭＮが第２のＰＬＭＮをさらに含むと仮定する。ＵＤＭは、１つまたは複数のＰＬＭＮの各々の第１のタイプの識別子を記憶する。
【０１３４】
上記の２つの実施形態では、第１のインジケーション情報は、端末デバイスのサブスクリプション変更通知メッセージが第１のＰＬＭＮ中のＡＭＦに送信される必要があることを記録するために使用される。言い換えれば、ステップ５０２は、以下の通りであり得る。ＵＤＭは、第１のインジケーション情報を生成する。第１のインジケーション情報は、端末デバイスのサブスクリプション変更通知メッセージが第１のＰＬＭＮ中のＡＭＦに送信される必要があることを記録するために使用される。
【０１３５】
別の例では、いくつかの実施形態では、ＵＤＭは、リスト１とリスト２との２つのリストを保持し得る。端末デバイスのサブスクリプション変更通知メッセージが１つまたは複数のＰＬＭＮに送信される必要があると決定すると、ＵＤＭは、リスト１中に１つまたは複数のＰＬＭＮの識別情報を記憶し得、ここで、識別情報がＰＬＭＮ  ＩＤであり得る。端末デバイスのサブスクリプション変更通知メッセージが特定のＰＬＭＮに送信される必要がないと決定すると、ＵＤＭは、リスト１からＰＬＭＮの識別情報を削除し、リスト２中にＰＬＭＮの識別情報を記憶し得る。
【０１３６】
別の例では、いくつかの実施形態では、ＵＤＭは、１つのリストを保持し得る。端末デバイスのサブスクリプション変更通知メッセージが１つまたは複数のＰＬＭＮに送信される必要があると決定すると、ＵＤＭは、リスト中に１つまたは複数のＰＬＭＮの識別情報を記憶し得る。端末デバイスのサブスクリプション変更通知メッセージが特定のＰＬＭＮに送信される必要がないと決定すると、ＵＤＭは、リストからＰＬＭＮの識別情報を削除し得る。
【０１３７】
端末デバイスのサブスクリプション変更通知メッセージが１つまたは複数のＰＬＭＮに送信される必要があるかどうかを記録する上記の方式に加えて、端末デバイスのサブスクリプション変更通知メッセージが１つまたは複数のＰＬＭＮに送信される必要があるかどうかは、別の方式で記録され得る。本出願のこの実施形態では、端末デバイスのサブスクリプション変更通知メッセージが１つまたは複数のＰＬＭＮに送信される必要があるかどうかを記録する特定の方式は限定されない。
【０１３８】
ステップ５０３から５０５は、ステップ４０４から４０６と同じであり、本明細書では、詳細は再び説明されない。
【０１３９】
５０６．ＵＤＭは、記録された情報に基づいて、端末デバイスのサブスクリプション変更通知メッセージが第１のＡＭＦに送信される必要があると決定する。
【０１４０】
たとえば、ステップ５０１およびステップ５０２において、ＵＤＭは、端末デバイスのサブスクリプション変更通知メッセージが第１のＰＬＭＮ中のＡＭＦに送信される必要があると決定する。
【０１４１】
５０７．ＵＤＭは、第１のＡＭＦに端末デバイスのサブスクリプション変更通知メッセージを送信する。
【０１４２】
５０８．ＵＤＭは、端末デバイスのサブスクリプション変更通知メッセージが第１のＰＬＭＮに送信される必要がないことを記録する。
【０１４３】
ＵＤＭは、複数の方式で、端末デバイスのサブスクリプション変更通知メッセージが第１のＰＬＭＮに送信される必要がないことを記録し得る。
【０１４４】
上記で説明されたように、いくつかの実施形態では、ＵＤＭは、第１のタイプの識別子と第２のタイプの識別子との２つのタイプの識別子を保持し得る。端末デバイスのサブスクリプション変更通知メッセージが第１のＰＬＭＮに送信される必要がないと決定すると、ＵＤＭは、第１のＰＬＭＮの識別子を第２のタイプの識別子に変更し得る。このようにして、ＵＤＭは、端末デバイスのサブスクリプション変更通知メッセージが第１のＰＬＭＮに送信される必要がないことを記録する。
【０１４５】
別の例では、いくつかの実施形態では、ＵＤＭは、識別子の１つのタイプである第１のタイプの識別子を保持し得る。端末デバイスのサブスクリプション変更通知メッセージが第１のＰＬＭＮに送信される必要がないと決定すると、ＵＤＭは、第１のＰＬＭＮの識別子を消去し得る。このようにして、ＵＤＭは、端末デバイスのサブスクリプション変更通知メッセージが第１のＰＬＭＮに送信される必要がないことを記録する。
【０１４６】
別の例では、いくつかの実施形態では、ＵＤＭは、リスト１とリスト２との２つのリストを保持し得る。端末デバイスのサブスクリプション変更通知メッセージが第１のＰＬＭＮに送信される必要がないと決定すると、ＵＤＭは、リスト１から第１のＰＬＭＮの識別情報を削除し、リスト２中に第１のＰＬＭＮの識別情報を記憶し得る。このようにして、ＵＤＭは、端末デバイスのサブスクリプション変更通知メッセージが第１のＰＬＭＮに送信される必要がないことを記録する。
【０１４７】
別の例では、いくつかの実施形態では、ＵＤＭは、１つのリストを保持し得る。端末デバイスのサブスクリプション変更通知メッセージが第１のＰＬＭＮに送信される必要がないと決定すると、ＵＤＭは、リスト１から第１のＰＬＭＮの識別情報を削除し得る。このようにして、ＵＤＭは、端末デバイスのサブスクリプション変更通知メッセージが第１のＰＬＭＮに送信される必要がないことを記録する。
【０１４８】
任意選択で、いくつかの実施形態では、ＵＤＭが第１のＡＭＦに端末デバイスのサブスクリプション変更通知メッセージを送信するという条件で、ＵＤＭは、端末デバイスのサブスクリプション変更通知メッセージが第１のＰＬＭＮに送信される必要がないことを記録し得る。
【０１４９】
任意選択で、いくつかの他の実施形態では、ステップ５０８の前に、ＵＤＭは、さらに、第１のＡＭＦによって送信され、第１のＡＭＦが端末デバイスの第１のＰＬＭＮの構成されたネットワークスライス選択支援情報の更新を完了したことを示すために使用される通知メッセージを受信する必要がある。言い換えれば、ＵＤＭは、ＡＭＦが端末デバイスの第１のＰＬＭＮの構成されたネットワークスライス選択支援情報の更新を完了したと決定した後にのみ、端末デバイスのサブスクリプション変更通知メッセージが第１のＰＬＭＮに送信される必要がないことを記録する。ＵＤＭが通知メッセージを受信していない場合、ステップ５０８は実行されない。このようにして、ＵＤＭによって保持されたＰＬＭＮの識別子が、端末デバイスのＰＬＭＮの構成されたネットワークスライス選択支援情報の実際の更新結果と同じであることが保証されることができる。
【０１５０】
さらに、任意選択で、いくつかの実施形態では、ＵＤＭは、第１のＡＭＦにサブスクリプション要求を送信し得、ここで、サブスクリプション要求は、端末デバイスの第１のＰＬＭＮの構成されたネットワークスライス選択支援情報の更新が完了した後にＵＤＭに通知メッセージを送信するように第１のＡＭＦに要求するために使用される。言い換えれば、ＵＤＭは、サブスクリプション要求を送信することによって、ＵＤＭに通知メッセージを送信するようにまたは送信しないように第１のＡＭＦに命令し得る。任意選択で、いくつかの他の実施形態では、第１のＡＭＦは、デフォルトで、端末デバイスの第１のＰＬＭＮの構成されたネットワークスライス選択支援情報の更新が完了した後にＵＤＭに通知メッセージを送信し得る。言い換えれば、第１のＡＭＦは、ＵＤＭからサブスクリプション要求を受信する必要なしにＵＤＭに、端末デバイスの第１のＰＬＭＮの構成されたネットワークスライス選択支援情報の更新が完了したことを示すために使用される通知メッセージを送信する。
【０１５１】
ステップ５０８の後に、端末デバイスは、電源切断された後に電源投入されるか、または端末デバイスは、移動し、次いで、第１のＰＬＭＮ中の別のＡＭＦに登録するか、または端末デバイスは、別のＰＬＭＮに移動し、次いで、第１のＰＬＭＮに移動して戻ると仮定する。上記の処理において、端末デバイスのサブスクライブされたＳ−ＮＳＳＡＩが更新されないと仮定する。言い換えれば、上記の処理において、第１のＰＬＭＮのためのＵＤＭによる記録は変化しない（すなわち、第１のＰＬＭＮに端末デバイスのサブスクリプション変更通知メッセージを送信することは不要のままである）。この場合、サブスクリプション情報を取得するための、第１のＰＬＭＮ中の第１のＡＭＦまたは別のＡＭＦによって送信される要求を取得した後に、ＵＤＭは、端末デバイスのサブスクリプション変更通知メッセージが第１のＰＬＭＮ中の第１のＡＭＦまたは別のＡＭＦに送信される必要がないと決定する。ステップ５０８の後に、端末デバイスは、第１のＰＬＭＮから第２のＰＬＭＮに切り替えると仮定する。さらに、第２のＡＭＦは、端末デバイスにサービスするＡＭＦになると仮定し、ここで、第２のＡＭＦは、第２のＰＬＭＮ中のＡＭＦである。上記の処理において、第２のＰＬＭＮのためのＵＤＭによる記録は変化しない（すなわち、第２のＰＬＭＮに端末デバイスのサブスクリプション変更通知メッセージを送信することは必要なままである）と仮定する。この場合、サブスクリプション情報を取得するための、第２のＡＭＦによって送信された要求を取得した後に、ＵＤＭは、端末デバイスのサブスクリプション変更通知メッセージが第２のＡＭＦに送信される必要があると決定する。このようにして、ＵＤＭは、第２のＡＭＦに端末デバイスのサブスクリプション変更通知メッセージを送信し得る。
【０１５２】
上記の技術的解決策によれば、ＵＤＭは、記録に基づいて、端末デバイスのサブスクリプション変更通知メッセージがＰＬＭＮ中のＡＭＦに送信される必要があるかどうかを決定し得る。
【０１５３】
図５に示される方法において、端末デバイスのサブスクライブされたＳ−ＮＳＳＡＩが変化したとＵＤＭが決定するときにのみ、ステップ５０１およびステップ５０２が実行され得ることが理解されることができる。
【０１５４】
上記の技術的解決策では、ＵＤＭから端末デバイスのサブスクリプション変更通知メッセージを受信した後、第１のＡＭＦは、端末デバイスの第１のＰＬＭＮの構成されたネットワークスライス選択支援情報の更新を開始する。
【０１５５】
第１のＡＭＦが端末デバイスの第１のＰＬＭＮの構成されたネットワークスライス選択支援情報の更新をどのように開始するのかについては、図４に関する説明を参照されたい。詳細についてここで再び説明されない。図５との差は、本明細書における端末デバイスのサブスクライブされたＳ−ＮＳＳＡＩが、ステップ５０７における端末デバイスのサブスクリプション変更通知メッセージ中に含まれる端末デバイスのサブスクライブされたＳ−ＮＳＳＡＩであるという点にある。
【０１５６】
更新を完了した後に、端末デバイスは、第１のＡＭＦに通知メッセージを送信し得る。通知メッセージは、端末デバイスが第１の構成されたネットワークスライス選択支援情報の更新を完了したことを示すために使用される。
【０１５７】
任意選択で、いくつかの実施形態では、ＵＤＭに第１のＡＭＦによって送信され、第１の構成されたネットワークスライス選択支援情報の更新が完了していることを示すために使用される通知メッセージは、端末デバイスから第１のＡＭＦによって受信された通知メッセージと同じであり得る。言い換えれば、第１のＡＭＦは、ＵＤＭに通知メッセージを透過的に伝送し得る。
【０１５８】
任意選択で、いくつかの他の実施形態では、端末デバイスから通知メッセージを受信した後に、第１のＡＭＦは、第１の構成されたネットワークスライス選択支援情報の更新が完了していることを示すために使用される通知メッセージを決定し得る。第１のＡＭＦによって決定された通知メッセージによって示されたコンテンツは、第１のＡＭＦによって受信された通知メッセージによって示されたコンテンツと同じであり得るが、特定のメッセージ長または特定の形態が異なり得る。たとえば、第１のＡＭＦに端末デバイスによって送信された通知メッセージは、明示的な通知メッセージであり得、ＵＤＭに第１のＡＭＦによって送信された通知メッセージは、暗黙的な通知メッセージであり得る。
【０１５９】
図５に示された方法では、第１のＡＭＦから、端末デバイスのサブスクリプション情報を取得することについての要求を受信すると、ＵＤＭは、記録に基づいて、端末デバイスのサブスクリプション変更通知メッセージが第１のＡＭＦに送信される必要があるかどうかを決定する。任意選択で、いくつかの他の実施形態では、ＡＭＦが端末デバイスにサービスするＡＭＦとして登録すると、ＵＤＭは、記録に基づいて、端末デバイスのサブスクリプション変更通知メッセージがＡＭＦに送信される必要があるかどうかを決定し得る。たとえば、第１のＡＭＦは、端末デバイスにサービスするＡＭＦとしてＵＤＭに登録する。この場合、ＵＤＭは、記録に基づいて、端末デバイスのサブスクリプション変更通知メッセージが第１のＡＭＦに送信される必要があると決定し、後続のステップを実行する。
【０１６０】
図６は、本出願の実施形態による別の通信方法の概略フローチャートである。
【０１６１】
６０１．ＡＭＦは、端末デバイスのサブスクライブされたＳ−ＮＳＳＡＩを取得する。
【０１６２】
ＡＭＦは、端末デバイスにサービスするＡＭＦ、すなわち、サービングＡＭＦである。
【０１６３】
任意選択で、いくつかの実施形態では、ＡＭＦは、ＵＤＭから端末デバイスのサブスクライブされたＳ−ＮＳＳＡＩを受信し得る。
【０１６４】
任意選択で、いくつかの他の実施形態では、ＡＭＦは、別のＡＭＦから端末デバイスのサブスクライブされたＳ−ＮＳＳＡＩを受信し得る。
【０１６５】
６０２．ＡＭＦは、端末デバイスの第１の構成されたネットワークスライス選択支援情報を取得する。
【０１６６】
第１の構成されたネットワークスライス選択支援情報は、端末デバイスが登録するように要求するＰＬＭＮの構成されたネットワークスライス選択支援情報であり、端末デバイスが登録するように要求するＰＬＭＮは、ＡＭＦが位置するＰＬＭＮである。
【０１６７】
任意選択で、いくつかの実施形態では、ＡＭＦに端末デバイスによって送信された登録要求メッセージは、第１の構成されたネットワークスライス選択支援情報を搬送し、ＡＭＦは、端末デバイスから第１の構成されたネットワークスライス選択支援情報を取得する。
【０１６８】
任意選択で、いくつかの他の実施形態では、端末デバイスは、最初の登録中にのみ、ＡＭＦに送信された登録要求メッセージに第１の構成されたネットワークスライス選択支援情報を追加し得る。この場合、登録要求メッセージ中に含まれる登録タイプは、最初の登録である。言い換えれば、登録要求メッセージ中の登録タイプが最初の登録であるときにのみ、登録要求メッセージは、端末デバイスの第１の構成されたネットワークスライス選択支援情報を含む。この場合、ＡＭＦは、端末デバイスによって送信された最初の登録要求メッセージから第１の構成されたネットワークスライス選択支援情報を取得する。
【０１６９】
任意選択で、いくつかの他の実施形態では、端末デバイスは、最初の登録またはＰＬＭＮ切替え中にのみ、ＡＭＦに送信された登録要求メッセージに第１の構成されたネットワークスライス選択支援情報を追加し得る。この場合、最初の登録中に、登録要求メッセージ中に含まれる登録タイプは、最初の登録である。ＰＬＭＮ切替えは、モビリティ登録更新をトリガする。この場合、端末デバイスによって送信された登録要求メッセージ中に含まれる登録タイプは、モビリティ登録更新である。言い換えれば、登録要求メッセージ中の登録タイプがモビリティ登録更新であるときにのみ、登録要求メッセージは、端末デバイスの第１の構成されたネットワークスライス選択支援情報を含む。
【０１７０】
任意選択で、いくつかの他の実施形態では、ＡＭＦは、端末デバイスのコンテキストから第１の構成されたネットワークスライス選択支援情報を取得し得る。この場合、ＡＭＦは、端末デバイスのコンテキストを取得し、コンテキストから第１の構成されたネットワークスライス選択支援情報を取得する。技術的解決策によれば、端末デバイスは、登録要求メッセージに第１の構成されたネットワークスライス選択支援情報を追加する必要がなく、それによって、いくつかのシグナリングオーバーヘッドを低減する。第１のＰＬＭＮは、端末デバイスが登録することを要求するＰＬＭＮである。ＡＭＦは、第１のＰＬＭＮ中のＡＭＦである。
【０１７１】
任意選択で、いくつかの他の実施形態では、ＡＭＦは、端末デバイスに構成されたネットワークスライス選択支援情報のための要求メッセージを送信し得、ここで、構成されたネットワークスライス選択支援情報のための要求メッセージは、ＡＭＦに第１の構成されたネットワークスライス選択支援情報を送信するように端末デバイスに要求するために使用される。たとえば、端末デバイスが登録要求を送った後、ＡＭＦは、端末デバイスに構成されたネットワークスライス選択支援情報のための要求メッセージを送信し得るか、または端末デバイスが最初の登録要求を送った後、ＡＭＦは、端末デバイスに構成されたネットワークスライス選択支援情報のための要求メッセージを送信し得るか、または端末デバイスが第２のＰＬＭＮから第１のＰＬＭＮに切り替えると決定するとき、ＡＭＦは、端末デバイスに構成されたネットワークスライス選択支援情報のための要求メッセージを送信する。
【０１７２】
６０３．ＡＭＦは、端末デバイスのサブスクライブされたＳ−ＮＳＳＡＩに基づいて、第１の構成されたネットワークスライス選択支援情報を更新すべきかどうかを決定する。
【０１７３】
６０４．第１の構成されたネットワークスライス選択支援情報の更新が開始される必要があるとＡＭＦが決定する場合、ＡＭＦは、サブスクライブされたＳ−ＮＳＳＡＩに基づいて第２の構成されたネットワークスライス選択支援情報を決定し、端末デバイスに第２の構成されたネットワークスライス選択支援情報を送信する。
【０１７４】
任意選択で、いくつかの実施形態では、ＡＭＦは、第１の構成されたネットワークスライス選択支援情報が端末デバイスのサブスクライブされたＳ−ＮＳＳＡＩと同じであるかどうかを決定し得、第１の構成されたネットワークスライス選択支援情報がサブスクライブされたＳ−ＮＳＳＡＩとは異なる場合、ＡＭＦは、第１の構成されたネットワークスライス選択支援情報が更新される必要があると決定する。たとえば、第１のＰＬＭＮは、端末デバイスのＨＰＬＭＮであり、ＡＭＦは、端末デバイスのサブスクライブされたＳ−ＮＳＳＡＩに基づいて、第１の構成されたネットワークスライス選択支援情報中に含まれる１つまたは複数のＳ−ＮＳＳＡＩが端末デバイスのサブスクライブされたＳ−ＮＳＳＡＩと同じであるかどうかを決定し、第１の構成されたネットワークスライス選択支援情報中に含まれる１つまたは複数のＳ−ＮＳＳＡＩが、端末デバイスのサブスクライブされたＳ−ＮＳＳＡＩと同じである場合、第１の構成されたネットワークスライス選択支援情報の更新が開始される必要がないか、または第１の構成されたネットワークスライス選択支援情報中に含まれる１つまたは複数のＳ−ＮＳＳＡＩが、端末デバイスのサブスクライブされたＳ−ＮＳＳＡＩとは異なる場合、第１の構成されたネットワークスライス選択支援情報の更新が開始される必要がある。この場合、ＡＭＦは、第１の構成されたネットワークスライス選択支援情報を第２の構成されたネットワークスライス選択支援情報に更新し得、ここで、第２の構成されたネットワークスライス選択支援情報中に含まれる１つまたは複数のＳ−ＮＳＳＡＩは、サブスクライブされたＳ−ＮＳＳＡＩと同じである。
【０１７５】
任意選択で、いくつかの他の実施形態では、ＡＭＦは、第１の構成されたネットワークスライス選択支援情報、サブスクライブされたＳ−ＮＳＳＡＩ、第１の構成されたネットワークスライス選択支援情報と端末デバイスのホームパブリックランドネットワークの構成されたネットワークスライス選択支援情報との間のマッピング関係に基づいて、構成されたネットワークスライス選択支援情報の更新が更新される必要があるかどうかを決定し得る。たとえば、第１のＰＬＭＮは、端末デバイスのＶＰＬＭＮであり、ＡＭＦは、第１の構成されたネットワークスライス選択支援情報、サブスクライブされたＳ−ＮＳＳＡＩ、および第１の構成されたネットワークスライス選択支援情報と端末デバイスのホームパブリックランドネットワークの構成されたネットワークスライス選択支援情報との間のマッピング関係に基づいて、第１の構成されたネットワークスライス選択支援情報の更新が呼び出される必要があるかどうかを決定する。たとえば、第１のＰＬＭＮは、端末デバイスの訪問先ＰＬＭＮ（Ｖｉｓｉｔｅｄ  ＰＬＭＮ、ＶＰＬＭＮ）であり、第１の構成されたネットワークスライス選択支援情報は、端末デバイスのＶＰＬＭＮの構成されたネットワークスライス選択支援情報である。ＶＰＬＭＮの構成されたネットワークスライス選択支援情報とＨＰＬＭＮの構成されたネットワークスライス選択支援情報との間に対応があり得る。たとえば、表１は、ＶＰＬＭＮの構成されたネットワークスライス選択支援情報とＨＰＬＭＮの構成されたネットワークスライス選択支援情報との間の対応を示す。
【０１７６】
【表１】
2021519560.tif 000003
【０１７７】
表１に示されるように、ＶＰＬＭＮの構成されたネットワークスライス選択支援情報中のＳ−ＮＳＳＡＩ１とＳ−ＮＳＳＡＩ２とは、ＨＰＬＭＮの構成されたネットワークスライス選択支援情報中のＳ−ＮＳＳＡＩ１１に対応し、ＶＰＬＭＮの構成されたネットワークスライス選択支援情報中のＳ−ＮＳＳＡＩ３は、ＨＰＬＭＮの構成されたネットワークスライス選択支援情報中のＳ−ＮＳＳＡＩ２１に対応し、ＶＰＬＭＮの構成されたネットワークスライス選択支援情報中のＳ−ＮＳＳＡＩ４は、ＨＰＬＭＮの構成されたネットワークスライス選択支援情報中のＳ−ＮＳＳＡＩ３１に対応する。Ｓ−ＮＳＳＡＩ１、Ｓ−ＮＳＳＡＩ２、Ｓ−ＮＳＳＡＩ３、およびＳ−ＮＳＳＡＩ４に対応するネットワークスライスがＶＰＬＭＮ上で展開されると仮定する。
【０１７８】
ＡＭＦは、端末デバイスのサブスクライブされたＳ−ＮＳＳＡＩと、第１の構成されたネットワークスライス選択支援情報と端末デバイスのホームパブリックランドネットワークの構成されたネットワークスライス選択支援情報との間のマッピング関係とに基づいて、端末デバイスのサブスクライブされたＳ−ＮＳＳＡＩに対応する第３の構成されたネットワークスライス選択支援情報を決定し、第１の構成されたネットワークスライス選択支援情報に対応するＳ−ＮＳＳＡＩが第３の構成されたネットワークスライス選択支援情報に対応するＳ−ＮＳＳＡＩと同じであるかどうかを決定し、第１の構成されたネットワークスライス選択支援情報に対応するＳ−ＮＳＳＡＩが第３の構成されたネットワークスライス選択支援情報に対応するＳ−ＮＳＳＡＩと同じである場合、更新が開始される必要がないと決定するか、または第１の構成されたネットワークスライス選択支援情報に対応するＳ−ＮＳＳＡＩが第３の構成されたネットワークスライス選択支援情報に対応するＳ−ＮＳＳＡＩとは異なる場合、更新が開始される必要があると決定する。
【０１７９】
表１が一例として使用される。サブスクライブされたＳ−ＮＳＳＡＩが、Ｓ−ＮＳＳＡＩ１１と、Ｓ−ＮＳＳＡＩ２１と、Ｓ−ＮＳＳＡＩ３１とを含み、第１の構成されたネットワークスライス選択支援情報が、Ｓ−ＮＳＳＡＩ１と、Ｓ−ＮＳＳＡＩ２と、Ｓ−ＮＳＳＡＩ３と、Ｓ−ＮＳＳＡＩ４とを含むと仮定すると、ＡＭＦは、第１の構成されたネットワークスライス選択支援情報は更新される必要がないと決定する。端末デバイスのサブスクライブされたＳ−ＮＳＳＡＩが、Ｓ−ＮＳＳＡＩ１１と、Ｓ−ＮＳＳＡＩ２１と、Ｓ−ＮＳＳＡＩ３１とを含み、第１の構成されたネットワークスライス選択支援情報が、Ｓ−ＮＳＳＡＩ１と、Ｓ−ＮＳＳＡＩ２と、Ｓ−ＮＳＳＡＩ３とを含むと仮定すると、ＡＭＦは、第１の構成されたネットワークスライス選択支援情報は更新される必要があると決定する。ＡＭＦは、サブスクライブされたＳ−ＮＳＳＡＩと、第１の構成されたネットワークスライス選択支援情報と端末デバイスのホームパブリックランドネットワークの構成されたネットワークスライス選択支援情報との間のマッピング関係とに基づいて、第２の構成されたネットワークスライス選択支援情報が、Ｓ−ＮＳＳＡＩ１と、Ｓ−ＮＳＳＡＩ２と、Ｓ−ＮＳＳＡＩ３と、Ｓ−ＮＳＳＡＩ４とを含むと決定し得る。任意選択で、いくつかの実施形態では、第２の構成されたネットワークスライス選択支援情報を決定した後に、ＡＭＦは、端末デバイスのコンテキスト中に第２の構成されたネットワークスライス選択支援情報を記憶し得、したがって、端末デバイスが別のＡＭＦに登録するとき、別のＡＭＦは、端末デバイスのコンテキストから第２の構成されたネットワークスライス選択支援情報を直接取得し得る。
【０１８０】
図７は、本出願の実施形態による別の通信方法の概略フローチャートである。
【０１８１】
７０１．端末デバイスは、第１のＰＬＭＮに登録し、更新されたユーザ機器ルート選択ポリシー（Ｕｓｅｒ  Ｅｑｕｉｐｍｅｎｔ  Ｒｏｕｔｅ  Ｓｅｌｅｃｔｉｏｎ  Ｐｏｌｉｃｙ、ＵＲＳＰ）を受信する。
【０１８２】
７０２．端末デバイスは、第２のＰＬＭＮ中の第１のＡＭＦに登録し、端末デバイスは、更新インジケーション情報が第２のＰＬＭＮ中のいずれのＡＭＦにも送信されていないと決定する。
【０１８３】
７０３．端末デバイスは、第１のＡＭＦに更新インジケーション情報を送信し、ここで、更新インジケーション情報は、端末デバイスに第２のＰＬＭＮの更新された構成されたネットワークスライス選択支援情報を送信するように第１のＡＭＦに命令するために使用される。
【０１８４】
７０４．端末デバイスは、更新インジケーション情報が第２のＰＬＭＮに送信されていることを記録する。
【０１８５】
７０５．第１のＡＭＦは、端末デバイスに第２のＰＬＭＮの更新された構成されたネットワークスライス選択支援情報を送信する。
【０１８６】
上記の技術的解決策では、端末デバイスは、ＵＲＳＰの更新に基づいて、各ＰＬＭＮの構成されたネットワークスライス選択支援情報が更新される必要があると決定し得、対応するＰＬＭＮに登録するとき、端末デバイスは、決定する結果に基づいて、端末デバイスのＰＬＭＮの構成されたネットワークスライス選択支援情報の更新を事前に開始する。
【０１８７】
図１０は、本出願の実施形態による別の通信方法の概略フローチャートである。
【０１８８】
本方法は、端末デバイスと、ＡＭＦと、ＵＤＭとの間での対話に少なくとも関する。たとえば、端末デバイスと、ＡＭＦと、ＵＤＭとは、それぞれ、図１中の端末デバイス１１０と、アクセスおよびモビリティ管理機能ネットワーク要素１２０と、統一データ管理ネットワーク要素１３０とであり得、本明細書では、詳細は再び説明されない。端末デバイスとＡＭＦとは、第１のＰＬＭＮ中に位置する。言い換えれば、第１のＰＬＭＮは、端末デバイスを現在サービスするＰＬＭＮである。第１のＰＬＭＮは、ＨＰＬＭＮのことも、ＶＰＬＭＮのこともあり得る。ＵＤＭは、端末デバイスのＨＰＬＭＮ中に位置する。
【０１８９】
図１０に示されているように、本方法は以下のステップを含む。
【０１９０】
１００１．ＵＤＭは、第１のＰＬＭＮ中のＡＭＦに端末デバイスの更新されたサブスクライブされたネットワークスライス選択支援情報（Ｕｐｄａｔｅｄ  Ｓｕｂｓｃｒｉｂｅｄ  Ｓ−ＮＳＳＡＩ）を送信する。たとえば、サブスクライブされたＳ−ＮＳＳＡＩが更新された後、端末デバイスの更新されたサブスクライブされたＳ−ＮＳＳＡＩが、第１のＰＬＭＮ中の端末デバイスによってアクセス可能な１つまたは複数のネットワークスライスを識別するために使用される。
【０１９１】
たとえば、端末デバイスのサブスクリプションデータ中のサブスクライブされたＳ−ＮＳＳＡＩが更新された後、ＵＤＭは、ＵＤＭの加入者データ管理（Ｓｕｂｓｃｒｉｂｅｒ  Ｄａｔａ  Ｍａｎａｇｅｍｅｎｔ、ＳＤＭ）通知（Ｎｕｄｍ＿ＳＤＭ＿Ｎｏｔｉｆｉｃａｔｉｏｎ）サービスを呼び出すことによって更新されたサブスクライブされたＳ−ＮＳＳＡＩを第１のＰＬＭＮ中のＡＭＦに通知し得る。さらに、ＵＤＭは、Ｎｕｄｍ＿ＳＤＭ＿Ｇｅｔサービスを呼び出すことによって第１のＰＬＭＮ中のＡＭＦにサブスクライブされたＳ−ＮＳＳＡＩと第１のインジケーション情報とを送信し得る。第１のインジケーション情報は、サブスクライブされたＳ−ＮＳＳＡＩが更新されることを示すために使用される。具体的に言えば、サブスクライブされたＳ−ＮＳＳＡＩは、更新されたサブスクライブされたＳ−ＮＳＳＡＩである。
【０１９２】
任意選択で、更新されたサブスクライブされたＳ−ＮＳＳＡＩ（または更新されたサブスクライブされたＳ−ＮＳＳＡＩと第１のインジケーション情報と）を受信した後に、ＡＭＦは、ＵＤＭに肯定応答（Ａｃｋｎｏｗｌｅｄｇｅｍｅｎｔ、ＡＣＫ）メッセージを返信し得る。
【０１９３】
１００２．ＡＭＦは、端末デバイスの、第１のＰＬＭＮに関連する第１の構成されたネットワークスライス選択支援情報（Ｆｉｒｓｔ  Ｃｏｎｆｉｇｕｒｅｄ  ＮＳＳＡＩ）を決定する。
【０１９４】
端末デバイスの、第１のＰＬＭＮに関連する第１の構成されたＮＳＳＡＩは、第１のＰＬＭＮ中で構成され、端末デバイスによってアクセス可能であるネットワークスライスを識別するために使用される。以下で言及される第２の構成されたＮＳＳＡＩと第３の構成されたＮＳＳＡＩとの機能は、第１の構成されたＮＳＳＡＩの機能と同様であり、詳細は、再び説明されない。
【０１９５】
たとえば、ＵＤＭから第１のインジケーション情報を受信した後に、ＡＭＦは、第１のＰＬＭＮの構成されたＮＳＳＡＩを更新することを決定する。言い換えれば、第１のＰＬＭＮのサブスクライブされたＳ−ＮＳＳＡＩが更新されるとき、ＡＭＦは、第１のＰＬＭＮの構成されたＮＳＳＡＩを更新することを決定する。さらに、第１のＰＬＭＮがＶＰＬＭＮであるとき、ＡＭＦは、第１のＰＬＭＮの構成されたＮＳＳＡＩとＨＰＬＭＮの構成されたＮＳＳＡＩとの間の対応を更新することを決定し得る。代替として、ＡＭＦは、第１のＰＬＭＮの構成されたＮＳＳＡＩとＨＰＬＭＮの構成されたＮＳＳＡＩとの間の対応の更新のみを開始し得る。これは本明細書では限定されない。
【０１９６】
たとえば、ＵＤＭから更新されたサブスクライブされたＳ−ＮＳＳＡＩを受信した後に、ＡＭＦは、更新されたサブスクライブされたＳ−ＮＳＳＡＩに基づいて第１のＰＬＭＮの第１の構成されたＮＳＳＡＩを決定し得る。代替として、ＵＤＭから更新されたサブスクライブされたＳ−ＮＳＳＡＩを受信した後に、ＡＭＦは、ネットワークスライス選択機能（Ｎｅｔｗｏｒｋ  Ｓｌｉｃｅ  Ｓｅｌｅｃｔｉｏｎ  Ｆｕｎｃｔｉｏｎ、ＮＳＳＦ）ネットワーク要素から第１の構成されたＮＳＳＡＩを取得し得る。ＮＳＳＦの機能は、端末デバイスのためのネットワークスライスを選択することを含む。したがって、ＡＭＦは、端末デバイスの、第１のＰＬＭＮに関連する第１の構成されたＮＳＳＡＩを取得する。任意選択で、ＡＭＦは、取得された第１の構成されたＮＳＳＡＩに基づいて第１の構成されたＮＳＳＡＩとＨＰＬＭＮの構成されたＮＳＳＡＩとの間の対応を取得する。
【０１９７】
１００３．ＡＭＦは、端末デバイスに第１の構成されたＮＳＳＡＩ（および／または第１の構成されたＮＳＳＡＩとＨＰＬＭＮの構成されたＮＳＳＡＩとの間の対応）と第２のインジケーション情報とを送信する。第２のインジケーション情報は、第１のＰＬＭＮ以外の他のネットワークに関連する第２の構成されたＮＳＳＡＩを削除するように端末デバイスに命令するために使用される。
【０１９８】
上記で説明されたように、第１のＰＬＭＮのサブスクライブされたＳ−ＮＳＳＡＩが更新されるとき、ＡＭＦは、第１のＰＬＭＮの構成されたＮＳＳＡＩを更新することを決定し、さらに、ステップ１００３においてＵＥに第２のインジケーション情報を送信する。言い換えれば、ＡＭＦは、第１のＰＬＭＮのサブスクライブされたＳ−ＮＳＳＡＩが更新されるとＡＭＦが通知されるときにのみ、ステップ１００３において、ＵＥに第２のインジケーション情報を送信する。
【０１９９】
たとえば、ＡＭＦは、端末デバイスにユーザ機器構成更新コマンド（ＵＥ  ｃｏｎｆｉｇｕｒａｔｉｏｎ  ｕｐｄａｔｅ  ｃｏｍｍａｎｄ）を送信し得、ここで、ユーザ機器構成更新コマンドは、第１の構成されたＮＳＳＡＩと第２のインジケーション情報とを含むか、またはＡＭＦは、端末デバイスに登録受入れ（ｒｅｇｉｓｔｒａｔｉｏｎ  ａｃｃｅｐｔ）メッセージを送信し得、ここで、登録受入れメッセージは、第１の構成されたＮＳＳＡＩと第２のインジケーション情報とを含む。これは、本出願における本明細書では限定されない。上記のメッセージは、（Ｒ）ＡＮデバイスにＡＭＦによって送信され得、次いで、（Ｒ）ＡＮデバイスは、端末デバイスにメッセージを転送する。
【０２００】
本明細書における「第１のＰＬＭＮ以外の他のネットワーク」は、端末によってアクセスされ得るネットワーク範囲中の第１のＰＬＭＮとは異なる別のＰＬＭＮであり得る。
【０２０１】
任意選択で、第２のインジケーション情報は、第１のＰＬＭＮ以外の他のネットワークに関連する許可されたネットワークスライス選択支援情報（許可されたＮＳＳＡＩ、Ａｌｌｏｗｅｄ  ＮＳＳＡＩ）を削除するように端末デバイスに命令するためにさらに使用される。ネットワークに関連する許可されたＮＳＳＡＩは、第１のＰＬＭＮ中の、端末デバイスがアクセスすることを許可されるネットワークスライスを識別するために使用される。
【０２０２】
任意選択で、第２のインジケーション情報は、さらに、第１のＰＬＭＮ以外の他のネットワークに関連する第２の構成されたＮＳＳＡＩとＨＰＬＭＮの構成されたＮＳＳＡＩとの間の対応を削除するように端末デバイスに命令するために使用される。任意選択で、第２のインジケーション情報は、さらに、第１のＰＬＭＮ以外の他のネットワークに関連する許可されたＮＳＳＡＩとＨＰＬＭＮの構成されたＮＳＳＡＩとの間の対応を削除するように端末デバイスに命令するために使用される。
【０２０３】
１００４．第１の構成されたＮＳＳＡＩと第２のインジケーション情報とを受信した後に、端末デバイスは、第１のＰＬＭＮ以外の他のネットワークに関連する第２の構成されたＮＳＳＡＩを削除し、第１のＰＬＭＮに関連する記憶された第３の構成されたＮＳＳＡＩを第１の構成されたＮＳＳＡＩと置き換える。
【０２０４】
任意選択で、第２のインジケーション情報が第１のＰＬＭＮ以外の他のネットワークに関連する第２の構成されたＮＳＳＡＩとＨＰＬＭＮの構成されたＮＳＳＡＩとの間の対応を削除するように端末デバイスに命令するためにさらに使用されるとき、ステップ１００３において送信されたインジケーション情報を受信した後に、端末デバイスは、第２の構成されたＮＳＳＡＩとＨＰＬＭＮの構成されたＮＳＳＡＩとの間の対応をさらに削除する。
【０２０５】
したがって、上記の解決策によれば、端末デバイスのサブスクリプションデータ変更が現在のＰＬＭＮ中の端末デバイスの構成されたＮＳＳＡＩの変化をもたらすとき、ＡＭＦは、端末デバイスに現在のＰＬＭＮの更新された構成されたＮＳＳＡＩを送信し、別のＰＬＭＮの前に記憶された構成されたＮＳＳＡＩを削除するように端末デバイスに命令する。このようにして、端末デバイスが別のＰＬＭＮに次回登録するとき、端末デバイスは、ＰＬＭＮに対応する構成されたＮＳＳＡＩを記憶していないので、端末デバイスは、登録要求に要求されたＮＳＳＡＩ（Ｒｅｑｕｅｓｔｅｄ  ＮＳＳＡＩ）を追加しない。したがって、ネットワーク側は、端末デバイスの現在のサブスクリプション情報に基づいてＰＬＭＮの１つの構成されたＮＳＳＡＩを端末デバイスに提供する。したがって、ＰＬＭＮの構成されたＮＳＳＡＩは、適時に更新されることができ、それによって、端末デバイスのユーザエクスペリエンスを改善し、ネットワークリソースを節約する。
【０２０６】
任意選択で、第２のインジケーション情報が他のネットワークに関連する許可されたＮＳＳＡＩを削除するように端末デバイスに命令するためにさらに使用されるとき、ステップ１００３において送信されたインジケーション情報を受信した後に、端末デバイスは、他のネットワークに関連する許可されたＮＳＳＡＩをさらに削除する。任意選択で、端末デバイスは、さらに、第１のＰＬＭＮ以外の他のネットワークに関連する許可されたＮＳＳＡＩとＨＰＬＭＮの構成されたＮＳＳＡＩとの間の対応を削除する。
【０２０７】
したがって、端末デバイスが別のＰＬＭＮに次回登録するとき、端末デバイスは、いずれかのＰＬＭＮに対応する許可されたＮＳＳＡＩを記憶しておらず、端末デバイスは、許可されたＮＳＳＡＩに基づいて要求されたＮＳＳＡＩを決定することができないので、端末デバイスは、登録要求に要求されたＮＳＳＡＩを追加しない。したがって、ネットワーク側は、端末デバイスの現在のサブスクリプション情報に基づいてＰＬＭＮの１つの構成されたＮＳＳＡＩを端末デバイスに提供する。したがって、ＰＬＭＮの構成されたＮＳＳＡＩが適時に更新されることができることがさらに保証される。
【０２０８】
任意選択で、別の実装では、ＡＭＦは、ステップ１００３において第２のインジケーション情報を送信しないことがある。第１の構成されたＮＳＳＡＩを受信した後に、端末デバイスは、ＡＭＦのインジケーションなしに、第１のＰＬＭＮ以外の他のネットワークに関連する第２の構成されたＮＳＳＡＩを削除し、第１のＰＬＭＮに関連する記憶された第３の構成されたＮＳＳＡＩを第１の構成されたＮＳＳＡＩと置き換え得る。任意選択で、端末デバイスは、他のネットワークに関連する許可されたＮＳＳＡＩをさらに削除し得る。任意選択で、端末デバイスは、さらに、第２の構成されたＮＳＳＡＩとＨＰＬＭＮの構成されたＮＳＳＡＩとの間の対応を削除する。任意選択で、端末デバイスは、さらに、第１のＰＬＭＮ以外の他のネットワークに関連する許可されたＮＳＳＡＩとＨＰＬＭＮの構成されたＮＳＳＡＩとの間の対応を削除する。
【０２０９】
任意選択で、第１の構成されたＮＳＳＡＩを受信した後に、端末デバイスは、ステップ１００５を実行する。
【０２１０】
１００５．端末デバイスは、ＡＭＦに肯定応答（ａｃｋｎｏｗｌｅｄｇｅｍｅｎｔ、ＡＣＫ）メッセージを送信する。
【０２１１】
代替として、端末デバイスは、第１の構成されたＮＳＳＡＩを受信し、ステップ１００４の動作を完了した後にＡＭＦにＡＣＫを送信し得る。
【０２１２】
たとえば、第１の構成されたＮＳＳＡＩがＵＥ構成更新コマンドを使用することによってステップ１００３において送信される場合、端末デバイスは、ＵＥ構成更新完了メッセージを使用することによってＡＭＦにＡＣＫを送信し得る。第１の構成されたＮＳＳＡＩが登録受入れメッセージを使用することによってステップ１００３において送信される場合、ＵＥは、登録完了メッセージを使用することによってＡＭＦにＡＣＫを送信し得る。
【０２１３】
任意選択で、ＡＣＫを受信した後に、ＡＭＦは、ステップ１００６を実行する。
【０２１４】
１００６．ＡＣＫを受信した後に、ＡＭＦは、構成されたＮＳＳＡＩの更新結果をＵＤＭに通知する。
【０２１５】
たとえば、ＡＭＦは、ＡＭＦのＵＥ構成更新通知（Ｎａｍｆ＿Ｃｏｍｍｕｎｉｃａｔｉｏｎ＿ＵＥＣｏｎｆｉｇｕｒａｔｉｏｎＵｐｄａｔｅＮｏｔｉｆｙ）サービスを呼び出すことによって構成されたＮＳＳＡＩの更新結果をＵＤＭに通知し得る。任意選択で、ステップ１００１は、ＵＤＭがＡＭＦとのサービスにサブスクライブすると見なされ得る。通知を受信した後に、ＵＤＭは、構成されたＮＳＳＡＩの更新が開始される必要がないと決定する。たとえば、ＵＤＭは、端末デバイスのサブスクライブされたＳ−ＮＳＳＡＩが再び更新される前に構成されたＮＳＳＡＩを更新しない。
【０２１６】
たとえば、ＡＭＦは、ＡＭＦのイベント通知（Ｎａｍｆ＿ＥｖｅｎｔＥｘｐｏｓｕｒｅ＿Ｎｏｔｉｆｙ）サービスを呼び出すことによって構成されたＮＳＳＡＩの更新結果をＵＤＭに通知し得る。任意選択で、ＵＤＭは、ステップ１００１の前または後にＡＭＦとのサービスにサブスクライブする。通知を受信した後に、ＵＤＭは、構成されたＮＳＳＡＩの更新が開始される必要がないと決定する。たとえば、ＵＤＭは、端末デバイスのサブスクライブされたＳ−ＮＳＳＡＩが再び更新される前に構成されたＮＳＳＡＩを更新しない。
【０２１７】
上記で説明されたように、図１０における例は、（サブスクリプションデータ中のサブスクライブされたＳ−ＮＳＳＡＩの変更である）端末デバイスサブスクリプション変更によってトリガされた構成されたＮＳＳＡＩ更新に適用可能である。
【０２１８】
可能な設計では、上記の方法は、別の条件によってトリガされた構成されたＮＳＳＡＩ更新にさらに適用可能である。たとえば、別の条件は、以下のうちの少なくとも１つを含む。
１．ローカルポリシーの変更またはスライス展開変化によって生じた変更を含むサービングＰＬＭＮの構成変更がある。
２．端末デバイスは、登録要求を送信するときに要求されたＮＳＳＡＩを追加しない。
３．端末デバイスによって要求されたＮＳＳＡＩ中の特定のＳ−ＮＳＳＡＩが端末デバイスの現在のＰＬＭＮ中で無効である。
４．端末デバイスによって要求されたＮＳＳＡＩが、端末デバイスのサブスクライブされたＳ−ＮＳＳＡＩの範囲内にない。
【０２１９】
別の可能な設計では、ＡＭＦは、構成されたＮＳＳＡＩ更新が端末デバイスサブスクリプション変更によってトリガされたときにのみ、第１のＰＬＭＮ以外の他のネットワークに関連する第２の構成されたＮＳＳＡＩを削除するように端末デバイスに命令するか、または第２の構成されたＮＳＳＡＩと第１のＰＬＭＮ以外の他のネットワークに関連する許可されたＮＳＳＡＩを削除するように端末デバイスに命令する。
【０２２０】
図１０の方法は、端末デバイスが電源切断された後に電源投入されるシナリオに適用可能であり、ローミングシナリオにも適用可能である。代替として、任意選択で、端末デバイスが電源切断された後に電源投入されるシナリオでは、図２から図７の方法のうちのいずれか１つが使用され得、ローミングシナリオでは、図１０の方法が使用され得る。
【０２２１】
図１０に関する上記の説明を参照すると、本出願は、通信方法を提供する。図１１に示されているように、本方法は以下のステップを含む。
【０２２２】
１１０１．第１のネットワーク中のアクセスおよびモビリティ管理機能ネットワーク要素は、端末デバイスの、第１のネットワークに関連する第１の構成されたネットワークスライス選択支援情報を取得する。
【０２２３】
１１０２．アクセスおよびモビリティ管理機能ネットワーク要素は、端末デバイスに第１の構成されたネットワークスライス選択支援情報とインジケーション情報とを送信し、ここでインジケーション情報は、第１のネットワーク以外の他のネットワークに関連する第２の構成されたネットワークスライス選択支援情報を削除するように端末デバイスに命令するために使用される。
【０２２４】
インジケーション情報については、図１０の第２のインジケーション情報に関する説明を参照されたい。ステップ１１０２については、図１０のステップ１００３に関する説明を参照されたい。詳細についてここで再び説明されない。たとえば、ステップ１１０２は、アクセスおよびモビリティ管理機能ネットワーク要素によって、端末デバイスにユーザ機器構成更新コマンドを送信することであって、ユーザ機器構成更新コマンドは、第１の構成されたネットワークスライス選択支援情報とインジケーション情報とを含むこと、またはアクセスおよびモビリティ管理機能ネットワーク要素によって、端末デバイスに登録受入れメッセージを送信することであって、登録受入れメッセージは、第１の構成されたネットワークスライス選択支援情報とインジケーション情報とを含むことを含む。
【０２２５】
したがって、端末デバイスが他のネットワークに次回登録するとき、端末デバイスがネットワークに対応する構成されたネットワークスライス選択支援情報を記憶していないので、端末デバイスは、登録要求に要求されたネットワークスライス選択支援情報を追加しない。したがって、ネットワーク側は、端末デバイスの現在のサブスクリプション情報に基づいてネットワークの１つの構成されたネットワークスライス選択支援情報を端末デバイスに提供する。したがって、ネットワークの構成されたネットワークスライス選択支援情報は、適時に更新されることができ、それによって、端末デバイスのユーザエクスペリエンスを改善し、ネットワークリソースを節約する。
【０２２６】
任意選択で、インジケーション情報は、他のネットワークに関連する許可されたネットワークスライス選択支援情報を削除するように端末デバイスに命令するためにさらに使用される。したがって、端末デバイスが他のネットワークに次回登録するとき、端末デバイスは、いずれかのネットワークに対応する許可されたネットワークスライス選択支援情報を記憶しておらず、端末デバイスは、許可されたネットワークスライス選択支援情報に基づいて要求されたネットワークスライス選択支援情報を決定することができないので、端末デバイスは、登録要求に要求されたネットワークスライス選択支援情報を追加しない。したがって、ネットワーク側は、端末デバイスの現在のサブスクリプション情報に基づいてネットワークの１つの構成されたネットワークスライス選択支援情報を端末デバイスに提供する。したがって、ネットワークの構成されたネットワークスライス選択支援情報が適時に更新されることができることがさらに保証される。
【０２２７】
任意選択で、第１のネットワーク中のアクセスおよびモビリティ管理機能ネットワーク要素が、端末デバイスの、第１のネットワークに関連する第１の構成されたネットワークスライス選択支援情報を取得することは、データ管理ネットワーク要素からアクセスおよびモビリティ管理機能ネットワーク要素によって、端末デバイスの、第１のネットワークに関連する更新されたサブスクライブされたＳ−ＮＳＳＡＩを受信することと、アクセスおよびモビリティ管理機能ネットワーク要素によって、更新されたサブスクライブされたＳ−ＮＳＳＡＩに基づいて第１の構成されたネットワークスライス選択支援情報を取得することとを含む。アクセスおよびモビリティ管理機能ネットワーク要素は、第１の構成されたネットワークスライス選択支援情報が更新されたサブスクライブされたＳ−ＮＳＳＡＩに基づいて取得されると決定し、したがって、アクセスおよびモビリティ管理機能ネットワーク要素は、端末デバイスにインジケーション情報を送信する。たとえば、図１０のステップ１００１および１００２に関する説明を参照されたい。
【０２２８】
図１０に関する上記の説明を参照すると、本出願は、通信方法を提供する。図１２に示されているように、本方法は以下のステップを含む。
【０２２９】
１２０１．端末デバイスは、第１のネットワーク中のアクセスおよびモビリティ管理機能ネットワーク要素から、端末デバイスの、第１のネットワークに対応する第１の構成されたネットワークスライス選択支援情報を受信する。
【０２３０】
ステップ１２０１については、図１０のステップ１００３に関する説明を参照されたい。詳細についてここで再び説明されない。
【０２３１】
１２０２．端末デバイスは、第１のネットワーク以外の他のネットワークに関連する第２の構成されたネットワークスライス選択支援情報を削除し、第１のネットワークに関連する記憶された第３の構成されたネットワークスライス選択支援情報を第１の構成されたネットワークスライス選択支援情報と置き換える。
【０２３２】
ステップ１２０２については、図１０のステップ１００４に関する説明を参照されたい。詳細についてここで再び説明されない。
【０２３３】
したがって、端末デバイスは、第１のネットワーク以外の他のネットワークに関連する第２の構成されたネットワークスライス選択支援情報を削除するので、端末デバイスが他のネットワークに次回登録するとき、端末デバイスがネットワークに対応する構成されたネットワークスライス選択支援情報を記憶していないので、端末デバイスは、登録要求に要求されたネットワークスライス選択支援情報を追加しない。したがって、ネットワーク側は、端末デバイスの現在のサブスクリプション情報に基づいてネットワークの１つの構成されたネットワークスライス選択支援情報を端末デバイスに提供する。したがって、ネットワークの構成されたネットワークスライス選択支援情報は、適時に更新されることができ、それによって、端末デバイスのユーザエクスペリエンスを改善し、ネットワークリソースを節約する。
【０２３４】
任意選択で、本方法は、端末デバイスによって、アクセスおよびモビリティ管理機能ネットワーク要素からインジケーション情報を受信するステップをさらに含み、ここでインジケーション情報は、第２の構成されたネットワークスライス選択支援情報を削除するように端末デバイスに命令するために使用される。たとえば、図１０のステップ１００３に関する説明を参照されたい。
【０２３５】
任意選択で、本方法は、端末デバイスによって、他のネットワークに関連する許可されたネットワークスライス選択支援情報を削除するステップをさらに含む。たとえば、図１０のステップ１００４に関する説明を参照されたい。したがって、端末デバイスが他のネットワークに次回登録するとき、端末デバイスは、いずれかのネットワークに対応する許可されたネットワークスライス選択支援情報を記憶しておらず、端末デバイスは、許可されたネットワークスライス選択支援情報に基づいて要求されたネットワークスライス選択支援情報を決定することができないので、端末デバイスは、登録要求に要求されたネットワークスライス選択支援情報を追加しない。したがって、ネットワーク側は、端末デバイスの現在のサブスクリプション情報に基づいてネットワークの１つの構成されたネットワークスライス選択支援情報を端末デバイスに提供する。したがって、ネットワークの構成されたネットワークスライス選択支援情報が適時に更新されることができることがさらに保証される。さらに、任意選択で、本方法は、端末デバイスによって、アクセスおよびモビリティ管理機能ネットワーク要素からインジケーション情報を受信するステップを含み、ここでインジケーション情報は、第２の構成されたネットワークスライス選択支援情報と許可されたネットワークスライス選択支援情報とを削除するように端末デバイスに命令するために使用される。
【０２３６】
図１３は、本出願の実施形態による別の通信方法の概略フローチャートである。
【０２３７】
本方法は、端末デバイスと、ＡＭＦと、ＵＤＭとの間での対話に少なくとも関する。たとえば、端末デバイスと、ＡＭＦと、ＵＤＭとは、それぞれ、図１中の端末デバイス１１０と、アクセスおよびモビリティ管理機能ネットワーク要素１２０と、統一データ管理ネットワーク要素１３０とであり得、本明細書では、詳細は再び説明されない。端末デバイスとＡＭＦとは、第１のＰＬＭＮ中に位置する。言い換えれば、第１のＰＬＭＮは、端末デバイスに、現在、サービスを提供しているＰＬＭＮである。第１のＰＬＭＮは、ＨＰＬＭＮまたはＶＰＬＭＮであり得る。ＵＤＭは、端末デバイスのＨＰＬＭＮ中に位置する。
【０２３８】
図１３に示されているように、本方法は以下のステップを含む。
【０２３９】
１３０１．ＵＤＭは、第１のＰＬＭＮ中のＡＭＦに端末デバイスの更新されたサブスクライブされたネットワークスライス選択支援情報（ｕｐｄａｔｅｄ  Ｓｕｂｓｃｒｉｂｅｄ  Ｓ−ＮＳＳＡＩ）を送信する。たとえば、サブスクライブされたＳ−ＮＳＳＡＩが更新された後、端末デバイスの更新されたサブスクライブされたＳ−ＮＳＳＡＩが、第１のＰＬＭＮ中の端末デバイスによってアクセス可能な１つまたは複数のネットワークスライスを識別するために使用される。
【０２４０】
たとえば、端末デバイスのサブスクリプションデータ中のサブスクライブされたＳ−ＮＳＳＡＩが更新された後、ＵＤＭは、ＵＤＭの加入者データ管理（ｓｕｂｓｃｒｉｂｅｒ  ｄａｔａ  ｍａｎａｇｅｍｅｎｔ、ＳＤＭ）通知（Ｎｕｄｍ＿ＳＤＭ＿Ｎｏｔｉｆｉｃａｔｉｏｎ）サービスを呼び出すことによって更新されたサブスクライブされたＳ−ＮＳＳＡＩを第１のＰＬＭＮ中のＡＭＦに通知し得る。さらに、ＵＤＭは、Ｎｕｄｍ＿ＳＤＭ＿Ｇｅｔサービスを呼び出すことによって第１のＰＬＭＮ中のＡＭＦにサブスクライブされたＳ−ＮＳＳＡＩと第１のインジケーション情報とを送信し得る。第１のインジケーション情報は、サブスクライブされたＳ−ＮＳＳＡＩが更新されることを示すために使用される。具体的に言えば、サブスクライブされたＳ−ＮＳＳＡＩは、更新されたサブスクライブされたＳ−ＮＳＳＡＩである。
【０２４１】
任意選択で、更新されたサブスクライブされたＳ−ＮＳＳＡＩ（または更新されたサブスクライブされたＳ−ＮＳＳＡＩと第１のインジケーション情報と）を受信した後に、ＡＭＦは、ＵＤＭに肯定応答メッセージを返信し得る。
【０２４２】
１３０２．ＡＭＦは、端末デバイスに第２のインジケーション情報を送信する。第２のインジケーション情報は、第１のＰＬＭＮとは異なる別のものに関連する第２の構成されたＮＳＳＡＩを削除するように端末デバイスに命令するために使用される。
【０２４３】
言い換えれば、ＡＭＦは、第１のＰＬＭＮのサブスクライブされたＳ−ＮＳＳＡＩが更新されるとＡＭＦが通知されるときにのみ、ステップ１３０２において、ＵＥに第２のインジケーション情報を送信する。
【０２４４】
たとえば、ＡＭＦは、端末デバイスにユーザ機器構成更新コマンド（ＵＥ  ｃｏｎｆｉｇｕｒａｔｉｏｎ  ｕｐｄａｔｅ  ｃｏｍｍａｎｄ）を送信し得、ここで、ユーザ機器構成更新コマンドは、第２のインジケーション情報を含むか、またはＡＭＦは、端末デバイスに登録受入れ（ｒｅｇｉｓｔｒａｔｉｏｎ  ａｃｃｅｐｔ）メッセージを送信し得、ここで、登録受入れメッセージは、第２のインジケーション情報を含む。これは、本出願における本明細書では限定されない。上記のメッセージは、（Ｒ）ＡＮデバイスにＡＭＦによって送信され得、次いで、（Ｒ）ＡＮデバイスは、端末デバイスにメッセージを転送する。
【０２４５】
本明細書における「第１のＰＬＭＮ以外の他のネットワーク」は、端末によってアクセスされ得るネットワーク範囲中の第１のＰＬＭＮとは異なる別のＰＬＭＮであり得る。
【０２４６】
任意選択で、第２のインジケーション情報は、第１のＰＬＭＮ以外の他のネットワークに関連する許可されたネットワークスライス選択支援情報（許可されたＮＳＳＡＩ、ａｌｌｏｗｅｄ  ＮＳＳＡＩ）を削除するように端末デバイスに命令するためにさらに使用される。ネットワークに関連する許可されたＮＳＳＡＩは、第１のＰＬＭＮ中の、端末デバイスがアクセスすることを許可されるネットワークスライスを識別するために使用される。
【０２４７】
任意選択で、第２のインジケーション情報は、さらに、第１のＰＬＭＮ以外の他のネットワークに関連する第２の構成されたＮＳＳＡＩとＨＰＬＭＮの構成されたＮＳＳＡＩとの間の対応を削除するように端末デバイスに命令するために使用される。任意選択で、第２のインジケーション情報は、さらに、第１のＰＬＭＮ以外の他のネットワークに関連する許可されたＮＳＳＡＩとＨＰＬＭＮの構成されたＮＳＳＡＩとの間の対応を削除するように端末デバイスに命令するために使用される。
【０２４８】
任意選択で、端末デバイスに第２のインジケーション情報を送信する前に、ＡＭＦは、端末の、第１のＰＬＭＮに関連する第３の構成されたＮＳＳＡＩが更新される必要がないと決定する。
【０２４９】
１３０３．第２のインジケーション情報を受信した後で、端末デバイスは、第１のＰＬＭＮ以外の他のネットワークに関連する第２の構成されたＮＳＳＡＩを削除する。
【０２５０】
任意選択で、第２のインジケーション情報が第１のＰＬＭＮ以外の他のネットワークに関連する第２の構成されたＮＳＳＡＩとＨＰＬＭＮの構成されたＮＳＳＡＩとの間の対応を削除するように端末デバイスに命令するためにさらに使用されるとき、ステップ１３０２において送信されたインジケーション情報を受信した後に、端末デバイスは、第２の構成されたＮＳＳＡＩとＨＰＬＭＮの構成されたＮＳＳＡＩとの間の対応をさらに削除する。
【０２５１】
したがって、上記の解決策によれば、端末デバイスのサブスクリプションデータ変更中に、ＡＭＦは、別のＰＬＭＮの前に記憶された構成されたＮＳＳＡＩを削除するように端末デバイスに命令する。このようにして、端末デバイスが別のＰＬＭＮに次回登録するとき、端末デバイスは、ＰＬＭＮに対応する構成されたＮＳＳＡＩを記憶していないので、端末デバイスは、登録要求に要求されたＮＳＳＡＩ（Ｒｅｑｕｅｓｔｅｄ  ＮＳＳＡＩ）を追加しない。したがって、ネットワーク側は、端末デバイスの現在のサブスクリプション情報に基づいてＰＬＭＮの１つの構成されたＮＳＳＡＩを端末デバイスに提供する。したがって、ＰＬＭＮの構成されたＮＳＳＡＩは、適時に更新されることができ、それによって、端末デバイスのユーザエクスペリエンスを改善し、ネットワークリソースを節約する。
【０２５２】
任意選択で、第２のインジケーション情報が他のネットワークに関連する許可されたＮＳＳＡＩを削除するように端末デバイスに命令するためにさらに使用されるとき、ステップ１３０２において送信されたインジケーション情報を受信した後に、端末デバイスは、他のネットワークに関連する許可されたＮＳＳＡＩをさらに削除する。任意選択で、端末デバイスは、さらに、第１のＰＬＭＮ以外の他のネットワークに関連する許可されたＮＳＳＡＩとＨＰＬＭＮの構成されたＮＳＳＡＩとの間の対応を削除する。
【０２５３】
したがって、端末デバイスが別のＰＬＭＮに次回登録するとき、端末デバイスは、いずれかのＰＬＭＮに対応する許可されたＮＳＳＡＩを記憶しておらず、端末デバイスは、許可されたＮＳＳＡＩに基づいて要求されたＮＳＳＡＩを決定することができないので、端末デバイスは、登録要求に要求されたＮＳＳＡＩを追加しない。したがって、ネットワーク側は、端末デバイスの現在のサブスクリプション情報に基づいてＰＬＭＮの１つの構成されたＮＳＳＡＩを端末デバイスに提供する。したがって、ＰＬＭＮの構成されたＮＳＳＡＩが適時に更新されることができることがさらに保証される。
【０２５４】
任意選択で、第２のインジケーション情報を受信した後に、端末デバイスは、ステップ１３０４を実行する。
【０２５５】
１３０４．端末デバイスは、ＡＭＦに肯定応答メッセージを送信する。
【０２５６】
代替として、端末デバイスは、第１の構成されたＮＳＳＡＩを受信し、ステップ１３０３の動作を完了した後にＡＭＦにＡＣＫを送信し得る。
【０２５７】
たとえば、第２のインジケーション情報がＵＥ構成更新コマンドを使用することによってステップ１３０４において送信される場合、端末デバイスは、ＵＥ構成更新完了メッセージを使用することによってＡＭＦにＡＣＫを送信し得る。第２のインジケーション情報が登録受入れメッセージを使用することによってステップ１３０２において送信される場合、ＵＥは、登録完了メッセージを使用することによってＡＭＦにＡＣＫを送信し得る。
【０２５８】
任意選択で、ＡＣＫを受信した後に、ＡＭＦは、ステップ１３０５を実行する。
【０２５９】
１３０５．ＡＣＫを受信した後に、ＡＭＦは、構成されたＮＳＳＡＩの更新結果をＵＤＭに通知する。
【０２６０】
たとえば、ＡＭＦは、ＡＭＦのＵＥ構成更新通知（Ｎａｍｆ＿Ｃｏｍｍｕｎｉｃａｔｉｏｎ＿ＵＥＣｏｎｆｉｇｕｒａｔｉｏｎＵｐｄａｔｅＮｏｔｉｆｙ）サービスを呼び出すことによって構成されたＮＳＳＡＩの更新結果をＵＤＭに通知し得る。任意選択で、ステップ１３０１は、ＵＤＭがＡＭＦとのサービスにサブスクライブすると見なされ得る。通知を受信した後に、ＵＤＭは、構成されたＮＳＳＡＩの更新が開始される必要がないと決定する。たとえば、ＵＤＭは、端末デバイスのサブスクライブされたＳ−ＮＳＳＡＩが再び更新される前に構成されたＮＳＳＡＩを更新しない。
【０２６１】
たとえば、ＡＭＦは、ＡＭＦのイベント通知（Ｎａｍｆ＿ＥｖｅｎｔＥｘｐｏｓｕｒｅ＿Ｎｏｔｉｆｙ）サービスを呼び出すことによって構成されたＮＳＳＡＩの更新結果をＵＤＭに通知し得る。任意選択で、ＵＤＭは、ステップ１３０１の前または後にＡＭＦとのサービスにサブスクライブする。通知を受信した後に、ＵＤＭは、構成されたＮＳＳＡＩの更新が開始される必要がないと決定する。たとえば、ＵＤＭは、端末デバイスのサブスクライブされたＳ−ＮＳＳＡＩが再び更新される前に構成されたＮＳＳＡＩを更新しない。
【０２６２】
上記で説明されたように、図１３の例は、（サブスクリプションデータ中のサブスクライブされたＳ−ＮＳＳＡＩの変更である）端末デバイスサブスクリプション変更によってトリガされた構成されたＮＳＳＡＩ更新に適用可能であり、図１３の例は、第１のＰＬＭＮによって管理された構成されたＮＳＳＡＩが更新される必要がないシナリオをサポートする。
【０２６３】
可能な設計では、上記の方法は、別の条件によってトリガされた構成されたＮＳＳＡＩ更新にさらに適用可能である。たとえば、別の条件は、以下のうちの少なくとも１つを含む。
１．ローカルポリシーの変更またはスライス展開変化によって生じた変更を含むサービングＰＬＭＮの構成変更がある。
２．端末デバイスは、登録要求を送信するときに要求されたＮＳＳＡＩを追加しない。
３．端末デバイスによって要求されたＮＳＳＡＩ中の特定のＳ−ＮＳＳＡＩが端末デバイスの現在のＰＬＭＮ中で無効である。
４．端末デバイスによって要求されたＮＳＳＡＩが、端末デバイスのサブスクライブされたＳ−ＮＳＳＡＩの範囲内にない。
【０２６４】
別の可能な設計では、ＡＭＦは、構成されたＮＳＳＡＩ更新が端末デバイスサブスクリプション変更によってトリガされたときにのみ、第１のＰＬＭＮ以外の他のネットワークに関連する第２の構成されたＮＳＳＡＩを削除するように端末デバイスに命令するか、または第２の構成されたＮＳＳＡＩと第１のＰＬＭＮ以外の他のネットワークに関連する許可されたＮＳＳＡＩを削除するように端末デバイスに命令する。
【０２６５】
図１３の方法は、端末デバイスが登録解除し、次いで、再登録する（たとえば、電源切断された後に電源投入される）シナリオに適用可能であり、ローミングシナリオにも適用可能である。代替として、任意選択で、端末デバイスが登録解除し、次いで、再登録する（たとえば、電源切断された後に電源投入される）シナリオでは、図２から図７の方法のうちのいずれか１つが使用され得、ローミングシナリオでは、図１３の方法が使用され得る。
【０２６６】
したがって、図１３に関する説明を参照すると、図１１に示された方法では、ステップ１１０２において、アクセスおよびモビリティ管理機能ネットワーク要素は、端末デバイスにインジケーション情報のみを送信し得、ここで、インジケーション情報は、第１のネットワーク以外の他のネットワークに関連する第２の構成されたネットワークスライス選択支援情報を削除するように端末デバイスに命令するために使用される。図１２に示された方法では、ステップ１２０２において、端末デバイスは、第１のネットワーク以外の他のネットワークに関連する第２の構成されたネットワークスライス選択支援情報を削除し得る。端末デバイスが、第１の構成されたネットワークスライス選択支援情報を受信していないので、第１のネットワークに関連する記憶された第３の構成されたネットワークスライス選択支援情報は、第１の構成されたネットワークスライス選択支援情報と置き換えられる必要がないことがある。
【０２６７】
本出願において提供される上記の実施形態では、本出願の実施形態において提供される通信方法の解決策は、ネットワーク要素とネットワーク要素間の対話との観点から別々に説明される。上記の機能を実装するために、ネットワーク要素は、機能を実行するための対応するハードウェア構造および／またはソフトウェアモジュールを含むことが理解されることができる。当業者は、本明細書に開示する実施形態において説明される例と組み合わせて、本出願においてハードウェアまたはハードウェアとコンピュータソフトウェアとの組合せによってユニットおよびアルゴリズムステップが実装され得ることに容易に気づくべきである。機能がハードウェアによって実行されるのか、またはコンピュータソフトウェアによって駆動されたハードウェアによって実行されるのかは、特定の適用例および技術的解決策の設計制約に依存する。当業者は、特定の適用例ごとに説明される機能を実装するために異なる方法を使用し得るが、実装が本出願の範囲を越えると見なされるべきではない。
【０２６８】
たとえば、上記のネットワーク要素がソフトウェアモジュールを使用することによって対応する機能を実装するとき、通信装置は、第１のパブリックランドモバイルネットワーク中に位置し、図８Ａに示されているように、受信モジュール８０１と、処理モジュール８０２と、送信モジュール８０３とを含み得る。装置は、アクセスおよびモビリティ管理機能ネットワーク要素またはチップであり得る。
【０２６９】
装置は、図２のアクセスおよびモビリティ管理機能ネットワーク要素の動作を実行するように構成され得る。たとえば、受信モジュール８０１は、端末デバイスから登録要求メッセージを受信するように構成され、処理モジュール８０２は、第１の条件が満たされると決定するとき、送信モジュール８０３を使用することによって端末デバイスに第１のパブリックランドモバイルネットワークの構成されたネットワークスライス選択支援情報を送信するように構成され、ここで第１の条件は、登録要求メッセージが最初の登録要求メッセージであること、または端末デバイスが第２のパブリックランドモバイルネットワークから第１のパブリックランドモバイルネットワークに移動した後に登録要求メッセージが送信されることのいずれかを含む。
【０２７０】
したがって、端末デバイスが登録解除された状態（ＲＭ−ＤＥＲＥＧＩＳＴＥＲＥＤ）であるときに端末デバイスのサブスクライブされたＳ−ＮＳＳＡＩが変化するシナリオの場合、または端末デバイスが第２のＰＬＭＮから第１のＰＬＭＮに移動し、第２のＰＬＭＮにキャンプオンするときに端末デバイスのサブスクリプション情報中に含まれるサブスクライブされたＳ−ＮＳＳＡＩが変化するシナリオの場合、本装置は、端末デバイスによって使用される第１のＰＬＭＮの構成されたＮＳＳＡＩが適時に更新されることを保証するために使用され、それによって、端末デバイスのユーザエクスペリエンスを改善し、ネットワークリソースを節約し得る。
【０２７１】
任意選択で、第１の条件は、アクセスおよびモビリティ管理機能ネットワーク要素が統一データ管理ネットワーク要素から端末デバイスのサブスクリプション情報を取得することをさらに含む。したがって、端末デバイスが短時間にＡＭＦに繰り返し登録するとき、ＡＭＦは、端末デバイスに第１のＰＬＭＮの構成されたネットワークスライス選択支援情報を繰り返し送信することを妨げられてよく、それによって、ネットワークシグナリングの浪費をさらに回避し、ネットワークリソースを節約する。
【０２７２】
図８Ｂに示されているように、別の通信装置は、受信モジュール８１１と送信モジュール８１２とを含み得る。任意選択で、通信装置は、処理モジュール８１３をさらに含む。装置は、統一データ管理ネットワーク要素またはチップであり得る。
【０２７３】
装置は、図３、図４、または図５のＵＤＭの動作を実行するように構成され得る。たとえば、受信モジュール８１１は、第１のパブリックランドモバイルネットワーク中の第１のアクセスおよびモビリティ管理機能ネットワーク要素から、端末デバイスのサブスクリプション情報を取得する要求を受信することであって、第１のアクセスおよびモビリティ管理機能ネットワーク要素が、端末デバイスにサービスするアクセスおよびモビリティ管理機能ネットワーク要素である、ことを行うように構成され、送信モジュール８１２は、第１のアクセスおよびモビリティ管理機能ネットワーク要素に端末デバイスのサブスクリプション情報を送信することであって、端末デバイスのサブスクリプション情報が、端末デバイスの少なくともサブスクライブされたネットワークスライス選択支援情報を含む、ことを行うように構成され、さらに、第１の構成されたネットワークスライス選択支援情報を更新するように第１のアクセスおよびモビリティ管理機能ネットワーク要素に命令することであって、第１の構成されたネットワークスライス選択支援情報は、端末デバイスが登録するように要求するものの構成されたネットワークスライス選択支援情報である、ことを行うように構成される。
【０２７４】
したがって、端末デバイスが登録解除された状態（ＲＭ−ＤＥＲＥＧＩＳＴＥＲＥＤ）であるときに端末デバイスのサブスクライブされたＳ−ＮＳＳＡＩが変化するシナリオの場合、または端末デバイスが第２のＰＬＭＮから第１のＰＬＭＮに移動し、第２のＰＬＭＮにキャンプオンするときに端末デバイスのサブスクリプション情報中に含まれるサブスクライブされたＳ−ＮＳＳＡＩが変化するシナリオの場合、本装置は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【０２７５】
たとえば、送信モジュール８１２は、第１のアクセスおよびモビリティ管理機能ネットワーク要素に第１のインジケーション情報を送信するように構成され、ここで第１のインジケーション情報は、第１の構成されたネットワークスライス選択支援情報を更新するように第１のアクセスおよびモビリティ管理機能ネットワーク要素に命令するために使用される。代替として、送信モジュール８１２は、第１のアクセスおよびモビリティ管理機能ネットワーク要素に端末デバイスのサブスクリプション変更通知メッセージを送信するように構成され、端末デバイスのサブスクリプション変更通知メッセージが、端末デバイスのサブスクライブされたネットワークスライス選択支援情報を含む。
【０２７６】
任意選択で、送信モジュール８１２は、第１のアクセスおよびモビリティ管理機能ネットワーク要素にサブスクリプション要求を送信することであって、サブスクリプション要求は、第１の構成されたネットワークスライス選択支援情報の更新が完了した後に統一データ管理ネットワーク要素に通知メッセージを送信するように第１のアクセスおよびモビリティ管理機能ネットワーク要素に要求するために使用される、ことを行うようにさらに構成され、受信モジュール８１１は、第１のアクセスおよびモビリティ管理機能ネットワーク要素から通知メッセージを受信するようにさらに構成される。
【０２７７】
任意選択で、処理モジュール８１３は、送信モジュールが、第１の構成されたネットワークスライス選択支援情報を更新するように第１のアクセスおよびモビリティ管理機能ネットワーク要素に命令した後、第１の構成されたネットワークスライス選択支援情報の更新が開始される必要がないと決定するように構成される。代替として、処理モジュール８１３は、受信モジュールが、第１のアクセスおよびモビリティ管理機能ネットワーク要素から通知メッセージを受信した後、第１の構成されたネットワークスライス選択支援情報の更新が開始される必要がないと決定するように構成される。
【０２７８】
任意選択で、処理モジュール８１３は、送信モジュールが、第１の構成されたネットワークスライス選択支援情報を更新するように第１のアクセスおよびモビリティ管理機能ネットワーク要素に命令する前に、端末の１つまたは複数のパブリックランドモバイルネットワークの構成されたネットワークスライス選択支援情報が更新される必要があると決定することであって、１つまたは複数のパブリックランドモバイルネットワークが、第１のパブリックランドモバイルネットワークを含む、ことを行うように構成される。たとえば、処理モジュール８１３は、端末デバイスのサブスクリプション情報が変化すると決定するとき、端末の１つまたは複数のパブリックランドモバイルネットワークの構成されたネットワークスライス選択支援情報が更新される必要があると決定するように構成される。
【０２７９】
図８Ｃに示されているように、別の通信装置は、送信モジュール８２１と、受信モジュール８２２と、処理モジュール８２３とを含み得る。装置は、アクセスおよびモビリティ管理機能ネットワーク要素またはチップであり得る。
【０２８０】
装置は、図３、図４、または図５のＡＭＦの動作を実行するように構成され得る。たとえば、送信モジュール８２１は、統一データ管理ネットワーク要素に、端末デバイスのサブスクリプション情報を取得する要求を送信することであって、第１のアクセスおよびモビリティ管理機能ネットワーク要素が、端末デバイスにサービスするアクセスおよびモビリティ管理機能ネットワーク要素である、ことを行うように構成され、受信モジュール８２２は、統一データ管理ネットワーク要素から端末デバイスのサブスクリプション情報を受信することであって、端末デバイスのサブスクリプション情報が、端末デバイスの少なくともサブスクライブされたネットワークスライス選択支援情報を含む、ことを行うように構成され、処理モジュール８２３は、統一データ管理ネットワーク要素のインジケーションに従って第１の構成されたネットワークスライス選択支援情報を更新することであって、第１の構成されたネットワークスライス選択支援情報は、端末デバイスが登録するように要求するものの構成されたネットワークスライス選択支援情報である、ことを行うように構成される。
【０２８１】
したがって、端末デバイスが登録解除された状態（ＲＭ−ＤＥＲＥＧＩＳＴＥＲＥＤ）であるときに端末デバイスのサブスクライブされたＳ−ＮＳＳＡＩが変化するシナリオの場合、または端末デバイスが第２のＰＬＭＮから第１のＰＬＭＮに移動し、第２のＰＬＭＮにキャンプオンするときに端末デバイスのサブスクリプション情報中に含まれるサブスクライブされたＳ−ＮＳＳＡＩが変化するシナリオの場合、本装置は、端末デバイスによって使用される第１のＰＬＭＮの構成されたＮＳＳＡＩが適時に更新されることを保証するために使用され、それによって、端末デバイスのユーザエクスペリエンスを改善し、ネットワークリソースを節約し得る。
【０２８２】
任意選択で、処理モジュール８２３は、受信モジュールが統一データ管理ネットワーク要素から第１のインジケーション情報を受信するとき、サブスクライブされたネットワークスライス選択支援情報に基づいて第１の構成されたネットワークスライス選択支援情報を更新するように構成される。代替として、処理モジュール８２３は、受信モジュールが統一データ管理ネットワーク要素から端末デバイスのサブスクリプション変更通知メッセージを受信するとき、端末デバイスのサブスクリプション変更通知メッセージ中に含まれる端末デバイスのサブスクライブされたネットワークスライス選択支援情報に基づいて第１の構成されたネットワークスライス選択支援情報を更新するように構成される。
【０２８３】
任意選択で、受信モジュール８２２は、統一データ管理ネットワーク要素からサブスクリプション要求を受信することであって、サブスクリプション要求は、第１の構成されたネットワークスライス選択支援情報の更新が完了した後に統一データ管理ネットワーク要素に通知メッセージを送信するように第１のアクセスおよびモビリティ管理機能ネットワーク要素に要求するために使用される、ことを行うようにさらに構成され、受信モジュール８２２が端末デバイスから構成更新完了メッセージを受信した後に、送信モジュール８２１は、統一データ管理ネットワーク要素に通知メッセージを送信することであって、構成更新完了メッセージは、端末デバイスが、第１の構成されたネットワークスライス選択支援情報の更新を完了したことを示すために使用される、ことを行うようにさらに構成される。
【０２８４】
図８Ｄに示されているように、別の通信装置は、取得モジュール８３１と処理モジュール８３２とを含み得る。装置は、アクセスおよびモビリティ管理機能ネットワーク要素またはチップであり得る。
【０２８５】
装置は、図６のＡＭＦの動作を実行するように構成され得る。たとえば、取得モジュール８３１は、端末デバイスのサブスクライブされたネットワークスライス選択支援情報を取得することと、端末デバイスの第１の構成されたネットワークスライス選択支援情報を取得することであって、第１の構成されたネットワークスライス選択支援情報は、端末デバイスが登録するように要求する第１のパブリックランドモバイルネットワークの構成されたネットワークスライス選択支援情報である、こととを行うように構成され、処理モジュール８３２は、サブスクライブされたネットワークスライス選択支援情報に基づいて、第１の構成されたネットワークスライス選択支援情報が更新される必要があるかどうかを決定することと、第１の構成されたネットワークスライス選択支援情報が更新される必要があると決定される場合、サブスクライブされたネットワークスライス選択支援情報に基づいて第２の構成されたネットワークスライス選択支援情報を決定し、送信モジュールを使用して端末デバイスに第２の構成されたネットワークスライス選択支援情報を送信することとを行うように構成される。
【０２８６】
したがって、端末デバイスが登録解除された状態（ＲＭ−ＤＥＲＥＧＩＳＴＥＲＥＤ）であるときに端末デバイスのサブスクライブされたＳ−ＮＳＳＡＩが変化するシナリオの場合、または端末デバイスが第２のＰＬＭＮから第１のＰＬＭＮに移動し、第２のＰＬＭＮにキャンプオンするときに端末デバイスのサブスクリプション情報中に含まれるサブスクライブされたＳ−ＮＳＳＡＩが変化するシナリオの場合、本装置は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【０２８７】
任意選択で、取得モジュール８３１は、端末デバイスから登録要求メッセージを受信することであって、登録要求メッセージは、第１の構成されたネットワークスライス選択支援情報を含む、ことを行うように構成される。登録要求メッセージが最初の登録要求メッセージであるか、または登録要求メッセージは、端末デバイスが第２のパブリックランドモバイルネットワークから第１のパブリックランドモバイルネットワークに移動した後に送信される。代替として、取得モジュール８３１は、端末デバイスのコンテキストを取得することであって、端末デバイスのコンテキストは、第１の構成されたネットワークスライス選択支援情報を含む、ことを行うように構成される。
【０２８８】
任意選択で、処理モジュール８３２は、第１の構成されたネットワークスライス選択支援情報がサブスクライブされたネットワークスライス選択支援情報と同じであるかどうかを決定することと、第１の構成されたネットワークスライス選択支援情報がサブスクライブされたネットワークスライス選択支援情報とは異なる場合、第１の構成されたネットワークスライス選択支援情報が第２の構成されたネットワークスライス選択支援情報に更新される必要があると決定することであって、第２の構成されたネットワークスライス選択支援情報中に含まれた単一のネットワークスライス選択支援情報は、サブスクライブされたネットワークスライス選択支援情報と同じである、こととを行うように構成される。
【０２８９】
任意選択で、第１の構成されたネットワークスライス選択支援情報は、端末デバイスの訪問先パブリックランドネットワークの構成されたネットワークスライス選択支援情報であり、処理モジュール８３２は、第１の構成されたネットワークスライス選択支援情報、サブスクライブされたネットワークスライス選択支援情報、および第１の構成されたネットワークスライス選択支援情報と端末デバイスのホームパブリックランドネットワークの構成されたネットワークスライス選択支援情報との間のマッピング関係に基づいて、第１の構成されたネットワークスライス選択支援情報が更新される必要があるかどうかを決定するように構成される。
【０２９０】
任意選択で、処理モジュール８３２は、端末デバイスのコンテキスト中に第２の構成されたネットワークスライス選択支援情報を記憶するようにさらに構成される。
【０２９１】
図８Ｅに示されているように、別の通信装置は、送信モジュール８４１と受信モジュール８４２とを含み得る。装置は、端末デバイスまたはチップであり得る。
【０２９２】
装置は、図６のＵＥの動作を実行するように構成され得る。たとえば、送信モジュール８４１は、アクセスおよびモビリティ管理機能ネットワーク要素に登録要求メッセージを送信することであって、登録要求メッセージは、端末デバイスの第１の構成されたネットワークスライス選択支援情報を含み、第１の構成されたネットワークスライス選択支援情報は、端末デバイスが登録するように要求する第１のパブリックランドモバイルネットワークの構成されたネットワークスライス選択支援情報である、ことを行うように構成され、受信モジュール８４２は、第１のパブリックランドモバイルネットワークの第２の構成されたネットワークスライス選択支援情報を取得するように構成される。
【０２９３】
したがって、端末デバイスが登録解除された状態（ＲＭ−ＤＥＲＥＧＩＳＴＥＲＥＤ）であるときに端末デバイスのサブスクライブされたＳ−ＮＳＳＡＩが変化するシナリオの場合、または端末デバイスが第２のＰＬＭＮから第１のＰＬＭＮに移動し、第２のＰＬＭＮにキャンプオンするときに端末デバイスのサブスクリプション情報中に含まれるサブスクライブされたＳ−ＮＳＳＡＩが変化するシナリオの場合、本装置は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【０２９４】
任意選択で、登録要求メッセージが最初の登録要求メッセージであるか、または登録要求メッセージは、端末デバイスが第２のパブリックランドモバイルネットワークから第１のパブリックランドモバイルネットワークに移動した後に送信される。
【０２９５】
図８Ｆに示されているように、別の通信装置は、受信モジュール８５１と、処理モジュール８５２と、送信モジュール８５３とを含み得る。装置は、端末デバイスまたはチップであり得る。
【０２９６】
装置は、図７のＵＥの動作を実行するように構成され得る。たとえば、受信モジュール８５１は、更新されたユーザ機器ルート選択ポリシーを受信するように構成され、処理モジュール８５２は、アクセスおよびモビリティ管理機能ネットワーク要素への更新インジケーション情報の伝送が記録されていないと決定するように構成され、送信モジュール８５３は、アクセスおよびモビリティ管理機能ネットワーク要素に更新インジケーション情報を送信することであって、更新インジケーション情報は、端末デバイスに更新された構成されたネットワークスライス選択支援情報を送信するようにアクセスおよびモビリティ管理機能ネットワーク要素に命令するために使用され、アクセスおよびモビリティ管理機能ネットワーク要素は、訪問先パブリックランドモバイルネットワーク中に位置する、ことを行うように構成され、処理モジュール８５２は、更新インジケーション情報が訪問先ＰＬＭＮに送信されていることを記録するように構成される。
【０２９７】
したがって、端末デバイスが登録解除された状態（ＲＭ−ＤＥＲＥＧＩＳＴＥＲＥＤ）であるときに端末デバイスのサブスクライブされたＳ−ＮＳＳＡＩが変化するシナリオの場合、または端末デバイスが第２のＰＬＭＮから第１のＰＬＭＮに移動し、第２のＰＬＭＮにキャンプオンするときに端末デバイスのサブスクリプション情報中に含まれるサブスクライブされたＳ−ＮＳＳＡＩが変化するシナリオの場合、本装置は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【０２９８】
図８Ｇに示されているように、別の通信装置は、取得モジュール８６１と送信モジュール８６２とを含み得る。装置は、アクセスおよびモビリティ管理機能ネットワーク要素またはチップであり得る。
【０２９９】
装置は、図１０または図１１のＡＭＦの動作を実行するように構成され得る。たとえば、取得モジュール８６１は、端末デバイスの、第１のネットワークに関連する第１の構成されたネットワークスライス選択支援情報を取得するように構成され、送信モジュール８６２は、端末デバイスに第１の構成されたネットワークスライス選択支援情報とインジケーション情報とを送信することであって、インジケーション情報は、第１のネットワーク以外の他のネットワークに関連する第２の構成されたネットワークスライス選択支援情報を削除するように端末デバイスに命令するために使用される、ことを行うように構成される。
【０３００】
したがって、通信装置は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【０３０１】
任意選択で、インジケーション情報は、他のネットワークに関連する許可されたネットワークスライス選択支援情報を削除するように端末デバイスに命令するためにさらに使用される。
【０３０２】
任意選択で、端末デバイスの、第１のネットワークに関連する第１の構成されたネットワークスライス選択支援情報を取得するために、取得モジュール８６１は、特に、データ管理ネットワーク要素から、端末デバイスの第１のネットワークに関連する更新されたサブスクライブされたＳ−ＮＳＳＡＩを受信することと、更新されたサブスクライブされたＳ−ＮＳＳＡＩに基づいて第１の構成されたネットワークスライス選択支援情報を取得することとを行うように構成される。通信装置は、第１の構成されたネットワークスライス選択支援情報が更新されたサブスクライブされたＳ−ＮＳＳＡＩに基づいて取得されると決定し、したがって、送信モジュール８６２は、端末デバイスにインジケーション情報を送信する。
【０３０３】
任意選択で、第１の構成されたネットワークスライス選択支援情報とインジケーション情報とを送信するために、送信モジュール８６２は、特に、端末デバイスにユーザ機器構成更新コマンドを送信することであって、ユーザ機器構成更新コマンドは、第１の構成されたネットワークスライス選択支援情報とインジケーション情報とを含む、こと、または端末デバイスに登録受入れメッセージを送信することであって、登録受入れメッセージは、第１の構成されたネットワークスライス選択支援情報とインジケーション情報とを含む、ことを行うように構成される。
【０３０４】
図８Ｈに示されているように、別の通信装置は、受信モジュール８７１と処理モジュール８７２とを含み得る。装置は、端末デバイスまたはチップであり得る。
【０３０５】
装置は、図１０または図１２の端末デバイスの動作を実行するように構成され得る。たとえば、受信モジュール８７１は、第１のネットワーク中のアクセスおよびモビリティ管理機能ネットワーク要素から、端末デバイスの、第１のネットワークに対応する第１の構成されたネットワークスライス選択支援情報を受信するように構成され、処理モジュール８７２は、第１のネットワーク以外の他のネットワークに関連する第２の構成されたネットワークスライス選択支援情報を削除することと、第１のネットワークに関連する記憶された第３の構成されたネットワークスライス選択支援情報を第１の構成されたネットワークスライス選択支援情報と置き換えることとを行うように構成される。
【０３０６】
したがって、通信装置は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【０３０７】
任意選択で、受信モジュール８７１は、アクセスおよびモビリティ管理機能ネットワーク要素からインジケーション情報を受信することであって、インジケーション情報は、第２の構成されたネットワークスライス選択支援情報を削除するように端末デバイスに命令するために使用される、ことを行うようにさらに構成される。
【０３０８】
任意選択で、処理モジュール８７２は、他のネットワークに関連する許可されたネットワークスライス選択支援情報を削除するようにさらに構成される。さらに、任意選択で、受信モジュール８７１は、アクセスおよびモビリティ管理機能ネットワーク要素からインジケーション情報を受信することであって、インジケーション情報は、第２の構成されたネットワークスライス選択支援情報と許可されたネットワークスライス選択支援情報とを削除するように端末デバイスに命令するために使用される、ことを行うように構成される。
【０３０９】
図９は、上記の実施形態における通信装置の別の可能な概略構造図である。図１０に示されているように、装置は、トランシーバ１００１とプロセッサ１００２とを含む。
【０３１０】
たとえば、プロセッサ１００２は、汎用マイクロプロセッサ、データ処理回路、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）またはフィールドプログラマブルゲートアレイ（ｆｉｅｌｄ−ｐｒｏｇｒａｍｍａｂｌｅ  ｇａｔｅ  ａｒｒａｙ、ＦＰＧＡ）回路であり得る。装置は、メモリ１００３をさらに含み得る。メモリは、プロセッサ１００２に結合され、装置の必要なコンピュータプログラム１００３１を記憶するように構成される。
【０３１１】
さらに、上記の実施形態における通信方法は、コンピュータ可読記憶媒体１００４（たとえば、ハードディスク）を提供する。コンピュータ可読記憶媒体は、装置のコンピュータプログラム１００４１を記憶する。コンピュータプログラム１００４１は、プロセッサ１００２上にロードされ得る。
【０３１２】
コンピュータプログラム１００３１または１００４１がコンピュータ（たとえば、プロセッサ１００２）上で動作するとき、コンピュータは、上記の方法を実行することが可能にされ得る。
【０３１３】
たとえば、実施形態では、プロセッサ１００２は、上記のアクセスおよびモビリティ管理機能ネットワーク要素（ＡＭＦ）の動作または機能を実行するように構成される。トランシーバ１００１は、装置とＵＤＭ、ＲＡＮデバイス、または別のＡＭＦとの間の通信を実装するように構成される。
【０３１４】
別の実施形態では、プロセッサ１００２は、上記の統一データ管理ネットワーク要素（ＵＤＭ）の動作または機能を実行するように構成される。トランシーバ１００１は、装置とＡＭＦとの間の通信を実装するように構成される。
【０３１５】
さらに別の実施形態では、プロセッサ１００２は、上記の端末デバイス（ＵＥ）の動作または機能を実行するように構成される。トランシーバ１００１は、装置とＡＭＦとの間および装置とＲＡＮデバイスとの間の通信を実装するように構成される。
【０３１６】
本出願における通信装置の機能を実行するためのプロセッサは、中央処理ユニット（ＣＰＵ）、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブル論理デバイス、トランジスタ論理デバイス、ハードウェア構成要素、またはそれらの任意の組合せであり得る。コントローラ／プロセッサは、本出願で開示される内容に関して説明される様々な例示的な論理ブロック、モジュール、および回路を実装または実行し得る。代替として、プロセッサは、コンピューティング機能を実装するプロセッサの組合せ、たとえば、１つもしくは複数のマイクロプロセッサの組合せまたはＤＳＰとマイクロプロセッサの組合せであり得る。
【０３１７】
本出願で開示される内容と組み合わせて説明される方法またはアルゴリズムステップは、ハードウェアによって実装され得るか、またはソフトウェア命令を実行することによってプロセッサによって実装され得る。ソフトウェア命令は、対応するソフトウェアモジュールを含み得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能なハードディスク、ＣＤ−ＲＯＭ、または当技術分野において知られている任意の他の形態の記憶媒体中に位置し得る。たとえば、記憶媒体はプロセッサに結合され、したがって、プロセッサは、記憶媒体から情報を読み取ることができ、または記憶媒体に情報を書き込むことができる。もちろん、記憶媒体はプロセッサの構成要素であり得る。プロセッサおよび記憶媒体はＡＳＩＣ中に位置し得る。加えて、ＡＳＩＣは通信装置中に位置し得る。もちろん、プロセッサと記憶媒体とは、個別構成要素として通信装置中に存在し得る。メモリ１００３は、ランダムアクセスメモリ（ｒａｎｄｏｍ−ａｃｃｅｓｓ  ｍｅｍｏｒｙ、ＲＡＭ）などの揮発性メモリ（ｖｏｌａｔｉｌｅ  ｍｅｍｏｒｙ）を含み得る。メモリ１００３は、フラッシュメモリ（ｆｌａｓｈ  ｍｅｍｏｒｙ）、ハードディスクドライブ（ｈａｒｄ  ｄｉｓｋ  ｄｒｉｖｅ、ＨＤＤ）、またはソリッドステートドライブ（ｓｏｌｉｄ−ｓｔａｔｅ  ｄｒｉｖｅ、ＳＳＤ）などの不揮発性メモリ（ｎｏｎ−ｖｏｌａｔｉｌｅ  ｍｅｍｏｒｙ）を含み得る。メモリ１００３はさらに、前述のタイプのメモリの組合せを含み得る。
【０３１８】
したがって、本出願のさらに別の態様はコンピュータ可読記憶媒体を提供する。コンピュータ可読記憶媒体は命令を記憶する。命令がコンピュータ上で動作するとき、コンピュータは、上記の方法を実行することを可能にされる。
【０３１９】
本出願のさらに別の態様は、命令を含むコンピュータプログラム製品を提供する。コンピュータプログラム製品がコンピュータ上で動作するとき、コンピュータは、上記の方法を実行することを可能にされる。
【０３２０】
本出願のさらに別の態様は、請求項１または２に記載の方法を実行するように構成されたアクセスおよびモビリティ管理機能ネットワーク要素を含む通信システムを提供する。
【０３２１】
本出願のさらに別の態様は、請求項３乃至１０のいずれか一項に記載の方法を実行するように構成された統一データ管理ネットワーク要素と、請求項１１乃至１４のいずれか一項に記載の方法を実行するように構成されたアクセスおよびモビリティ管理機能ネットワーク要素とを含む通信システムを提供する。
【０３２２】
本出願のさらに別の態様は、請求項１５乃至２１のいずれか一項に記載の方法を実行するように構成されたアクセスおよびモビリティ管理機能ネットワーク要素を含む通信システムを提供する。任意選択で、システムは、請求項２２または２３に記載の方法を実行するように構成された端末デバイスをさらに含む。
【０３２３】
本出願のさらに別の態様は、請求項３１乃至３６のいずれか一項に記載の方法を実行するように構成されたアクセスおよびモビリティ管理機能ネットワーク要素を含む通信システムを提供する。任意選択で、システムは、請求項３７乃至４１のいずれか一項に記載の方法を実行するように構成された端末デバイスをさらに含む。
【０３２４】
当業者は、本明細書に開示する実施形態において説明される例と組み合わせて、電子ハードウェアまたはコンピュータソフトウェアおよび電子ハードウェアの組合せによってユニットおよびアルゴリズムステップが実装され得ることに気づき得る。機能がハードウェアによって実行されるのか、またはソフトウェアによって実行されるのかは、特定の適用例および技術的解決策の設計制約条件に依存する。当業者は、特定の適用例ごとに説明される機能を実装するために異なる方法を使用し得るが、実装が本出願の範囲を越えると見なされるべきではない。
【０３２５】
便宜的で簡単な説明のために、上記のシステム、装置、およびユニットの詳細な作業プロセスについて、上記の方法実施形態における対応するプロセスが参照され得、詳細について、本明細書では再び説明されないことが当業者には明確に理解され得る。
【０３２６】
本出願中に提供されるいくつかの実施形態では、開示するシステム、装置、および方法が他の様式で実装され得ることを理解されたい。たとえば、説明した装置実施形態は、一例にすぎない。たとえば、ユニット分割は、論理機能分割にすぎず、実際の実装では他の分割であり得る。たとえば、複数のユニットまたは構成要素が別のシステムに、組み合わせられるかもしくは統合され得、またはいくつかの特徴は無視されるか、もしくは実行されないことがある。さらに、表示もしくは考察した相互結合もしくは直接結合または通信接続は、いくつかのインターフェースを使用することによって実装され得る。装置間またはユニット間の間接結合または通信接続は、電子的な形態、機械的な形態、または他の形態で実装され得る。
【０３２７】
別個の部分として説明されたユニットは、物理的に別個であることもそうでないこともあり、ユニットとして表示された部分は、物理ユニットであることもそうでないこともあり、１つの位置に位置し得るか、または複数のネットワークユニット上に分散され得る。ユニットの一部または全部は、実施形態の解決策の目的を達成するために実際の要件に基づいて選択され得る。
【０３２８】
加えて、本出願の実施形態における機能ユニットが１つの処理ユニットへと統合されることがあり、またはユニットの各々が物理的に単独で存在することがあり、または２つ以上のユニットが１つのユニットへと統合される。
【０３２９】
機能が、ソフトウェア機能ユニットの形態で実装され、独立した製品として販売または使用されるとき、機能は、コンピュータ可読記憶媒体中に記憶され得る。そのような理解に基づいて、本質的に本出願の技術的解決策、または従来技術に寄与する部分、または技術的解決策の一部は、ソフトウェア製品の形態で実装され得る。ソフトウェア製品は、記憶媒体に記憶され、本出願の実施形態において説明される方法のステップのすべてまたは一部を実行するようにコンピュータデバイス（パーソナルコンピュータ、サーバ、またはネットワークデバイスであり得る）に命令するための、いくつかの命令を含む。上記の記憶媒体は、ＵＳＢフラッシュドライブ、取外し可能なハードディスク、読取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどのプログラムコードを記憶することができる任意の媒体を含む。
【０３３０】
上記の説明は、本出願の特定の実装にすぎず、本出願の保護範囲を限定するものではない。本出願で開示される技術範囲内で当業者によって容易に想到されるいかなる変形形態または置換形態も、本出願の保護範囲内に入るものである。したがって、本出願の保護範囲は、特許請求の範囲の保護範囲に従わなければならないものである。
【図１】
2021519560.tif 000004
【図２】
2021519560.tif 000005
【図３】
2021519560.tif 000006
【図４】
2021519560.tif 000007
【図５】
2021519560.tif 000008
【図６】
2021519560.tif 000009
【図７】
2021519560.tif 000010
【図８Ａ】
2021519560.tif 000011
【図８Ｂ】
2021519560.tif 000012
【図８Ｃ】
2021519560.tif 000013
【図８Ｄ】
2021519560.tif 000014
【図８Ｅ】
2021519560.tif 000015
【図８Ｆ】
2021519560.tif 000016
【図８Ｇ】
2021519560.tif 000017
【図８Ｈ】
2021519560.tif 000018
【図９】
2021519560.tif 000019
【図１０】
2021519560.tif 000020
【図１１】
2021519560.tif 000021
【図１２】
2021519560.tif 000022
【図１３】
2021519560.tif 000023
【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
通信方法であって、
第１のネットワーク中のアクセスおよびモビリティ管理機能ネットワーク要素によって、データ管理ネットワーク要素から端末デバイスの更新されたサブスクライブされたネットワークスライス選択支援情報を受信するステップと、
前記更新されたサブスクライブされたネットワークスライス選択支援情報に基づいて、前記端末デバイスの、前記第１のネットワークに関連する第１の構成されたネットワークスライス選択支援情報を取得するステップと、
前記アクセスおよびモビリティ管理機能ネットワーク要素によって、前記端末デバイスに前記第１の構成されたネットワークスライス選択支援情報とインジケーション情報とを送信するステップであって、前記インジケーション情報は、前記第１のネットワーク以外の他のネットワークに関連する第２の構成されたネットワークスライス選択支援情報を削除するように前記端末デバイスに命令するために使用される、ステップと
を備える方法。
【請求項２】
前記更新されたサブスクライブされたネットワークスライス選択支援情報に基づいて、前記端末デバイスの、前記第１のネットワークに関連する第１の構成されたネットワークスライス選択支援情報を取得する前記ステップは、
前記アクセスおよびモビリティ管理機能ネットワーク要素によって、前記更新されたサブスクライブされたネットワークスライス選択支援情報に基づいて前記第１の構成されたネットワークスライス選択支援情報を決定するステップ、または
前記更新されたサブスクライブされたネットワークスライス選択支援情報を受信した後に、前記アクセスおよびモビリティ管理機能ネットワーク要素によって、ネットワークスライス選択機能ネットワーク要素から前記第１の構成されたネットワークスライス選択支援情報を取得するステップ
を備える請求項１に記載の方法。
【請求項３】
前記インジケーション情報は、前記他のネットワークに関連する許可されたネットワークスライス選択支援情報を削除するように前記端末デバイスに命令するためにさらに使用される請求項１または２に記載の方法。
【請求項４】
前記アクセスおよびモビリティ管理機能ネットワーク要素によって、前記端末デバイスに前記インジケーション情報を送信する前記ステップは、
前記第１の構成されたネットワークスライス選択支援情報が前記更新されたサブスクライブされたネットワークスライス選択支援情報に基づいて取得される場合、前記アクセスおよびモビリティ管理機能ネットワーク要素によって、前記端末デバイスに前記インジケーション情報を送信するステップ
を備える請求項１乃至３のいずれか一項に記載の方法。
【請求項５】
前記アクセスおよびモビリティ管理機能ネットワーク要素によって、前記端末デバイスに前記第１の構成されたネットワークスライス選択支援情報とインジケーション情報とを送信する前記ステップは、
前記アクセスおよびモビリティ管理機能ネットワーク要素によって、前記端末デバイスにユーザ機器構成更新コマンドを送信するステップであって、前記ユーザ機器構成更新コマンドは、前記第１の構成されたネットワークスライス選択支援情報と前記インジケーション情報とを備える、ステップ
を備える請求項１乃至４のいずれか一項に記載の方法。
【請求項６】
前記アクセスおよびモビリティ管理機能ネットワーク要素によって、前記端末デバイスに前記第１の構成されたネットワークスライス選択支援情報とインジケーション情報とを送信する前記ステップは、
前記アクセスおよびモビリティ管理機能ネットワーク要素によって、前記端末デバイスに登録受入れメッセージを送信するステップであって、前記登録受入れメッセージは、前記第１の構成されたネットワークスライス選択支援情報と前記インジケーション情報とを備える、ステップ
を備える請求項１乃至４のいずれか一項に記載の方法。
【請求項７】
通信方法であって、
第１のネットワーク中のアクセスおよびモビリティ管理機能ネットワーク要素から端末デバイスによって、前記第１のネットワークの前記端末デバイスの第１の構成されたネットワークスライス選択支援情報を受信するステップと、
前記端末デバイスによって、前記第１のネットワーク以外の他のネットワークに関連する第２の構成されたネットワークスライス選択支援情報を削除するステップと、
前記端末デバイスによって、前記第１のネットワークに関連する記憶された第３の構成されたネットワークスライス選択支援情報を前記第１の構成されたネットワークスライス選択支援情報と置き換えるステップと
を備える方法。
【請求項８】
前記端末デバイスによって、前記アクセスおよびモビリティ管理機能ネットワーク要素からインジケーション情報を受信するステップをさらに備え、
前記端末デバイスによって、前記第１のネットワーク以外の他のネットワークに関連する第２の構成されたネットワークスライス選択支援情報を削除する前記ステップは、
前記インジケーション情報に従って前記端末デバイスによって、前記第１のネットワーク以外の前記他のネットワークに関連する前記第２の構成されたネットワークスライス選択支援情報を削除するステップを備える、請求項７に記載の方法。
【請求項９】
前記インジケーション情報は、前記第２の構成されたネットワークスライス選択支援情報を削除するように前記端末デバイスに命令するために使用される請求項８に記載の方法。
【請求項１０】
前記端末デバイスによって、前記他のネットワークに関連する許可されたネットワークスライス選択支援情報を削除するステップ
をさらに備える請求項７乃至９のいずれか一項に記載の方法。
【請求項１１】
前記インジケーション情報は、前記第２の構成されたネットワークスライス選択支援情報と前記許可されたネットワークスライス選択支援情報とを削除するように前記端末デバイスに命令するために使用される請求項１０に記載の方法。
【請求項１２】
請求項１乃至６のいずれか一項に記載の前記方法を実行するように構成された通信装置。
【請求項１３】
請求項７乃至１１のいずれか一項に記載の前記方法を実行するように構成された通信装置。
【請求項１４】
通信装置であって、
データ管理ネットワーク要素から端末デバイスの更新されたサブスクライブされたネットワークスライス選択支援情報を受信することと、前記更新されたサブスクライブされたネットワークスライス選択支援情報に基づいて、前記端末デバイスの、第１のネットワークに関連する第１の構成されたネットワークスライス選択支援情報を取得することとを行うように構成された取得モジュールと、
前記端末デバイスに前記第１の構成されたネットワークスライス選択支援情報とインジケーション情報とを送信することであって、前記インジケーション情報は、前記第１のネットワーク以外の他のネットワークに関連する第２の構成されたネットワークスライス選択支援情報を削除するように前記端末デバイスに命令するために使用される、ことを行うように構成された送信モジュールと
を備える通信装置。
【請求項１５】
前記取得モジュールは、前記更新されたサブスクライブされたネットワークスライス選択支援情報に基づいて前記第１の構成されたネットワークスライス選択支援情報を決定するように構成され、または
前記取得モジュールは、前記更新されたサブスクライブされたネットワークスライス選択支援情報を受信した後に、ネットワークスライス選択機能ネットワーク要素から前記第１の構成されたネットワークスライス選択支援情報を取得するように構成された
請求項１４に記載の通信装置。
【請求項１６】
前記第１の構成されたネットワークスライス選択支援情報が前記更新されたサブスクライブされたネットワークスライス選択支援情報に基づいて取得される場合、前記送信モジュールは、前記端末デバイスに前記インジケーション情報を送信する請求項１４または１５に記載の通信装置。
【請求項１７】
前記送信モジュールは、前記端末デバイスにユーザ機器構成更新コマンドを送信することであって、前記ユーザ機器構成更新コマンドは、前記第１の構成されたネットワークスライス選択支援情報と前記インジケーション情報とを備える、ことを行うように構成された請求項１４乃至１６のいずれか一項に記載の通信装置。
【請求項１８】
前記送信モジュールは、前記端末デバイスに登録受入れメッセージを送信することであって、前記登録受入れメッセージは、前記第１の構成されたネットワークスライス選択支援情報と前記インジケーション情報とを備える、ことを行うように構成された請求項１４乃至１６のいずれか一項に記載の通信装置。
【請求項１９】
前記通信装置は、前記第１のネットワーク中に位置するアクセスおよびモビリティ管理機能ネットワーク要素である請求項１４乃至１８のいずれか一項に記載の通信装置。
【請求項２０】
通信装置であって、
第１のネットワーク中のアクセスおよびモビリティ管理機能ネットワーク要素から、前記第１のネットワークの端末デバイスの第１の構成されたネットワークスライス選択支援情報を受信するように構成された受信モジュールと、
前記第１のネットワーク以外の他のネットワークに関連する第２の構成されたネットワークスライス選択支援情報を削除することと、前記第１のネットワークに関連する記憶された第３の構成されたネットワークスライス選択支援情報を前記第１の構成されたネットワークスライス選択支援情報と置き換えることとを行うように構成された処理モジュールと
を備える通信装置。
【請求項２１】
前記受信モジュールは、前記アクセスおよびモビリティ管理機能ネットワーク要素からインジケーション情報を受信するようにさらに構成され、
前記処理モジュールは、前記インジケーション情報に従って、前記第１のネットワーク以外の前記他のネットワークに関連する前記第２の構成されたネットワークスライス選択支援情報を削除するように構成された請求項２０に記載の通信装置。
【請求項２２】
前記インジケーション情報は、前記第２の構成されたネットワークスライス選択支援情報を削除するように前記端末デバイスに命令するために使用される請求項２１に記載の通信装置。
【請求項２３】
前記通信装置は前記端末デバイスである請求項２０乃至２２のいずれか一項に記載の通信装置。
【請求項２４】
通信システムであって、
端末デバイスの更新されたサブスクライブされたネットワークスライス選択支援情報を送信するように構成されたデータ管理ネットワーク要素と、
前記データ管理ネットワーク要素から前記更新されたサブスクライブされたネットワークスライス選択支援情報を受信することと、前記更新されたサブスクライブされたネットワークスライス選択支援情報に基づいて、前記端末デバイスの、第１のネットワークに関連する第１の構成されたネットワークスライス選択支援情報を取得することと、前記端末デバイスに前記第１の構成されたネットワークスライス選択支援情報とインジケーション情報とを送信することであって、前記インジケーション情報は、前記第１のネットワーク以外の他のネットワークに関連する第２の構成されたネットワークスライス選択支援情報を削除するように前記端末デバイスに命令するために使用される、こととを行うように構成された、前記第１のネットワーク中のアクセスおよびモビリティ管理機能ネットワーク要素と
を備える通信システム。
【手続補正２】
【補正対象書類名】明細書
【補正対象項目名】全文
【補正方法】変更
【補正の内容】
【発明の詳細な説明】
【技術分野】
【０００１】
本出願は、通信技術の分野に関し、より詳細には、通信方法、装置、およびシステムに関する。
【背景技術】
【０００２】
本出願は、それらの全体が参照により本明細書に組み込まれる、２０１８年４月９日に中国国家知識産権局に出願された「ＣＯＭＭＵＮＩＣＡＴＩＯＮ  ＭＥＴＨＯＤ，ＡＰＰＡＲＡＴＵＳ，ＡＮＤ  ＳＹＳＴＥＭ」と題する中国特許出願第ＣＮ  ２０１８１０３１３０５９．４号の優先権を主張する、２０１８年５月１８日に中国国家知識産権局に出願された「ＣＯＭＭＵＮＩＣＡＴＩＯＮ  ＭＥＴＨＯＤ，ＡＰＰＡＲＡＴＵＳ，ＡＮＤ  ＳＹＳＴＥＭ」と題する中国特許出願第ＣＮ  ２０１８１０４８３３８３．０号の優先権を主張する。
【０００３】
技術の開発とともに、増加しつつある量のデバイスがモバイルネットワークにアクセスする。異なるデバイスの応用シナリオは異なり得る。異なるタイプの応用シナリオは、ネットワーク機能およびネットワークパフォーマンスについて異なる要件を有する。人を中心とした従来の単一のネットワークの集中化、最適化は、要件をもはや満たすことができない。さらに、最適化および要件は、異なるシナリオのネットワークにおいて大幅に変化し得る。たとえば、いくつかのシナリオでは、超低レイテンシおよび高信頼性のサービスが提供される必要があり、いくつかの他のシナリオでは、大量の接続をもつが、比較的少量のデータをもつサービスが必要とされ、さらに他のシナリオでは、高帯域で大量のデータをもつサービスが必要とされる。専用ネットワークがシナリオごとに構築される場合、事業者のネットワーク構築コストおよび運用コストが増加し、リソースの浪費を生じる。したがって、ネットワークスライシングの概念が出現する。
【０００４】
ネットワークスライシングにより、事業者は、独立した仮想論理ネットワーク方式で同じネットワークインフラストラクチャ上で、相互に離間されたネットワーク環境をもつ異なるタイプの応用シナリオを提供することが可能になり得、したがって、ネットワーク機能および特徴は、それらのそれぞれの要件に応じて異なるタイプの応用シナリオでカスタマイズされ得、異なるサービスの要件は、効果的に保証されることができる。
【０００５】
ネットワークスライスがコアネットワーク上に展開されるとき、端末デバイスは、パブリックランドモバイルネットワーク（Ｐｕｂｌｉｃ  Ｌａｎｄ  Ｍｏｂｉｌｅ  Ｎｅｔｗｏｒｋ、ＰＬＭＮ）ごとに１つの構成されたネットワークスライス選択支援情報（Ｃｏｎｆｉｇｕｒｅｄ  Ｎｅｔｗｏｒｋ  Ｓｌｉｃｅ  Ｓｅｌｅｃｔｉｏｎ  Ａｓｓｉｓｔａｎｃｅ  Ｉｎｆｏｒｍａｔｉｏｎ、Ｃｏｎｆｉｇｕｒｅｄ  ＮＳＳＡＩ）を記憶する。端末デバイスがネットワークに登録するとき、ネットワークスライス選択プロセスがトリガされる。たとえば、端末デバイスは、端末デバイスが登録することを要求するまたは登録しているＰＬＭＮの構成されたネットワークスライス選択支援情報に基づいて要求されたネットワークスライス選択支援情報（Ｒｅｑｕｅｓｔｅｄ  ＮＳＳＡＩ）を生成し、ネットワークデバイスに要求されたネットワークスライス選択支援情報を送信する。ネットワークデバイスは、端末デバイスに許可されたネットワークスライス選択支援情報（Ａｌｌｏｗｅｄ  ＮＳＳＡＩ）をフィードバックする。端末デバイスによってアクセスされる無線アクセスネットワーク（Ｒａｄｉｏ  Ａｃｃｅｓｓ  Ｎｅｔｗｏｒｋ、ＲＡＮ）デバイスは、許可されたネットワークスライス選択支援情報を使用することによってネットワークスライスプロシージャを選択することを実行し得る。
【０００６】
ＰＬＭＮの構成されたネットワークスライス選択支援情報が更新され得るか、または端末デバイスによって記憶された構成されたネットワークスライス選択支援情報は、端末デバイスが位置するパブリックランドモバイルネットワークの構成されたネットワークスライス選択支援情報とは異なる。しかしながら、いくつかのシナリオでは、ネットワークデバイスは、端末デバイスに更新された構成されたネットワークスライス選択支援情報を送信できないことがある。この場合、端末デバイスによって決定される要求されたネットワークスライス選択支援情報に対応するネットワークスライスは、ネットワークデバイスによって提供されることができるネットワークスライスと矛盾し得る。結果として、端末デバイスは、最初に利用可能であるネットワークスライスを要求せず、ユーザエクスペリエンスを低減し得るか、または端末デバイスは、利用不可能なネットワークスライスを使用することを要求し、シグナリング対話を浪費し得る。したがって、ネットワークデバイスが端末デバイスに更新された構成されたネットワークスライス選択支援情報を送信することができることをどのように保証するのかは、緊急に解決されるべき問題である。
【発明の概要】
【０００７】
本出願は、通信方法、装置、およびシステムを提供する。
【０００８】
第１の態様によれば、本出願は、第１のパブリックランドモバイルネットワーク中のアクセスおよびモビリティ管理機能ネットワーク要素によって、端末デバイスから登録要求メッセージを受信するステップと、第１の条件が満たされると決定するとき、端末デバイスに第１のパブリックランドモバイルネットワークの構成されたネットワークスライス選択支援情報を送信するステップとを含む通信方法を提供する。第１の条件は、登録要求メッセージが最初の登録要求メッセージであること、または登録要求メッセージは、端末デバイスが第２のパブリックランドモバイルネットワークから第１のパブリックランドモバイルネットワークに移動した後に送信されることのいずれかを含む。
【０００９】
本方法によれば、端末デバイスが登録解除された状態（ＲＭ−ＤＥＲＥＧＩＳＴＥＲＥＤ）であるときに端末デバイスのサブスクライブされたＳ−ＮＳＳＡＩが変化するシナリオの場合、または端末デバイスが第２のＰＬＭＮから第１のＰＬＭＮに移動し、第２のＰＬＭＮにキャンプオンするときに端末デバイスのサブスクリプション情報中に含まれるサブスクライブされたＳ−ＮＳＳＡＩが変化するシナリオの場合、本方法は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【００１０】
可能な設計では、第１の条件は、アクセスおよびモビリティ管理機能ネットワーク要素が統一データ管理ネットワーク要素から端末デバイスのサブスクリプション情報を取得することをさらに含む。したがって、端末デバイスが短時間にＡＭＦに繰り返し登録するとき、ＡＭＦは、端末デバイスに第１のＰＬＭＮの構成されたネットワークスライス選択支援情報を繰り返し送信することを妨げられてよく、それによってさらに、ネットワークシグナリングの浪費を回避し、ネットワークリソースを節約する。
【００１１】
第２の態様によれば、本出願は、通信方法であって、第１のパブリックランドモバイルネットワーク中の第１のアクセスおよびモビリティ管理機能ネットワーク要素から統一データ管理ネットワーク要素によって、端末デバイスのサブスクリプション情報を取得する要求を受信するステップであって、第１のアクセスおよびモビリティ管理機能ネットワーク要素が、端末デバイスにサービスするアクセスおよびモビリティ管理機能ネットワーク要素である、ステップと、統一データ管理ネットワーク要素によって、第１のアクセスおよびモビリティ管理機能ネットワーク要素に端末デバイスのサブスクリプション情報を送信するステップであって、端末デバイスのサブスクリプション情報が、端末デバイスの少なくともサブスクライブされたネットワークスライス選択支援情報を含む、ステップと、統一データ管理ネットワーク要素によって、第１の構成されたネットワークスライス選択支援情報を更新するように第１のアクセスおよびモビリティ管理機能ネットワーク要素に命令するステップであって、第１の構成されたネットワークスライス選択支援情報は、端末デバイスが登録するように要求する第１のパブリックランドモバイルネットワークの構成されたネットワークスライス選択支援情報である、ステップとを含む方法を提供する。
【００１２】
本方法によれば、端末デバイスが登録解除された状態（ＲＭ−ＤＥＲＥＧＩＳＴＥＲＥＤ）であるときに端末デバイスのサブスクライブされたＳ−ＮＳＳＡＩが変化するシナリオの場合、または端末デバイスが第２のＰＬＭＮから第１のＰＬＭＮに移動し、第２のＰＬＭＮにキャンプオンするときに端末デバイスのサブスクリプション情報中に含まれるサブスクライブされたＳ−ＮＳＳＡＩが変化するシナリオの場合、本方法は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【００１３】
可能な設計では、統一データ管理ネットワーク要素によって、第１の構成されたネットワークスライス選択支援情報を更新するように第１のアクセスおよびモビリティ管理機能ネットワーク要素に命令するステップは、統一データ管理ネットワーク要素によって、第１のアクセスおよびモビリティ管理機能ネットワーク要素に第１のお情報を送信するステップであって、第１のインジケーション情報は、第１の構成されたネットワークスライス選択支援情報を更新するように第１のアクセスおよびモビリティ管理機能ネットワーク要素に命令するために使用される、ステップ、または統一データ管理ネットワーク要素によって、第１のアクセスおよびモビリティ管理機能ネットワーク要素に端末デバイスのサブスクリプション変更通知メッセージを送信するステップであって、端末デバイスのサブスクリプション変更通知メッセージが、端末デバイスのサブスクライブされたネットワークスライス選択支援情報を含む、ステップを含む。
【００１４】
可能な設計では、本方法は、統一データ管理ネットワーク要素によって、第１のアクセスおよびモビリティ管理機能ネットワーク要素にサブスクリプション要求を送信するステップであって、サブスクリプション要求は、第１の構成されたネットワークスライス選択支援情報の更新が完了した後に統一データ管理ネットワーク要素に通知メッセージを送信するように第１のアクセスおよびモビリティ管理機能ネットワーク要素に要求するために使用される、ステップと、統一データ管理ネットワーク要素によって、第１のアクセスおよびモビリティ管理機能ネットワーク要素から通知メッセージを受信するステップとをさらに含む。したがって、ＵＤＭによって保持されたＰＬＭＮの識別子が、端末デバイスのＰＬＭＮの構成されたネットワークスライス選択支援情報の実際の更新結果と同じであることが保証されることができる。
【００１５】
可能な設計では、統一データ管理ネットワーク要素が、第１の構成されたネットワークスライス選択支援情報を更新するように第１のアクセスおよびモビリティ管理機能ネットワーク要素に命令した後、統一データ管理ネットワーク要素は、第１の構成されたネットワークスライス選択支援情報の更新が開始される必要がないと決定するか、または統一データ管理ネットワーク要素が第１のアクセスおよびモビリティ管理機能ネットワーク要素から通知メッセージを受信した後、統一データ管理ネットワーク要素は、第１の構成されたネットワークスライス選択支援情報の更新が開始される必要がないと決定する。
【００１６】
可能な設計では、統一データ管理ネットワーク要素によって、第１の構成されたネットワークスライス選択支援情報を更新するように第１のアクセスおよびモビリティ管理機能ネットワーク要素に命令するステップの前に、本方法は、統一データ管理ネットワーク要素によって、端末の１つまたは複数のパブリックランドモバイルネットワークの構成されたネットワークスライス選択支援情報が更新される必要があると決定するステップであって、１つまたは複数のパブリックランドモバイルネットワークが、第１のパブリックランドモバイルネットワークを含む、ステップをさらに含む。たとえば、端末デバイスのサブスクリプション情報が変化すると決定するとき、統一データ管理ネットワーク要素は、端末の１つまたは複数のパブリックランドモバイルネットワークの構成されたネットワークスライス選択支援情報が更新される必要があると決定する。
【００１７】
第３の態様によれば、本出願は、通信方法であって、統一データ管理ネットワーク要素に第１のパブリックランドモバイルネットワーク中で第１のアクセスおよびモビリティ管理機能ネットワーク要素によって、端末デバイスのサブスクリプション情報を取得する要求を送信するステップであって、第１のアクセスおよびモビリティ管理機能ネットワーク要素が、端末デバイスにサービスするアクセスおよびモビリティ管理機能ネットワーク要素である、ステップと、第１のアクセスおよびモビリティ管理機能ネットワーク要素によって、統一データ管理ネットワーク要素から端末デバイスのサブスクリプション情報を受信するステップであって、端末デバイスのサブスクリプション情報が、端末デバイスの少なくともサブスクライブされたネットワークスライス選択支援情報を含む、ステップと、第１のアクセスおよびモビリティ管理機能ネットワーク要素によって、統一データ管理ネットワーク要素のインジケーションに従って第１の構成されたネットワークスライス選択支援情報の更新を開始するステップであって、第１の構成されたネットワークスライス選択支援情報は、端末デバイスが登録するように要求する第１のパブリックランドモバイルネットワークの構成されたネットワークスライス選択支援情報である、ステップとを含む方法を提供する。
【００１８】
本方法によれば、端末デバイスが登録解除された状態（ＲＭ−ＤＥＲＥＧＩＳＴＥＲＥＤ）であるときに端末デバイスのサブスクライブされたＳ−ＮＳＳＡＩが変化するシナリオの場合、または端末デバイスが第２のＰＬＭＮから第１のＰＬＭＮに移動し、第２のＰＬＭＮにキャンプオンするときに端末デバイスのサブスクリプション情報中に含まれるサブスクライブされたＳ−ＮＳＳＡＩが変化するシナリオの場合、本方法は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【００１９】
可能な設計では、第１のアクセスおよびモビリティ管理機能ネットワーク要素によって、統一データ管理ネットワーク要素のインジケーションに従って第１の構成されたネットワークスライス選択支援情報の更新を開始するステップは、統一データ管理ネットワーク要素から第１のインジケーション情報を受信すると、第１のアクセスおよびモビリティ管理機能ネットワーク要素によって、サブスクライブされたネットワークスライス選択支援情報に基づいて第１の構成されたネットワークスライス選択支援情報の更新を開始するステップ、または統一データ管理ネットワーク要素から端末デバイスのサブスクリプション変更通知メッセージを受信すると、第１のアクセスおよびモビリティ管理機能ネットワーク要素によって、端末デバイスのサブスクリプション変更通知メッセージ中に含まれた端末デバイスのサブスクライブされたネットワークスライス選択支援情報に基づいて第１の構成されたネットワークスライス選択支援情報の更新を開始するステップを含む。
【００２０】
可能な設計では、本方法は、第１のアクセスおよびモビリティ管理機能ネットワーク要素によって、統一データ管理ネットワーク要素からサブスクリプション要求を受信するステップであって、サブスクリプション要求は、第１の構成されたネットワークスライス選択支援情報の更新が完了した後に統一データ管理ネットワーク要素に通知メッセージを送信するように第１のアクセスおよびモビリティ管理機能ネットワーク要素に要求するために使用される、ステップと、端末デバイスから構成更新完了メッセージを受信した後に、第１のアクセスおよびモビリティ管理機能ネットワーク要素によって、統一データ管理ネットワーク要素に通知メッセージを送信するステップであって、構成更新完了メッセージは、端末デバイスが、第１の構成されたネットワークスライス選択支援情報の更新を完了したことを示すために使用される、ステップとを含む。したがって、ＵＤＭによって保持されたＰＬＭＮの識別子が、端末デバイスのＰＬＭＮの構成されたネットワークスライス選択支援情報の実際の更新結果と同じであることが保証されることができる。
【００２１】
第４の態様によれば、本出願は、通信方法であって、アクセスおよびモビリティ管理機能ネットワーク要素によって、端末デバイスのサブスクライブされたネットワークスライス選択支援情報を取得するステップと、端末デバイスの第１の構成されたネットワークスライス選択支援情報を取得するステップであって、第１の構成されたネットワークスライス選択支援情報は、端末デバイスが登録するように要求する第１のパブリックランドモバイルネットワークの構成されたネットワークスライス選択支援情報である、ステップと、サブスクライブされたネットワークスライス選択支援情報に基づいて、第１の構成されたネットワークスライス選択支援情報が更新される必要があるかどうかを決定するステップと、第１の構成されたネットワークスライス選択支援情報が更新される必要があるとアクセスおよびモビリティ管理機能ネットワーク要素が決定する場合、サブスクライブされたネットワークスライス選択支援情報に基づいて第２の構成されたネットワークスライス選択支援情報を決定し、端末デバイスに第２の構成されたネットワークスライス選択支援情報を送信するステップとを含む方法を提供する。
【００２２】
可能な設計では、アクセスおよびモビリティ管理機能ネットワーク要素によって、端末デバイスの第１の構成されたネットワークスライス選択支援情報を取得するステップは、アクセスおよびモビリティ管理機能ネットワーク要素によって、端末デバイスから登録要求メッセージを受信するステップであって、登録要求メッセージは、第１の構成されたネットワークスライス選択支援情報を含む、ステップを含む。たとえば、登録要求メッセージが最初の登録要求メッセージであるか、または登録要求メッセージは、端末デバイスが第２のパブリックランドモバイルネットワークから第１のパブリックランドモバイルネットワークに移動した後に送信される。代替として、アクセスおよびモビリティ管理機能ネットワーク要素は、端末デバイスのコンテキストを取得し、ここで端末デバイスのコンテキストは、第１の構成されたネットワークスライス選択支援情報を含む。
【００２３】
可能な設計では、サブスクライブされたネットワークスライス選択支援情報に基づいてアクセスおよびモビリティ管理機能ネットワーク要素によって、第１の構成されたネットワークスライス選択支援情報が更新される必要があるかどうかを決定するステップは、アクセスおよびモビリティ管理機能ネットワーク要素によって、第１の構成されたネットワークスライス選択支援情報がサブスクライブされたネットワークスライス選択支援情報と同じであるかどうかを決定するステップと、第１の構成されたネットワークスライス選択支援情報がサブスクライブされたネットワークスライス選択支援情報とは異なる場合、第１の構成されたネットワークスライス選択支援情報が第２の構成されたネットワークスライス選択支援情報に更新される必要があると決定するステップであって、第２の構成されたネットワークスライス選択支援情報中に含まれた単一のネットワークスライス選択支援情報は、サブスクライブされたネットワークスライス選択支援情報と同じである、ステップとを含む。
【００２４】
可能な設計では、第１の構成されたネットワークスライス選択支援情報は、端末デバイスの訪問先パブリックランドネットワークの構成されたネットワークスライス選択支援情報であり、サブスクライブされたネットワークスライス選択支援情報に基づいてアクセスおよびモビリティ管理機能ネットワーク要素によって、第１の構成されたネットワークスライス選択支援情報が更新される必要があるかどうかを決定するステップは、第１の構成されたネットワークスライス選択支援情報、サブスクライブされたネットワークスライス選択支援情報、および第１の構成されたネットワークスライス選択支援情報と端末デバイスのホームパブリックランドネットワークの構成されたネットワークスライス選択支援情報との間のマッピング関係に基づいてアクセスおよびモビリティ管理機能ネットワーク要素によって、第１の構成されたネットワークスライス選択支援情報が更新される必要があるかどうかを決定するステップを含む。
【００２５】
可能な設計では、本方法は、アクセスおよびモビリティ管理機能ネットワーク要素によって、端末デバイスのコンテキスト中に第２の構成されたネットワークスライス選択支援情報を記憶するステップをさらに含む。このようにして、端末デバイスが別のＡＭＦに登録するとき、別のＡＭＦは、端末デバイスのコンテキストから第２の構成されたネットワークスライス選択支援情報を直接取得し得る。
【００２６】
第５の態様によれば、本出願は、通信方法であって、端末デバイスによって、アクセスおよびモビリティ管理機能ネットワーク要素に登録要求メッセージを送信するステップであって、登録要求メッセージは、端末デバイスの第１の構成されたネットワークスライス選択支援情報を含み、第１の構成されたネットワークスライス選択支援情報は、端末デバイスが登録するように要求する第１のパブリックランドモバイルネットワークの構成されたネットワークスライス選択支援情報である、ステップと、第１のパブリックランドモバイルネットワークの第２の構成されたネットワークスライス選択支援情報を取得するステップとを含む方法を提供する。
【００２７】
本方法によれば、端末デバイスが登録解除された状態（ＲＭ−ＤＥＲＥＧＩＳＴＥＲＥＤ）であるときに端末デバイスのサブスクライブされたＳ−ＮＳＳＡＩが変化するシナリオの場合、または端末デバイスが第２のＰＬＭＮから第１のＰＬＭＮに移動し、第２のＰＬＭＮにキャンプオンするときに端末デバイスのサブスクリプション情報中に含まれるサブスクライブされたＳ−ＮＳＳＡＩが変化するシナリオの場合、本方法は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【００２８】
可能な設計では、登録要求メッセージが最初の登録要求メッセージであるか、または登録要求メッセージは、端末デバイスが第２のパブリックランドモバイルネットワークから第１のパブリックランドモバイルネットワークに移動した後に送信される。
【００２９】
第６の態様によれば、本出願は、通信方法であって、端末デバイスによって、更新されたユーザ機器ルート選択ポリシーを受信するステップと、アクセスおよびモビリティ管理機能ネットワーク要素への更新インジケーション情報の伝送が記録されていないと決定するステップと、アクセスおよびモビリティ管理機能ネットワーク要素に更新インジケーション情報を送信するステップであって、更新インジケーション情報は、端末デバイスに更新された構成されたネットワークスライス選択支援情報を送信するようにアクセスおよびモビリティ管理機能ネットワーク要素に命令するために使用され、アクセスおよびモビリティ管理機能ネットワーク要素は、訪問先パブリックランドモバイルネットワーク中に位置する、ステップと、更新インジケーション情報が訪問先ＰＬＭＮに送信されていることを記録するステップとを含む方法を提供する。
【００３０】
本方法によれば、端末デバイスが登録解除された状態（ＲＭ−ＤＥＲＥＧＩＳＴＥＲＥＤ）であるときに端末デバイスのサブスクライブされたＳ−ＮＳＳＡＩが変化するシナリオの場合、または端末デバイスが第２のＰＬＭＮから第１のＰＬＭＮに移動し、第２のＰＬＭＮにキャンプオンするときに端末デバイスのサブスクリプション情報中に含まれるサブスクライブされたＳ−ＮＳＳＡＩが変化するシナリオの場合、本方法は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【００３１】
第７の態様によれば、本出願の実施形態は、通信方法であって、第１のネットワーク中のアクセスおよびモビリティ管理機能ネットワーク要素によって、端末デバイスの、第１のネットワークに関連する第１の構成されたネットワークスライス選択支援情報を取得するステップと、端末デバイスに第１の構成されたネットワークスライス選択支援情報とインジケーション情報とを送信するステップであって、インジケーション情報は、第１のネットワーク以外の他のネットワークに関連する第２の構成されたネットワークスライス選択支援情報を削除するように端末デバイスに命令するために使用される、ステップとを含む方法をさらに提供する。
【００３２】
したがって、端末デバイスが他のネットワークに次回登録するとき、端末デバイスがネットワークに対応する構成されたネットワークスライス選択支援情報を記憶していないので、端末デバイスは、登録要求に要求されたネットワークスライス選択支援情報を追加しない。したがって、ネットワーク側は、端末デバイスの現在のサブスクリプション情報に基づいてネットワークの１つの構成されたネットワークスライス選択支援情報を端末デバイスに提供する。したがって、ネットワークの構成されたネットワークスライス選択支援情報は、適時に更新されることができ、それによって、端末デバイスのユーザエクスペリエンスを改善し、ネットワークリソースを節約する。
【００３３】
可能な設計では、インジケーション情報は、他のネットワークに関連する許可されたネットワークスライス選択支援情報を削除するように端末デバイスに命令するためにさらに使用される。したがって、端末デバイスが他のネットワークに次回登録するとき、端末デバイスは、いずれかのネットワークに対応する許可されたネットワークスライス選択支援情報を記憶しておらず、端末デバイスは、許可されたネットワークスライス選択支援情報に基づいて要求されたネットワークスライス選択支援情報を決定することができないので、端末デバイスは、登録要求に要求されたネットワークスライス選択支援情報を追加しない。したがって、ネットワーク側は、端末デバイスの現在のサブスクリプション情報に基づいてネットワークの１つの構成されたネットワークスライス選択支援情報を端末デバイスに提供する。したがって、ネットワークの構成されたネットワークスライス選択支援情報が適時に更新されることができることがさらに保証される。
【００３４】
可能な設計では、第１のネットワーク中のアクセスおよびモビリティ管理機能ネットワーク要素によって、端末デバイスの、第１のネットワークに関連する第１の構成されたネットワークスライス選択支援情報を取得するステップは、データ管理ネットワーク要素からアクセスおよびモビリティ管理機能ネットワーク要素によって、端末デバイスの、第１のネットワークに関連する更新されたサブスクライブされたネットワークスライス選択支援情報を受信するステップと、更新されたサブスクライブされたネットワークスライス選択支援情報に基づいて第１の構成されたネットワークスライス選択支援情報を取得するステップとを含む。第１の構成されたネットワークスライス選択支援情報が更新されたサブスクライブされたネットワークスライス選択支援情報に基づいて取得されるとアクセスおよびモビリティ管理機能ネットワーク要素が決定する場合、アクセスおよびモビリティ管理機能ネットワーク要素は、端末デバイスにインジケーション情報を送信する。言い換えれば、本方法は、端末デバイスのサブスクリプションデータ変更が現在のＰＬＭＮ中の端末デバイスの構成されたＮＳＳＡＩの変化を生じるシナリオに適用可能である。
【００３５】
可能な設計では、アクセスおよびモビリティ管理機能ネットワーク要素によって、端末デバイスに第１の構成されたネットワークスライス選択支援情報とインジケーション情報とを送信するステップは、アクセスおよびモビリティ管理機能ネットワーク要素によって、端末デバイスにユーザ機器構成更新コマンドを送信するステップであって、ユーザ機器構成更新コマンドは、第１の構成されたネットワークスライス選択支援情報とインジケーション情報とを含む、ステップ、またはアクセスおよびモビリティ管理機能ネットワーク要素によって、端末デバイスに登録受入れメッセージを送信するステップであって、登録受入れメッセージは、第１の構成されたネットワークスライス選択支援情報とインジケーション情報とを含む、ステップを含む。
【００３６】
第８の態様によれば、本出願の実施形態は、通信方法であって、第１のネットワーク中のアクセスおよびモビリティ管理機能ネットワーク要素から端末デバイスによって、端末デバイスの、第１のネットワークに対応する第１の構成されたネットワークスライス選択支援情報を受信するステップと、第１のネットワーク以外の他のネットワークに関連する第２の構成されたネットワークスライス選択支援情報を削除するステップと、第１のネットワークに関連する記憶された第３の構成されたネットワークスライス選択支援情報を第１の構成されたネットワークスライス選択支援情報と置き換えるステップとを含む方法をさらに提供する。
【００３７】
したがって、端末デバイスは、第１のネットワーク以外の他のネットワークに関連する第２の構成されたネットワークスライス選択支援情報を削除するので、端末デバイスが他のネットワークに次回登録するとき、端末デバイスがネットワークに対応する構成されたネットワークスライス選択支援情報を記憶していないので、端末デバイスは、登録要求に要求されたネットワークスライス選択支援情報を追加しない。したがって、ネットワーク側は、端末デバイスの現在のサブスクリプション情報に基づいてネットワークの１つの構成されたネットワークスライス選択支援情報を端末デバイスに提供する。したがって、ネットワークの構成されたネットワークスライス選択支援情報は、適時に更新されることができ、それによって、端末デバイスのユーザエクスペリエンスを改善し、ネットワークリソースを節約する。
【００３８】
可能な設計では、本方法は、端末デバイスによって、アクセスおよびモビリティ管理機能ネットワーク要素からインジケーション情報を受信するステップであって、インジケーション情報は、第２の構成されたネットワークスライス選択支援情報を削除するように端末デバイスに命令するために使用される、ステップをさらに含む。
【００３９】
可能な設計では、本方法は、端末デバイスによって、他のネットワークに関連する許可されたネットワークスライス選択支援情報を削除するステップをさらに含む。たとえば、端末デバイスは、アクセスおよびモビリティ管理機能ネットワーク要素からインジケーション情報を受信し、ここでインジケーション情報は、第２の構成されたネットワークスライス選択支援情報と許可されたネットワークスライス選択支援情報とを削除するように端末デバイスに命令するために使用される。したがって、端末デバイスが他のネットワークに次回登録するとき、端末デバイスは、いずれかのネットワークに対応する許可されたネットワークスライス選択支援情報を記憶しておらず、端末デバイスは、許可されたネットワークスライス選択支援情報に基づいて要求されたネットワークスライス選択支援情報を決定することができないので、端末デバイスは、登録要求に要求されたネットワークスライス選択支援情報を追加しない。したがって、ネットワーク側は、端末デバイスの現在のサブスクリプション情報に基づいてネットワークの１つの構成されたネットワークスライス選択支援情報を端末デバイスに提供する。したがって、ネットワークの構成されたネットワークスライス選択支援情報が適時に更新されることができることがさらに保証される。
【００４０】
第９の態様によれば、本出願の実施形態は、通信装置であって、通信装置は、第１の態様もしくは第１の態様の可能な実装のいずれか１つを実装するように構成されたユニットを含むか、または第２の態様もしくは第２の態様の可能な実装のいずれか１つを実装するように構成されたユニットを含むか、または第３の態様もしくは第３の態様の可能な実装のいずれか１つを実装するように構成されたユニットを含むか、または第４の態様もしくは第４の態様の可能な実装のいずれか１つを実装するように構成されたユニットを含むか、または第５の態様もしくは第５の態様の可能な実装のいずれか１つを実装するように構成されたユニットを含むか、または第６の態様もしくは第６の態様の可能な実装のいずれか１つを実装するように構成されたユニットを含むか、または第７の態様もしくは第７の態様の可能な実装のいずれか１つを実装するように構成されたユニットを含むか、または第８の態様もしくは第８の態様の可能な実装のいずれか１つを実装するように構成されたユニットを含む通信装置をさらに提供する。
【００４１】
第１０の態様によれば、本出願の実施形態は、通信装置であって、通信装置は、プログラムを記憶するように構成されたメモリとメモリに記憶されたプログラムを実行するように構成されたプロセッサとを含む、通信装置を提供する。プログラムが実行されるとき、プロセッサは、第１の態様もしくは第１の態様の可能な実装のいずれか１つに従って方法を実行するように構成されるか、または第２の態様もしくは第２の態様の可能な実装のいずれか１つに従って方法を実行するように構成されるか、または第３の態様もしくは第３の態様の可能な実装のいずれか１つに従って方法を実行するように構成されるか、または第４の態様もしくは第４の態様の可能な実装のいずれか１つに従って方法を実行するように構成されるか、または第５の態様もしくは第５の態様の可能な実装のいずれか１つに従って方法を実行するように構成されるか、または第６の態様もしくは第６の態様の可能な実装のいずれか１つに従って方法を実行するように構成されるか、または第７の態様もしくは第７の態様の可能な実装のいずれか１つに従って方法を実行するように構成されるか、または第８の態様もしくは第８の態様の可能な実装のいずれか１つに従って方法を実行するように構成される。任意選択で、通信装置は、チップまたは集積回路である。
【００４２】
第１１の態様によれば、本出願の実施形態はコンピュータ可読記憶媒体を提供する。コンピュータ可読記憶媒体は命令を記憶する。命令がコンピュータ上で動作するとき、コンピュータは、上記の態様による方法を実行することを可能にされる。
【００４３】
第１２の態様によれば、本出願の実施形態は、命令を含むコンピュータプログラム製品を提供する。コンピュータプログラム製品がコンピュータ上で動作するとき、コンピュータは、上記の態様による方法を実行することを可能にされる。
【図面の簡単な説明】
【００４４】
【図１】システムの構造ブロック図である。
【図２】本出願の実施形態による通信方法の概略フローチャートである。
【図３】本出願の実施形態による別の通信方法の概略フローチャートである。
【図４】本出願の実施形態による別の通信方法の概略フローチャートである。
【図５】本出願の実施形態による別の通信方法の概略フローチャートである。
【図６】本出願の実施形態による別の通信方法の概略フローチャートである。
【図７】本出願の実施形態による別の通信方法の概略フローチャートである。
【図８Ａ】本出願の実施形態による通信装置の概略構造図である。
【図８Ｂ】本出願の実施形態による通信装置の概略構造図である。
【図８Ｃ】本出願の実施形態による通信装置の概略構造図である。
【図８Ｄ】本出願の実施形態による通信装置の概略構造図である。
【図８Ｅ】本出願の実施形態による通信装置の概略構造図である。
【図８Ｆ】本出願の実施形態による通信装置の概略構造図である。
【図８Ｇ】本出願の実施形態による通信装置の概略構造図である。
【図８Ｈ】本出願の実施形態による通信装置の概略構造図である。
【図９】本出願の実施形態による通信装置の概略構造図である。
【図１０】本出願の実施形態によるさらに別の通信方法の概略フローチャートである。
【図１１】本出願の実施形態によるさらに別の通信方法の概略フローチャートである。
【図１２】本出願の実施形態によるさらに別の通信方法の概略フローチャートである。
【図１３】本出願の実施形態によるさらに別の通信方法の概略フローチャートである。
【発明を実施するための形態】
【００４５】
以下は、添付の図面を参照しながら本出願の技術的解決策について説明する。
【００４６】
本出願の実施形態の技術的解決策は、モバイル通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）システム、ユニバーサルモバイル通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、ワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、将来の第５世代（５ｔｈ  Ｇｅｎｅｒａｔｉｏｎ、５Ｇ）システム、または新無線（Ｎｅｗ  Ｒａｄｉｏ、ＮＲ）システムなどの様々な通信システムに適用され得る。
【００４７】
本出願の実施形態における端末デバイスは、ユーザ機器、アクセス端末、加入者ユニット、加入者局、移動局、リモート局、リモート端末、モバイルデバイス、ユーザ端末、端末、ワイヤレス通信デバイス、ユーザエージェント、ユーザ装置などと呼ばれることもある。端末デバイスは、代替として、セルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）局、携帯情報端末（Ｐｅｒｓｏｎａｌ  Ｄｉｇｉｔａｌ  Ａｓｓｉｓｔａｎｔ、ＰＤＡ）、ワイヤレス通信機能を有するハンドヘルドデバイス、コンピューティングデバイス、ワイヤレスモデムに接続された別の処理デバイス、車載デバイス、ウェアラブルデバイス、将来の５Ｇネットワーク中の端末デバイス、将来の発展型パブリックランドモバイルネットワーク（Ｐｕｂｌｉｃ  Ｌａｎｄ  Ｍｏｂｉｌｅ  Ｎｅｔｗｏｒｋ、ＰＬＭＮ）中の端末デバイスなどであり得る。これは、本出願の実施形態では限定されない。
【００４８】
ネットワークスライスがコアネットワーク上で展開されるとき、ユーザがネットワークに最初にアタッチする場合、ネットワークスライス選択プロセスがトリガされる。ネットワークスライス選択プロセスは、ユーザのサブスクリプションデータ、ローカル構成情報、ローミングプロトコル、オペレータポリシーなどに依存する。ネットワークスライス選択プロセスでは、最適なネットワークスライスタイプは、すべての上記のパラメータを考慮することのみによって端末デバイスのために選択されることができる。端末デバイスのための最適なネットワークスライスタイプを選択するために、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）は、いくつかの異なるタイプのネットワークスライス選択支援情報（Ｎｅｔｗｏｒｋ  Ｓｌｉｃｅ  Ｓｅｌｅｃｔｉｏｎ  Ａｓｓｉｓｔａｎｃｅ  ｉｎｆｏｒｍａｔｉｏｎ、ＮＳＳＡＩ）を定義している。
【００４９】
端末デバイスが特定のネットワークスライスにアクセスする必要があるとき、端末デバイスは、端末デバイスのためのネットワークスライスインスタンスを選択するためにコアネットワークによって使用される要求されたＮＳＳＡＩをコアネットワークに提供し得る。たとえば、端末デバイスは、端末デバイスのためのネットワークスライスインスタンスを選択するためにパラメータのセットを含むＮＳＳＡＩをネットワークに提供し得る。ＮＳＳＡＩは、規格化された値またはＰＬＭＮ中の特定の値であり得る。ＮＳＳＡＩは、単一のネットワークスライス選択支援情報（Ｓｉｎｇｌｅ  Ｎｅｔｗｏｒｋ  Ｓｌｉｃｅ  Ｓｅｌｅｃｔｉｏｎ  Ａｓｓｉｓｔａｎｃｅ  ｉｎｆｏｒｍａｔｉｏｎ、Ｓ−ＮＳＳＡＩ）のセットであり得、各１つのＳ−ＮＳＳＡＩは、ネットワークスライスタイプを識別するために使用される。端末デバイスは、各ＰＬＭＮのための構成されたＮＳＳＡＩおよび／または許可されたＮＳＳＡＩを記憶し得る。構成されたＮＳＳＡＩは、端末デバイスとＰＬＭＮとの間での対話の前に端末デバイス中で構成される。構成されたＮＳＳＡＩは、端末デバイスがＰＬＭＮに最初にアクセスするときに端末デバイスによって使用される必要がある要求されたＮＳＳＡＩを構築するために使用される。ネットワーク側は、要求されたＮＳＳＡＩに基づいて端末デバイスのための好適なネットワークスライスタイプと好適なサービングアクセスおよびモビリティ管理機能（Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）とを決定する。本出願の実施形態では、端末デバイスのサブスクライブされたネットワークスライス選択支援情報は、端末デバイスのサブスクライブされたＳ−ＮＳＳＡＩと呼ばれ、１つまたは複数の部分のサブスクライブされた単一のネットワークスライス選択支援情報（ｓｕｂｓｃｒｉｂｅｄ  Ｓ−ＮＳＳＡＩ）を含む。端末デバイスのサブスクライブされたＳ−ＮＳＳＡＩが変化するとき、端末デバイスの各ＰＬＭＮの構成されたＮＳＳＡＩの更新がトリガされ得る。
【００５０】
本出願の技術的解決策をより良く理解するために、本出願が適用されるシステムについて最初に説明する。
【００５１】
図１は、システムの構造ブロック図である。図１に示されたシステム１００は、端末デバイス１１０と、アクセスおよびモビリティ管理機能（Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）ネットワーク要素１２０と、統一データ管理（Ｕｎｉｆｉｅｄ  Ｄａｔａ  Ｍａｎａｇｅｍｅｎｔ、ＵＤＭ）ネットワーク要素１３０とを含む。
【００５２】
アクセスおよびモビリティ管理機能ネットワーク要素１２０は、端末デバイスのモビリティ管理を担当する。たとえば、モビリティ管理機能ネットワーク要素１２０は、ユーザの移動ステータスを管理し、一時ユーザ識別子を割り振り得る。さらに、モビリティ管理機能ネットワーク要素１２０は、ユーザを認証し、許可し得る。
【００５３】
統一データ管理ネットワーク要素１３０は、端末デバイスのサブスクリプションデータを管理することを担当する。サブスクリプションデータが変更されると、統一データ管理ネットワーク要素１３０は、対応するネットワーク要素に通知する責務を負う。
【００５４】
アクセスおよびモビリティ管理機能と統一データ管理とは、指定されたハードウェアによって実装され得るか、または指定されたハードウェア上のソフトウェアインスタンスによって実装され得るか、または好適なプラットフォーム上でインスタンス化される仮想機能を使用することによって実装され得る。これは、本出願では限定されない。
【００５５】
説明の便宜上、以下の実施形態では、ＡＭＦは、アクセスおよびモビリティ管理機能ネットワーク要素の略であり、ＵＤＭは、統一データ管理ネットワーク要素の略である。
【００５６】
図１に示されるシステムの構造ブロック図では、本出願の技術的解決策に関連するシステム中のネットワーク要素のみが示されている。当業者は、図１に示されたシステム１００が、ワイヤレス通信を実装するための他のネットワーク要素、たとえば、無線アクセスネットワーク（Ｒａｄｉｏ  Ａｃｃｅｓｓ  Ｎｅｔｗｏｒｋ、ＲＡＮ）デバイスおよびセッション管理機能（Ｓｅｓｓｉｏｎ  Ｍａｎａｇｅｍｅｎｔ  Ｆｕｎｃｔｉｏｎ、ＳＭＦ）ネットワーク要素をさらに含まなければならないことを理解し得る。
【００５７】
図２は、本出願の実施形態による通信方法の概略フローチャートである。
【００５８】
２０１．第１のパブリックランドモバイルネットワーク（Ｐｕｂｌｉｃ  Ｌａｎｄ  Ｍｏｂｉｌｅ  Ｎｅｔｗｏｒｋ、ＰＬＭＮ）中のＡＭＦは、端末デバイスから登録要求メッセージを受信する。
【００５９】
ＡＭＦは、端末デバイスのサービングＡＭＦである。たとえば、ＡＭＦは、ＲＡＮデバイスによって転送される端末デバイスの登録要求メッセージを受信する。
【００６０】
２０２．第１の条件が満たされると決定するとき、ＡＭＦは、端末デバイスに第１のＰＬＭＮの構成されたネットワークスライス選択支援情報（Ｃｏｎｆｉｇｕｒｅｄ  ＮＳＳＡＩ）を送信し、ここで第１の条件は、登録要求メッセージが最初の登録（Ｉｎｉｔｉａｌ  Ｒｅｇｉｓｔｒａｔｉｏｎ）要求メッセージであること、または端末デバイスが第２のＰＬＭＮから第１のＰＬＭＮに移動した後に登録要求メッセージが送信されることのいずれかを含む。
【００６１】
たとえば、端末デバイスは、電源投入されるかまたはネットワークから登録解除し、次いで、それに再登録するとき、端末デバイスは、ネットワークに登録することを要求するためにＡＭＦに最初の登録要求メッセージを送信する。たとえば、最初の登録要求メッセージは、登録タイプが最初の登録である登録要求メッセージであり得る。
【００６２】
ＡＭＦは、端末デバイスによって送信された登録要求メッセージ中で搬送される５Ｇグローバル一意一時識別子（５Ｇ  Ｇｌｏｂａｌｌｙ  Ｕｎｉｑｕｅ  Ｔｅｍｐｏｒａｒｙ  Ｉｄｅｎｔｉｆｉｅｒ、５Ｇ  ＧＵＴＩ）に基づいて、端末デバイスが第２のＰＬＭＮから第１のＰＬＭＮに移動すると決定し得る。具体的には、５Ｇ  ＧＵＴＩは、モバイル国コード（Ｍｏｂｉｌｅ  Ｃｏｕｎｔｒｙ  Ｃｏｄｅ、ＭＣＣ）とモバイルネットワークコード（Ｍｏｂｉｌｅ  Ｎｅｔｗｏｒｋ  Ｃｏｄｅ、ＭＮＣ）とを含む。ＭＣＣとＭＮＣとはＰＬＭＮ  ＩＤを形成する。ＡＭＦは、５Ｇ  ＧＵＴＩからＰＬＭＮ  ＩＤを取得し得る。ＰＬＭＮ  ＩＤは、端末デバイスにサービスする最後のＡＭＦが位置するＰＬＭＮのＰＬＭＮ  ＩＤである。さらに、端末デバイスが第２のＰＬＭＮから第１のＰＬＭＮに移動するとき、ＡＭＦに端末デバイスによって送信された登録要求メッセージ中で搬送される登録タイプはモビリティ登録更新（Ｍｏｂｉｌｉｔｙ  Ｒｅｇｉｓｔｒａｔｉｏｎ  Ｕｐｄａｔｅ）である。したがって、端末デバイスに第１のＰＬＭＮの構成されたネットワークスライス選択支援情報を送信するための条件はまた、次のように理解され得る。登録要求メッセージ中で搬送される登録タイプは、モビリティ登録更新である。
【００６３】
場合によっては、端末デバイスが登録解除された状態（ＲＭ−ＤＥＲＥＧＩＳＴＥＲＥＤ）にあるとき、端末デバイスのサブスクライブされたＳ−ＮＳＳＡＩは変化し得、端末デバイスのサブスクライブされたＳ−ＮＳＳＡＩの変化は、端末デバイスの各ＰＬＭＮの構成されたＮＳＳＡＩの変化を生じ得る。端末デバイスが登録解除された状態にあるので、５Ｇコアネットワークは、端末に各ＰＬＭＮの更新された構成されたＮＳＳＡＩを送信することができない。結果として、端末によって現在記憶されている各ＰＬＭＮの構成されたＮＳＳＡＩは適時に更新されることができない（以下では簡潔にシナリオ１と呼ばれる）。図２に示された方法が使用される場合、第１のＰＬＭＮ中のＡＭＦに端末デバイスによって送信された登録要求メッセージ中で搬送される登録タイプが最初の登録であるという条件で、第１のＰＬＭＮ中のＡＭＦは、端末デバイスに第１のＰＬＭＮの構成されたネットワークスライス選択支援情報を送信する。このようにして、シナリオ１が発生するとき、端末デバイスが第１のＰＬＭＮに登録した後、ＡＭＦが端末デバイスに第１のＰＬＭＮの構成されたＮＳＳＡＩを適時に送信し得ることが保証されることができる。したがって、端末デバイスは、第１のＰＬＭＮの更新された構成されたＮＳＳＡＩを適時に取得し得る。その後第１のＰＬＭＮにアクセスするとき、端末デバイスは、更新された構成されたＮＳＳＡＩに基づいて要求されたＮＳＳＡＩを決定し、ネットワークスライス選択のために要求されたＮＳＳＡＩをコアネットワークに提供し得る。
【００６４】
たとえば、最初の瞬間に、端末デバイスのサブスクライブされたＳ−ＮＳＳＡＩは、Ｓ−ＮＳＳＡＩ１と、Ｓ−ＮＳＳＡＩ２と、Ｓ−ＮＳＳＡＩ４とを含む。Ｓ−ＮＳＳＡＩ１、Ｓ−ＮＳＳＡＩ２、およびＳ−ＮＳＳＡＩ３に対応するネットワークスライスが第１のＰＬＭＮ上に展開されるので、第１のＰＬＭＮ中の端末デバイスの構成されたＮＳＳＡＩは、Ｓ−ＮＳＳＡＩ１とＳ−ＮＳＳＡＩ２とを含む。端末デバイスのサブスクライブされたＳ−ＮＳＳＡＩが変化するとき、たとえば、変化されたサブスクライブされたＳ−ＮＳＳＡＩがＳ−ＮＳＳＡＩ１とＳ−ＮＳＳＡＩ２とＳ−ＮＳＳＡＩ３とを含むとき、従来技術の解決策によれば、第１のＰＬＭＮ中の端末デバイスの構成されたＮＳＳＡＩは、適時に更新されることができない。したがって、Ｓ−ＮＳＳＡＩ３に対応するネットワークスライスが使用されることができない。しかしながら、本出願のこの実施形態の解決策によれば、端末デバイスによって使用される第１のＰＬＭＮの構成されたＮＳＳＡＩは適時に更新され得る。たとえば、第１のＰＬＭＮの更新された構成されたＮＳＳＡＩは、Ｓ−ＮＳＳＡＩ１とＳ−ＮＳＳＡＩ２とＳ−ＮＳＳＡＩ３とを含む。したがって、端末デバイスは、Ｓ−ＮＳＳＡＩ３に対応するネットワークスライスを使用し、それによって、ユーザエクスペリエンスを改善することができる。
【００６５】
別の例では、変化したサブスクライブされたＳ−ＮＳＳＡＩは、Ｓ−ＮＳＳＡＩ１とＳ−ＮＳＳＡＩ４とを含む。従来技術の解決策によれば、端末デバイスの構成されたＮＳＳＡＩは、適時に更新されることができない。したがって、端末デバイスは、第１のＰＬＭＮ中でＳ−ＮＳＳＡＩ２に対応するネットワークスライスを使用することを要求し得、これは、ネットワークシグナリングの浪費を生じる。しかしながら、本出願のこの実施形態の解決策によれば、端末デバイスによって使用される第１のＰＬＭＮの構成されたＮＳＳＡＩは適時に更新され得る。たとえば、第１のＰＬＭＮの更新された構成されたＮＳＳＡＩは、Ｓ−ＮＳＳＡＩ１を含む。したがって、端末デバイスは、Ｓ−ＮＳＳＡＩ２に対応するネットワークスライスを使用することを要求せず、それによって、ネットワークシグナリングの浪費を回避し、ネットワークリソースを節約する。場合によっては、端末デバイスは、第２のＰＬＭＮから第１のＰＬＭＮに移動する。端末デバイスが第２のＰＬＭＮにキャンプオンするときに端末デバイスのサブスクリプション情報中に含まれるサブスクライブされたＳ−ＮＳＳＡＩが変化する場合、端末デバイスのサブスクライブされたＳ−ＮＳＳＡＩの変化は、端末デバイスの各ＰＬＭＮの構成されたＮＳＳＡＩの変化を生じ得る。しかしながら、端末デバイスが第２のＰＬＭＮにキャンプオンするので、ＡＭＦは、端末デバイスに第２のＰＬＭＮの構成されたＮＳＳＡＩしか送信せず、端末デバイスの第１のＰＬＭＮの構成されたＮＳＳＡＩを送信しない（簡潔にシナリオ２と呼ばれる）。図２に示された方法が使用される場合、端末デバイスの登録タイプがモビリティ登録更新であり、端末デバイスが第２のＰＬＭＮから第１のＰＬＭＮに移動するという条件で、ＡＭＦは、端末デバイスに第１のＰＬＭＮの更新された構成されたＮＳＳＡＩを送信することができる。同様に、図２に示された方法は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【００６６】
任意選択で、いくつかの実施形態では、第１の条件は、ＡＭＦがＵＤＭから端末デバイスのサブスクリプション情報を取得することをさらに含む。ＵＤＭは、端末デバイスのホームＰＬＭＮ（Ｈｏｍｅ  ＰＬＭＮ、ＨＰＬＭＮ）中のＵＤＭであり得る。端末デバイスのサブスクリプション情報は、端末デバイスのサブスクライブされたＳ−ＮＳＳＡＩを含み得る。言い換えれば、上記の条件が満たされるとき、ＡＭＦは、ＡＭＦがＵＤＭから端末デバイスのサブスクリプション情報を取得した後にしか端末デバイスに第１のＰＬＭＮの構成されたＮＳＳＡＩを送信しない。上記の技術的解決策によれば、端末デバイスが短時間にＡＭＦに繰り返し登録するとき、ＡＭＦは、端末デバイスに第１のＰＬＭＮの構成されたネットワークスライス選択支援情報を繰り返し送信することを妨げられてよく、それによって、ネットワークシグナリングの浪費を回避し、ネットワークリソースを節約する。
【００６７】
ＡＭＦが端末デバイスに第１のＰＬＭＮの構成されたＮＳＳＡＩを送信すること、すなわち、ステップ２０２は、ＡＭＦによって、登録受入れメッセージに第１のＰＬＭＮの構成されたＮＳＳＡＩを追加し、端末デバイスに登録受入れメッセージを送信すること、またはＡＭＦによって、ユーザ機器（Ｕｓｅｒ  Ｅｑｕｉｐｍｅｎｔ、ＵＥ）構成更新コマンド（ＵＥ  Ｃｏｎｆｉｇｕｒａｔｉｏｎ  Ｕｐｄａｔｅ  Ｃｏｍｍａｎｄ）を使用することによって端末デバイスに構成されたＮＳＳＡＩを送信することを含み得る。
【００６８】
図３は、本出願の実施形態による別の通信方法の概略フローチャートである。
【００６９】
３０１．ＵＤＭは、第１のＰＬＭＮ中の第１のＡＭＦから、端末デバイスのサブスクリプション情報を取得することについての要求を受信し、ここで、第１のＡＭＦは、端末デバイスにサービスするＡＭＦである。
【００７０】
ＵＤＭは、端末デバイスのホームＰＬＭＮ中のＵＤＭである。
【００７１】
３０２．ＵＤＭは、第１のＡＭＦに端末デバイスのサブスクリプション情報を送信し、ここで、サブスクリプション情報は、端末デバイスの少なくともサブスクライブされたＳ−ＮＳＳＡＩを含む。
【００７２】
３０３．ＵＤＭは、第１の構成されたネットワークスライス選択支援情報を更新するように第１のＡＭＦに命令し、ここで、第１の構成されたネットワークスライス選択支援情報は、端末デバイスの第１のＰＬＭＮの構成されたネットワークスライス選択支援情報である。
【００７３】
３０４．第１のＡＭＦは、ＵＤＭのインジケーションに従って第１の構成されたネットワークスライス選択支援情報の更新を開始する。
【００７４】
図３に示された本方法によれば、端末デバイスにサービスするＡＭＦに端末デバイスのサブスクライブされたＳ−ＮＳＳＡＩを送信するとき、ＵＤＭは、第１の構成されたネットワークスライス選択支援情報を更新するようにＡＭＦに命令し得る。このようにして、ＡＭＦは、ＵＤＭのインジケーションに従って構成されたネットワークスライス選択支援情報を更新し得る。
【００７５】
任意選択で、いくつかの実施形態では、ＵＤＭが、第１の構成されたネットワークスライス選択支援情報を更新するように第１のＡＭＦに命令することは、ＵＤＭによって、第１のＡＭＦに第１のインジケーション情報を送信することを含み、ここで第１のインジケーション情報は、第１の構成されたネットワークスライス選択支援情報を更新するように第１のＡＭＦに命令するために使用される。この場合、ＵＤＭから第１のインジケーション情報を受信すると、第１のＡＭＦは、端末デバイスのサブスクリプション情報中に含まれる端末デバイスのサブスクライブされたＳ−ＮＳＳＡＩに基づいて第１の構成されたネットワークスライス選択支援情報の更新を開始する。上記の技術的解決策では、ＵＤＭは、第１の構成されたネットワークスライス選択支援情報を明示的なインジケーションの方式で更新するように第１のＡＭＦに命令する。これについて、図４を参照しながらさらに説明することにする。任意選択で、第１のインジケーション情報は、第１の構成されたネットワークスライス選択支援情報を暗黙的な方式で更新するように第１のＡＭＦに命令するために使用され得る。たとえば、第１のインジケーション情報は、端末デバイスのサブスクライブされたＳ−ＮＳＳＡＩが更新されることを示すために使用される。この場合、ＵＤＭから第１のインジケーション情報を受信すると、第１のＡＭＦは、端末デバイスのサブスクリプション情報中に含まれる端末デバイスのサブスクライブされたＳ−ＮＳＳＡＩに基づいて、第１の構成されたネットワークスライス選択支援情報を更新することを決定する。これについては、図１０を参照してさらに説明する。
【００７６】
任意選択で、いくつかの他の実施形態では、ＵＤＭが第１の構成されたネットワークスライス選択支援情報を更新するように第１のＡＭＦに命令することは、ＵＤＭによって、第１のＡＭＦに端末デバイスのサブスクリプション変更通知メッセージを送信することを含み、ここで端末デバイスのサブスクリプション変更通知メッセージは、端末デバイスのサブスクライブされたＳ−ＮＳＳＡＩを含む。この場合、ＵＤＭから端末デバイスのサブスクリプション変更通知メッセージを受信すると、第１のＡＭＦは、端末デバイスのサブスクリプション変更通知メッセージ中に含まれる端末デバイスのサブスクライブされたＳ−ＮＳＳＡＩに基づいて第１の構成されたネットワークスライス選択支援情報の更新を開始する。これについては、図５を参照してさらに説明する。
【００７７】
任意選択で、いくつかの実施形態では、ＵＤＭは、第１のＡＭＦにサブスクリプション要求をさらに送信し得、ここで、サブスクリプション要求は、第１の構成されたネットワークスライス選択支援情報の更新が完了した後にＵＤＭに通知メッセージを送信するように第１のＡＭＦに要求するために使用される。サブスクリプション要求を受信した後に、および端末デバイスから構成更新完了メッセージを受信した後に、第１のＡＭＦは、ＵＤＭに通知メッセージを送信し、ここで、構成更新完了メッセージは、端末デバイスが第１の構成されたネットワークスライス選択支援情報の更新を完了したことを示すために使用される。相応して、ＵＤＭは、第１のＡＭＦから通知メッセージを受信し得る。上記の技術的解決策によれば、ＵＤＭは、第１の構成されたネットワークスライス選択支援情報の更新が完了しているかどうかを決定し得る。
【００７８】
任意選択で、いくつかの実施形態では、ＵＤＭが第１の構成されたネットワークスライス選択支援情報を更新するように第１のＡＭＦに命令する前に、ＵＤＭは、端末デバイスの１つまたは複数のＰＬＭＮの構成されたネットワークスライス選択支援情報が更新される必要があるとさらに決定し得、ここで、１つまたは複数のＰＬＭＮは、第１のＰＬＭＮを含む。１つまたは複数のＰＬＭＮは、端末デバイスが登録することができるＰＬＭＮである。たとえば、端末デバイスのサブスクリプション情報が変化すると決定すると、ＵＤＭは、端末デバイスの１つまたは複数のＰＬＭＮの構成されたネットワークスライス選択支援情報が更新される必要があると決定し得る。
【００７９】
任意選択で、いくつかの実施形態では、１つまたは複数のＰＬＭＮは第２のＰＬＭＮを含む。この場合、ＵＤＭは、第１の構成されたネットワークスライス選択支援情報の更新が開始される必要があると記録し得る。ＵＤＭは、第２の構成されたネットワークスライス選択支援情報の更新が開始される必要があるとさらに記録し得、ここで、第２の構成されたネットワークスライス選択支援情報は、端末デバイスの第２のパブリックランドモバイルネットワークの構成されたネットワークスライス選択支援情報である。
【００８０】
任意選択で、いくつかの実施形態では、第１のＡＭＦから、第１の構成されたネットワークスライス選択支援情報の更新が完了していることを示すために使用される通知メッセージを受信した後に、ＵＤＭは、第１の構成されたネットワークスライス選択支援情報の更新が開始される必要がないと記録し得る。代替として、ＵＤＭが第１の構成されたネットワークスライス選択支援情報を更新するように第１のＡＭＦに命令した後、ＵＤＭは、第１の構成されたネットワークスライス選択支援情報の更新が開始される必要がないと記録し得る。したがって、各ＰＬＭＮの構成されたネットワークスライス選択支援情報の更新ステータスが正確に保持されることができ、ネットワーク管理が最適化されることができる。
【００８１】
ステップ３０４の後に、ＵＤＭは、第１のＡＭＦから、端末デバイスのサブスクリプション情報を取得することについての要求を再び受信し、端末デバイスの第１のＰＬＭＮの構成されたネットワークスライス選択支援情報が更新される必要がないとＵＤＭが決定する場合、ＵＤＭは、第１の構成されたネットワークスライス選択支援情報を更新すべきかどうかに関する記録を変化させない。この場合、ＵＤＭは、第１の構成されたネットワークスライス選択支援情報を更新しないように第１のＡＭＦに命令し得る。ＵＤＭは、第１の構成されたネットワークスライス選択支援情報を明示的なインジケーションの方式で更新しないように第１のＡＭＦに命令し得る。たとえば、ＵＤＭは、第１のＡＭＦに第２のインジケーション情報を送信し得、ここで、第２のインジケーション情報は、第１の構成されたネットワークスライス選択支援情報を更新しないように第１のＡＭＦに命令するために使用される。代替として、ＵＤＭは、第１の構成されたネットワークスライス選択支援情報を暗黙的なインジケーションの方式で更新しないように第１のＡＭＦに命令し得る。たとえば、ＵＤＭは、第１のＡＭＦに、第１の構成されたネットワークスライス選択支援情報を更新するように第１のＡＭＦに命令するために使用される情報（たとえば、端末デバイスの第１のインジケーション情報またはサブスクリプション変更通知メッセージ）を送信しない。
【００８２】
図４は、本出願の実施形態による別の通信方法の概略フローチャートである。
【００８３】
４０１．ＵＤＭは、端末デバイスの１つまたは複数のＰＬＭＮの構成されたネットワークスライス選択支援情報が更新される必要があると決定する。
【００８４】
１つまたは複数のＰＬＭＮは第１のＰＬＭＮを含む。ＵＤＭは、端末デバイスのホームＰＬＭＮ中のＵＤＭである。
【００８５】
任意選択で、ＵＤＭは、端末デバイスのサブスクライブされたＳ−ＮＳＳＡＩが変化すると決定し得、次いで、端末デバイスの１つまたは複数のＰＬＭＮの構成されたネットワークスライス選択支援情報が更新される必要があるとさらに決定する。
【００８６】
４０２．ＵＤＭは、１つまたは複数のＰＬＭＮの各々ごとに第１のタイプの識別子を生成する。
【００８７】
たとえば、第１のタイプの識別子は、１つまたは複数のＰＬＭＮの各々中のＡＭＦがＰＬＭＮの構成されたネットワークスライス選択支援情報を更新する必要があることを示すために使用される。説明の便宜上、各ＰＬＭＮの第１のタイプの識別子は、第１のインジケーション情報と呼ばれることがある。第１のインジケーション情報は、第１の構成されたネットワークスライス選択支援情報を更新するように第１のＰＬＭＮ中の第１のＡＭＦに命令するために使用される。第１の構成されたネットワークスライス選択支援情報は、端末デバイスの第１のＰＬＭＮの構成されたネットワークスライス選択支援情報である。言い換えれば、ステップ４０２は、以下の通りであり得る。ＵＤＭは、第１のインジケーション情報を生成し、ここで、第１のインジケーション情報は、第１の構成されたネットワークスライス選択支援情報を更新するように第１のＡＭＦに命令するために使用される。
【００８８】
１つまたは複数のＰＬＭＮは第２のＰＬＭＮをさらに含み、第２のＰＬＭＮ中のＡＭＦは、第２のＡＭＦであると仮定する。第２のＰＬＭＮの第１のタイプの識別子は、第３のインジケーション情報と呼ばれることがある。第３のインジケーション情報は、第２の構成されたネットワークスライス選択支援情報を更新するように第２のＡＭＦに命令するために使用される。第２の構成されたネットワークスライス選択支援情報は、端末デバイスの第２のＰＬＭＮの構成されたネットワークスライス選択支援情報である。本明細書における端末デバイスの第１のＰＬＭＮの構成されたネットワークスライス選択支援情報は、第１のＰＬＭＮの、端末デバイスによって記憶された構成されたネットワークスライス選択支援情報である。同様に、端末デバイスの第２のＰＬＭＮの構成されたネットワークスライス選択支援情報は、第２のＰＬＭＮの、端末デバイスによって記憶された構成されたネットワークスライス選択支援情報である。
【００８９】
４０３．ＵＤＭは、第１のタイプの識別子が１つまたは複数のＰＬＭＮに送信される必要があることを記録する。
【００９０】
ＵＤＭは、複数の方式で、第１のタイプの識別子が１つまたは複数のＰＬＭＮに送信される必要があるかどうかを記録し得る。
【００９１】
たとえば、いくつかの実施形態では、ＵＤＭは、第１のタイプの識別子と第２のタイプの識別子との２つのタイプの識別子を保持する。たとえば、ＵＤＭは、各ＰＬＭＮの識別子を直接記憶し得る。各ＰＬＭＮの識別子は、第１のタイプの識別子であるか、または第２のタイプの識別子である。ＰＬＭＮ識別子が第１のタイプの識別子である場合、第１のタイプの識別子が、ＰＬＭＮ中のＡＭＦに送信される必要がある。ＰＬＭＮ識別子が第２のタイプの識別子である場合、第２のタイプの識別子が、ＰＬＭＮ中のＡＭＦに送信される必要がある。第２のタイプの識別子は、ＰＬＭＮ中のＡＭＦがＰＬＭＮの構成されたネットワークスライス選択支援情報を更新する必要がないことを示すために使用される。たとえば、ＵＤＭは、第１のタイプの識別子と第２のタイプの識別子とのために異なる値または異なるフラグビットを設定し得る。
【００９２】
別の例では、いくつかの実施形態では、ＵＤＭは、識別子の１つのタイプである第１のタイプの識別子を保持し得る。たとえば、ＵＤＭは、各ＰＬＭＮの識別子を記憶し得、各ＰＬＭＮの識別子は、第１のタイプの識別子であるかまたは識別子を有しない。ＰＬＭＮ識別子が第１のタイプの識別子である場合、第１のタイプの識別子が、ＰＬＭＮ中のＡＭＦに送信される必要がある。ＰＬＭＮが識別子を有しない場合、識別子は、ＰＬＭＮ中のＡＭＦに送信される必要がないか、または第２のタイプの識別子が、ＰＬＭＮ中のＡＭＦに送信される必要がある。第２のタイプの識別子は、ＰＬＭＮ中のＡＭＦがＰＬＭＮの構成されたネットワークスライス選択支援情報を更新する必要がないことを示すために使用される。
【００９３】
別の例では、いくつかの実施形態では、ＵＤＭは、リスト１とリスト２との２つのリストを保持し得る。第１のタイプの識別子が１つまたは複数のＰＬＭＮに送信される必要があると決定すると、ＵＤＭは、リスト１中に１つまたは複数のＰＬＭＮの識別情報を記憶し得、ここで、識別情報がＰＬＭＮ  ＩＤであり得る。第１のタイプの識別子が特定のＰＬＭＮに送信される必要がないと決定すると、ＵＤＭは、リスト１からＰＬＭＮの識別情報を削除し、リスト２中にＰＬＭＮの識別情報を記憶し得る。
【００９４】
別の例では、いくつかの実施形態では、ＵＤＭは、１つのリストを保持し得る。第１のタイプの識別子が、１つまたは複数のＰＬＭＮに送信される必要があると決定すると、ＵＤＭは、リスト中に１つまたは複数のＰＬＭＮの識別情報を記憶し得るか、または第１のタイプの識別子が、特定のＰＬＭＮに送信される必要がないと決定すると、ＵＤＭは、リストからＰＬＭＮの識別情報を削除し得る。
【００９５】
第１のタイプの識別子が１つまたは複数のＰＬＭＮに送信される必要があるかどうかを記録する上記の方式に加えて、第１のタイプの識別子が１つまたは複数のＰＬＭＮに送信される必要があるかどうかは、別の方式で記録され得る。本出願のこの実施形態では、第１のタイプの識別子が１つまたは複数のＰＬＭＮに送信される必要があるかどうかを記録する特定の方式は限定されない。
【００９６】
４０４．端末デバイスは、構成されたネットワークスライス選択支援情報に基づいて要求されたネットワークスライス選択支援情報（Ｒｅｑｕｅｓｔｅｄ  ＮＳＳＡＩ）を生成し、特定のＰＬＭＮに登録するときに、要求されたネットワークスライス選択支援情報を搬送する登録要求メッセージを送信する。
【００９７】
たとえば、端末デバイスは、少なくとも１つのＰＬＭＮの構成されたネットワークスライス選択支援情報を記憶し得、要求されたネットワークスライス選択支援情報を生成するために使用される構成されたネットワークスライス選択支援情報は、端末デバイスが登録すべきＰＬＭＮの構成されたネットワークスライス選択支援情報である。
【００９８】
任意選択で、いくつかの実施形態では、要求されたネットワークスライス選択支援情報は、構成されたネットワークスライス選択支援情報のサブセットであり得る。いくつかの他の実施形態では、要求されたネットワークスライス選択支援情報は、構成されたネットワークスライス選択支援情報と同じであり得る。
【００９９】
たとえば、端末デバイスは、ＲＡＮデバイスに登録要求メッセージを送信し、ＲＡＮデバイスは、好適なＡＭＦを選択する。
【０１００】
４０５．第１のＡＭＦは、要求されたネットワークスライス選択支援情報を取得する。
【０１０１】
第１のＰＬＭＮは、端末デバイスが登録を求めるＰＬＭＮである。第１のＡＭＦは、端末デバイスのサービングＡＭＦである。たとえば、第１のＡＭＦは、ＲＡＮデバイスによって選択されるＡＭＦであり得るか、またはＲＡＮデバイスは、第２のＡＭＦを選択し、登録要求メッセージを受信した後に、第２のＡＭＦは、端末デバイスにサービスすることができる第１のＡＭＦに登録要求メッセージを転送する。
【０１０２】
４０６．第１のＡＭＦは、ＵＤＭに、端末デバイスのサブスクリプション情報を取得することについての要求を送信する。
【０１０３】
たとえば、第１のＡＭＦは、端末デバイスのサブスクリプション情報を取得するサービスを呼び出すためにＵＤＭに要求を送信し得る。
【０１０４】
４０７．ＵＤＭは、記録された情報に基づいて、第１のＡＭＦが第１の構成されたネットワークスライス選択支援情報を更新する必要があると決定する。
【０１０５】
たとえば、ステップ４０１からステップ４０３において、ＵＤＭは、端末デバイスの第１のＰＬＭＮの構成されたネットワークスライス選択支援情報が更新される必要があると決定する。この場合、ＵＤＭは、第１のタイプの識別子（すなわち、第１のインジケーション情報）が第１のＰＬＭＮに送信される必要があることを記録する。
【０１０６】
４０８．ＵＤＭは、第１のＡＭＦに第１のインジケーション情報と端末デバイスのサブスクリプション情報とを送信する。端末デバイスのサブスクリプション情報は、端末デバイスのサブスクライブされたＳ−ＮＳＳＡＩを含む。
【０１０７】
たとえば、端末デバイスのサブスクリプション情報を取得するサービスが呼び出された後、ＵＤＭは、第１のＡＭＦに端末デバイスのサブスクリプション情報を返信する。さらに、ＵＤＭは、第１のＡＭＦに第１のインジケーション情報を送信する。
【０１０８】
４０９．ＵＤＭは、第１のＰＬＭＮ中のＡＭＦが第１の構成されたネットワークスライス選択支援情報を更新する必要がないことを記録する。
【０１０９】
上記で説明されたように、いくつかの実施形態では、ＵＤＭは、第１のタイプの識別子と第２のタイプの識別子との２つのタイプの識別子を保持し得る。第１のＰＬＭＮ中のＡＭＦが第１の構成されたネットワークスライス選択支援情報を更新する必要がないと決定すると、ＵＤＭは第１のＰＬＭＮの識別子を第２のタイプの識別子に変更し得る。このようにして、ＵＤＭは、第１のＰＬＭＮ中のＡＭＦが第１の構成されたネットワークスライス選択支援情報を更新する必要がないことを記録する。
【０１１０】
別の例では、いくつかの実施形態では、ＵＤＭは、識別子の１つのタイプである第１のタイプの識別子を保持し得る。第１のＰＬＭＮ中のＡＭＦが第１の構成されたネットワークスライス選択支援情報を更新する必要がないと決定すると、ＵＤＭは第１のＰＬＭＮの識別子を消去し得る。このようにして、ＵＤＭは、第１のＰＬＭＮ中のＡＭＦが第１の構成されたネットワークスライス選択支援情報を更新する必要がないことを記録する。
【０１１１】
別の例では、いくつかの実施形態では、ＵＤＭは、リスト１とリスト２との２つのリストを保持し得る。第１のＰＬＭＮ中のＡＭＦが第１の構成されたネットワークスライス選択支援情報を更新する必要がないと決定すると、ＵＤＭは、リスト１から第１のＰＬＭＮの識別情報を削除し、リスト２中に第１のＰＬＭＮの識別情報を記憶し得る。このようにして、ＵＤＭは、第１のＰＬＭＮ中のＡＭＦが第１の構成されたネットワークスライス選択支援情報を更新する必要がないことを記録する。
【０１１２】
別の例では、いくつかの実施形態では、ＵＤＭは、１つのリストを保持し得る。第１のＰＬＭＮ中のＡＭＦが第１の構成されたネットワークスライス選択支援情報を更新する必要がないと決定すると、ＵＤＭは、リスト１から第１のＰＬＭＮの識別情報を削除し得る。このようにして、ＵＤＭは、第１のＰＬＭＮ中のＡＭＦが第１の構成されたネットワークスライス選択支援情報を更新する必要がないことを記録する。
【０１１３】
任意選択で、いくつかの実施形態では、ＵＤＭが第１のＡＭＦに第１のインジケーション情報と端末デバイスのサブスクリプション情報とを送信するという条件で、ＵＤＭは、第１のＰＬＭＮ中のＡＭＦが第１の構成されたネットワークスライス選択支援情報を更新する必要がないことを記録し得る。
【０１１４】
任意選択で、いくつかの実施形態では、ステップ４０９の前に、ＵＤＭは、さらに、第１のＡＭＦによって送信され、第１の構成されたネットワークスライス選択支援情報の更新が完了していることを示すために使用される通知メッセージを受信する必要がある。言い換えれば、ＵＤＭは、第１の構成されたネットワークスライス選択支援情報の更新が完了していると決定した後にのみ、第１のＰＬＭＮ中のＡＭＦが第１の構成されたネットワークスライス選択支援情報を更新する必要がないことを記録する。ＵＤＭが通知メッセージを受信していない場合、ステップ４０９は実行されない。このようにして、ＵＤＭによって保持されたＰＬＭＮの識別子が、端末デバイスのＰＬＭＮの構成されたネットワークスライス選択支援情報の実際の更新結果と同じであることが保証されることができる。
【０１１５】
さらに、任意選択で、いくつかの実施形態では、ＵＤＭは、第１のＡＭＦにサブスクリプション要求を送信し得、ここで、サブスクリプション要求は、第１の構成されたネットワークスライス選択支援情報の更新が完了した後にＵＤＭに通知メッセージを送信するように第１のＡＭＦに要求するために使用される。言い換えれば、ＵＤＭは、サブスクリプション要求を送信することによって、ＵＤＭに通知メッセージを送信するようにまたは送信しないように第１のＡＭＦに命令し得る。任意選択で、いくつかの他の実施形態では、第１のＡＭＦは、デフォルトで、第１の構成されたネットワークスライス選択支援情報の更新が完了した後にＵＤＭに通知メッセージを送信し得る。言い換えれば、第１のＡＭＦは、ＵＤＭからサブスクリプション要求を受信する必要なしにＵＤＭに、第１の構成されたネットワークスライス選択支援情報の更新が完了したことを示すために使用される通知メッセージを送信する。
【０１１６】
ステップ４０９の後に、端末デバイスは、電源切断された後に電源投入されるか、または端末デバイスは、移動し、次いで、第１のＰＬＭＮ中の別のＡＭＦに登録するか、または端末デバイスは、別のＰＬＭＮに移動し、次いで、第１のＰＬＭＮに移動して戻ると仮定する。上記の処理において、端末デバイスのサブスクライブされたＳ−ＮＳＳＡＩが更新されないと仮定する。言い換えれば、上記の処理において、第１のＰＬＭＮのためのＵＤＭによる記録は変化しない（すなわち、第１のＰＬＭＮ中のＡＭＦが第１の構成されたネットワークスライス選択支援情報を更新することは不要のままである）。この場合、サブスクリプション情報を取得するための、第１のＰＬＭＮ中の第１のＡＭＦまたは別のＡＭＦによって送信される要求を取得した後に、ＵＤＭは、第１のＰＬＭＮ中の第１のＡＭＦまたは別のＡＭＦが、第１の構成されたネットワークスライス選択支援情報を更新する必要がないと決定する。このようにして、ＵＤＭは、第１の構成されたネットワークスライス選択支援情報を更新しないように第１のＰＬＭＮ中の第１のＡＭＦまたは別のＡＭＦに命令し得るか、またはＵＤＭは、第１のＰＬＭＮ中の第１のＡＭＦまたは別のＡＭＦに、第１の構成されたネットワークスライス選択支援情報を更新するべきかどうかを示すために使用されるインジケーション情報を送信しない。
【０１１７】
ステップ４０９の後に、端末デバイスは、第１のＰＬＭＮから第２のＰＬＭＮに切り替えると仮定する。さらに、第２のＡＭＦは、端末デバイスにサービスするＡＭＦになると仮定する。上記の処理において、ＵＤＭによって保持された第２のＰＬＭＮの記録は変化しない（すなわち、第２の構成されたネットワークスライス選択支援情報を更新するために第２のＰＬＭＮのＡＭＦのために必要なままである）と仮定する。この場合、サブスクリプション情報を取得するための、第２のＡＭＦによって送信された要求を取得した後に、ＵＤＭは、第２のＡＭＦが第２の構成されたネットワークスライス選択支援情報を更新する必要があると決定する。このようにして、ＵＤＭは、第２の構成されたネットワークスライス選択支援情報を更新するように第２のＡＭＦに命令し得る。
【０１１８】
上記の技術的解決策によれば、ＵＤＭは、記録に基づいて、第１の構成されたネットワークスライス選択支援情報を更新するようにＰＬＭＮ中のＡＭＦに命令するために使用されるインジケーション情報がＡＭＦに送信される必要があるかどうかを決定し得る。
【０１１９】
図４に示される方法において、端末デバイスのＰＬＭＮの構成されたネットワークスライス選択支援情報が更新される必要があるとＵＤＭが決定するときにのみ、ステップ４０１からステップ４０３が実行され得ることが理解されることができる。
【０１２０】
第１のＡＭＦが第１の構成されたネットワークスライス選択支援情報の更新を開始することは、端末デバイスのサブスクライブされたＳ−ＮＳＳＡＩに基づいてＡＭＦによって、端末デバイスの第１のＰＬＭＮの構成されたネットワークスライス選択支援情報を更新することと、端末デバイスに第１のＰＬＭＮの更新された構成されたＮＳＳＡＩを送信することとのステップを含み得る。たとえば、第１のＡＭＦは、端末デバイスのサブスクライブされたＳ−ＮＳＳＡＩと第１のＰＬＭＮによってサポートされるネットワークスライスに対応するＳ−ＮＳＳＡＩとに基づいて端末デバイスの第１のＰＬＭＮの構成されたネットワークスライス選択支援情報を更新する。たとえば、第１のＡＭＦは、更新を実装するために端末デバイスの第１のＰＬＭＮの構成されたネットワークスライス選択支援情報としてサブスクライブされたＳ−ＮＳＳＡＩと第１のＰＬＭＮによってサポートされるネットワークスライスに対応するＳ−ＮＳＳＡＩとの交差セットまたは交差セットのサブセットを決定する。
【０１２１】
ＡＭＦは、登録受入れメッセージに第１のＰＬＭＮの更新された構成されたＮＳＳＡＩを追加し、端末デバイスに登録受入れメッセージを送信するか、またはＡＭＦは、ＵＥ構成更新コマンド（ＵＥ  Ｃｏｎｆｉｇｕｒａｔｉｏｎ  Ｕｐｄａｔｅ  Ｃｏｍｍａｎｄ）を使用することによって端末デバイスに第１のＰＬＭＮの更新された構成されたＮＳＳＡＩを送信する。
【０１２２】
さらに、ＡＭＦが、端末デバイスのサブスクライブされたＳ−ＮＳＳＡＩに基づいて端末デバイスの第１のＰＬＭＮの構成されたネットワークスライス選択支援情報を更新する前に、ＡＭＦは、更新が開始される必要があるかどうかを再び決定し得る。そのような方式については、図６に関する説明を参照されたい。詳細についてここで説明されない。本明細書における端末デバイスのサブスクライブされたＳ−ＮＳＳＡＩは、ステップ４０８における端末デバイスのサブスクリプション情報中に含まれる端末デバイスのサブスクライブされたＳ−ＮＳＳＡＩである。
【０１２３】
更新を完了した後に、端末デバイスは、第１のＡＭＦに通知メッセージを送信し得る。通知メッセージは、端末デバイスが第１の構成されたネットワークスライス選択支援情報の更新を完了したことを示すために使用される。
【０１２４】
任意選択で、いくつかの実施形態では、ＵＤＭに第１のＡＭＦによって送信され、第１の構成されたネットワークスライス選択支援情報の更新が完了していることを示すために使用される通知メッセージは、端末デバイスから第１のＡＭＦによって受信された通知メッセージと同じであり得る。言い換えれば、第１のＡＭＦは、ＵＤＭに通知メッセージを透過的に伝送し得る。
【０１２５】
任意選択で、いくつかの他の実施形態では、端末デバイスから通知メッセージを受信した後に、第１のＡＭＦは、第１の構成されたネットワークスライス選択支援情報の更新が完了していることを示すために使用される通知メッセージを決定し得る。第１のＡＭＦによって決定された通知メッセージによって示されたコンテンツは、第１のＡＭＦによって受信された通知メッセージによって示されたコンテンツと同じであり得るが、特定のメッセージ長または特定の形態が異なり得る。たとえば、第１のＡＭＦに端末デバイスによって送信された通知メッセージは、明示的な通知メッセージであり得、ＵＤＭに第１のＡＭＦによって送信された通知メッセージは、暗黙的な通知メッセージであり得る。
【０１２６】
図４に示された方法では、第１のＡＭＦから、端末デバイスのサブスクリプション情報を取得することについての要求を受信すると、ＵＤＭは、記憶された識別子に基づいて、第１のＡＭＦが第１の構成されたネットワークスライス選択支援情報を更新する必要があるかどうかを決定する。任意選択で、いくつかの他の実施形態では、ＡＭＦが端末デバイスにサービスするＡＭＦとして登録すると、ＵＤＭは、記録に基づいて、対応する構成されたネットワークスライス選択支援情報を更新するようにＡＭＦが命令される必要があるかどうかを決定し得る。たとえば、第１のＡＭＦは、端末デバイスにサービスするＡＭＦとしてＵＤＭに登録する。この場合、ＵＤＭは、記録に基づいて、第１の構成されたネットワークスライス選択支援情報を更新するように第１のＡＭＦが命令される必要があると決定し、後続のステップを実行する。
【０１２７】
図５は、本出願の実施形態による別の通信方法の概略フローチャートである。
【０１２８】
５０１．端末デバイスのサブスクライブされたＳ−ＮＳＳＡＩが変化すると決定すると、ＵＤＭは、端末デバイスのサブスクリプション変更通知メッセージが１つまたは複数のＰＬＭＮに送信される必要があると決定する。
【０１２９】
１つまたは複数のＰＬＭＮは第１のＰＬＭＮを含む。ＵＤＭは、端末デバイスのホームＰＬＭＮ中のＵＤＭである。
【０１３０】
５０２．ＵＤＭは、端末デバイスのサブスクリプション変更通知メッセージが１つまたは複数のＰＬＭＮに送信される必要があるということを記録する。端末デバイスのサブスクリプション変更通知メッセージは、端末デバイスのサブスクライブされたＳ−ＮＳＳＡＩを含む。
【０１３１】
ＵＤＭは、複数の方式で、端末デバイスのサブスクリプション変更通知メッセージが１つまたは複数のＰＬＭＮに送信される必要があるかどうかを記録し得る。
【０１３２】
たとえば、いくつかの実施形態では、ＵＤＭは、第１のタイプの識別子と第２のタイプの識別子との２つのタイプの識別子を保持し得る。各ＰＬＭＮの識別子は、第１のタイプの識別子であるか、または第２のタイプの識別子である。ＰＬＭＮ識別子が第１のタイプの識別子である場合、端末デバイスのサブスクリプション変更通知メッセージは、ＰＬＭＮ中のＡＭＦに送信される必要がある。ＰＬＭＮ識別子が第２のタイプの識別子である場合、端末デバイスのサブスクリプション変更通知メッセージは、ＰＬＭＮ中のＡＭＦに送信される必要がない。端末デバイスのサブスクリプション変更通知メッセージが１つまたは複数のＰＬＭＮに送信される必要があると決定すると、ＵＤＭは、１つまたは複数のＰＬＭＮの各々のための第１のタイプの識別子を生成し得る。説明の便宜上、第１のＰＬＭＮの第１のタイプの識別子は、第１のインジケーション情報と呼ばれることがある。１つまたは複数のＰＬＭＮが第２のＰＬＭＮをさらに含むと仮定する。ＵＤＭは、１つまたは複数のＰＬＭＮの各々の第１のタイプの識別子を記憶する。
【０１３３】
別の例では、いくつかの実施形態では、ＵＤＭは、識別子の１つのタイプである第１のタイプの識別子を保持し得る。各ＰＬＭＮの識別子は、第１のタイプの識別子である。ＰＬＭＮ識別子が第１のタイプの識別子である場合、端末デバイスのサブスクリプション変更通知メッセージは、ＰＬＭＮ中のＡＭＦに送信される必要がある。ＰＬＭＮが識別子を有しない場合、端末デバイスのサブスクリプション変更通知メッセージは、ＰＬＭＮ中のＡＭＦに送信される必要がない。端末デバイスのサブスクリプション変更通知メッセージが１つまたは複数のＰＬＭＮに送信される必要があると決定すると、ＵＤＭは、１つまたは複数のＰＬＭＮの各々のための第１のタイプの識別子を生成し得る。説明の便宜上、第１のＰＬＭＮの第１のタイプの識別子は、第１のインジケーション情報と呼ばれることがある。１つまたは複数のＰＬＭＮが第２のＰＬＭＮをさらに含むと仮定する。ＵＤＭは、１つまたは複数のＰＬＭＮの各々の第１のタイプの識別子を記憶する。
【０１３４】
上記の２つの実施形態では、第１のインジケーション情報は、端末デバイスのサブスクリプション変更通知メッセージが第１のＰＬＭＮ中のＡＭＦに送信される必要があることを記録するために使用される。言い換えれば、ステップ５０２は、以下の通りであり得る。ＵＤＭは、第１のインジケーション情報を生成する。第１のインジケーション情報は、端末デバイスのサブスクリプション変更通知メッセージが第１のＰＬＭＮ中のＡＭＦに送信される必要があることを記録するために使用される。
【０１３５】
別の例では、いくつかの実施形態では、ＵＤＭは、リスト１とリスト２との２つのリストを保持し得る。端末デバイスのサブスクリプション変更通知メッセージが１つまたは複数のＰＬＭＮに送信される必要があると決定すると、ＵＤＭは、リスト１中に１つまたは複数のＰＬＭＮの識別情報を記憶し得、ここで、識別情報がＰＬＭＮ  ＩＤであり得る。端末デバイスのサブスクリプション変更通知メッセージが特定のＰＬＭＮに送信される必要がないと決定すると、ＵＤＭは、リスト１からＰＬＭＮの識別情報を削除し、リスト２中にＰＬＭＮの識別情報を記憶し得る。
【０１３６】
別の例では、いくつかの実施形態では、ＵＤＭは、１つのリストを保持し得る。端末デバイスのサブスクリプション変更通知メッセージが１つまたは複数のＰＬＭＮに送信される必要があると決定すると、ＵＤＭは、リスト中に１つまたは複数のＰＬＭＮの識別情報を記憶し得る。端末デバイスのサブスクリプション変更通知メッセージが特定のＰＬＭＮに送信される必要がないと決定すると、ＵＤＭは、リストからＰＬＭＮの識別情報を削除し得る。
【０１３７】
端末デバイスのサブスクリプション変更通知メッセージが１つまたは複数のＰＬＭＮに送信される必要があるかどうかを記録する上記の方式に加えて、端末デバイスのサブスクリプション変更通知メッセージが１つまたは複数のＰＬＭＮに送信される必要があるかどうかは、別の方式で記録され得る。本出願のこの実施形態では、端末デバイスのサブスクリプション変更通知メッセージが１つまたは複数のＰＬＭＮに送信される必要があるかどうかを記録する特定の方式は限定されない。
【０１３８】
ステップ５０３から５０５は、ステップ４０４から４０６と同じであり、本明細書では、詳細は再び説明されない。
【０１３９】
５０６．ＵＤＭは、記録された情報に基づいて、端末デバイスのサブスクリプション変更通知メッセージが第１のＡＭＦに送信される必要があると決定する。
【０１４０】
たとえば、ステップ５０１およびステップ５０２において、ＵＤＭは、端末デバイスのサブスクリプション変更通知メッセージが第１のＰＬＭＮ中のＡＭＦに送信される必要があると決定する。
【０１４１】
５０７．ＵＤＭは、第１のＡＭＦに端末デバイスのサブスクリプション変更通知メッセージを送信する。
【０１４２】
５０８．ＵＤＭは、端末デバイスのサブスクリプション変更通知メッセージが第１のＰＬＭＮに送信される必要がないことを記録する。
【０１４３】
ＵＤＭは、複数の方式で、端末デバイスのサブスクリプション変更通知メッセージが第１のＰＬＭＮに送信される必要がないことを記録し得る。
【０１４４】
上記で説明されたように、いくつかの実施形態では、ＵＤＭは、第１のタイプの識別子と第２のタイプの識別子との２つのタイプの識別子を保持し得る。端末デバイスのサブスクリプション変更通知メッセージが第１のＰＬＭＮに送信される必要がないと決定すると、ＵＤＭは、第１のＰＬＭＮの識別子を第２のタイプの識別子に変更し得る。このようにして、ＵＤＭは、端末デバイスのサブスクリプション変更通知メッセージが第１のＰＬＭＮに送信される必要がないことを記録する。
【０１４５】
別の例では、いくつかの実施形態では、ＵＤＭは、識別子の１つのタイプである第１のタイプの識別子を保持し得る。端末デバイスのサブスクリプション変更通知メッセージが第１のＰＬＭＮに送信される必要がないと決定すると、ＵＤＭは、第１のＰＬＭＮの識別子を消去し得る。このようにして、ＵＤＭは、端末デバイスのサブスクリプション変更通知メッセージが第１のＰＬＭＮに送信される必要がないことを記録する。
【０１４６】
別の例では、いくつかの実施形態では、ＵＤＭは、リスト１とリスト２との２つのリストを保持し得る。端末デバイスのサブスクリプション変更通知メッセージが第１のＰＬＭＮに送信される必要がないと決定すると、ＵＤＭは、リスト１から第１のＰＬＭＮの識別情報を削除し、リスト２中に第１のＰＬＭＮの識別情報を記憶し得る。このようにして、ＵＤＭは、端末デバイスのサブスクリプション変更通知メッセージが第１のＰＬＭＮに送信される必要がないことを記録する。
【０１４７】
別の例では、いくつかの実施形態では、ＵＤＭは、１つのリストを保持し得る。端末デバイスのサブスクリプション変更通知メッセージが第１のＰＬＭＮに送信される必要がないと決定すると、ＵＤＭは、リスト１から第１のＰＬＭＮの識別情報を削除し得る。このようにして、ＵＤＭは、端末デバイスのサブスクリプション変更通知メッセージが第１のＰＬＭＮに送信される必要がないことを記録する。
【０１４８】
任意選択で、いくつかの実施形態では、ＵＤＭが第１のＡＭＦに端末デバイスのサブスクリプション変更通知メッセージを送信するという条件で、ＵＤＭは、端末デバイスのサブスクリプション変更通知メッセージが第１のＰＬＭＮに送信される必要がないことを記録し得る。
【０１４９】
任意選択で、いくつかの他の実施形態では、ステップ５０８の前に、ＵＤＭは、さらに、第１のＡＭＦによって送信され、第１のＡＭＦが端末デバイスの第１のＰＬＭＮの構成されたネットワークスライス選択支援情報の更新を完了したことを示すために使用される通知メッセージを受信する必要がある。言い換えれば、ＵＤＭは、ＡＭＦが端末デバイスの第１のＰＬＭＮの構成されたネットワークスライス選択支援情報の更新を完了したと決定した後にのみ、端末デバイスのサブスクリプション変更通知メッセージが第１のＰＬＭＮに送信される必要がないことを記録する。ＵＤＭが通知メッセージを受信していない場合、ステップ５０８は実行されない。このようにして、ＵＤＭによって保持されたＰＬＭＮの識別子が、端末デバイスのＰＬＭＮの構成されたネットワークスライス選択支援情報の実際の更新結果と同じであることが保証されることができる。
【０１５０】
さらに、任意選択で、いくつかの実施形態では、ＵＤＭは、第１のＡＭＦにサブスクリプション要求を送信し得、ここで、サブスクリプション要求は、端末デバイスの第１のＰＬＭＮの構成されたネットワークスライス選択支援情報の更新が完了した後にＵＤＭに通知メッセージを送信するように第１のＡＭＦに要求するために使用される。言い換えれば、ＵＤＭは、サブスクリプション要求を送信することによって、ＵＤＭに通知メッセージを送信するようにまたは送信しないように第１のＡＭＦに命令し得る。任意選択で、いくつかの他の実施形態では、第１のＡＭＦは、デフォルトで、端末デバイスの第１のＰＬＭＮの構成されたネットワークスライス選択支援情報の更新が完了した後にＵＤＭに通知メッセージを送信し得る。言い換えれば、第１のＡＭＦは、ＵＤＭからサブスクリプション要求を受信する必要なしにＵＤＭに、端末デバイスの第１のＰＬＭＮの構成されたネットワークスライス選択支援情報の更新が完了したことを示すために使用される通知メッセージを送信する。
【０１５１】
ステップ５０８の後に、端末デバイスは、電源切断された後に電源投入されるか、または端末デバイスは、移動し、次いで、第１のＰＬＭＮ中の別のＡＭＦに登録するか、または端末デバイスは、別のＰＬＭＮに移動し、次いで、第１のＰＬＭＮに移動して戻ると仮定する。上記の処理において、端末デバイスのサブスクライブされたＳ−ＮＳＳＡＩが更新されないと仮定する。言い換えれば、上記の処理において、第１のＰＬＭＮのためのＵＤＭによる記録は変化しない（すなわち、第１のＰＬＭＮに端末デバイスのサブスクリプション変更通知メッセージを送信することは不要のままである）。この場合、サブスクリプション情報を取得するための、第１のＰＬＭＮ中の第１のＡＭＦまたは別のＡＭＦによって送信される要求を取得した後に、ＵＤＭは、端末デバイスのサブスクリプション変更通知メッセージが第１のＰＬＭＮ中の第１のＡＭＦまたは別のＡＭＦに送信される必要がないと決定する。ステップ５０８の後に、端末デバイスは、第１のＰＬＭＮから第２のＰＬＭＮに切り替えると仮定する。さらに、第２のＡＭＦは、端末デバイスにサービスするＡＭＦになると仮定し、ここで、第２のＡＭＦは、第２のＰＬＭＮ中のＡＭＦである。上記の処理において、第２のＰＬＭＮのためのＵＤＭによる記録は変化しない（すなわち、第２のＰＬＭＮに端末デバイスのサブスクリプション変更通知メッセージを送信することは必要なままである）と仮定する。この場合、サブスクリプション情報を取得するための、第２のＡＭＦによって送信された要求を取得した後に、ＵＤＭは、端末デバイスのサブスクリプション変更通知メッセージが第２のＡＭＦに送信される必要があると決定する。このようにして、ＵＤＭは、第２のＡＭＦに端末デバイスのサブスクリプション変更通知メッセージを送信し得る。
【０１５２】
上記の技術的解決策によれば、ＵＤＭは、記録に基づいて、端末デバイスのサブスクリプション変更通知メッセージがＰＬＭＮ中のＡＭＦに送信される必要があるかどうかを決定し得る。
【０１５３】
図５に示される方法において、端末デバイスのサブスクライブされたＳ−ＮＳＳＡＩが変化したとＵＤＭが決定するときにのみ、ステップ５０１およびステップ５０２が実行され得ることが理解されることができる。
【０１５４】
上記の技術的解決策では、ＵＤＭから端末デバイスのサブスクリプション変更通知メッセージを受信した後、第１のＡＭＦは、端末デバイスの第１のＰＬＭＮの構成されたネットワークスライス選択支援情報の更新を開始する。
【０１５５】
第１のＡＭＦが端末デバイスの第１のＰＬＭＮの構成されたネットワークスライス選択支援情報の更新をどのように開始するのかについては、図４に関する説明を参照されたい。詳細についてここで再び説明されない。図５との差は、本明細書における端末デバイスのサブスクライブされたＳ−ＮＳＳＡＩが、ステップ５０７における端末デバイスのサブスクリプション変更通知メッセージ中に含まれる端末デバイスのサブスクライブされたＳ−ＮＳＳＡＩであるという点にある。
【０１５６】
更新を完了した後に、端末デバイスは、第１のＡＭＦに通知メッセージを送信し得る。通知メッセージは、端末デバイスが第１の構成されたネットワークスライス選択支援情報の更新を完了したことを示すために使用される。
【０１５７】
任意選択で、いくつかの実施形態では、ＵＤＭに第１のＡＭＦによって送信され、第１の構成されたネットワークスライス選択支援情報の更新が完了していることを示すために使用される通知メッセージは、端末デバイスから第１のＡＭＦによって受信された通知メッセージと同じであり得る。言い換えれば、第１のＡＭＦは、ＵＤＭに通知メッセージを透過的に伝送し得る。
【０１５８】
任意選択で、いくつかの他の実施形態では、端末デバイスから通知メッセージを受信した後に、第１のＡＭＦは、第１の構成されたネットワークスライス選択支援情報の更新が完了していることを示すために使用される通知メッセージを決定し得る。第１のＡＭＦによって決定された通知メッセージによって示されたコンテンツは、第１のＡＭＦによって受信された通知メッセージによって示されたコンテンツと同じであり得るが、特定のメッセージ長または特定の形態が異なり得る。たとえば、第１のＡＭＦに端末デバイスによって送信された通知メッセージは、明示的な通知メッセージであり得、ＵＤＭに第１のＡＭＦによって送信された通知メッセージは、暗黙的な通知メッセージであり得る。
【０１５９】
図５に示された方法では、第１のＡＭＦから、端末デバイスのサブスクリプション情報を取得することについての要求を受信すると、ＵＤＭは、記録に基づいて、端末デバイスのサブスクリプション変更通知メッセージが第１のＡＭＦに送信される必要があるかどうかを決定する。任意選択で、いくつかの他の実施形態では、ＡＭＦが端末デバイスにサービスするＡＭＦとして登録すると、ＵＤＭは、記録に基づいて、端末デバイスのサブスクリプション変更通知メッセージがＡＭＦに送信される必要があるかどうかを決定し得る。たとえば、第１のＡＭＦは、端末デバイスにサービスするＡＭＦとしてＵＤＭに登録する。この場合、ＵＤＭは、記録に基づいて、端末デバイスのサブスクリプション変更通知メッセージが第１のＡＭＦに送信される必要があると決定し、後続のステップを実行する。
【０１６０】
図６は、本出願の実施形態による別の通信方法の概略フローチャートである。
【０１６１】
６０１．ＡＭＦは、端末デバイスのサブスクライブされたＳ−ＮＳＳＡＩを取得する。
【０１６２】
ＡＭＦは、端末デバイスにサービスするＡＭＦ、すなわち、サービングＡＭＦである。
【０１６３】
任意選択で、いくつかの実施形態では、ＡＭＦは、ＵＤＭから端末デバイスのサブスクライブされたＳ−ＮＳＳＡＩを受信し得る。
【０１６４】
任意選択で、いくつかの他の実施形態では、ＡＭＦは、別のＡＭＦから端末デバイスのサブスクライブされたＳ−ＮＳＳＡＩを受信し得る。
【０１６５】
６０２．ＡＭＦは、端末デバイスの第１の構成されたネットワークスライス選択支援情報を取得する。
【０１６６】
第１の構成されたネットワークスライス選択支援情報は、端末デバイスが登録するように要求するＰＬＭＮの構成されたネットワークスライス選択支援情報であり、端末デバイスが登録するように要求するＰＬＭＮは、ＡＭＦが位置するＰＬＭＮである。
【０１６７】
任意選択で、いくつかの実施形態では、ＡＭＦに端末デバイスによって送信された登録要求メッセージは、第１の構成されたネットワークスライス選択支援情報を搬送し、ＡＭＦは、端末デバイスから第１の構成されたネットワークスライス選択支援情報を取得する。
【０１６８】
任意選択で、いくつかの他の実施形態では、端末デバイスは、最初の登録中にのみ、ＡＭＦに送信された登録要求メッセージに第１の構成されたネットワークスライス選択支援情報を追加し得る。この場合、登録要求メッセージ中に含まれる登録タイプは、最初の登録である。言い換えれば、登録要求メッセージ中の登録タイプが最初の登録であるときにのみ、登録要求メッセージは、端末デバイスの第１の構成されたネットワークスライス選択支援情報を含む。この場合、ＡＭＦは、端末デバイスによって送信された最初の登録要求メッセージから第１の構成されたネットワークスライス選択支援情報を取得する。
【０１６９】
任意選択で、いくつかの他の実施形態では、端末デバイスは、最初の登録またはＰＬＭＮ切替え中にのみ、ＡＭＦに送信された登録要求メッセージに第１の構成されたネットワークスライス選択支援情報を追加し得る。この場合、最初の登録中に、登録要求メッセージ中に含まれる登録タイプは、最初の登録である。ＰＬＭＮ切替えは、モビリティ登録更新をトリガする。この場合、端末デバイスによって送信された登録要求メッセージ中に含まれる登録タイプは、モビリティ登録更新である。言い換えれば、登録要求メッセージ中の登録タイプがモビリティ登録更新であるときにのみ、登録要求メッセージは、端末デバイスの第１の構成されたネットワークスライス選択支援情報を含む。
【０１７０】
任意選択で、いくつかの他の実施形態では、ＡＭＦは、端末デバイスのコンテキストから第１の構成されたネットワークスライス選択支援情報を取得し得る。この場合、ＡＭＦは、端末デバイスのコンテキストを取得し、コンテキストから第１の構成されたネットワークスライス選択支援情報を取得する。技術的解決策によれば、端末デバイスは、登録要求メッセージに第１の構成されたネットワークスライス選択支援情報を追加する必要がなく、それによって、いくつかのシグナリングオーバーヘッドを低減する。第１のＰＬＭＮは、端末デバイスが登録することを要求するＰＬＭＮである。ＡＭＦは、第１のＰＬＭＮ中のＡＭＦである。
【０１７１】
任意選択で、いくつかの他の実施形態では、ＡＭＦは、端末デバイスに構成されたネットワークスライス選択支援情報のための要求メッセージを送信し得、ここで、構成されたネットワークスライス選択支援情報のための要求メッセージは、ＡＭＦに第１の構成されたネットワークスライス選択支援情報を送信するように端末デバイスに要求するために使用される。たとえば、端末デバイスが登録要求を送った後、ＡＭＦは、端末デバイスに構成されたネットワークスライス選択支援情報のための要求メッセージを送信し得るか、または端末デバイスが最初の登録要求を送った後、ＡＭＦは、端末デバイスに構成されたネットワークスライス選択支援情報のための要求メッセージを送信し得るか、または端末デバイスが第２のＰＬＭＮから第１のＰＬＭＮに切り替えると決定するとき、ＡＭＦは、端末デバイスに構成されたネットワークスライス選択支援情報のための要求メッセージを送信する。
【０１７２】
６０３．ＡＭＦは、端末デバイスのサブスクライブされたＳ−ＮＳＳＡＩに基づいて、第１の構成されたネットワークスライス選択支援情報を更新すべきかどうかを決定する。
【０１７３】
６０４．第１の構成されたネットワークスライス選択支援情報の更新が開始される必要があるとＡＭＦが決定する場合、ＡＭＦは、サブスクライブされたＳ−ＮＳＳＡＩに基づいて第２の構成されたネットワークスライス選択支援情報を決定し、端末デバイスに第２の構成されたネットワークスライス選択支援情報を送信する。
【０１７４】
任意選択で、いくつかの実施形態では、ＡＭＦは、第１の構成されたネットワークスライス選択支援情報が端末デバイスのサブスクライブされたＳ−ＮＳＳＡＩと同じであるかどうかを決定し得、第１の構成されたネットワークスライス選択支援情報がサブスクライブされたＳ−ＮＳＳＡＩとは異なる場合、ＡＭＦは、第１の構成されたネットワークスライス選択支援情報が更新される必要があると決定する。たとえば、第１のＰＬＭＮは、端末デバイスのＨＰＬＭＮであり、ＡＭＦは、端末デバイスのサブスクライブされたＳ−ＮＳＳＡＩに基づいて、第１の構成されたネットワークスライス選択支援情報中に含まれる１つまたは複数のＳ−ＮＳＳＡＩが端末デバイスのサブスクライブされたＳ−ＮＳＳＡＩと同じであるかどうかを決定し、第１の構成されたネットワークスライス選択支援情報中に含まれる１つまたは複数のＳ−ＮＳＳＡＩが、端末デバイスのサブスクライブされたＳ−ＮＳＳＡＩと同じである場合、第１の構成されたネットワークスライス選択支援情報の更新が開始される必要がないか、または第１の構成されたネットワークスライス選択支援情報中に含まれる１つまたは複数のＳ−ＮＳＳＡＩが、端末デバイスのサブスクライブされたＳ−ＮＳＳＡＩとは異なる場合、第１の構成されたネットワークスライス選択支援情報の更新が開始される必要がある。この場合、ＡＭＦは、第１の構成されたネットワークスライス選択支援情報を第２の構成されたネットワークスライス選択支援情報に更新し得、ここで、第２の構成されたネットワークスライス選択支援情報中に含まれる１つまたは複数のＳ−ＮＳＳＡＩは、サブスクライブされたＳ−ＮＳＳＡＩと同じである。
【０１７５】
任意選択で、いくつかの他の実施形態では、ＡＭＦは、第１の構成されたネットワークスライス選択支援情報、サブスクライブされたＳ−ＮＳＳＡＩ、第１の構成されたネットワークスライス選択支援情報と端末デバイスのホームパブリックランドネットワークの構成されたネットワークスライス選択支援情報との間のマッピング関係に基づいて、構成されたネットワークスライス選択支援情報の更新が更新される必要があるかどうかを決定し得る。たとえば、第１のＰＬＭＮは、端末デバイスのＶＰＬＭＮであり、ＡＭＦは、第１の構成されたネットワークスライス選択支援情報、サブスクライブされたＳ−ＮＳＳＡＩ、および第１の構成されたネットワークスライス選択支援情報と端末デバイスのホームパブリックランドネットワークの構成されたネットワークスライス選択支援情報との間のマッピング関係に基づいて、第１の構成されたネットワークスライス選択支援情報の更新が呼び出される必要があるかどうかを決定する。たとえば、第１のＰＬＭＮは、端末デバイスの訪問先ＰＬＭＮ（Ｖｉｓｉｔｅｄ  ＰＬＭＮ、ＶＰＬＭＮ）であり、第１の構成されたネットワークスライス選択支援情報は、端末デバイスのＶＰＬＭＮの構成されたネットワークスライス選択支援情報である。ＶＰＬＭＮの構成されたネットワークスライス選択支援情報とＨＰＬＭＮの構成されたネットワークスライス選択支援情報との間に対応があり得る。たとえば、表１は、ＶＰＬＭＮの構成されたネットワークスライス選択支援情報とＨＰＬＭＮの構成されたネットワークスライス選択支援情報との間の対応を示す。
【０１７６】
【表１】
2021519560.tif 000024
【０１７７】
表１に示されるように、ＶＰＬＭＮの構成されたネットワークスライス選択支援情報中のＳ−ＮＳＳＡＩ１とＳ−ＮＳＳＡＩ２とは、ＨＰＬＭＮの構成されたネットワークスライス選択支援情報中のＳ−ＮＳＳＡＩ１１に対応し、ＶＰＬＭＮの構成されたネットワークスライス選択支援情報中のＳ−ＮＳＳＡＩ３は、ＨＰＬＭＮの構成されたネットワークスライス選択支援情報中のＳ−ＮＳＳＡＩ２１に対応し、ＶＰＬＭＮの構成されたネットワークスライス選択支援情報中のＳ−ＮＳＳＡＩ４は、ＨＰＬＭＮの構成されたネットワークスライス選択支援情報中のＳ−ＮＳＳＡＩ３１に対応する。Ｓ−ＮＳＳＡＩ１、Ｓ−ＮＳＳＡＩ２、Ｓ−ＮＳＳＡＩ３、およびＳ−ＮＳＳＡＩ４に対応するネットワークスライスがＶＰＬＭＮ上で展開されると仮定する。
【０１７８】
ＡＭＦは、端末デバイスのサブスクライブされたＳ−ＮＳＳＡＩと、第１の構成されたネットワークスライス選択支援情報と端末デバイスのホームパブリックランドネットワークの構成されたネットワークスライス選択支援情報との間のマッピング関係とに基づいて、端末デバイスのサブスクライブされたＳ−ＮＳＳＡＩに対応する第３の構成されたネットワークスライス選択支援情報を決定し、第１の構成されたネットワークスライス選択支援情報に対応するＳ−ＮＳＳＡＩが第３の構成されたネットワークスライス選択支援情報に対応するＳ−ＮＳＳＡＩと同じであるかどうかを決定し、第１の構成されたネットワークスライス選択支援情報に対応するＳ−ＮＳＳＡＩが第３の構成されたネットワークスライス選択支援情報に対応するＳ−ＮＳＳＡＩと同じである場合、更新が開始される必要がないと決定するか、または第１の構成されたネットワークスライス選択支援情報に対応するＳ−ＮＳＳＡＩが第３の構成されたネットワークスライス選択支援情報に対応するＳ−ＮＳＳＡＩとは異なる場合、更新が開始される必要があると決定する。
【０１７９】
表１が一例として使用される。サブスクライブされたＳ−ＮＳＳＡＩが、Ｓ−ＮＳＳＡＩ１１と、Ｓ−ＮＳＳＡＩ２１と、Ｓ−ＮＳＳＡＩ３１とを含み、第１の構成されたネットワークスライス選択支援情報が、Ｓ−ＮＳＳＡＩ１と、Ｓ−ＮＳＳＡＩ２と、Ｓ−ＮＳＳＡＩ３と、Ｓ−ＮＳＳＡＩ４とを含むと仮定すると、ＡＭＦは、第１の構成されたネットワークスライス選択支援情報は更新される必要がないと決定する。端末デバイスのサブスクライブされたＳ−ＮＳＳＡＩが、Ｓ−ＮＳＳＡＩ１１と、Ｓ−ＮＳＳＡＩ２１と、Ｓ−ＮＳＳＡＩ３１とを含み、第１の構成されたネットワークスライス選択支援情報が、Ｓ−ＮＳＳＡＩ１と、Ｓ−ＮＳＳＡＩ２と、Ｓ−ＮＳＳＡＩ３とを含むと仮定すると、ＡＭＦは、第１の構成されたネットワークスライス選択支援情報は更新される必要があると決定する。ＡＭＦは、サブスクライブされたＳ−ＮＳＳＡＩと、第１の構成されたネットワークスライス選択支援情報と端末デバイスのホームパブリックランドネットワークの構成されたネットワークスライス選択支援情報との間のマッピング関係とに基づいて、第２の構成されたネットワークスライス選択支援情報が、Ｓ−ＮＳＳＡＩ１と、Ｓ−ＮＳＳＡＩ２と、Ｓ−ＮＳＳＡＩ３と、Ｓ−ＮＳＳＡＩ４とを含むと決定し得る。任意選択で、いくつかの実施形態では、第２の構成されたネットワークスライス選択支援情報を決定した後に、ＡＭＦは、端末デバイスのコンテキスト中に第２の構成されたネットワークスライス選択支援情報を記憶し得、したがって、端末デバイスが別のＡＭＦに登録するとき、別のＡＭＦは、端末デバイスのコンテキストから第２の構成されたネットワークスライス選択支援情報を直接取得し得る。
【０１８０】
図７は、本出願の実施形態による別の通信方法の概略フローチャートである。
【０１８１】
７０１．端末デバイスは、第１のＰＬＭＮに登録し、更新されたユーザ機器ルート選択ポリシー（Ｕｓｅｒ  Ｅｑｕｉｐｍｅｎｔ  Ｒｏｕｔｅ  Ｓｅｌｅｃｔｉｏｎ  Ｐｏｌｉｃｙ、ＵＲＳＰ）を受信する。
【０１８２】
７０２．端末デバイスは、第２のＰＬＭＮ中の第１のＡＭＦに登録し、端末デバイスは、更新インジケーション情報が第２のＰＬＭＮ中のいずれのＡＭＦにも送信されていないと決定する。
【０１８３】
７０３．端末デバイスは、第１のＡＭＦに更新インジケーション情報を送信し、ここで、更新インジケーション情報は、端末デバイスに第２のＰＬＭＮの更新された構成されたネットワークスライス選択支援情報を送信するように第１のＡＭＦに命令するために使用される。
【０１８４】
７０４．端末デバイスは、更新インジケーション情報が第２のＰＬＭＮに送信されていることを記録する。
【０１８５】
７０５．第１のＡＭＦは、端末デバイスに第２のＰＬＭＮの更新された構成されたネットワークスライス選択支援情報を送信する。
【０１８６】
上記の技術的解決策では、端末デバイスは、ＵＲＳＰの更新に基づいて、各ＰＬＭＮの構成されたネットワークスライス選択支援情報が更新される必要があると決定し得、対応するＰＬＭＮに登録するとき、端末デバイスは、決定する結果に基づいて、端末デバイスのＰＬＭＮの構成されたネットワークスライス選択支援情報の更新を事前に開始する。
【０１８７】
図１０は、本出願の実施形態による別の通信方法の概略フローチャートである。
【０１８８】
本方法は、端末デバイスと、ＡＭＦと、ＵＤＭとの間での対話に少なくとも関する。たとえば、端末デバイスと、ＡＭＦと、ＵＤＭとは、それぞれ、図１中の端末デバイス１１０と、アクセスおよびモビリティ管理機能ネットワーク要素１２０と、統一データ管理ネットワーク要素１３０とであり得、本明細書では、詳細は再び説明されない。端末デバイスとＡＭＦとは、第１のＰＬＭＮ中に位置する。言い換えれば、第１のＰＬＭＮは、端末デバイスを現在サービスするＰＬＭＮである。第１のＰＬＭＮは、ＨＰＬＭＮのことも、ＶＰＬＭＮのこともあり得る。ＵＤＭは、端末デバイスのＨＰＬＭＮ中に位置する。
【０１８９】
図１０に示されているように、本方法は以下のステップを含む。
【０１９０】
１００１．ＵＤＭは、第１のＰＬＭＮ中のＡＭＦに端末デバイスの更新されたサブスクライブされたネットワークスライス選択支援情報（Ｕｐｄａｔｅｄ  Ｓｕｂｓｃｒｉｂｅｄ  Ｓ−ＮＳＳＡＩ）を送信する。たとえば、サブスクライブされたＳ−ＮＳＳＡＩが更新された後、端末デバイスの更新されたサブスクライブされたＳ−ＮＳＳＡＩが、第１のＰＬＭＮ中の端末デバイスによってアクセス可能な１つまたは複数のネットワークスライスを識別するために使用される。
【０１９１】
たとえば、端末デバイスのサブスクリプションデータ中のサブスクライブされたＳ−ＮＳＳＡＩが更新された後、ＵＤＭは、ＵＤＭの加入者データ管理（Ｓｕｂｓｃｒｉｂｅｒ  Ｄａｔａ  Ｍａｎａｇｅｍｅｎｔ、ＳＤＭ）通知（Ｎｕｄｍ＿ＳＤＭ＿Ｎｏｔｉｆｉｃａｔｉｏｎ）サービスを呼び出すことによって更新されたサブスクライブされたＳ−ＮＳＳＡＩを第１のＰＬＭＮ中のＡＭＦに通知し得る。さらに、ＵＤＭは、Ｎｕｄｍ＿ＳＤＭ＿Ｇｅｔサービスを呼び出すことによって第１のＰＬＭＮ中のＡＭＦにサブスクライブされたＳ−ＮＳＳＡＩと第１のインジケーション情報とを送信し得る。第１のインジケーション情報は、サブスクライブされたＳ−ＮＳＳＡＩが更新されることを示すために使用される。具体的に言えば、サブスクライブされたＳ−ＮＳＳＡＩは、更新されたサブスクライブされたＳ−ＮＳＳＡＩである。
【０１９２】
任意選択で、更新されたサブスクライブされたＳ−ＮＳＳＡＩ（または更新されたサブスクライブされたＳ−ＮＳＳＡＩと第１のインジケーション情報と）を受信した後に、ＡＭＦは、ＵＤＭに肯定応答（Ａｃｋｎｏｗｌｅｄｇｅｍｅｎｔ、ＡＣＫ）メッセージを返信し得る。
【０１９３】
１００２．ＡＭＦは、端末デバイスの、第１のＰＬＭＮに関連する第１の構成されたネットワークスライス選択支援情報（Ｆｉｒｓｔ  Ｃｏｎｆｉｇｕｒｅｄ  ＮＳＳＡＩ）を決定する。
【０１９４】
端末デバイスの、第１のＰＬＭＮに関連する第１の構成されたＮＳＳＡＩは、第１のＰＬＭＮ中で構成され、端末デバイスによってアクセス可能であるネットワークスライスを識別するために使用される。以下で言及される第２の構成されたＮＳＳＡＩと第３の構成されたＮＳＳＡＩとの機能は、第１の構成されたＮＳＳＡＩの機能と同様であり、詳細は、再び説明されない。
【０１９５】
たとえば、ＵＤＭから第１のインジケーション情報を受信した後に、ＡＭＦは、第１のＰＬＭＮの構成されたＮＳＳＡＩを更新することを決定する。言い換えれば、第１のＰＬＭＮのサブスクライブされたＳ−ＮＳＳＡＩが更新されるとき、ＡＭＦは、第１のＰＬＭＮの構成されたＮＳＳＡＩを更新することを決定する。さらに、第１のＰＬＭＮがＶＰＬＭＮであるとき、ＡＭＦは、第１のＰＬＭＮの構成されたＮＳＳＡＩとＨＰＬＭＮの構成されたＮＳＳＡＩとの間の対応を更新することを決定し得る。代替として、ＡＭＦは、第１のＰＬＭＮの構成されたＮＳＳＡＩとＨＰＬＭＮの構成されたＮＳＳＡＩとの間の対応の更新のみを開始し得る。これは本明細書では限定されない。
【０１９６】
たとえば、ＵＤＭから更新されたサブスクライブされたＳ−ＮＳＳＡＩを受信した後に、ＡＭＦは、更新されたサブスクライブされたＳ−ＮＳＳＡＩに基づいて第１のＰＬＭＮの第１の構成されたＮＳＳＡＩを決定し得る。代替として、ＵＤＭから更新されたサブスクライブされたＳ−ＮＳＳＡＩを受信した後に、ＡＭＦは、ネットワークスライス選択機能（Ｎｅｔｗｏｒｋ  Ｓｌｉｃｅ  Ｓｅｌｅｃｔｉｏｎ  Ｆｕｎｃｔｉｏｎ、ＮＳＳＦ）ネットワーク要素から第１の構成されたＮＳＳＡＩを取得し得る。ＮＳＳＦの機能は、端末デバイスのためのネットワークスライスを選択することを含む。したがって、ＡＭＦは、端末デバイスの、第１のＰＬＭＮに関連する第１の構成されたＮＳＳＡＩを取得する。任意選択で、ＡＭＦは、取得された第１の構成されたＮＳＳＡＩに基づいて第１の構成されたＮＳＳＡＩとＨＰＬＭＮの構成されたＮＳＳＡＩとの間の対応を取得する。
【０１９７】
１００３．ＡＭＦは、端末デバイスに第１の構成されたＮＳＳＡＩ（および／または第１の構成されたＮＳＳＡＩとＨＰＬＭＮの構成されたＮＳＳＡＩとの間の対応）と第２のインジケーション情報とを送信する。第２のインジケーション情報は、第１のＰＬＭＮ以外の他のネットワークに関連する第２の構成されたＮＳＳＡＩを削除するように端末デバイスに命令するために使用される。
【０１９８】
上記で説明されたように、第１のＰＬＭＮのサブスクライブされたＳ−ＮＳＳＡＩが更新されるとき、ＡＭＦは、第１のＰＬＭＮの構成されたＮＳＳＡＩを更新することを決定し、さらに、ステップ１００３においてＵＥに第２のインジケーション情報を送信する。言い換えれば、ＡＭＦは、第１のＰＬＭＮのサブスクライブされたＳ−ＮＳＳＡＩが更新されるとＡＭＦが通知されるときにのみ、ステップ１００３において、ＵＥに第２のインジケーション情報を送信する。
【０１９９】
たとえば、ＡＭＦは、端末デバイスにユーザ機器構成更新コマンド（ＵＥ  ｃｏｎｆｉｇｕｒａｔｉｏｎ  ｕｐｄａｔｅ  ｃｏｍｍａｎｄ）を送信し得、ここで、ユーザ機器構成更新コマンドは、第１の構成されたＮＳＳＡＩと第２のインジケーション情報とを含むか、またはＡＭＦは、端末デバイスに登録受入れ（ｒｅｇｉｓｔｒａｔｉｏｎ  ａｃｃｅｐｔ）メッセージを送信し得、ここで、登録受入れメッセージは、第１の構成されたＮＳＳＡＩと第２のインジケーション情報とを含む。これは、本出願における本明細書では限定されない。上記のメッセージは、（Ｒ）ＡＮデバイスにＡＭＦによって送信され得、次いで、（Ｒ）ＡＮデバイスは、端末デバイスにメッセージを転送する。
【０２００】
本明細書における「第１のＰＬＭＮ以外の他のネットワーク」は、端末によってアクセスされ得るネットワーク範囲中の第１のＰＬＭＮとは異なる別のＰＬＭＮであり得る。
【０２０１】
任意選択で、第２のインジケーション情報は、第１のＰＬＭＮ以外の他のネットワークに関連する許可されたネットワークスライス選択支援情報（許可されたＮＳＳＡＩ、Ａｌｌｏｗｅｄ  ＮＳＳＡＩ）を削除するように端末デバイスに命令するためにさらに使用される。ネットワークに関連する許可されたＮＳＳＡＩは、第１のＰＬＭＮ中の、端末デバイスがアクセスすることを許可されるネットワークスライスを識別するために使用される。
【０２０２】
任意選択で、第２のインジケーション情報は、さらに、第１のＰＬＭＮ以外の他のネットワークに関連する第２の構成されたＮＳＳＡＩとＨＰＬＭＮの構成されたＮＳＳＡＩとの間の対応を削除するように端末デバイスに命令するために使用される。任意選択で、第２のインジケーション情報は、さらに、第１のＰＬＭＮ以外の他のネットワークに関連する許可されたＮＳＳＡＩとＨＰＬＭＮの構成されたＮＳＳＡＩとの間の対応を削除するように端末デバイスに命令するために使用される。
【０２０３】
１００４．第１の構成されたＮＳＳＡＩと第２のインジケーション情報とを受信した後に、端末デバイスは、第１のＰＬＭＮ以外の他のネットワークに関連する第２の構成されたＮＳＳＡＩを削除し、第１のＰＬＭＮに関連する記憶された第３の構成されたＮＳＳＡＩを第１の構成されたＮＳＳＡＩと置き換える。
【０２０４】
任意選択で、第２のインジケーション情報が第１のＰＬＭＮ以外の他のネットワークに関連する第２の構成されたＮＳＳＡＩとＨＰＬＭＮの構成されたＮＳＳＡＩとの間の対応を削除するように端末デバイスに命令するためにさらに使用されるとき、ステップ１００３において送信されたインジケーション情報を受信した後に、端末デバイスは、第２の構成されたＮＳＳＡＩとＨＰＬＭＮの構成されたＮＳＳＡＩとの間の対応をさらに削除する。
【０２０５】
したがって、上記の解決策によれば、端末デバイスのサブスクリプションデータ変更が現在のＰＬＭＮ中の端末デバイスの構成されたＮＳＳＡＩの変化をもたらすとき、ＡＭＦは、端末デバイスに現在のＰＬＭＮの更新された構成されたＮＳＳＡＩを送信し、別のＰＬＭＮの前に記憶された構成されたＮＳＳＡＩを削除するように端末デバイスに命令する。このようにして、端末デバイスが別のＰＬＭＮに次回登録するとき、端末デバイスは、ＰＬＭＮに対応する構成されたＮＳＳＡＩを記憶していないので、端末デバイスは、登録要求に要求されたＮＳＳＡＩ（Ｒｅｑｕｅｓｔｅｄ  ＮＳＳＡＩ）を追加しない。したがって、ネットワーク側は、端末デバイスの現在のサブスクリプション情報に基づいてＰＬＭＮの１つの構成されたＮＳＳＡＩを端末デバイスに提供する。したがって、ＰＬＭＮの構成されたＮＳＳＡＩは、適時に更新されることができ、それによって、端末デバイスのユーザエクスペリエンスを改善し、ネットワークリソースを節約する。
【０２０６】
任意選択で、第２のインジケーション情報が他のネットワークに関連する許可されたＮＳＳＡＩを削除するように端末デバイスに命令するためにさらに使用されるとき、ステップ１００３において送信されたインジケーション情報を受信した後に、端末デバイスは、他のネットワークに関連する許可されたＮＳＳＡＩをさらに削除する。任意選択で、端末デバイスは、さらに、第１のＰＬＭＮ以外の他のネットワークに関連する許可されたＮＳＳＡＩとＨＰＬＭＮの構成されたＮＳＳＡＩとの間の対応を削除する。
【０２０７】
したがって、端末デバイスが別のＰＬＭＮに次回登録するとき、端末デバイスは、いずれかのＰＬＭＮに対応する許可されたＮＳＳＡＩを記憶しておらず、端末デバイスは、許可されたＮＳＳＡＩに基づいて要求されたＮＳＳＡＩを決定することができないので、端末デバイスは、登録要求に要求されたＮＳＳＡＩを追加しない。したがって、ネットワーク側は、端末デバイスの現在のサブスクリプション情報に基づいてＰＬＭＮの１つの構成されたＮＳＳＡＩを端末デバイスに提供する。したがって、ＰＬＭＮの構成されたＮＳＳＡＩが適時に更新されることができることがさらに保証される。
【０２０８】
任意選択で、別の実装では、ＡＭＦは、ステップ１００３において第２のインジケーション情報を送信しないことがある。第１の構成されたＮＳＳＡＩを受信した後に、端末デバイスは、ＡＭＦのインジケーションなしに、第１のＰＬＭＮ以外の他のネットワークに関連する第２の構成されたＮＳＳＡＩを削除し、第１のＰＬＭＮに関連する記憶された第３の構成されたＮＳＳＡＩを第１の構成されたＮＳＳＡＩと置き換え得る。任意選択で、端末デバイスは、他のネットワークに関連する許可されたＮＳＳＡＩをさらに削除し得る。任意選択で、端末デバイスは、さらに、第２の構成されたＮＳＳＡＩとＨＰＬＭＮの構成されたＮＳＳＡＩとの間の対応を削除する。任意選択で、端末デバイスは、さらに、第１のＰＬＭＮ以外の他のネットワークに関連する許可されたＮＳＳＡＩとＨＰＬＭＮの構成されたＮＳＳＡＩとの間の対応を削除する。
【０２０９】
任意選択で、第１の構成されたＮＳＳＡＩを受信した後に、端末デバイスは、ステップ１００５を実行する。
【０２１０】
１００５．端末デバイスは、ＡＭＦに肯定応答（ａｃｋｎｏｗｌｅｄｇｅｍｅｎｔ、ＡＣＫ）メッセージを送信する。
【０２１１】
代替として、端末デバイスは、第１の構成されたＮＳＳＡＩを受信し、ステップ１００４の動作を完了した後にＡＭＦにＡＣＫを送信し得る。
【０２１２】
たとえば、第１の構成されたＮＳＳＡＩがＵＥ構成更新コマンドを使用することによってステップ１００３において送信される場合、端末デバイスは、ＵＥ構成更新完了メッセージを使用することによってＡＭＦにＡＣＫを送信し得る。第１の構成されたＮＳＳＡＩが登録受入れメッセージを使用することによってステップ１００３において送信される場合、ＵＥは、登録完了メッセージを使用することによってＡＭＦにＡＣＫを送信し得る。
【０２１３】
任意選択で、ＡＣＫを受信した後に、ＡＭＦは、ステップ１００６を実行する。
【０２１４】
１００６．ＡＣＫを受信した後に、ＡＭＦは、構成されたＮＳＳＡＩの更新結果をＵＤＭに通知する。
【０２１５】
たとえば、ＡＭＦは、ＡＭＦのＵＥ構成更新通知（Ｎａｍｆ＿Ｃｏｍｍｕｎｉｃａｔｉｏｎ＿ＵＥＣｏｎｆｉｇｕｒａｔｉｏｎＵｐｄａｔｅＮｏｔｉｆｙ）サービスを呼び出すことによって構成されたＮＳＳＡＩの更新結果をＵＤＭに通知し得る。任意選択で、ステップ１００１は、ＵＤＭがＡＭＦとのサービスにサブスクライブすると見なされ得る。通知を受信した後に、ＵＤＭは、構成されたＮＳＳＡＩの更新が開始される必要がないと決定する。たとえば、ＵＤＭは、端末デバイスのサブスクライブされたＳ−ＮＳＳＡＩが再び更新される前に構成されたＮＳＳＡＩを更新しない。
【０２１６】
たとえば、ＡＭＦは、ＡＭＦのイベント通知（Ｎａｍｆ＿ＥｖｅｎｔＥｘｐｏｓｕｒｅ＿Ｎｏｔｉｆｙ）サービスを呼び出すことによって構成されたＮＳＳＡＩの更新結果をＵＤＭに通知し得る。任意選択で、ＵＤＭは、ステップ１００１の前または後にＡＭＦとのサービスにサブスクライブする。通知を受信した後に、ＵＤＭは、構成されたＮＳＳＡＩの更新が開始される必要がないと決定する。たとえば、ＵＤＭは、端末デバイスのサブスクライブされたＳ−ＮＳＳＡＩが再び更新される前に構成されたＮＳＳＡＩを更新しない。
【０２１７】
上記で説明されたように、図１０における例は、（サブスクリプションデータ中のサブスクライブされたＳ−ＮＳＳＡＩの変更である）端末デバイスサブスクリプション変更によってトリガされた構成されたＮＳＳＡＩ更新に適用可能である。
【０２１８】
可能な設計では、上記の方法は、別の条件によってトリガされた構成されたＮＳＳＡＩ更新にさらに適用可能である。たとえば、別の条件は、以下のうちの少なくとも１つを含む。
１．ローカルポリシーの変更またはスライス展開変化によって生じた変更を含むサービングＰＬＭＮの構成変更がある。
２．端末デバイスは、登録要求を送信するときに要求されたＮＳＳＡＩを追加しない。
３．端末デバイスによって要求されたＮＳＳＡＩ中の特定のＳ−ＮＳＳＡＩが端末デバイスの現在のＰＬＭＮ中で無効である。
４．端末デバイスによって要求されたＮＳＳＡＩが、端末デバイスのサブスクライブされたＳ−ＮＳＳＡＩの範囲内にない。
【０２１９】
別の可能な設計では、ＡＭＦは、構成されたＮＳＳＡＩ更新が端末デバイスサブスクリプション変更によってトリガされたときにのみ、第１のＰＬＭＮ以外の他のネットワークに関連する第２の構成されたＮＳＳＡＩを削除するように端末デバイスに命令するか、または第２の構成されたＮＳＳＡＩと第１のＰＬＭＮ以外の他のネットワークに関連する許可されたＮＳＳＡＩを削除するように端末デバイスに命令する。
【０２２０】
図１０の方法は、端末デバイスが電源切断された後に電源投入されるシナリオに適用可能であり、ローミングシナリオにも適用可能である。代替として、任意選択で、端末デバイスが電源切断された後に電源投入されるシナリオでは、図２から図７の方法のうちのいずれか１つが使用され得、ローミングシナリオでは、図１０の方法が使用され得る。
【０２２１】
図１０に関する上記の説明を参照すると、本出願は、通信方法を提供する。図１１に示されているように、本方法は以下のステップを含む。
【０２２２】
１１０１．第１のネットワーク中のアクセスおよびモビリティ管理機能ネットワーク要素は、端末デバイスの、第１のネットワークに関連する第１の構成されたネットワークスライス選択支援情報を取得する。
【０２２３】
１１０２．アクセスおよびモビリティ管理機能ネットワーク要素は、端末デバイスに第１の構成されたネットワークスライス選択支援情報とインジケーション情報とを送信し、ここでインジケーション情報は、第１のネットワーク以外の他のネットワークに関連する第２の構成されたネットワークスライス選択支援情報を削除するように端末デバイスに命令するために使用される。
【０２２４】
インジケーション情報については、図１０の第２のインジケーション情報に関する説明を参照されたい。ステップ１１０２については、図１０のステップ１００３に関する説明を参照されたい。詳細についてここで再び説明されない。たとえば、ステップ１１０２は、アクセスおよびモビリティ管理機能ネットワーク要素によって、端末デバイスにユーザ機器構成更新コマンドを送信することであって、ユーザ機器構成更新コマンドは、第１の構成されたネットワークスライス選択支援情報とインジケーション情報とを含むこと、またはアクセスおよびモビリティ管理機能ネットワーク要素によって、端末デバイスに登録受入れメッセージを送信することであって、登録受入れメッセージは、第１の構成されたネットワークスライス選択支援情報とインジケーション情報とを含むことを含む。
【０２２５】
したがって、端末デバイスが他のネットワークに次回登録するとき、端末デバイスがネットワークに対応する構成されたネットワークスライス選択支援情報を記憶していないので、端末デバイスは、登録要求に要求されたネットワークスライス選択支援情報を追加しない。したがって、ネットワーク側は、端末デバイスの現在のサブスクリプション情報に基づいてネットワークの１つの構成されたネットワークスライス選択支援情報を端末デバイスに提供する。したがって、ネットワークの構成されたネットワークスライス選択支援情報は、適時に更新されることができ、それによって、端末デバイスのユーザエクスペリエンスを改善し、ネットワークリソースを節約する。
【０２２６】
任意選択で、インジケーション情報は、他のネットワークに関連する許可されたネットワークスライス選択支援情報を削除するように端末デバイスに命令するためにさらに使用される。したがって、端末デバイスが他のネットワークに次回登録するとき、端末デバイスは、いずれかのネットワークに対応する許可されたネットワークスライス選択支援情報を記憶しておらず、端末デバイスは、許可されたネットワークスライス選択支援情報に基づいて要求されたネットワークスライス選択支援情報を決定することができないので、端末デバイスは、登録要求に要求されたネットワークスライス選択支援情報を追加しない。したがって、ネットワーク側は、端末デバイスの現在のサブスクリプション情報に基づいてネットワークの１つの構成されたネットワークスライス選択支援情報を端末デバイスに提供する。したがって、ネットワークの構成されたネットワークスライス選択支援情報が適時に更新されることができることがさらに保証される。
【０２２７】
任意選択で、第１のネットワーク中のアクセスおよびモビリティ管理機能ネットワーク要素が、端末デバイスの、第１のネットワークに関連する第１の構成されたネットワークスライス選択支援情報を取得することは、データ管理ネットワーク要素からアクセスおよびモビリティ管理機能ネットワーク要素によって、端末デバイスの、第１のネットワークに関連する更新されたサブスクライブされたＳ−ＮＳＳＡＩを受信することと、アクセスおよびモビリティ管理機能ネットワーク要素によって、更新されたサブスクライブされたＳ−ＮＳＳＡＩに基づいて第１の構成されたネットワークスライス選択支援情報を取得することとを含む。アクセスおよびモビリティ管理機能ネットワーク要素は、第１の構成されたネットワークスライス選択支援情報が更新されたサブスクライブされたＳ−ＮＳＳＡＩに基づいて取得されると決定し、したがって、アクセスおよびモビリティ管理機能ネットワーク要素は、端末デバイスにインジケーション情報を送信する。たとえば、図１０のステップ１００１および１００２に関する説明を参照されたい。
【０２２８】
図１０に関する上記の説明を参照すると、本出願は、通信方法を提供する。図１２に示されているように、本方法は以下のステップを含む。
【０２２９】
１２０１．端末デバイスは、第１のネットワーク中のアクセスおよびモビリティ管理機能ネットワーク要素から、端末デバイスの、第１のネットワークに対応する第１の構成されたネットワークスライス選択支援情報を受信する。
【０２３０】
ステップ１２０１については、図１０のステップ１００３に関する説明を参照されたい。詳細についてここで再び説明されない。
【０２３１】
１２０２．端末デバイスは、第１のネットワーク以外の他のネットワークに関連する第２の構成されたネットワークスライス選択支援情報を削除し、第１のネットワークに関連する記憶された第３の構成されたネットワークスライス選択支援情報を第１の構成されたネットワークスライス選択支援情報と置き換える。
【０２３２】
ステップ１２０２については、図１０のステップ１００４に関する説明を参照されたい。詳細についてここで再び説明されない。
【０２３３】
したがって、端末デバイスは、第１のネットワーク以外の他のネットワークに関連する第２の構成されたネットワークスライス選択支援情報を削除するので、端末デバイスが他のネットワークに次回登録するとき、端末デバイスがネットワークに対応する構成されたネットワークスライス選択支援情報を記憶していないので、端末デバイスは、登録要求に要求されたネットワークスライス選択支援情報を追加しない。したがって、ネットワーク側は、端末デバイスの現在のサブスクリプション情報に基づいてネットワークの１つの構成されたネットワークスライス選択支援情報を端末デバイスに提供する。したがって、ネットワークの構成されたネットワークスライス選択支援情報は、適時に更新されることができ、それによって、端末デバイスのユーザエクスペリエンスを改善し、ネットワークリソースを節約する。
【０２３４】
任意選択で、本方法は、端末デバイスによって、アクセスおよびモビリティ管理機能ネットワーク要素からインジケーション情報を受信するステップをさらに含み、ここでインジケーション情報は、第２の構成されたネットワークスライス選択支援情報を削除するように端末デバイスに命令するために使用される。たとえば、図１０のステップ１００３に関する説明を参照されたい。
【０２３５】
任意選択で、本方法は、端末デバイスによって、他のネットワークに関連する許可されたネットワークスライス選択支援情報を削除するステップをさらに含む。たとえば、図１０のステップ１００４に関する説明を参照されたい。したがって、端末デバイスが他のネットワークに次回登録するとき、端末デバイスは、いずれかのネットワークに対応する許可されたネットワークスライス選択支援情報を記憶しておらず、端末デバイスは、許可されたネットワークスライス選択支援情報に基づいて要求されたネットワークスライス選択支援情報を決定することができないので、端末デバイスは、登録要求に要求されたネットワークスライス選択支援情報を追加しない。したがって、ネットワーク側は、端末デバイスの現在のサブスクリプション情報に基づいてネットワークの１つの構成されたネットワークスライス選択支援情報を端末デバイスに提供する。したがって、ネットワークの構成されたネットワークスライス選択支援情報が適時に更新されることができることがさらに保証される。さらに、任意選択で、本方法は、端末デバイスによって、アクセスおよびモビリティ管理機能ネットワーク要素からインジケーション情報を受信するステップを含み、ここでインジケーション情報は、第２の構成されたネットワークスライス選択支援情報と許可されたネットワークスライス選択支援情報とを削除するように端末デバイスに命令するために使用される。
【０２３６】
図１３は、本出願の実施形態による別の通信方法の概略フローチャートである。
【０２３７】
本方法は、端末デバイスと、ＡＭＦと、ＵＤＭとの間での対話に少なくとも関する。たとえば、端末デバイスと、ＡＭＦと、ＵＤＭとは、それぞれ、図１中の端末デバイス１１０と、アクセスおよびモビリティ管理機能ネットワーク要素１２０と、統一データ管理ネットワーク要素１３０とであり得、本明細書では、詳細は再び説明されない。端末デバイスとＡＭＦとは、第１のＰＬＭＮ中に位置する。言い換えれば、第１のＰＬＭＮは、端末デバイスに、現在、サービスを提供しているＰＬＭＮである。第１のＰＬＭＮは、ＨＰＬＭＮまたはＶＰＬＭＮであり得る。ＵＤＭは、端末デバイスのＨＰＬＭＮ中に位置する。
【０２３８】
図１３に示されているように、本方法は以下のステップを含む。
【０２３９】
１３０１．ＵＤＭは、第１のＰＬＭＮ中のＡＭＦに端末デバイスの更新されたサブスクライブされたネットワークスライス選択支援情報（ｕｐｄａｔｅｄ  Ｓｕｂｓｃｒｉｂｅｄ  Ｓ−ＮＳＳＡＩ）を送信する。たとえば、サブスクライブされたＳ−ＮＳＳＡＩが更新された後、端末デバイスの更新されたサブスクライブされたＳ−ＮＳＳＡＩが、第１のＰＬＭＮ中の端末デバイスによってアクセス可能な１つまたは複数のネットワークスライスを識別するために使用される。
【０２４０】
たとえば、端末デバイスのサブスクリプションデータ中のサブスクライブされたＳ−ＮＳＳＡＩが更新された後、ＵＤＭは、ＵＤＭの加入者データ管理（ｓｕｂｓｃｒｉｂｅｒ  ｄａｔａ  ｍａｎａｇｅｍｅｎｔ、ＳＤＭ）通知（Ｎｕｄｍ＿ＳＤＭ＿Ｎｏｔｉｆｉｃａｔｉｏｎ）サービスを呼び出すことによって更新されたサブスクライブされたＳ−ＮＳＳＡＩを第１のＰＬＭＮ中のＡＭＦに通知し得る。さらに、ＵＤＭは、Ｎｕｄｍ＿ＳＤＭ＿Ｇｅｔサービスを呼び出すことによって第１のＰＬＭＮ中のＡＭＦにサブスクライブされたＳ−ＮＳＳＡＩと第１のインジケーション情報とを送信し得る。第１のインジケーション情報は、サブスクライブされたＳ−ＮＳＳＡＩが更新されることを示すために使用される。具体的に言えば、サブスクライブされたＳ−ＮＳＳＡＩは、更新されたサブスクライブされたＳ−ＮＳＳＡＩである。
【０２４１】
任意選択で、更新されたサブスクライブされたＳ−ＮＳＳＡＩ（または更新されたサブスクライブされたＳ−ＮＳＳＡＩと第１のインジケーション情報と）を受信した後に、ＡＭＦは、ＵＤＭに肯定応答メッセージを返信し得る。
【０２４２】
１３０２．ＡＭＦは、端末デバイスに第２のインジケーション情報を送信する。第２のインジケーション情報は、第１のＰＬＭＮとは異なる別のものに関連する第２の構成されたＮＳＳＡＩを削除するように端末デバイスに命令するために使用される。
【０２４３】
言い換えれば、ＡＭＦは、第１のＰＬＭＮのサブスクライブされたＳ−ＮＳＳＡＩが更新されるとＡＭＦが通知されるときにのみ、ステップ１３０２において、ＵＥに第２のインジケーション情報を送信する。
【０２４４】
たとえば、ＡＭＦは、端末デバイスにユーザ機器構成更新コマンド（ＵＥ  ｃｏｎｆｉｇｕｒａｔｉｏｎ  ｕｐｄａｔｅ  ｃｏｍｍａｎｄ）を送信し得、ここで、ユーザ機器構成更新コマンドは、第２のインジケーション情報を含むか、またはＡＭＦは、端末デバイスに登録受入れ（ｒｅｇｉｓｔｒａｔｉｏｎ  ａｃｃｅｐｔ）メッセージを送信し得、ここで、登録受入れメッセージは、第２のインジケーション情報を含む。これは、本出願における本明細書では限定されない。上記のメッセージは、（Ｒ）ＡＮデバイスにＡＭＦによって送信され得、次いで、（Ｒ）ＡＮデバイスは、端末デバイスにメッセージを転送する。
【０２４５】
本明細書における「第１のＰＬＭＮ以外の他のネットワーク」は、端末によってアクセスされ得るネットワーク範囲中の第１のＰＬＭＮとは異なる別のＰＬＭＮであり得る。
【０２４６】
任意選択で、第２のインジケーション情報は、第１のＰＬＭＮ以外の他のネットワークに関連する許可されたネットワークスライス選択支援情報（許可されたＮＳＳＡＩ、ａｌｌｏｗｅｄ  ＮＳＳＡＩ）を削除するように端末デバイスに命令するためにさらに使用される。ネットワークに関連する許可されたＮＳＳＡＩは、第１のＰＬＭＮ中の、端末デバイスがアクセスすることを許可されるネットワークスライスを識別するために使用される。
【０２４７】
任意選択で、第２のインジケーション情報は、さらに、第１のＰＬＭＮ以外の他のネットワークに関連する第２の構成されたＮＳＳＡＩとＨＰＬＭＮの構成されたＮＳＳＡＩとの間の対応を削除するように端末デバイスに命令するために使用される。任意選択で、第２のインジケーション情報は、さらに、第１のＰＬＭＮ以外の他のネットワークに関連する許可されたＮＳＳＡＩとＨＰＬＭＮの構成されたＮＳＳＡＩとの間の対応を削除するように端末デバイスに命令するために使用される。
【０２４８】
任意選択で、端末デバイスに第２のインジケーション情報を送信する前に、ＡＭＦは、端末の、第１のＰＬＭＮに関連する第３の構成されたＮＳＳＡＩが更新される必要がないと決定する。
【０２４９】
１３０３．第２のインジケーション情報を受信した後で、端末デバイスは、第１のＰＬＭＮ以外の他のネットワークに関連する第２の構成されたＮＳＳＡＩを削除する。
【０２５０】
任意選択で、第２のインジケーション情報が第１のＰＬＭＮ以外の他のネットワークに関連する第２の構成されたＮＳＳＡＩとＨＰＬＭＮの構成されたＮＳＳＡＩとの間の対応を削除するように端末デバイスに命令するためにさらに使用されるとき、ステップ１３０２において送信されたインジケーション情報を受信した後に、端末デバイスは、第２の構成されたＮＳＳＡＩとＨＰＬＭＮの構成されたＮＳＳＡＩとの間の対応をさらに削除する。
【０２５１】
したがって、上記の解決策によれば、端末デバイスのサブスクリプションデータ変更中に、ＡＭＦは、別のＰＬＭＮの前に記憶された構成されたＮＳＳＡＩを削除するように端末デバイスに命令する。このようにして、端末デバイスが別のＰＬＭＮに次回登録するとき、端末デバイスは、ＰＬＭＮに対応する構成されたＮＳＳＡＩを記憶していないので、端末デバイスは、登録要求に要求されたＮＳＳＡＩ（Ｒｅｑｕｅｓｔｅｄ  ＮＳＳＡＩ）を追加しない。したがって、ネットワーク側は、端末デバイスの現在のサブスクリプション情報に基づいてＰＬＭＮの１つの構成されたＮＳＳＡＩを端末デバイスに提供する。したがって、ＰＬＭＮの構成されたＮＳＳＡＩは、適時に更新されることができ、それによって、端末デバイスのユーザエクスペリエンスを改善し、ネットワークリソースを節約する。
【０２５２】
任意選択で、第２のインジケーション情報が他のネットワークに関連する許可されたＮＳＳＡＩを削除するように端末デバイスに命令するためにさらに使用されるとき、ステップ１３０２において送信されたインジケーション情報を受信した後に、端末デバイスは、他のネットワークに関連する許可されたＮＳＳＡＩをさらに削除する。任意選択で、端末デバイスは、さらに、第１のＰＬＭＮ以外の他のネットワークに関連する許可されたＮＳＳＡＩとＨＰＬＭＮの構成されたＮＳＳＡＩとの間の対応を削除する。
【０２５３】
したがって、端末デバイスが別のＰＬＭＮに次回登録するとき、端末デバイスは、いずれかのＰＬＭＮに対応する許可されたＮＳＳＡＩを記憶しておらず、端末デバイスは、許可されたＮＳＳＡＩに基づいて要求されたＮＳＳＡＩを決定することができないので、端末デバイスは、登録要求に要求されたＮＳＳＡＩを追加しない。したがって、ネットワーク側は、端末デバイスの現在のサブスクリプション情報に基づいてＰＬＭＮの１つの構成されたＮＳＳＡＩを端末デバイスに提供する。したがって、ＰＬＭＮの構成されたＮＳＳＡＩが適時に更新されることができることがさらに保証される。
【０２５４】
任意選択で、第２のインジケーション情報を受信した後に、端末デバイスは、ステップ１３０４を実行する。
【０２５５】
１３０４．端末デバイスは、ＡＭＦに肯定応答メッセージを送信する。
【０２５６】
代替として、端末デバイスは、第１の構成されたＮＳＳＡＩを受信し、ステップ１３０３の動作を完了した後にＡＭＦにＡＣＫを送信し得る。
【０２５７】
たとえば、第２のインジケーション情報がＵＥ構成更新コマンドを使用することによってステップ１３０４において送信される場合、端末デバイスは、ＵＥ構成更新完了メッセージを使用することによってＡＭＦにＡＣＫを送信し得る。第２のインジケーション情報が登録受入れメッセージを使用することによってステップ１３０２において送信される場合、ＵＥは、登録完了メッセージを使用することによってＡＭＦにＡＣＫを送信し得る。
【０２５８】
任意選択で、ＡＣＫを受信した後に、ＡＭＦは、ステップ１３０５を実行する。
【０２５９】
１３０５．ＡＣＫを受信した後に、ＡＭＦは、構成されたＮＳＳＡＩの更新結果をＵＤＭに通知する。
【０２６０】
たとえば、ＡＭＦは、ＡＭＦのＵＥ構成更新通知（Ｎａｍｆ＿Ｃｏｍｍｕｎｉｃａｔｉｏｎ＿ＵＥＣｏｎｆｉｇｕｒａｔｉｏｎＵｐｄａｔｅＮｏｔｉｆｙ）サービスを呼び出すことによって構成されたＮＳＳＡＩの更新結果をＵＤＭに通知し得る。任意選択で、ステップ１３０１は、ＵＤＭがＡＭＦとのサービスにサブスクライブすると見なされ得る。通知を受信した後に、ＵＤＭは、構成されたＮＳＳＡＩの更新が開始される必要がないと決定する。たとえば、ＵＤＭは、端末デバイスのサブスクライブされたＳ−ＮＳＳＡＩが再び更新される前に構成されたＮＳＳＡＩを更新しない。
【０２６１】
たとえば、ＡＭＦは、ＡＭＦのイベント通知（Ｎａｍｆ＿ＥｖｅｎｔＥｘｐｏｓｕｒｅ＿Ｎｏｔｉｆｙ）サービスを呼び出すことによって構成されたＮＳＳＡＩの更新結果をＵＤＭに通知し得る。任意選択で、ＵＤＭは、ステップ１３０１の前または後にＡＭＦとのサービスにサブスクライブする。通知を受信した後に、ＵＤＭは、構成されたＮＳＳＡＩの更新が開始される必要がないと決定する。たとえば、ＵＤＭは、端末デバイスのサブスクライブされたＳ−ＮＳＳＡＩが再び更新される前に構成されたＮＳＳＡＩを更新しない。
【０２６２】
上記で説明されたように、図１３の例は、（サブスクリプションデータ中のサブスクライブされたＳ−ＮＳＳＡＩの変更である）端末デバイスサブスクリプション変更によってトリガされた構成されたＮＳＳＡＩ更新に適用可能であり、図１３の例は、第１のＰＬＭＮによって管理された構成されたＮＳＳＡＩが更新される必要がないシナリオをサポートする。
【０２６３】
可能な設計では、上記の方法は、別の条件によってトリガされた構成されたＮＳＳＡＩ更新にさらに適用可能である。たとえば、別の条件は、以下のうちの少なくとも１つを含む。
１．ローカルポリシーの変更またはスライス展開変化によって生じた変更を含むサービングＰＬＭＮの構成変更がある。
２．端末デバイスは、登録要求を送信するときに要求されたＮＳＳＡＩを追加しない。
３．端末デバイスによって要求されたＮＳＳＡＩ中の特定のＳ−ＮＳＳＡＩが端末デバイスの現在のＰＬＭＮ中で無効である。
４．端末デバイスによって要求されたＮＳＳＡＩが、端末デバイスのサブスクライブされたＳ−ＮＳＳＡＩの範囲内にない。
【０２６４】
別の可能な設計では、ＡＭＦは、構成されたＮＳＳＡＩ更新が端末デバイスサブスクリプション変更によってトリガされたときにのみ、第１のＰＬＭＮ以外の他のネットワークに関連する第２の構成されたＮＳＳＡＩを削除するように端末デバイスに命令するか、または第２の構成されたＮＳＳＡＩと第１のＰＬＭＮ以外の他のネットワークに関連する許可されたＮＳＳＡＩを削除するように端末デバイスに命令する。
【０２６５】
図１３の方法は、端末デバイスが登録解除し、次いで、再登録する（たとえば、電源切断された後に電源投入される）シナリオに適用可能であり、ローミングシナリオにも適用可能である。代替として、任意選択で、端末デバイスが登録解除し、次いで、再登録する（たとえば、電源切断された後に電源投入される）シナリオでは、図２から図７の方法のうちのいずれか１つが使用され得、ローミングシナリオでは、図１３の方法が使用され得る。
【０２６６】
したがって、図１３に関する説明を参照すると、図１１に示された方法では、ステップ１１０２において、アクセスおよびモビリティ管理機能ネットワーク要素は、端末デバイスにインジケーション情報のみを送信し得、ここで、インジケーション情報は、第１のネットワーク以外の他のネットワークに関連する第２の構成されたネットワークスライス選択支援情報を削除するように端末デバイスに命令するために使用される。図１２に示された方法では、ステップ１２０２において、端末デバイスは、第１のネットワーク以外の他のネットワークに関連する第２の構成されたネットワークスライス選択支援情報を削除し得る。端末デバイスが、第１の構成されたネットワークスライス選択支援情報を受信していないので、第１のネットワークに関連する記憶された第３の構成されたネットワークスライス選択支援情報は、第１の構成されたネットワークスライス選択支援情報と置き換えられる必要がないことがある。
【０２６７】
本出願において提供される上記の実施形態では、本出願の実施形態において提供される通信方法の解決策は、ネットワーク要素とネットワーク要素間の対話との観点から別々に説明される。上記の機能を実装するために、ネットワーク要素は、機能を実行するための対応するハードウェア構造および／またはソフトウェアモジュールを含むことが理解されることができる。当業者は、本明細書に開示する実施形態において説明される例と組み合わせて、本出願においてハードウェアまたはハードウェアとコンピュータソフトウェアとの組合せによってユニットおよびアルゴリズムステップが実装され得ることに容易に気づくべきである。機能がハードウェアによって実行されるのか、またはコンピュータソフトウェアによって駆動されたハードウェアによって実行されるのかは、特定の適用例および技術的解決策の設計制約に依存する。当業者は、特定の適用例ごとに説明される機能を実装するために異なる方法を使用し得るが、実装が本出願の範囲を越えると見なされるべきではない。
【０２６８】
たとえば、上記のネットワーク要素がソフトウェアモジュールを使用することによって対応する機能を実装するとき、通信装置は、第１のパブリックランドモバイルネットワーク中に位置し、図８Ａに示されているように、受信モジュール８０１と、処理モジュール８０２と、送信モジュール８０３とを含み得る。装置は、アクセスおよびモビリティ管理機能ネットワーク要素またはチップであり得る。
【０２６９】
装置は、図２のアクセスおよびモビリティ管理機能ネットワーク要素の動作を実行するように構成され得る。たとえば、受信モジュール８０１は、端末デバイスから登録要求メッセージを受信するように構成され、処理モジュール８０２は、第１の条件が満たされると決定するとき、送信モジュール８０３を使用することによって端末デバイスに第１のパブリックランドモバイルネットワークの構成されたネットワークスライス選択支援情報を送信するように構成され、ここで第１の条件は、登録要求メッセージが最初の登録要求メッセージであること、または端末デバイスが第２のパブリックランドモバイルネットワークから第１のパブリックランドモバイルネットワークに移動した後に登録要求メッセージが送信されることのいずれかを含む。
【０２７０】
したがって、端末デバイスが登録解除された状態（ＲＭ−ＤＥＲＥＧＩＳＴＥＲＥＤ）であるときに端末デバイスのサブスクライブされたＳ−ＮＳＳＡＩが変化するシナリオの場合、または端末デバイスが第２のＰＬＭＮから第１のＰＬＭＮに移動し、第２のＰＬＭＮにキャンプオンするときに端末デバイスのサブスクリプション情報中に含まれるサブスクライブされたＳ−ＮＳＳＡＩが変化するシナリオの場合、本装置は、端末デバイスによって使用される第１のＰＬＭＮの構成されたＮＳＳＡＩが適時に更新されることを保証するために使用され、それによって、端末デバイスのユーザエクスペリエンスを改善し、ネットワークリソースを節約し得る。
【０２７１】
任意選択で、第１の条件は、アクセスおよびモビリティ管理機能ネットワーク要素が統一データ管理ネットワーク要素から端末デバイスのサブスクリプション情報を取得することをさらに含む。したがって、端末デバイスが短時間にＡＭＦに繰り返し登録するとき、ＡＭＦは、端末デバイスに第１のＰＬＭＮの構成されたネットワークスライス選択支援情報を繰り返し送信することを妨げられてよく、それによって、ネットワークシグナリングの浪費をさらに回避し、ネットワークリソースを節約する。
【０２７２】
図８Ｂに示されているように、別の通信装置は、受信モジュール８１１と送信モジュール８１２とを含み得る。任意選択で、通信装置は、処理モジュール８１３をさらに含む。装置は、統一データ管理ネットワーク要素またはチップであり得る。
【０２７３】
装置は、図３、図４、または図５のＵＤＭの動作を実行するように構成され得る。たとえば、受信モジュール８１１は、第１のパブリックランドモバイルネットワーク中の第１のアクセスおよびモビリティ管理機能ネットワーク要素から、端末デバイスのサブスクリプション情報を取得する要求を受信することであって、第１のアクセスおよびモビリティ管理機能ネットワーク要素が、端末デバイスにサービスするアクセスおよびモビリティ管理機能ネットワーク要素である、ことを行うように構成され、送信モジュール８１２は、第１のアクセスおよびモビリティ管理機能ネットワーク要素に端末デバイスのサブスクリプション情報を送信することであって、端末デバイスのサブスクリプション情報が、端末デバイスの少なくともサブスクライブされたネットワークスライス選択支援情報を含む、ことを行うように構成され、さらに、第１の構成されたネットワークスライス選択支援情報を更新するように第１のアクセスおよびモビリティ管理機能ネットワーク要素に命令することであって、第１の構成されたネットワークスライス選択支援情報は、端末デバイスが登録するように要求する第１のパブリックランドモバイルネットワークの構成されたネットワークスライス選択支援情報である、ことを行うように構成される。
【０２７４】
したがって、端末デバイスが登録解除された状態（ＲＭ−ＤＥＲＥＧＩＳＴＥＲＥＤ）であるときに端末デバイスのサブスクライブされたＳ−ＮＳＳＡＩが変化するシナリオの場合、または端末デバイスが第２のＰＬＭＮから第１のＰＬＭＮに移動し、第２のＰＬＭＮにキャンプオンするときに端末デバイスのサブスクリプション情報中に含まれるサブスクライブされたＳ−ＮＳＳＡＩが変化するシナリオの場合、本装置は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【０２７５】
たとえば、送信モジュール８１２は、第１のアクセスおよびモビリティ管理機能ネットワーク要素に第１のインジケーション情報を送信するように構成され、ここで第１のインジケーション情報は、第１の構成されたネットワークスライス選択支援情報を更新するように第１のアクセスおよびモビリティ管理機能ネットワーク要素に命令するために使用される。代替として、送信モジュール８１２は、第１のアクセスおよびモビリティ管理機能ネットワーク要素に端末デバイスのサブスクリプション変更通知メッセージを送信するように構成され、端末デバイスのサブスクリプション変更通知メッセージが、端末デバイスのサブスクライブされたネットワークスライス選択支援情報を含む。
【０２７６】
任意選択で、送信モジュール８１２は、第１のアクセスおよびモビリティ管理機能ネットワーク要素にサブスクリプション要求を送信することであって、サブスクリプション要求は、第１の構成されたネットワークスライス選択支援情報の更新が完了した後に統一データ管理ネットワーク要素に通知メッセージを送信するように第１のアクセスおよびモビリティ管理機能ネットワーク要素に要求するために使用される、ことを行うようにさらに構成され、受信モジュール８１１は、第１のアクセスおよびモビリティ管理機能ネットワーク要素から通知メッセージを受信するようにさらに構成される。
【０２７７】
任意選択で、処理モジュール８１３は、送信モジュールが、第１の構成されたネットワークスライス選択支援情報を更新するように第１のアクセスおよびモビリティ管理機能ネットワーク要素に命令した後、第１の構成されたネットワークスライス選択支援情報の更新が開始される必要がないと決定するように構成される。代替として、処理モジュール８１３は、受信モジュールが、第１のアクセスおよびモビリティ管理機能ネットワーク要素から通知メッセージを受信した後、第１の構成されたネットワークスライス選択支援情報の更新が開始される必要がないと決定するように構成される。
【０２７８】
任意選択で、処理モジュール８１３は、送信モジュールが、第１の構成されたネットワークスライス選択支援情報を更新するように第１のアクセスおよびモビリティ管理機能ネットワーク要素に命令する前に、端末の１つまたは複数のパブリックランドモバイルネットワークの構成されたネットワークスライス選択支援情報が更新される必要があると決定することであって、１つまたは複数のパブリックランドモバイルネットワークが、第１のパブリックランドモバイルネットワークを含む、ことを行うように構成される。たとえば、処理モジュール８１３は、端末デバイスのサブスクリプション情報が変化すると決定するとき、端末の１つまたは複数のパブリックランドモバイルネットワークの構成されたネットワークスライス選択支援情報が更新される必要があると決定するように構成される。
【０２７９】
図８Ｃに示されているように、別の通信装置は、送信モジュール８２１と、受信モジュール８２２と、処理モジュール８２３とを含み得る。装置は、アクセスおよびモビリティ管理機能ネットワーク要素またはチップであり得る。
【０２８０】
装置は、図３、図４、または図５のＡＭＦの動作を実行するように構成され得る。たとえば、送信モジュール８２１は、統一データ管理ネットワーク要素に、端末デバイスのサブスクリプション情報を取得する要求を送信することであって、第１のアクセスおよびモビリティ管理機能ネットワーク要素が、端末デバイスにサービスするアクセスおよびモビリティ管理機能ネットワーク要素である、ことを行うように構成され、受信モジュール８２２は、統一データ管理ネットワーク要素から端末デバイスのサブスクリプション情報を受信することであって、端末デバイスのサブスクリプション情報が、端末デバイスの少なくともサブスクライブされたネットワークスライス選択支援情報を含む、ことを行うように構成され、処理モジュール８２３は、統一データ管理ネットワーク要素のインジケーションに従って第１の構成されたネットワークスライス選択支援情報を更新することであって、第１の構成されたネットワークスライス選択支援情報は、端末デバイスが登録するように要求する第１のパブリックランドモバイルネットワークの構成されたネットワークスライス選択支援情報である、ことを行うように構成される。
【０２８１】
したがって、端末デバイスが登録解除された状態（ＲＭ−ＤＥＲＥＧＩＳＴＥＲＥＤ）であるときに端末デバイスのサブスクライブされたＳ−ＮＳＳＡＩが変化するシナリオの場合、または端末デバイスが第２のＰＬＭＮから第１のＰＬＭＮに移動し、第２のＰＬＭＮにキャンプオンするときに端末デバイスのサブスクリプション情報中に含まれるサブスクライブされたＳ−ＮＳＳＡＩが変化するシナリオの場合、本装置は、端末デバイスによって使用される第１のＰＬＭＮの構成されたＮＳＳＡＩが適時に更新されることを保証するために使用され、それによって、端末デバイスのユーザエクスペリエンスを改善し、ネットワークリソースを節約し得る。
【０２８２】
任意選択で、処理モジュール８２３は、受信モジュールが統一データ管理ネットワーク要素から第１のインジケーション情報を受信するとき、サブスクライブされたネットワークスライス選択支援情報に基づいて第１の構成されたネットワークスライス選択支援情報を更新するように構成される。代替として、処理モジュール８２３は、受信モジュールが統一データ管理ネットワーク要素から端末デバイスのサブスクリプション変更通知メッセージを受信するとき、端末デバイスのサブスクリプション変更通知メッセージ中に含まれる端末デバイスのサブスクライブされたネットワークスライス選択支援情報に基づいて第１の構成されたネットワークスライス選択支援情報を更新するように構成される。
【０２８３】
任意選択で、受信モジュール８２２は、統一データ管理ネットワーク要素からサブスクリプション要求を受信することであって、サブスクリプション要求は、第１の構成されたネットワークスライス選択支援情報の更新が完了した後に統一データ管理ネットワーク要素に通知メッセージを送信するように第１のアクセスおよびモビリティ管理機能ネットワーク要素に要求するために使用される、ことを行うようにさらに構成され、受信モジュール８２２が端末デバイスから構成更新完了メッセージを受信した後に、送信モジュール８２１は、統一データ管理ネットワーク要素に通知メッセージを送信することであって、構成更新完了メッセージは、端末デバイスが、第１の構成されたネットワークスライス選択支援情報の更新を完了したことを示すために使用される、ことを行うようにさらに構成される。
【０２８４】
図８Ｄに示されているように、別の通信装置は、取得モジュール８３１と処理モジュール８３２とを含み得る。装置は、アクセスおよびモビリティ管理機能ネットワーク要素またはチップであり得る。
【０２８５】
装置は、図６のＡＭＦの動作を実行するように構成され得る。たとえば、取得モジュール８３１は、端末デバイスのサブスクライブされたネットワークスライス選択支援情報を取得することと、端末デバイスの第１の構成されたネットワークスライス選択支援情報を取得することであって、第１の構成されたネットワークスライス選択支援情報は、端末デバイスが登録するように要求する第１のパブリックランドモバイルネットワークの構成されたネットワークスライス選択支援情報である、こととを行うように構成され、処理モジュール８３２は、サブスクライブされたネットワークスライス選択支援情報に基づいて、第１の構成されたネットワークスライス選択支援情報が更新される必要があるかどうかを決定することと、第１の構成されたネットワークスライス選択支援情報が更新される必要があると決定される場合、サブスクライブされたネットワークスライス選択支援情報に基づいて第２の構成されたネットワークスライス選択支援情報を決定し、送信モジュールを使用して端末デバイスに第２の構成されたネットワークスライス選択支援情報を送信することとを行うように構成される。
【０２８６】
したがって、端末デバイスが登録解除された状態（ＲＭ−ＤＥＲＥＧＩＳＴＥＲＥＤ）であるときに端末デバイスのサブスクライブされたＳ−ＮＳＳＡＩが変化するシナリオの場合、または端末デバイスが第２のＰＬＭＮから第１のＰＬＭＮに移動し、第２のＰＬＭＮにキャンプオンするときに端末デバイスのサブスクリプション情報中に含まれるサブスクライブされたＳ−ＮＳＳＡＩが変化するシナリオの場合、本装置は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【０２８７】
任意選択で、取得モジュール８３１は、端末デバイスから登録要求メッセージを受信することであって、登録要求メッセージは、第１の構成されたネットワークスライス選択支援情報を含む、ことを行うように構成される。登録要求メッセージが最初の登録要求メッセージであるか、または登録要求メッセージは、端末デバイスが第２のパブリックランドモバイルネットワークから第１のパブリックランドモバイルネットワークに移動した後に送信される。代替として、取得モジュール８３１は、端末デバイスのコンテキストを取得することであって、端末デバイスのコンテキストは、第１の構成されたネットワークスライス選択支援情報を含む、ことを行うように構成される。
【０２８８】
任意選択で、処理モジュール８３２は、第１の構成されたネットワークスライス選択支援情報がサブスクライブされたネットワークスライス選択支援情報と同じであるかどうかを決定することと、第１の構成されたネットワークスライス選択支援情報がサブスクライブされたネットワークスライス選択支援情報とは異なる場合、第１の構成されたネットワークスライス選択支援情報が第２の構成されたネットワークスライス選択支援情報に更新される必要があると決定することであって、第２の構成されたネットワークスライス選択支援情報中に含まれた単一のネットワークスライス選択支援情報は、サブスクライブされたネットワークスライス選択支援情報と同じである、こととを行うように構成される。
【０２８９】
任意選択で、第１の構成されたネットワークスライス選択支援情報は、端末デバイスの訪問先パブリックランドネットワークの構成されたネットワークスライス選択支援情報であり、処理モジュール８３２は、第１の構成されたネットワークスライス選択支援情報、サブスクライブされたネットワークスライス選択支援情報、および第１の構成されたネットワークスライス選択支援情報と端末デバイスのホームパブリックランドネットワークの構成されたネットワークスライス選択支援情報との間のマッピング関係に基づいて、第１の構成されたネットワークスライス選択支援情報が更新される必要があるかどうかを決定するように構成される。
【０２９０】
任意選択で、処理モジュール８３２は、端末デバイスのコンテキスト中に第２の構成されたネットワークスライス選択支援情報を記憶するようにさらに構成される。
【０２９１】
図８Ｅに示されているように、別の通信装置は、送信モジュール８４１と受信モジュール８４２とを含み得る。装置は、端末デバイスまたはチップであり得る。
【０２９２】
装置は、図６のＵＥの動作を実行するように構成され得る。たとえば、送信モジュール８４１は、アクセスおよびモビリティ管理機能ネットワーク要素に登録要求メッセージを送信することであって、登録要求メッセージは、端末デバイスの第１の構成されたネットワークスライス選択支援情報を含み、第１の構成されたネットワークスライス選択支援情報は、端末デバイスが登録するように要求する第１のパブリックランドモバイルネットワークの構成されたネットワークスライス選択支援情報である、ことを行うように構成され、受信モジュール８４２は、第１のパブリックランドモバイルネットワークの第２の構成されたネットワークスライス選択支援情報を取得するように構成される。
【０２９３】
したがって、端末デバイスが登録解除された状態（ＲＭ−ＤＥＲＥＧＩＳＴＥＲＥＤ）であるときに端末デバイスのサブスクライブされたＳ−ＮＳＳＡＩが変化するシナリオの場合、または端末デバイスが第２のＰＬＭＮから第１のＰＬＭＮに移動し、第２のＰＬＭＮにキャンプオンするときに端末デバイスのサブスクリプション情報中に含まれるサブスクライブされたＳ−ＮＳＳＡＩが変化するシナリオの場合、本装置は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【０２９４】
任意選択で、登録要求メッセージが最初の登録要求メッセージであるか、または登録要求メッセージは、端末デバイスが第２のパブリックランドモバイルネットワークから第１のパブリックランドモバイルネットワークに移動した後に送信される。
【０２９５】
図８Ｆに示されているように、別の通信装置は、受信モジュール８５１と、処理モジュール８５２と、送信モジュール８５３とを含み得る。装置は、端末デバイスまたはチップであり得る。
【０２９６】
装置は、図７のＵＥの動作を実行するように構成され得る。たとえば、受信モジュール８５１は、更新されたユーザ機器ルート選択ポリシーを受信するように構成され、処理モジュール８５２は、アクセスおよびモビリティ管理機能ネットワーク要素への更新インジケーション情報の伝送が記録されていないと決定するように構成され、送信モジュール８５３は、アクセスおよびモビリティ管理機能ネットワーク要素に更新インジケーション情報を送信することであって、更新インジケーション情報は、端末デバイスに更新された構成されたネットワークスライス選択支援情報を送信するようにアクセスおよびモビリティ管理機能ネットワーク要素に命令するために使用され、アクセスおよびモビリティ管理機能ネットワーク要素は、訪問先パブリックランドモバイルネットワーク中に位置する、ことを行うように構成され、処理モジュール８５２は、更新インジケーション情報が訪問先ＰＬＭＮに送信されていることを記録するように構成される。
【０２９７】
したがって、端末デバイスが登録解除された状態（ＲＭ−ＤＥＲＥＧＩＳＴＥＲＥＤ）であるときに端末デバイスのサブスクライブされたＳ−ＮＳＳＡＩが変化するシナリオの場合、または端末デバイスが第２のＰＬＭＮから第１のＰＬＭＮに移動し、第２のＰＬＭＮにキャンプオンするときに端末デバイスのサブスクリプション情報中に含まれるサブスクライブされたＳ−ＮＳＳＡＩが変化するシナリオの場合、本装置は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【０２９８】
図８Ｇに示されているように、別の通信装置は、取得モジュール８６１と送信モジュール８６２とを含み得る。装置は、アクセスおよびモビリティ管理機能ネットワーク要素またはチップであり得る。
【０２９９】
装置は、図１０または図１１のＡＭＦの動作を実行するように構成され得る。たとえば、取得モジュール８６１は、端末デバイスの、第１のネットワークに関連する第１の構成されたネットワークスライス選択支援情報を取得するように構成され、送信モジュール８６２は、端末デバイスに第１の構成されたネットワークスライス選択支援情報とインジケーション情報とを送信することであって、インジケーション情報は、第１のネットワーク以外の他のネットワークに関連する第２の構成されたネットワークスライス選択支援情報を削除するように端末デバイスに命令するために使用される、ことを行うように構成される。
【０３００】
したがって、通信装置は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【０３０１】
任意選択で、インジケーション情報は、他のネットワークに関連する許可されたネットワークスライス選択支援情報を削除するように端末デバイスに命令するためにさらに使用される。
【０３０２】
任意選択で、端末デバイスの、第１のネットワークに関連する第１の構成されたネットワークスライス選択支援情報を取得するために、取得モジュール８６１は、特に、データ管理ネットワーク要素から、端末デバイスの第１のネットワークに関連する更新されたサブスクライブされたＳ−ＮＳＳＡＩを受信することと、更新されたサブスクライブされたＳ−ＮＳＳＡＩに基づいて第１の構成されたネットワークスライス選択支援情報を取得することとを行うように構成される。通信装置は、第１の構成されたネットワークスライス選択支援情報が更新されたサブスクライブされたＳ−ＮＳＳＡＩに基づいて取得されると決定し、したがって、送信モジュール８６２は、端末デバイスにインジケーション情報を送信する。
【０３０３】
任意選択で、第１の構成されたネットワークスライス選択支援情報とインジケーション情報とを送信するために、送信モジュール８６２は、特に、端末デバイスにユーザ機器構成更新コマンドを送信することであって、ユーザ機器構成更新コマンドは、第１の構成されたネットワークスライス選択支援情報とインジケーション情報とを含む、こと、または端末デバイスに登録受入れメッセージを送信することであって、登録受入れメッセージは、第１の構成されたネットワークスライス選択支援情報とインジケーション情報とを含む、ことを行うように構成される。
【０３０４】
図８Ｈに示されているように、別の通信装置は、受信モジュール８７１と処理モジュール８７２とを含み得る。装置は、端末デバイスまたはチップであり得る。
【０３０５】
装置は、図１０または図１２の端末デバイスの動作を実行するように構成され得る。たとえば、受信モジュール８７１は、第１のネットワーク中のアクセスおよびモビリティ管理機能ネットワーク要素から、端末デバイスの、第１のネットワークに対応する第１の構成されたネットワークスライス選択支援情報を受信するように構成され、処理モジュール８７２は、第１のネットワーク以外の他のネットワークに関連する第２の構成されたネットワークスライス選択支援情報を削除することと、第１のネットワークに関連する記憶された第３の構成されたネットワークスライス選択支援情報を第１の構成されたネットワークスライス選択支援情報と置き換えることとを行うように構成される。
【０３０６】
したがって、通信装置は、端末デバイスによって使用される第１のＰＬＭＮの構成されたＮＳＳＡＩが適時に更新されることを保証するために使用されてよく、それによって、端末デバイスのユーザエクスペリエンスを改善し、ネットワークリソースを節約する。
【０３０７】
任意選択で、受信モジュール８７１は、アクセスおよびモビリティ管理機能ネットワーク要素からインジケーション情報を受信することであって、インジケーション情報は、第２の構成されたネットワークスライス選択支援情報を削除するように端末デバイスに命令するために使用される、ことを行うようにさらに構成される。
【０３０８】
任意選択で、処理モジュール８７２は、他のネットワークに関連する許可されたネットワークスライス選択支援情報を削除するようにさらに構成される。さらに、任意選択で、受信モジュール８７１は、アクセスおよびモビリティ管理機能ネットワーク要素からインジケーション情報を受信することであって、インジケーション情報は、第２の構成されたネットワークスライス選択支援情報と許可されたネットワークスライス選択支援情報とを削除するように端末デバイスに命令するために使用される、ことを行うように構成される。
【０３０９】
図９は、上記の実施形態における通信装置の別の可能な概略構造図である。図１０に示されているように、装置は、トランシーバ１００１とプロセッサ１００２とを含む。
【０３１０】
たとえば、プロセッサ１００２は、汎用マイクロプロセッサ、データ処理回路、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）またはフィールドプログラマブルゲートアレイ（ｆｉｅｌｄ−ｐｒｏｇｒａｍｍａｂｌｅ  ｇａｔｅ  ａｒｒａｙ、ＦＰＧＡ）回路であり得る。装置は、メモリ１００３をさらに含み得る。メモリは、プロセッサ１００２に結合され、装置の必要なコンピュータプログラム１００３１を記憶するように構成される。
【０３１１】
さらに、上記の実施形態における通信方法は、コンピュータ可読記憶媒体１００４（たとえば、ハードディスク）を提供する。コンピュータ可読記憶媒体は、装置のコンピュータプログラム１００４１を記憶する。コンピュータプログラム１００４１は、プロセッサ１００２上にロードされ得る。
【０３１２】
コンピュータプログラム１００３１または１００４１がコンピュータ（たとえば、プロセッサ１００２）上で動作するとき、コンピュータは、上記の方法を実行することが可能にされ得る。
【０３１３】
たとえば、実施形態では、プロセッサ１００２は、上記のアクセスおよびモビリティ管理機能ネットワーク要素（ＡＭＦ）の動作または機能を実行するように構成される。トランシーバ１００１は、装置とＵＤＭ、ＲＡＮデバイス、または別のＡＭＦとの間の通信を実装するように構成される。
【０３１４】
別の実施形態では、プロセッサ１００２は、上記の統一データ管理ネットワーク要素（ＵＤＭ）の動作または機能を実行するように構成される。トランシーバ１００１は、装置とＡＭＦとの間の通信を実装するように構成される。
【０３１５】
さらに別の実施形態では、プロセッサ１００２は、上記の端末デバイス（ＵＥ）の動作または機能を実行するように構成される。トランシーバ１００１は、装置とＡＭＦとの間および装置とＲＡＮデバイスとの間の通信を実装するように構成される。
【０３１６】
本出願における通信装置の機能を実行するためのプロセッサは、中央処理ユニット（ＣＰＵ）、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブル論理デバイス、トランジスタ論理デバイス、ハードウェア構成要素、またはそれらの任意の組合せであり得る。コントローラ／プロセッサは、本出願で開示される内容に関して説明される様々な例示的な論理ブロック、モジュール、および回路を実装または実行し得る。代替として、プロセッサは、コンピューティング機能を実装するプロセッサの組合せ、たとえば、１つもしくは複数のマイクロプロセッサの組合せまたはＤＳＰとマイクロプロセッサの組合せであり得る。
【０３１７】
本出願で開示される内容と組み合わせて説明される方法またはアルゴリズムステップは、ハードウェアによって実装され得るか、またはソフトウェア命令を実行することによってプロセッサによって実装され得る。ソフトウェア命令は、対応するソフトウェアモジュールを含み得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能なハードディスク、ＣＤ−ＲＯＭ、または当技術分野において知られている任意の他の形態の記憶媒体中に位置し得る。たとえば、記憶媒体はプロセッサに結合され、したがって、プロセッサは、記憶媒体から情報を読み取ることができ、または記憶媒体に情報を書き込むことができる。もちろん、記憶媒体はプロセッサの構成要素であり得る。プロセッサおよび記憶媒体はＡＳＩＣ中に位置し得る。加えて、ＡＳＩＣは通信装置中に位置し得る。もちろん、プロセッサと記憶媒体とは、個別構成要素として通信装置中に存在し得る。メモリ１００３は、ランダムアクセスメモリ（ｒａｎｄｏｍ−ａｃｃｅｓｓ  ｍｅｍｏｒｙ、ＲＡＭ）などの揮発性メモリ（ｖｏｌａｔｉｌｅ  ｍｅｍｏｒｙ）を含み得る。メモリ１００３は、フラッシュメモリ（ｆｌａｓｈ  ｍｅｍｏｒｙ）、ハードディスクドライブ（ｈａｒｄ  ｄｉｓｋ  ｄｒｉｖｅ、ＨＤＤ）、またはソリッドステートドライブ（ｓｏｌｉｄ−ｓｔａｔｅ  ｄｒｉｖｅ、ＳＳＤ）などの不揮発性メモリ（ｎｏｎ−ｖｏｌａｔｉｌｅ  ｍｅｍｏｒｙ）を含み得る。メモリ１００３はさらに、前述のタイプのメモリの組合せを含み得る。
【０３１８】
したがって、本出願のさらに別の態様はコンピュータ可読記憶媒体を提供する。コンピュータ可読記憶媒体は命令を記憶する。命令がコンピュータ上で動作するとき、コンピュータは、上記の方法を実行することを可能にされる。
【０３１９】
本出願のさらに別の態様は、命令を含むコンピュータプログラム製品を提供する。コンピュータプログラム製品がコンピュータ上で動作するとき、コンピュータは、上記の方法を実行することを可能にされる。
【０３２０】
本出願のさらに別の態様は、請求項１または２に記載の方法を実行するように構成されたアクセスおよびモビリティ管理機能ネットワーク要素を含む通信システムを提供する。
【０３２１】
本出願のさらに別の態様は、請求項３乃至１０のいずれか一項に記載の方法を実行するように構成された統一データ管理ネットワーク要素と、請求項１１乃至１４のいずれか一項に記載の方法を実行するように構成されたアクセスおよびモビリティ管理機能ネットワーク要素とを含む通信システムを提供する。
【０３２２】
本出願のさらに別の態様は、請求項１５乃至２１のいずれか一項に記載の方法を実行するように構成されたアクセスおよびモビリティ管理機能ネットワーク要素を含む通信システムを提供する。任意選択で、システムは、請求項２２または２３に記載の方法を実行するように構成された端末デバイスをさらに含む。
【０３２３】
本出願のさらに別の態様は、請求項３１乃至３６のいずれか一項に記載の方法を実行するように構成されたアクセスおよびモビリティ管理機能ネットワーク要素を含む通信システムを提供する。任意選択で、システムは、請求項３７乃至４１のいずれか一項に記載の方法を実行するように構成された端末デバイスをさらに含む。
【０３２４】
当業者は、本明細書に開示する実施形態において説明される例と組み合わせて、電子ハードウェアまたはコンピュータソフトウェアおよび電子ハードウェアの組合せによってユニットおよびアルゴリズムステップが実装され得ることに気づき得る。機能がハードウェアによって実行されるのか、またはソフトウェアによって実行されるのかは、特定の適用例および技術的解決策の設計制約条件に依存する。当業者は、特定の適用例ごとに説明される機能を実装するために異なる方法を使用し得るが、実装が本出願の範囲を越えると見なされるべきではない。
【０３２５】
便宜的で簡単な説明のために、上記のシステム、装置、およびユニットの詳細な作業プロセスについて、上記の方法実施形態における対応するプロセスが参照され得、詳細について、本明細書では再び説明されないことが当業者には明確に理解され得る。
【０３２６】
本出願中に提供されるいくつかの実施形態では、開示するシステム、装置、および方法が他の様式で実装され得ることを理解されたい。たとえば、説明した装置実施形態は、一例にすぎない。たとえば、ユニット分割は、論理機能分割にすぎず、実際の実装では他の分割であり得る。たとえば、複数のユニットまたは構成要素が別のシステムに、組み合わせられるかもしくは統合され得、またはいくつかの特徴は無視されるか、もしくは実行されないことがある。さらに、表示もしくは考察した相互結合もしくは直接結合または通信接続は、いくつかのインターフェースを使用することによって実装され得る。装置間またはユニット間の間接結合または通信接続は、電子的な形態、機械的な形態、または他の形態で実装され得る。
【０３２７】
別個の部分として説明されたユニットは、物理的に別個であることもそうでないこともあり、ユニットとして表示された部分は、物理ユニットであることもそうでないこともあり、１つの位置に位置し得るか、または複数のネットワークユニット上に分散され得る。ユニットの一部または全部は、実施形態の解決策の目的を達成するために実際の要件に基づいて選択され得る。
【０３２８】
加えて、本出願の実施形態における機能ユニットが１つの処理ユニットへと統合されることがあり、またはユニットの各々が物理的に単独で存在することがあり、または２つ以上のユニットが１つのユニットへと統合される。
【０３２９】
機能が、ソフトウェア機能ユニットの形態で実装され、独立した製品として販売または使用されるとき、機能は、コンピュータ可読記憶媒体中に記憶され得る。そのような理解に基づいて、本質的に本出願の技術的解決策、または従来技術に寄与する部分、または技術的解決策の一部は、ソフトウェア製品の形態で実装され得る。ソフトウェア製品は、記憶媒体に記憶され、本出願の実施形態において説明される方法のステップのすべてまたは一部を実行するようにコンピュータデバイス（パーソナルコンピュータ、サーバ、またはネットワークデバイスであり得る）に命令するための、いくつかの命令を含む。上記の記憶媒体は、ＵＳＢフラッシュドライブ、取外し可能なハードディスク、読取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどのプログラムコードを記憶することができる任意の媒体を含む。
【０３３０】
上記の説明は、本出願の特定の実装にすぎず、本出願の保護範囲を限定するものではない。本出願で開示される技術範囲内で当業者によって容易に想到されるいかなる変形形態または置換形態も、本出願の保護範囲内に入るものである。したがって、本出願の保護範囲は、特許請求の範囲の保護範囲に従わなければならないものである。
【手続補正３】
【補正対象書類名】図面
【補正対象項目名】図３
【補正方法】変更
【補正の内容】
【図３】
2021519560.tif 000025
【国際調査報告】
2021519560.tif 000026
2021519560.tif 000027
2021519560.tif 000028
2021519560.tif 000029